(57)【要約】【課題】広範囲のウエストサイズに変化でき、また、着用者のウエストサイズの動きに対してもそれに追従するフィット性が得られること。【解決手段】ウエストベルト部１０の表側及び裏側を形成する延出部１１と収容部１２の間を収容部１２の内部で接続部２０の平ゴム２１によって弾性的に接続することで、ウエストベルト部１０を伸縮自在とし、更に、平ゴム２１に縫付けられ、収容部裏ベルト布１２Ｂに設けた貫通穴４５から収容部裏ベルト布１２Ｂの外面側に出されたベルト調節部材４１を貫通穴４５から長く引き出して、ベルト調節部材４１に設けた凹側ドット釦４２Ａと収容部裏ベルト布１２Ｂの外面側に設けた凸側ドット釦４３の係合によりベルト調節部材４１を収容部裏ベルト布１２Ｂの外面側に接合することで、収容部１２に対し延出部１１が挿入する深さを可変する。【選択図】図９
2020066816.tif 000002
【特許請求の範囲】
【請求項１】
ウエスト方向に延びる帯状をなすウエストベルト部を有するウエスト伸縮自在ボトムスであって、
前記ウエストベルト部の表側及び裏側を形成し、身頃に縫着しない端部側が延出自在な延出部と、
前記延出部と共に前記ウエストベルト部の表側及び裏側を形成し、前記延出部の前記身頃に縫着しない前記端部側を収容した収容部と、
前記収容部の内部で前記収容部と前記延出部の間を弾性材によって弾性的に接続した接続部と、
前記ウエストベルト部に設けられ、前記収容部に対して前記延出部が挿入される深さを可変する調節手段と
を具備することを特徴とするウエスト伸縮自在ボトムス。
【請求項２】
前記調節手段は、前記収容部及び前記延出部の間を接続する前記接続部に対し前記収容部に前記延出部が挿入される深さを調節するためのベルト調節部材の一端を接続し、このベルト調節部材に１対の係合部材の一方を設け、前記ウエストベルト部裏側の前記収容部の外面側に前記１対の係合部材の他方を設け、前記ウエストベルト部裏側の前記収容部に前記ベルト調節部材を通す貫通穴を設けてなり、
前記貫通穴に通され前記ウエストベルト部裏側に出された前記ベルト調節部材を前記貫通穴から長く引き出して前記ウエストベルト部裏側の前記収容部の外面側に対し前記１対の係合部材の係合により接合することによって、前記収容部に対し前記延出部が深く挿入された状態が保持されることを特徴とする請求項１に記載のウエスト伸縮自在ボトムス。
【請求項３】
前記調節手段は、前記収容部及び前記延出部の間を接続する前記接続部に対し前記収容部に前記延出部が挿入される深さを調節するためのベルト調節部材の一端を接続し、このベルト調節部材に１対の係合部材の一方を設け、前記ウエストベルト部表側の前記収容部の外面側に前記１対の係合部材の他方を設け、前記ウエストベルト部表側の前記収容部に前記ベルト調節部材を通す貫通穴を設けてなり、
前記貫通穴に通され前記ウエストベルト部表側に出された前記ベルト調節部材を前記貫通穴から長く引き出して前記ウエストベルト部表側の前記収容部の外面側に対し前記１対の係合部材の係合により接合することによって、前記収容部に対し前記延出部が深く挿入された状態が保持されることを特徴とする請求項１に記載のウエスト伸縮自在ボトムス。
【請求項４】
前記１対の係合部材は、１対のドット釦、１対の面ファスナ、または、ボタンとループであることを特徴とする請求項２または請求項３に記載のウエスト伸縮自在ボトムス。
【請求項５】
前記ウエストベルト部は、前記ベルト調節部材において前記１対の係合部材の一方とは別に、前記収容部の外面側に設けた前記１対の係合部材の他方に対応させる他の係合部材を設け、前記収容部に対して前記延出部を深く挿入しないときでも、前記収容部の外面側に設けた前記１対の係合部材の他方に対し、前記ベルト調節部材の前記他の係合部材を係合させることによって、前記ベルト調節部材を前記収容部の外面側に接合自在としたことを特徴とする請求項２乃至請求項４の何れか１つに記載のウエスト伸縮自在ボトムス。
【請求項６】
前記収容部及び前記延出部の間を弾性的に接続し、一端側が前記延出部に縫付けられた前記弾性材には、その最大伸びを制限する伸び止め材を並設し、
前記伸び止め材は、前記弾性材の前記最大伸びに相当する長さだけ弛ませて前記弾性材の長さ方向の両端側に縫付けられ、更に、前記弾性材の前記延出部側とは反対側の他端よりも突出して前記収容部の内部に縫付けられたことを特徴とする請求項１乃至請求項５の何れか１つに記載のウエスト伸縮自在ボトムス。
【請求項７】
更に、前記ウエストベルト部の前記収容部の外面側には、そこに設けられた前記貫通孔を覆って隠すための被覆地を縫付けたことを特徴とする請求項１乃至請求項６の何れか１つに記載のウエスト伸縮自在ボトムス。
【発明の詳細な説明】
【技術分野】
【０００１】
本発明は、ウエストサイズを伸縮自在とした被服、すなわち、スーツ用ズボンや綿パン等のパンツ（ズボン）、スカート、キュロットスカート等（以下、「ボトムス（bottoms）」という）のウエスト伸縮自在ボトムスに関するもので、特に、広範囲のウエストサイズに変化できる伸縮自在ボトムスに関するものである。
【背景技術】
【０００２】
一般に、パンツ（ズボン）等のボトムスの既製品のウエストサイズは、例えば、紳士用であれば、７９ｃｍ、８２ｃｍ、８５ｃｍ等の３ｃｍ間隔、婦人用であれば、６９ｃｍ、７２ｃｍ、７５ｃｍ等の３ｃｍ間隔とした所定の間隔に設定されており、購入者は自己のウエストサイズに近いものを選択して購入している。ところが、既製品のウエストサイズに対し、自己のウエストサイズが合わない際には、購入した衣服のウエストサイズを縫製等により自己のウエストサイズに修正したり、ベルト等を使用して矯正したりして着用している。しかし、このような修正作業には手間及び費用を要し、また、ベルト等によって矯正する場合でも、その購入に余分な費用がかかる。そのうえ、ベルト等で矯正する場合、パンツ等のウエストベルト部に皺が生じることがあり見栄えに好ましくなく、着用した際の快適性も劣ることなる。
【０００３】
また、このような既製品のウエストサイズが固定化されたボトムスでは、たとえ、購入時に、或いは、修正により自己のウエストサイズとボトムスのウエストサイズが合致していても、例えば、起立時と着座時とを比べると、着座時の方が自己のウエストサイズが大きくなることから、そのウエストサイズの変化に対応できない。飲食前後におけるウエストサイズの変化もそれに該当する。このため、ウエストサイズが固定化されたボトムスでは、着用者のウエストの動きに追従するフィット性が得られない。
【０００４】
そこで、これを解決したものとして、本発明者の特許発明に係る特許文献１乃至特許文献３等に記載された技術が公知である。これらの技術は、ズボン等のポケットまたはタック部分でウエストベルト部の一部を重複させる機構とし、即ち、前方または後方のうちの一方のウエストベルト部（延出部）を前方または後方のうちの他方のウエストベルト部（収容部）の内側（裏側）に重ねて配置し、そして、それらの内側で弾性材により連結する。これにより、ズボン等のウエストベルト部が着用者のウエストの動きに合わせて伸縮自在となるものである。
【先行技術文献】
【特許文献】
【０００５】
【特許文献１】特許３９６４５９５号公報
【特許文献２】特許３７８９６６３号公報
【特許文献３】特許６１４０３７９号公報
【発明の概要】
【発明が解決しようとする課題】
【０００６】
このようなウエストベルト部が伸縮自在なボトムスでは、着座時や飲食前後におけるウエストサイズの変化やウエストの動きに合わせて、ウエストベルト部が伸縮するので、着用者のウエストの変化に追従するフィット性が得られる。更に、増量等によりユーザのウエストサイズが購入時よりも増大したときでも、着用時にウエストベルト部が伸長することでウエスト周りに窮屈感を与え難くなる。
【０００７】
ところが、逆に減量等により着用者のウエストサイズが購入時よりも減少した場合には、ウエスト周りにダブつきが生じ、不格好となったり、フィット感等の快適な着用感が得られ難くなったりする。特に、近年は、健康意識が高まり、高血圧、糖尿病等の生活習慣病のリスクの軽減、予防、肥満の防止や解消等の観点から、運動、ダイエット等によって減量を試みる人や運動ブームによって引き締まった体型を手に入れる人が増大傾向にある。そこで、減量や運動等によって大幅に自己のウエストサイズが減少した場合には、サイズダウンした自己のウエストサイズに合ったボトムスを新たに購入するか、即ち、買い替えるか、または、縫製等によって既製品のボトムスのウエストサイズを詰める必要がある。しかし、このような買い替えや、ウエストサイズの修正は出費を伴うものであり、更に手間も要する。特に、せっかく手間や費用をかけてサイズダウンしたボトムスを入手したとしても、場合によっては、体重やウエストサイズがリバウンドし、直ぐにサイズアウトになる可能性もある。
【０００８】
ここで、ウエストのサイズダウンを見越し広範囲のウエストサイズに対応させるため、高い伸び率を有する弾性材の選択によって、伸縮幅を持たせとしても、そのような特性の弾性材は、一般的に、繰り返しの伸縮でヘタリが生じ易く、耐久性に問題が生じる。
【０００９】
そこで、本発明は、広範囲のウエストサイズに変化でき、また、着用者のウエストサイズの動きに対してもそれに追従するフィット性が得られるウエスト伸縮自在ボトムスの提供を課題とするものである。
【課題を解決するための手段】
【００１０】
請求項１の発明のウエスト伸縮自在ボトムスは、身頃に縫着しない端部側が延出自在な延出部及び前記延出部の身頃に縫着しない端部側が挿入される収容部によってウエスト方向に延びる帯状をなしたウエストベルト部の表側及び裏側を形成し、前記収容部に対し前記延出部の前記端部側を重ねた状態で前記収容部及び前記延出部の間を接続する接続部を構成する弾性材によって前記収容部及び前記延出部の間を弾性的に接続し、前記ウエストベルト部に設けた調節手段によって、前記延出部に対して前記収容部に挿入される深さを可変するものである。
【００１１】
ここで、上記ウエストベルト部は、着用時に人体のウエスト周りに配設する部位であり、身頃に縫合わされてボトムスの履き口となる上部において、ウエスト方向に、即ち、ウエスト周囲に亘って延びる帯状に形成されたものである。
【００１２】
上記延出部は、前記ウエストベルト部のウエスト方向の長さの一部の表裏を形成する帯状をなし、その長さ方向の端部（一端部または両端部）側が身頃に縫着されずに収容部に挿入されて収容され、かつ、収容部から延出自在とされているものである。
【００１３】
上記収容部は、前記延出部を除く残りの前記ウエストベルト部のウエスト方向の長さの表裏を形成する帯状をなし、その長さ方向の端部（一端部または両端部）側に前記延出部の身頃に縫着されない端部側が挿入されて収められたものである。即ち、見栄え、美観からしても、前記延出部の端部が前記ウエストベルト部の表裏の外面側（表裏面側）から隠れるように前記延出部の端部を入れるものである。
【００１４】
前記延出部及び前記収容部の関係は、例えば、ボトムスの前中心側に収容部を配設し、後中心側に延出部を配設してもよいし、その逆の配置、つまり、前中心側を延出部、後中心側を収容部としてもよい。また、例えば、前身頃及び後身頃が縫い合わされる脇線の近傍に設けられるポケット部の上方で、前記延出部の延出自在な端部が前記ウエストベルト部の外面側から隠れるように前記収容部内に入れられ、前記ウエスト部において前記収容部に対し前記延出部の端部側が収容されて前記収容部と前記延出部が重複する。
このような延出部及び収容部によって、ウエストベルト部の表側及び裏側を形成する構成は、例えば、延出部及び収容部の表裏を一体として、ウエストベルト部の上端で折り曲げる構成とし、収容部の端部の開口側から収容部内に延出部の端部を入れるようにしてもよいし、収容部及び延出部の表側と裏側は別生地とし、ウエストベルト部の上端で両者の生地を接ぐ構成としてもよい。
【００１５】
上記接続部は、前記収容部に対し前記延出部の前記端部を重ねた状態で前記収容部と前記延出部の間をゴム等の弾性材によって弾性的に接続したものである。この接続部の構成は、弾性材の一端部が前記延出部の前記身頃に縫着しない前記端部に接続され、他端部が前記収容部の内側に直接的に接続された弾性材のみからなる構成であってもよいし、弾性材と非弾性材の組合わせで構成されてもよい。例えば、弾性材に、弾性材の最大伸びを規定する非弾性材として伸び止め材を併設し、弾性材及び伸び止め材によって接続部を構成してもよい。特に、弾性材の一端部が前記延出部の前記身頃に縫着しない前記端部に接続され、他端部が非弾性材としての伸び止め材を介して前記収容部の内側に間接的に接続された構成であってもよい。つまり、非弾性材として伸び止め材を弾性材の両端で縫い付け、更に弾性材の他端よりも突出させて、前記収容部や前記延出部に縫付けた構成でもよく、前記収容部や前記延出部に対する弾性材の接続が直接的または間接的かは問われない。勿論、弾性材と非弾性材が直列的に接続された接続部の構成であってもよい。何れにせよ、ゴム等の弾性材を用いて前記延出部及び前記収容部の間を弾性的に接続する構成であればよい。
【００１６】
上記調節手段は、前記収容部に対して前記延出部が挿入される深さ、即ち、前記収容部に対して前記延出部が重ねられ収容される前記ウエスト方向の長さを可変するものである。
例えば、前記収容部と前記延出部の間の前記接続部が、前記収容部や前記延収部に対する前記接続部の接続位置を可変自在とする構成によって、前記収容部に対して前記延出部が挿入される深さを可変することもできるし、前記収容部と前記延出部の間の前記接続部の接続長さが可変することによっても、前記収容部に対して前記延出部が挿入される深さを可変することができる。ここで、前記収容部と前記延出部の間の前記接続部の接続長さが可変とは、例えば、前記収容部に対して前記延出部が深く挿入されることに伴い、前記収容部と前記延出部の間の接続長さの一部が折重ねられることを意味する。
こうした調節手段によって前記収容部に対して前記延出部を挿入する深さを可変することで、前記ウエストベルト部の前記ウエスト方向の長さを変化させる。即ち、伸長させるウエストサイズを変化させることができる。
【００１７】
請求項２の発明のウエスト伸縮自在ボトムスの前記調節手段は、前記収容部及び前記延出部の間を接続する前記接続部に取付けられ前記収容部に前記延出部が挿入される深さを調節するためのベルト調節部材と、このベルト調節部材及び前記ウエストベルト部裏側の前記収容部の外面側に設けた前記１対の係合部材とから構成され、また、前記ウエストベルト部裏側の前記収容部に前記ベルト調節部材を通す貫通穴を有するものであり、前記貫通穴に通され前記ウエストベルト部裏側の前記収容部の外面側に出された前記ベルト調節部材を前記貫通穴から長く引き出し、前記ウエストベルト部裏側に出された前記ベルト調節部材を前記ウエストベルト部裏側の前記収容部の外面側に対し前記１対の係合部材の係合により接合することによって、前記収容部に対し前記延出部が深く挿入された状態を保持するものである。
【００１８】
ここで、上記ベルト調節部材は、その一端部が前記収容部と前記延出部の間を接続する前記接続部に取付けられた帯状のものである。
上記ベルト調節部材の前記接続部への取付けは、例えば、ベルト調節部材を前記収容部に対して前記延出部が深く挿入される方向に引っ張ると、即ち、ベルト調節部材を前記収容部の反延出部側の奥側に向かって前記ウエスト方向に引っ張ると、前記収容部と前記延出部の間の前記接続部の接続長さの一部が折重ねられ前記収容部に対して前記延出部が深く挿入される構成であればよく、前記接続部を構成する前記弾性材に取付けてもよいし、前記接続部が伸び止め材等の非弾性材を含む場合には、その伸び止め材等の非弾性材に取付けることも可能である。
【００１９】
また、このベルト調節部材には、１対の係合部材の一方（雌側または雄側）が設けられ、前記１対の係合部材の他方（雄側または雌側）は、前記ウエストベルト部の裏側（内側）を形成する前記収容部の外面側（腰裏側の意匠面側）に設けられている。
【００２０】
上記貫通孔は、前記ウエストベルト裏側を形成する前記収容部の生地の表裏を貫通し、上記ベルト調節部材を通す大きさに形成されたものである。
この貫通孔の形成により、前記収容部の内部で前記収容部と前記延出部の間を接続している前記接続部に取付けられたベルト調節部材を前記ウエストベルト部裏側を形成する前記収容部の内面側から外面側に通して、前記ウエストベルト裏側の外面側に出すことができる。
【００２１】
そして、前記貫通穴に通され前記ウエストベルト裏側の前記収容部の外面側に出された前記ベルト調節部材を前記貫通穴から長く引き出すとは、前記収容部の内側で前記収容部と前記延出部の間を接続している前記接続部に取付けたベルト調節部材を前記収容部に対して前記延出部が深く挿入される方向に引っ張ることで、前記収容部に対して前記延出部が深く挿入されるから、その深い挿入状態を形成するために、前記貫通穴に通され前記ウエストベルト裏側の前記収容部の外面側に出されている前記ベルト調節部材を所定方向に引っ張り、前記収容部の外面側に前記ベルト調節部材を多く出すことを意味する。
【００２２】
また、前記収容部の外面側に出された前記ベルト調節部材と前記ウエストベルト部裏側の前記収容部の外面側との前記１対の係合部材の係合により接合とは、前記収容部の外面側に出されたベルト調節部材を長く引き出すことで、前記収容部に対して前記延出部が深く挿入されるから、その深く挿入された状態を、前記収容部の外面側に対し前記ベルト調節部材を前記１対の係合部材の係合により接合することで保持、固定することを意味する。
なお、上記１対の係合部材としては、例えば、ドット釦（スナップ、ホック）、カギホック、面ファスナ、ボタンとボタンホール等が使用される。上記１対の係合部材は、少なくとも１組あればよく、複数個設けて、前記収容部に対して挿入する前記延出部の深さを段階的または連続的に調節自在な構成としてもよい。
【００２３】
請求項３の発明のウエスト伸縮自在ボトムスの前記調節手段は、前記収容部及び前記延出部の間を接続する前記接続部に取付けられ前記収容部に前記延出部が挿入される深さを調節するためのベルト調節部材と、このベルト調節部材及び前記ウエストベルト部表側の前記収容部の外面側に設けた前記１対の係合部材とから構成され、また、前記ウエストベルト部表側の前記収容部に前記ベルト調節部材を通す貫通穴を有するものであり、前記貫通穴に通され前記ウエストベルト部表側の前記収容部の外面側に出された前記ベルト調節部材を前記貫通穴から長く引き出し、前記ウエストベルト部表側に出された前記ベルト調節部材を前記ウエストベルト部表側の前記収容部の外面側に対し前記１対の係合部材の係合により接合することによって、前記収容部に対し前記延出部が深く挿入された状態を保持するものである。
【００２４】
ここで、上記ベルト調節部材は、その一端部が前記収容部と前記延出部の間を接続する前記接続部に取付けられた帯状のものである。
上記ベルト調節部材の前記接続部への取付けは、例えば、ベルト調節部材を前記収容部に対して前記延出部が深く挿入される方向に引っ張ると、即ち、ベルト調節部材を前記収容部の反延出部側の奥側に向かって前記ウエスト方向に引っ張ると、前記収容部と前記延出部の間の前記接続部の接続長さの一部が折重ねられ前記収容部に対して前記延出部が深く挿入される構成であればよく、前記接続部を構成する前記弾性材に取付けてもよいし、前記接続部が伸び止め材等の非弾性材を含む場合には、その伸び止め材等の非弾性材に取付けることも可能である。
【００２５】
また、このベルト調節部材には、１対の係合部材の一方（雌側または雄側）が設けられ、前記１対の係合部材の他方（雄側または雌側）は、前記ウエストベルト部表側（外側）を形成する前記収容部の外面側（意匠面側）に設けられている。
【００２６】
上記貫通孔は、前記ウエストベルト表側を形成する前記収容部の生地の表裏を貫通し、上記ベルト調節部材を通す大きさに形成されたものである。
この貫通孔の形成により、前記収容部の内部で前記収容部と前記延出部の間を接続している前記接続部に取付けられたベルト調節部材を前記ウエストベルト部表側を形成する前記収容部の内面側から外面側に通して、前記ウエストベルト表側の外面側に出すことができる。
【００２７】
そして、前記貫通穴に通され前記ウエストベルト表側の前記収容部の外面側に出された前記ベルト調節部材を前記貫通穴から長く引き出すとは、前記収容部の内側で前記収容部と前記延出部の間を接続している前記接続部に取付けたベルト調節部材を前記収容部に対して前記延出部が深く挿入される方向に引っ張ることで、前記収容部に対して前記延出部が深く挿入されるから、その深い挿入状態を形成するために、前記貫通穴に通され前記ウエストベルト表側の前記収容部の外面側に出されている前記ベルト調節部材を所定方向に引っ張り、前記収容部の外面側に前記ベルト調節部材を多く出すことを意味する。
【００２８】
また、前記収容部の外面側に出された前記ベルト調節部材と前記ウエストベルト部表側の前記収容部の外面側との前記１対の係合部材の係合により接合とは、前記収容部の外面側に出されたベルト調節部材を長く引き出すことで、前記収容部に対して前記延出部が深く挿入されるから、その深く挿入された状態を、前記収容部の外面側に対し前記ベルト調節部材を前記１対の係合部材の係合により接合することで保持、固定することを意味する。
なお、上記１対の係合部材としては、例えば、ドット釦（スナップ、ホック）、カギホック、面ファスナ、ボタンとボタンホール等が使用される。上記１対の係合部材は、少なくとも１組あればよく、複数個設けて、前記収容部に対して挿入する前記延出部の深さを段階的または連続的に調節自在な構成としてもよい。
【００２９】
請求項４の発明のウエスト伸縮自在ボトムスの前記１対の係合部材は、１対のドット釦、１対の面ファスナ、または、ボタンとループであるものである。
【００３０】
ここで、上記ドット釦は、スナップ釦、ホックと呼ばれるものも含まれ、高い接続強度での係合が確保でき、耐久性も高いものである。
上記面ファスナは、例えば、マジックテープ（登録商標）であり、１組の面ファスナの係合位置（接続位置）の選択によって、前記収容部に対して前記延出部を重ねる前記ウエスト方向の長さを連続的に調節自在とすることも可能である。
上記ボタンとループの組み合わせは、簡単に安価な係合構造（接続構造）であるから低コスト化が可能である。
【００３１】
請求項５の発明のウエスト伸縮自在ボトムスの前記ウエストベルト部は、前記ベルト調節部材において前記１対の係合部材の一方とは別に、前記収容部の外面側に設けた前記１対の係合部材の他方に対応させる他の係合部材を設け、前記収容部に対して前記延出部を深く挿入しない状態でも、前記収容部の外面側に設けた前記１対の係合部材の他方に対し、前記ベルト調節部材の前記他の係合部材を係合させることによって、前記ベルト調節部材を前記収容部の外面側に接合自在としたものである。
【００３２】
前記ベルト調節部材は、前記１対の係合部材の一方と、それとは別の係合部材との複数の係合部材を設け、それら複数の係合部材が前記収容部の外面に設けた前記１対の係合部材の他方に係合可能としているものである。ここで、上記別の係合部材とは、前記ベルト調節部材に設けた前記１対の係合部材の一方とは別に設けられたものであり、前記収容部の外面に設けた前記１対の係合部材の他方に対応してそれに係合可能なものである。
例えば、前記１対の係合部材を凸側及び凹側の組合わせからなるドット釦とし、前記ベルト調節部材に設けた前記１対の係合部材の一方が凹側のドット釦、前記収容部の外面に設けた前記１対の係合部材の他方が凸側のドット釦としたとき、前記ベルト調節部材に設ける別の係合部材としては、前記収容部の外面に設けた凸側のドット釦に対応する第２の凹側のドット釦が用いられることになる。なお、前記収容部の外面側にも第２の凸側のドット釦を設けて、前記ウエスト方向に複数個配列するようにしてもよい。
【００３３】
請求項６の発明のウエスト伸縮自在ボトムスは、前記収容部及び前記延出部の間を弾性的に接続し、一端側が前記延出部に縫付けられた前記弾性材に、その最大伸びを制限する伸び止め材を並設し、前記伸び止め材は、前記弾性材の前記最大伸びに相当する長さだけ弛ませて前記弾性材の長さ方向の両端側に縫付けられ、更に、前記弾性材の前記延出部側とは反対側の他端よりも突出して前記収容部の内部に縫付けられているものである。
【００３４】
上記伸び止め材は、リボンテープ等の非伸縮性の素材または若干の伸縮性を備える素材であってもよいが、前記弾性材の伸びを制限するストッパーとして機能するものである。リボンテープ等の単独の伸び止め材を前記弾性材に縫い付けてよいし、前記延出部の先端を細くして延長した共布で前記伸び止め材を形成し、それを前記弾性材に縫付けてもよい。
そして、上記伸び止め材が前記弾性材の端よりも突出して前記収容部の内部に縫付けられているとは、前記弾性材の端部側が前記収容部の内部に縫付けられるのではなく、前記弾性材の端部側が伸び止め材の途中に縫付けられ、伸び止め材の一端部が前記収容部の内部に縫付けられていることを意味する。即ち、前記収容部及び前記延出部の間を弾性的に接続する接続部の構成が、前記弾性材及び伸び止め材からなる。
【００３５】
請求項７の発明のウエスト伸縮自在ボトムスは、更に、前記ウエストベルト部の前記収容部の外面側には、そこに設けられた前記貫通孔を覆って隠すための被覆地を縫付けたものであり、被覆地の取付けによって前記貫通孔を覆って隠し見栄えを良くしたものである。
上記被覆地の素材は特に問われるものではないが、例えば、ワッペン、布ネーム、皮ラベル等を用いそこにパンツのブランド名、製造会社等が記載されると意匠的効果を独特なものとすることができる。
【発明の効果】
【００３６】
請求項１の発明のウエスト伸縮自在ボトムスによれば、ウエスト方向に延びる帯状をなすウエストベルト部の表側及び裏側が、延出部と収容部で形成されており、延出部の端部側が収容部に挿入されて収容され、その状態で延出部と収容部の間が接続部の弾性材によって弾性的に接続されており、収容部に収容された延出部の端部側が収容部から延出自在である。更に、前記ウエストベルト部は、収容部に対し延出部が入れられる深さを可変する調節手段を具備する。
【００３７】
したがって、ウエストベルト部の表側及び裏側を形成する延出部と収容部の間が接続部の弾性材によって弾性的に接続されていることで、ウエストベルト部においてウエスト方向に引張り力が掛かった際には、この弾性材の伸びによって、収容部から延出部が延出することにより、ウエストベルト部は伸長する。また、引張り力が弱まると、弾性材の弾性力によって、伸長したウエストベルト部が元に収縮する。よって、ウエストベルト部は伸縮自在である。
更に、調節手段によって、ウエストベルト部の表裏を構成している収容部及び延収部の関係について、収容部に対し延出部が挿入する深さを可変するから、ウエストベルト部のウエスト方向の長さ、即ち、ウエストサイズを変化できる。つまり、伸縮させるウエスト周りの長さを変化させることができる。
【００３８】
このように、調節手段によって収容部に対し延出部が挿入する深さを可変することで、ウエストサイズを変化できるうえ、収容部及び延出部の間を接続部の弾性材によって弾性的に接続しているから、収容部に対する延出部の結合深さを相対的に浅くしてウエスト周囲長を長くした状態でも、また、収容部に対する延出部の結合深さを相対的に深くしてウエスト周囲長を小さくした状態でも、ウエスト方向に引張り力が掛かった際には、収容部及び延出部を弾性的に接続している接続部の弾性材の伸びによって延出部が収容部から抜き出てウエスト方向に移動し、ウエスト周りが伸長する。
よって、ウエストサイズを広範囲に亘って変化させることができ、着用者の広範囲のウエストサイズの変化に対しても対応可能である。また、ウエストベルト部のウエストサイズを大きくしたときでも小さくしたときでも、収容部及び延出部を弾性的に接続している接続部の弾性材の伸びによってウエストサイズを連続的に変化できるからウエストの変化、動きに追従したフィット性が得られる。
こうして、広範囲のウエストサイズに変化でき、また、着用者のウエストの動き、変化に対してもそれに追従するフィット性が得られるウエスト伸縮自在ボトムスとなる。
【００３９】
請求項２の発明のウエスト伸縮自在ボトムスによれば、前記調節手段は、前記収容部及び前記延出部の間を接続する前記接続部に対し前記収容部に前記延出部が挿入される深さを調節するためのベルト調節部材の一端を接続し、このベルト調節部材に１対の係合部材の一方を設け、また、前記ウエストベルト部裏側の前記収容部の外面側に前記１対の係合部材の他方を設け、更に、前記ウエストベルト部裏側の前記収容部に前記ベルト調節部材を通す貫通穴を設けてなり、前記貫通穴に通され前記ウエストベルト部裏側の前記収容部の外面側に出された前記ベルト調節部材を前記貫通穴から長く引き出し、前記ウエストベルト部裏側に出された前記ベルト調節部材を前記ウエストベルト部裏側の前記収容部の外面側に対し前記１対の係合部材の係合により接合することによって、前記収容部に対し前記延出部が深く挿入された状態が保持される。
【００４０】
このように、前記収容部及び前記延出部の間を接続する前記接続部にベルト調節部材の一端を接続し、更にベルト調節部材を前記ウエストベルト部裏側を形成する前記収容部に設けた貫通穴から前記収容部の外面側に出し、このベルト調節部材を前記貫通穴から長く引き出すことによって、前記収容部に対し前記延出部を深く挿入する。そして、前記収容部に対し前記延出部を深く挿入した状態を、前記ウエストベルト部裏側の前記収容部の外面側に対し前記ベルト調節部材を１対の係合部材の係合により接合することによって保持、固定する。このようにして前記延出部の前記収容部に入れる挿入深さを深くすることでウエスト周囲長を短縮、即ち、ウエストサイズを小さくできる。
【００４１】
即ち、前記ウエストベルト部裏側の前記収容部に設けた貫通穴を通して前記収容部の外面側に出されたベルト調節部材を、前記貫通穴から長く引き出して、１対の係合部材の係合によって前記ウエストベルト部裏側の前記収容部の外面側に接合するのみで、前記延出部の前記収容部に入れる挿入深さが深く保持、固定され、ウエストサイズを小さくできる。
【００４２】
こうして、前記ウエストベルト部裏側の前記収容部の外面側でベルト調節部材の引き出し操作及び１対の係合部材による係合操作を行うものであるから、請求項１に記載の効果に加えて、着用者にとって、ウエストサイズの変更が分かり易くて操作もしやすく、使い勝手がよい。また、前記ウエストベルト部裏側の前記収容部の外面側のベルト調節部材と１対の係合部材は、前記ウエストベルト部表側からは見えないから、見栄え、美観を確保できる。
【００４３】
請求項３の発明のウエスト伸縮自在ボトムスによれば、前記調節手段は、前記収容部及び前記延出部の間を接続する前記接続部に対し前記収容部に前記延出部が挿入される深さを調節するためのベルト調節部材の一端を接続し、このベルト調節部材に１対の係合部材の一方を設け、また、前記ウエストベルト部表側の前記収容部の外面側に前記１対の係合部材の他方を設け、更に、前記ウエストベルト部表側の前記収容部に前記ベルト調節部材を通す貫通穴を設けてなり、前記貫通穴に通され前記ウエストベルト部表側の前記収容部の外面側に出された前記ベルト調節部材を前記貫通穴から長く引き出し、前記ウエストベルト部表側に出された前記ベルト調節部材を前記ウエストベルト部表側の前記収容部の外面側に対し前記１対の係合部材の係合により接合することによって、前記収容部に対し前記延出部が深く挿入された状態が保持される。
【００４４】
このように、前記収容部及び前記延出部の間を接続する前記接続部にベルト調節部材の一端を接続し、更にベルト調節部材を前記ウエストベルト部表側を形成する前記収容部に設けた貫通穴から前記収容部の外面側に出し、このベルト調節部材を前記貫通穴から長く引き出すことによって、前記収容部に対し前記延出部を深く挿入する。そして、前記収容部に対し前記延出部を深く挿入した状態を、前記ウエストベルト部表側の前記収容部の外面側に対し前記ベルト調節部材を１対の係合部材の係合により接合することによって保持、固定される。このようにして前記延出部の前記収容部に入れる挿入深さを深くすることでウエスト周囲長を短縮、即ち、ウエストサイズを小さくできる。
【００４５】
即ち、前記ウエストベルト部表側の前記収容部に設けた貫通穴を通して前記収容部の外面側に出されたベルト調節部材を、前記貫通穴から長く引き出して、１対の係合部材の係合によって前記ウエストベルト部表側の前記収容部の外面側に接合するのみで、前記延出部の前記収容部に入れる挿入深さが深く保持、固定され、ウエストサイズを小さくできる。
【００４６】
こうして、前記ウエストベルト部表側の前記収容部の外面側でベルト調節部材の引き出し操作及び１対の係合部材による係合操作を行うものであるから、請求項１に記載の効果に加えて、着用者にとって、ウエストサイズの変更が分かり易くて操作もしやすく、使い勝手がよい。また、前記ウエストベルト部表側の前記収容部の外面側に前記１対の係合部材が配設するから、身体を圧迫する違和感を生じさせる恐れが全くない。
【００４７】
請求項４の発明のウエスト伸縮自在ボトムスによれば、前記係止部材は、１対のドット釦、１対の面ファスナ、または、ボタンとループであるから、請求項２または請求項３に記載の効果に加えて、ウエストサイズを調節する操作が簡単であり、特に、着用しながらの係合及びその解除の操作も容易で、簡単に素早くウエストサイズを変更できる。また、ウエストベルト部の伸縮によっても係合が外れ難く、強固な係合が可能であり、着用しながらウエストサイズを調節できる信頼性も高い。
【００４８】
請求項５の発明のウエスト伸縮自在ボトムスによれば、前記ウエストベルト部は、前記ベルト調節部材において前記１対の係合部材の一方とは別に、前記収容部の外面側に設けた前記１対の係合部材の他方に対応させる他の係合部材を設け、前記収容部に対して前記延出部を深く挿入しない状態でも、前記収容部の外面側に設けた前記１対の係合部材の他方に対し、前記ベルト調節部材の前記他の係合部材を係合させることによって、前記ベルト調節部材を前記収容部の外面側に接合自在である。
したがって、前記収容部に対して前記延出部を深く挿入しない状態、即ち、ウエストサイズを小さくしない状態でも、前記ベルト調節部材を前記収容部の外面側に接合できるから、請求項２乃至請求項４の何れか１つに記載の効果に加えて、前記収容部の外面側に出された前記ベルト調節部材の捲れ等が防止され、見栄えを維持できる。
【００４９】
請求項６の発明のウエスト伸縮自在ボトムスによれば、前記収容部及び前記延出部の間を弾性的に接続し、一端側が前記延出部に縫付けられた前記弾性材には、その最大伸びを制限する伸び止め材を並設し、前記伸び止め材は、前記弾性材の前記最大伸びに相当する長さだけ弛ませて前記弾性材の長さ方向の両端側に縫付けられ、更に、前記弾性材の前記延出部側とは反対側の他端よりも突出して前記収容部の内部に縫付けられている。
よって、伸び止め材によって前記弾性材の伸びを制限することができるので、請求項１乃至請求項５の何れか１つに記載の効果に加えて、前記弾性材に無理な引張り力が掛かるのを防止することができ、前記弾性材を長持ちさせることができる。
また、伸び止め材は前記弾性材の伸びを制限できれば前記弾性材よりも厚みが薄いものを使用できるから、前記収容部の外面側に出されたベルト調節部材を前記貫通穴から長く引き出して、前記延出部に対し前記収容部に入れる挿入深さを深くするのに伴い、前記収容部と前記延出部の間の前記接続部が折重ねられるときでも、伸び止め材が弾性材よりも厚みが薄いと、折重なりやすく、ウエストベルト部の嵩張り、膨らみを抑えて見栄えや着用感を維持できる。
【００５０】
請求項７の発明のウエスト伸縮自在ボトムスによれば、更に、前記ウエストベルト部の前記収容部の外面側には、そこに設けられた前記貫通孔を覆って隠すための被覆地を縫付けたことから、請求項１乃至請求項６の何れか１つに記載の効果に加えて、前記貫通孔が隠れて見栄えがよくなる。
【図面の簡単な説明】
【００５１】
【図１】図１は本発明の実施の形態１に係るウエスト伸縮自在ボトムスの正面図である。
【図２】図２は本発明の実施の形態１に係るウエスト伸縮自在ボトムスのウエスト付近を示す斜視図である。
【図３】図３は本発明の実施の形態１に係るウエスト伸縮自在ボトムスのウエスト周りを展開して裏側から見た展開図である。
【図４】図４は本発明の実施の形態１に係るウエスト伸縮自在ボトムスのウエストベルト部の表側と裏側の接続構成を説明するための要部分解斜視図である。
【図５】図５（ａ）は本発明の実施の形態１に係るウエスト伸縮自在ボトムスのウエストベルト部の接続部の構成を説明するためのウエストベルト部の表側の内部構造を示す部分展開図である。図５（ｂ）は本発明の実施の形態１に係るウエスト伸縮自在ボトムスのウエストベルト部の接続部の構成を説明するためのウエストベルト部の表側の内面とその近傍の構成を示す説明図である。
【図６】図６（ａ）は本発明の実施の形態１に係るウエスト伸縮自在ボトムスのウエストベルト部の調節手段を説明するためのウエストベルト部の内部構造及びその近傍の構成を示す説明図である。図６（ｂ）は本発明の実施の形態１に係るウエスト伸縮自在ボトムスのウエストベルト部の調節手段を説明するためのウエストベルト部の裏側及びその近傍の構成を示す説明図である。
【図７】図７（ａ）は本発明の実施の形態１に係るウエスト伸縮自在ボトムスのウエストベルト部の調節手段を説明するためのウエストベルト部の内部構造を示す説明図である。図７（ｂ）は本発明の実施の形態１に係るウエスト伸縮自在ボトムスのウエストベルト部の調節手段を説明するための説明図であり、調節手段を構成するベルト調節部材が貫通孔から長く引き出されることなく、収容部に対して延出部が浅く挿入されるウエストサイズが大のときのウエストベルト部裏側の説明図である。図７（ｃ）は本発明の実施の形態１に係るウエスト伸縮自在ボトムスのウエストベルト部の調節手段を説明するための説明図であり、調節手段を構成するベルト調節部材が貫通孔から長く引き出されて、収容部に対して延出部が深く挿入されるウエストサイズが小のときのウエストベルト部裏側の説明図である。
【図８】図８（ａ）は本発明の実施の形態１に係るウエスト伸縮自在ボトムスのウエストベルト部の調節手段を説明するための説明図であり、収容部に対して延出部が浅く挿入されるウエストサイズが大のときのウエストベルト部の内部構造示す説明図である。図８（ｂ）は本発明の実施の形態１に係るウエスト伸縮自在ボトムスのウエストベルト部の調節手段を説明するための説明図であり、収容部に対して延出部が深く挿入されるウエストサイズが小のときのウエストベルト部の内部構造示す説明図である。
【図９】図９（ａ）は本発明の実施の形態１に係るウエスト伸縮自在ボトムスのウエストベルト部の調節手段を説明するための説明図であり、調節手段を構成するベルト調節部材が貫通孔から長く引き出されることなく、収容部に対して延出部が浅く挿入されるウエストサイズが大のときのウエストベルト部裏側の説明図である。図９（ｂ）は本発明の実施の形態１に係るウエスト伸縮自在ボトムスのウエストベルト部の調節手段を説明するための説明図であり、調節手段を構成するベルト調節部材が貫通孔から長く引き出されて、収容部に対して延出部が深く挿入されるウエストサイズが小のときのウエストベルト部裏側の説明図である。
【図１０】図１０（ａ）は本発明の実施の形態１に係るウエスト伸縮自在ボトムスのウエストベルト部の調節手段を説明するための説明図であり、収容部に対して延出部が浅く挿入されるウエストサイズが大のときのウエストベルト部の内部構造示す説明図である。図１０（ｂ）は本発明の実施の形態１に係るウエスト伸縮自在ボトムスのウエストベルト部の調節手段を説明するための説明図であり、収容部に対して延出部が浅く挿入されるウエストサイズが大のときのウエストベルト部裏側の説明図である。図１０（ｃ）は本発明の実施の形態１に係るウエスト伸縮自在ボトムスのウエストベルト部の調節手段を説明するための説明図であり、収容部に対して延出部が浅く挿入されるウエストサイズが大のときのベルト調節部材と接続部を示す要部部分拡大図である。
【図１１】図１１（ａ）は本発明の実施の形態１に係るウエスト伸縮自在ボトムスのウエストベルト部の調節手段を説明するための説明図であり、収容部に対して延出部が深く挿入されるウエストサイズが小のときのウエストベルト部の内部構造示す説明図である。図１１（ｂ）は本発明の実施の形態１に係るウエスト伸縮自在ボトムスのウエストベルト部の調節手段を説明するための説明図であり、収容部に対して延出部が深く挿入されるウエストサイズが小のときのウエストベルト部裏側の説明図である。図１１（ｃ）は本発明の実施の形態１に係るウエスト伸縮自在ボトムスのウエストベルト部の調節手段を説明するための説明図であり、収容部に対して延出部が深く挿入されるウエストサイズが小のときのベルト調節部材と接続部を示す要部部分拡大図である。
【図１２】図１２（ａ）は本発明の実施の形態１に係るウエスト伸縮自在ボトムスのウエストベルト部の調節手段を説明するためのウエストベルト部裏側を示す説明図である。図１２（ｂ）は本発明の実施の形態１に係るウエスト伸縮自在ボトムスのウエストベルト部の調節手段を説明するための説明図であり、収容部に対して延出部が浅く挿入されるウエストサイズが大のときのベルト調節部材と接続部を示す要部部分拡大図である。図１２（ｃ）は本発明の実施の形態１に係るウエスト伸縮自在ボトムスのウエストベルト部の調節手段を説明するための説明図であり、収容部に対して延出部が深く挿入されるウエストサイズが小のときのベルト調節部材と接続部を示す要部部分拡大図である。
【図１３】図１３（ａ）は本発明の実施の形態１に係るウエスト伸縮自在ボトムスのウエストベルト部の調節手段を説明するためのウエストベルト部裏側を示す説明図である。図１３（ｂ）は本発明の実施の形態１に係るウエスト伸縮自在ボトムスのウエストベルト部の調節手段を説明するための説明図で、ベルト調節部材に設けた係合部材の間隔を図１２（ｂ）のときよりも広くした事例であり、収容部に対して延出部が浅く挿入されるウエストサイズが大のときのベルト調節部材と接続部を示す要部部分拡大図である。図１２（ｃ）は本発明の実施の形態１に係るウエスト伸縮自在ボトムスのウエストベルト部の調節手段を説明するための説明図で、ベルト調節部材に設けた係合部材の間隔を図１２（ｃ）のときよりも広くした事例であり、収容部に対して延出部が深く挿入されるウエストサイズが小のときのベルト調節部材と接続部を示す要部部分拡大図である。
【図１４】図１４（ａ）は本発明の実施の形態１に係るウエスト伸縮自在ボトムスのウエストベルト部において収容部に対して延出部が浅く挿入されるウエストサイズが大のときの、収容部及び延出部が重ねられる近傍を拡大してウエストベルト部表側から見た部分拡大図、図１４（ｂ）は本発明の実施の形態１に係るウエスト伸縮自在ボトムスのウエストベルト部において収容部に対して延出部が深く挿入されるウエストサイズが小のときの、収容部及び延出部が重ねられる近傍を拡大してウエストベルト部表側から見た部分拡大図である。
【図１５】図１５（ａ）は本発明の実施の形態１に係るウエスト伸縮自在ボトムスのウエストベルト部において、後身頃と前身頃が接続する脇線のウエストベルト部に対する位置が図１４（ａ）とは相違する事例であり、収容部に対して延出部が浅く挿入されるウエストサイズが大のときの、収容部及び延出部が重ねられる近傍を拡大してウエストベルト部表側から見た部分拡大図、図１５（ｂ）は本発明の実施の形態１に係るウエスト伸縮自在ボトムスのウエストベルト部において、後身頃と前身頃が接続する脇線のウエストベルト部に対する位置が図１４（ｂ）とは相違する事例であり、収容部に対して延出部が深く挿入されるウエストサイズが小のときの、収容部及び延出部が重ねられる近傍を拡大してウエストベルト部表側から見た部分拡大図である。
【図１６】図１６（ａ）は本発明の実施の形態１に係るウエスト伸縮自在ボトムスのウエストベルト部の調節手段を説明するためのウエストベルト部裏側を示す説明図である。図１６（ｂ）は本発明の実施の形態１に係るウエスト伸縮自在ボトムスのウエストベルト部のベルト調節部材の構成の一例を示す説明図である。
【図１７】図１７（ａ）は本発明の実施の形態１に係るウエスト伸縮自在ボトムスのウエストベルト部の調節手段を説明するためのウエストベルト部裏側を示す説明図である。図１７（ｂ）は本発明の実施の形態１に係るウエスト伸縮自在ボトムスのウエストベルト部のベルト調節部材の構成の他の一例を示す説明図である。
【図１８】図１８（ａ）は本発明の実施の形態１に係るウエスト伸縮自在ボトムスのウエストベルト部の調節手段を説明するためのウエストベルト部裏側を示す説明図である。図１８（ｂ）は本発明の実施の形態１に係るウエスト伸縮自在ボトムスのウエストベルト部のベルト調節部材の構成の更に他の一例を示す説明図である。
【図１９】図１９（ａ）は本発明の実施の形態１に係るウエスト伸縮自在ボトムスのウエストベルト部の調節手段を説明するためのウエストベルト部裏側を示す説明図である。図１９（ｂ）は本発明の実施の形態１に係るウエスト伸縮自在ボトムスのウエストベルト部のベルト調節部材の構成の更にまた他の一例を示す説明図である。
【図２０】図２０は本発明の実施の形態２に係るウエスト伸縮自在ボトムスのウエスト周りを展開して表側から見た展開図である。
【図２１】図２１は本発明の実施の形態２に係るウエスト伸縮自在ボトムスのウエスト周りを展開して裏側から見た展開図である。
【図２２】図２２は本発明の実施の形態２に係るウエスト伸縮自在ボトムスのウエストベルト部の調節手段を説明するためのウエストベルト部の内部構造及びその近傍の構造を示す説明図である。
【図２３】図２３（ａ）は本発明の実施の形態２に係るウエスト伸縮自在ボトムスのウエストベルト部を説明するための説明図であり、ウエストベルト部裏側から見た部分拡大図である。図２３（ｂ）は本発明の実施の形態２に係るウエスト伸縮自在ボトムスのウエストベルト部の貫通孔と係合部材を説明するための説明図であり、ウエストベルト部表側から見た要部の部分拡大図である。
【図２４】図２４（ａ）は本発明の実施の形態２に係るウエスト伸縮自在ボトムスのウエストベルト部の調節手段を説明するためのウエストベルト部の内部構造を示す説明図である。図２４（ｂ）は本発明の実施の形態２に係るウエスト伸縮自在ボトムスのウエストベルト部の調節手段を説明するための説明図であり、調節手段を構成するベルト調節部材が貫通孔から長く引き出されることなく、収容部に対して延出部が浅く挿入されるウエストサイズが大のときのウエストベルト部表側の説明図である。図２４（ｃ）は本発明の実施の形態２に係るウエスト伸縮自在ボトムスのウエストベルト部の調節手段を説明するための説明図であり、調節手段を構成するベルト調節部材が貫通孔から長く引き出されて、収容部に対して延出部が深く挿入されるウエストサイズが小のときのウエストベルト部表側の説明図である。
【図２５】図２５（ａ）は本発明の実施の形態２に係るウエスト伸縮自在ボトムスのウエストベルト部の調節手段を説明するための説明図であり、収容部に対して延出部が浅く挿入されるウエストサイズが大のときのウエストベルト部の内部構造示す説明図である。図２５（ｂ）は本発明の実施の形態２に係るウエスト伸縮自在ボトムスのウエストベルト部の調節手段を説明するための説明図であり、収容部に対して延出部が浅く挿入されるウエストサイズが大のときのウエストベルト部表側の説明図である。図２５（ｃ）は本発明の実施の形態２に係るウエスト伸縮自在ボトムスのウエストベルト部の調節手段を説明するための説明図であり、収容部に対して延出部が浅く挿入されるウエストサイズが大のときのベルト調節部材と接続部を示す要部部分拡大図である。
【図２６】図２６（ａ）は本発明の実施の形態２に係るウエスト伸縮自在ボトムスのウエストベルト部の調節手段を説明するための説明図であり、収容部に対して延出部が深く挿入されるウエストサイズが小のときのウエストベルト部の内部構造示す説明図である。図２６（ｂ）は本発明の実施の形態２に係るウエスト伸縮自在ボトムスのウエストベルト部の調節手段を説明するための説明図であり、収容部に対して延出部が深く挿入されるウエストサイズが小のときのウエストベルト部裏側の説明図である。図２６（ｃ）は本発明の実施の形態２に係るウエスト伸縮自在ボトムスのウエストベルト部の調節手段を説明するための説明図であり、収容部に対して延出部が深く挿入されるウエストサイズが小のときのベルト調節部材と接続部を示す要部部分拡大図である。
【発明を実施するための形態】
【００５２】
以下、本発明の実施の形態について、図面を参照しながら説明する。
なお、各実施の形態において、同一の記号及び同一の符号は同一または相当する機能部分を意味し、各実施の形態相互の同一の記号及び同一の符号は、それら実施の形態に共通する機能部分であるから、ここでは重複する詳細な説明を省略する。
【００５３】
［実施の形態１］
まず、本発明の実施の形態１に係るウエスト伸縮自在ボトムスにおけるウエスト付近の概略構成について、図１乃至図３を参照して説明する。
【００５４】
図１乃至図３に示されるように、本実施の形態１に係るウエスト伸縮自在ボトムスとしてのスーツ用ズボン１は、着用時に人体のウエスト付近に位置するウエスト部Ｗにおいて、着用時に人体のウエスト周りに位置し人体のウエスト方向の全長に沿って延びる帯状のウエストベルト部１０を有している。ウエスト部Ｗにおいては、ウエストベルト部１０の下部に左右の前身頃４Ｆ及び左右の後身頃４Ｂが接続されており、前身頃４Ｆ及び後身頃４Ｂが縫合わされている左脇線ＬＳの近傍の前身頃４Ｆ側及び右脇線ＲＳの近傍の前身頃４Ｆ側の左右で一対の脇ポケット部２を有している。
【００５５】
この脇ポケット部２については、ウエストベルト部１０を構成する収容部１２と延出部１１が重なり合う重ね合わせ部１９付近の下方に形成されており、本実施の形態１では、図２及び図３等に示されるように、脇ポケット部２を構成する袋布２ａが、主に、前身頃４Ｆの裏面側（身体側）で縫付けられており、この袋布２ａに、襞状のタック（折り返し）２ｂが設けられている。
【００５６】
詳しくは、袋布２ａは、身体側の後布２ｒと、反身体側の前布２ｆとによって袋状に形成されており、前身頃４Ｆ側に縫付けられている。後布２ｒの一方の端部と前布２ｆの一方の端部は前中心ＦＣ側で縫合わされている。前布２ｆの他端部は、前中心ＦＣ側から脇線ＬＳ，ＲＳに向かって傾斜しているポケット口外縁２ｃで前身頃Ｆに縫付けられている。後布２ｒの他端部は、脇線ＬＳ，ＲＳで身頃４Ｆ，４Ｂに縫付けられている。これら後布２ｒと前布２ｆとの間にポケット口を有する。このポケット口は、ウエストベルト部１０の表側（反身体側）において、収容部１２と延出部１１が重なり合う重ね合わせ部１９付近の下方に形成され、そのポケット口外縁２ｃは前中心ＦＣ側から脇線Ｓに向かって傾斜している。
【００５７】
ここで、このようにして脇ポケット部２を構成している袋布２ａの後布２ｒの中央側にタック（折り返し）２ｂが設けられている。
このタック２ｂは、所定幅で折重ねた折り目を形成したものであり、袋布２ａの中央側でその上下方向において所定長さ形成されている。このときタック２ｂから前中心ＦＣ寄りの袋布２ａの後布２ｒの上端部は、袋布２ａの前布２ｆの上端部と共に延出部１１の延出部表ベルト布１１Ａに縫合わされているが、タック２ｂから脇線ＬＳ，ＲＳ寄りの後布２ｒの上端部は、その一部がウエストベルト部１０に縫付けられていない。これにより、ウエストベルト部１０に引張り力がかかった際には、タック２ｂの折畳みが展開されるようになっている。即ち、タック２ｂの折り目の形成により、ウエストベルト部１０に引張り力がかかっていない状態ではタック２ｂが折畳まれた状態にあり、ウエストベルト部１０に引張り力がかかった際にはタック２ｂの折畳みが展開される構成となっており、タック２ｂの折畳みの展開によってウエストベルト部１０の伸長を妨げることのないようにしている。
【００５８】
そして、このような脇線ＬＳ，ＲＳ近傍の各脇ポケット部２の上方には、ウエストベルト部１０を構成している収容部１２及び延出部１１の重なりによる重ね合わせ部１９が形成され、収容部１２の端部に延出部１１の端部が挿入され収容されている。
【００５９】
即ち、ウエスト方向に延びる帯状のウエストベルト部１０は、ウエスト長を収容部１２と延出部１１に分割し、端部を除いて前身頃４Ｆに縫合わされる延出部１１と後身頃４Ｂに縫合わされる収容部１２とを脇線ＬＳ，ＲＳ近傍の各脇ポケット部２の上部で重ね合わせて重ね合わせ部１９を形成している。
このとき、本実施の形態１では、延出部１１の前身頃４Ｆに縫着されていない端部がウエストベルト部１０の表裏の意匠面側から隠れるように収容部１２内に入れられて収容されており、収容部１２及び延出部１１によってウエストベルト部１０の表側及び裏側を形成している。
そして、このように延出部１１の端部が収められた収容部１２の内部（内側）において、延出部１１の端部と収容部１２の内面側とが弾性材としての平ゴム２１（図６等参照）を含む接続部２０によって弾性的に接続されている。
【００６０】
こうして、本実施の形態１では、ウエスト方向に延びる帯状のウエストベルト部１０を収容部１２及び延出部１１の別体で構成し、延出部１１の端部側を前身頃４Ｆに縫着することなく収容部１２の端部に挿入し、収容部１２に対し延出部１１が収容されている状態で収容部１２の内部において収容部１２及び延出部１１の間を平ゴム２１を含む接続部２０によって弾性的に接続していることで、平ゴム２１の弾性力により収容部１２から延出部１１を延出自在とする。したがって、ウエストベルト部１０に引張り力が掛かった際には、平ゴム２１の伸長によって収容部１２から延出部１１が引き出されて延出し、ウエストベルト部１０が伸長する。そして、ウエスト周りを伸ばそうとする力が解除されると、平ゴム２１が弾性力によって元の本来の長さに戻るから、再び延出部１１が収容部１２内に収容される方向に移動し元の状態に戻る。このようにして、ウエストベルト部１０を伸縮自在としている。
【００６１】
次に、本実施の形態１のウエストベルト部１０の詳細な構造について、図４乃至図１５を参照して説明する。
本実施の形態１のウエストベルト部１０は、その表側（ズボン１の外側）を形成する延出部１１の延出部表ベルト布１１Ａ及び収容部１２の収容部表ベルト布１２Ａのみを前身頃４Ｆ及び後身頃４Ｂと共地（例えば、綿生地、ウール生地等）とし、身体が挿入される裏側（ズボン１の内側）を形成する収容部１２の収容部裏ベルト布１２Ｂ及び延出部１１の延出部裏ベルト布１１Ｂは表側とは別生地として、図４乃至図６で示すように、表側の生地と裏側の生地の両者をウエストベルト部１０の上端側で接続する構成である。
即ち、身頃４Ｆ，４Ｂと共地とした延出部表ベルト布１１Ａ及びそれとは別生地の延出部裏ベルト布１１Ｂの両者を上側で接いで延出部１１を構成し、身頃４Ｆ，４Ｂと共地とした収容部表ベルト布１２Ａ及びそれとは別生地の収容部裏ベルト布１２Ｂの両者を上側で接いで収容部１２を構成している。
【００６２】
詳しくは、図４乃至図６に示すように、ウエストベルト部１０を構成する収容部１２は、身頃４Ｆ，４Ｂと共地からなる所定幅の収容部表ベルト布１２Ａの上下端部が内折りされ、均一なウエストベルト部１０の幅となるようにその幅が設定され、折り返した上端部で収容部裏ベルト布１２Ｂの上端部とステッチ５１Ａにて縫合わされて、ウエスト方向に沿う帯状をなしている。また、収容部表ベルト布１２Ａの折り返した下端部は後身頃４Ｂの上端部とステッチ５２Ａにて縫合わされている。
【００６３】
ウエストベルト部１０を構成する延出部１１についても、図４乃至図６に示すように、身頃４Ｆ，４Ｂと共地からなる所定幅の延出部表ベルト布１１Ａの上下端部が内折りされ、収容部１２に収容される先端部側を除いて収容部１２と共に均一なウエストベルト部１０の幅となるようにその幅が設定され、折り返した上端部で延出部裏ベルト布１１Ｂの上端部とステッチ５１Ｂにて縫合わされて、ウエスト方向に沿う帯状をなしている。また、延出部表ベルト布１１Ａの折り返した下端部は前身頃４Ｆの上端部とステッチ５２Ｂにて縫合わされている。このとき、収容部表ベルト布１２Ａ及び収容部裏ベルト布１２Ｂで形成された収容部１２内に挿入される延出部１１の先端部側は、前身頃４Ｆの上端部と縫合わされず自由な状態になっている。したがって、収容部１２に入れられた延出部１１の先端部側が収容部１２から延出自在、つまり、ウエスト方向に相対移動自在とされる。
【００６４】
なお、図５に示したように、収容部１２の内部には、収容部表ベルト布１２Ａの内面（裏面）に接着芯等の芯材としてのソフト芯ＳＣ及びハード芯ＨＣがアイロンプレス等の使用で接合されている。また、延出部１１の内部にも、延出部表ベルト布１１Ａの内面（裏面）に接着芯等の芯材としてのソフト芯ＳＣ及びハード芯ＨＣがアイロンプレス等の使用によって接合されている。例えば、ソフト芯ＳＣが収容部表ベルト布１２Ａ及び延出部表ベルト布１１Ａの上端部や下端部の折り返し部分に貼付けられ、ハード芯ＨＣが収容部表ベルト布１２Ａ及び延出部表ベルト布１１Ａの折り返しのない中央部分に貼付けられる。また、必要に応じ、延出部１１の滑りを良くするために、延出部１１が挿入される収容部１２の端部（開口側）の内面においてソフト芯ＳＣ及びハード芯ＨＣの上から、伸縮性を有しない生地、例えば、ポリエステル系生地等からなる接着布を、アイロンプレス等によって貼付けることもある。
【００６５】
そして、本実施の形態１のウエストベルト部１０では、このように収容部表ベルト布１２Ａ及び収容部裏ベルト布１２Ｂからなる収容部１２の端部側で、延出部表ベルト布１１Ａ及び延出部裏ベルト布１１Ｂからなる延出部１１の先端部が重ね合わせられ、重ね合わせ部１９を形成している。このとき、本実施の形態１では、上述したように、前身頃４Ｆ及び後身頃４Ｂが縫合わされた脇線ＬＳ、ＲＳの近傍に設けた脇ポケット部２の上方で、延出部１１の前身頃４Ｆに縫着されていない先端部がウエストベルト部１０の表面側及び裏面側の意匠面側から隠れるように収容部１２の収容部表ベルト布１２Ａ及び収容部裏ベルト布１２Ｂの間に入れられ収容される。即ち、収容部１２内に延出部１１の先端部が挿入され重ねられている。そして、収容部１２内に挿入された延出部１１の先端部は、前身頃４Ｆに縫着されていないから、その挿入深さは変化自在、つまり、ウエスト方向に相対移動自在とされる。なお、図４及び図５に示すように、通常は、収容部裏ベルト布１２Ｂがステッチ５１Ａにて縫合された収容部表ベルト布１２Ａの上端の内折りされた内側（ループ内）に延出部１１の先端部が収められるが、内折りした外側で延出部１１の先端部を重ねて収めてもよい。
【００６６】
こうして、本実施の形態１では、ウエストベルト部１０の表側（外側）は前身頃４Ｆ及び後身頃４Ｂと共地の延出部表ベルト布１１Ａ及び収容部表ベルト布１２Ａで形成され、ウエストベルト部１０の腰裏側（内側）は表側とは別生地の延出部裏ベルト布１１Ｂ及び収容部裏ベルト布１２Ｂで形成されており、延出部１１の先端部がウエストベルト部１０の表裏側の意匠面側から隠れるように収容部１２内に挿入され収容されている。
【００６７】
なお、延出部表ベルト布１１Ａ及び収容部表ベルト布１２Ａとは別生地の延出部裏ベルト布１１Ｂ及び収容部裏ベルト布１２Ｂには、例えば、一般的にスーツ等のズボンの腰裏に使用されている生地、具体的には、綿、ポリウレタン、ポリエステル、レーヨン、ナイロン、絹（シルク）、麻、アクリル、ラバー、ウール等の生地が使用される。タックインしたシャツがスーツ用ズボン１から食み出るのを防止するために滑り止め機能を持たせた所謂、マーベルト仕様とすることもできる。なお、延出部裏ベルト布１１Ｂ及び収容部裏ベルト布１２Ｂは、延出部表ベルト布１１Ａ及び収容部表ベルト布１２Ａよりも厚みがあってもよいが、通常、着用感や履き心地の観点から延出部表ベルト布１１Ａ及び収容部表ベルト布１２Ａと同等の厚みの生地またはそれよりも厚みの薄い生地が採用される。
【００６８】
特に、本実施の形態１のスーツ用ズボン１は、ウエストベルト部１０を分離して互いに端部を重ねた収容部１２及び延出部１１からなる構成とし、その間を平ゴム２１を含む接続部２０で弾性的に接続することで、収容部１２から延出部１１を延出自在とする伸縮自在構造であるため、収容部１２を構成する収容部表ベルト布１２Ａ及び収容部裏ベルト布１２Ｂや、延出部１１を構成する延出部表ベルト布１１Ａ及び延出部裏ベルト布１１Ｂの素材には伸縮性を問わない。即ち、延出部表ベルト布１１Ａ及び収容部表ベルト布１２Ａは、身頃４Ｆ，４Ｂと共布として、伸縮性を有しない生地であってもよいし、延出部裏ベルト布１１Ｂ及び収容部裏ベルト布１２Ｂについても、一般的なスーツ等のズボンの腰裏の裏地、ポケットの袋布（スレーキ）、リボンテープ等に使用されている伸縮性を有しない生地、例えば、ポリエステル系、ナイロン系、レーヨン系、綿等の生地を採用できる。よって、ウエストベルト部１０の表裏の意匠面のデザイン自由度やデザイン性も高い。
【００６９】
そこで、延出部裏ベルト布１１Ｂ及び収容部裏ベルト布１２Ｂには、例えば、一般的なスーツ等のズボンの腰裏で帯状のマーベルトとして用いられている綿生地、スレーキ生地等の薄くて柔らかい生地を採用すると、履き心地を落ち着かせて、着用時の快適性やフィット感を高めることができるようになる。また、摩擦係数の高いラバー生地等によれば、タックインしたシャツを押さえてずれ上がりを防止すると共に、履き心地を落ち着かせて、着用時の快適性やフィット感を高めることができる。更に、シリコン等により滑止加工された生地を用いることでも同様の効果が得られる。延出部裏ベルト布１１Ｂ及び収容部裏ベルト布１２Ｂの下方にパイビングを施す仕様も同様である。
【００７０】
なお、延出部裏ベルト布１１Ｂ及び収容部裏ベルト布１２Ｂを構成する綿生地、スレーキ生地、ラバー生地等の生地は、単一の１枚の生地のみを使用することも可能であるが、２枚以上の同一生地、または、異なる生地を用いて上下方向で重ね合わせて複数段とする構成を採ることで、生地の重ね合わせの段差構造によって、更に異なる生地を組み合わせた場合には生地の質感（摩擦抵抗）等の違いによって、滑り止め機能を持たせたることができる。加えて、腰裏のデザインバリエーションを増大させることができる。
【００７１】
また、延出部裏ベルト布１１Ｂ及び収容部裏ベルト布１２Ｂにも、補強用の接着芯、芯地といった芯材を取付けてもよい。芯材を取付けることで、ウエストベルト部１０の撚れを少なくして張りを持たせることができ、見栄えを向上させ、また、着心地を良くすることができる。このときの芯材の取付手段は特に限定されず、縫付けても良いし、アイロンプレス等を使用した接着であっても良い。
【００７２】
例えば、延出部裏ベルト布１１Ｂ及び収容部裏ベルト布１２Ｂの構成としては、図４に示すように、腰裏の意匠面を形成する意匠生地１３とその裏面側（内側）で長手方向に沿って意匠生地１３に縫付けられた芯材１４とからなる構成とすることができる。
意匠生地１３は、例えば、別々に形成された上位生地１３ａ、中間生地１３ｂ及び下位生地１３ｃにより構成し、これら上位生地１３ａ、中間生地１３ｂ及び下位生地１３ｃを相互に重ねて、ステッチ１５にて芯材１４と共に縫合わせる。このときの縫合は、例えば、帯状の生地の下端部を所定幅で内側（裏面側）に折った上位生地１３ａに対し、その上位生地１３ａの折り返し部分（ループ側）に、中間生地１３ｂを重ねる。この中間生地１３ｂは、帯状の生地を縦幅方向（長手方向に対して直角方向）の両端部で重ね合わせて折って（生地を半分に折って）形成した縦幅の小さいものであり、反ループ側の端部を上にし、下のループ側の端部が上位生地１３ａの下端から食み出るように上位生地１３ａの下に重ねられる。更に、中間生地１３ｂの下には、下位生地１３ｃを重ねる。この下位生地１３ｃは、帯状の生地を縦幅方向の両端部で重ね合わせて折って（生地を半分に折って）形成したものであり、中間生地１３ｂよりも縦幅の大きいものである。下位生地１３ｃは、反ループ側の端部を上にして、中間生地１３ｂの反ループ側の端部に一致させて中間生地１３ｂの下に重ねられる。このようにして上位生地１３ａ、中間生地１３ｂ及び下位生地１３ｃによって意匠生地１３を構成し、それらは相互に重ねられて中間付近でステッチ１５にて芯材１４と共に縫合わされる。
【００７３】
このように腰裏の意匠面を形成する意匠生地１３としての上位生地１３ａ、中間生地１３ｂ及び下位生地１３ｃの下方がそれぞれ折り返しによってループ状に閉じられ、下位生地１３ｃの上にその上方で中間生地１３ｂを重ね、更にその中間生地１３の上にその上方で上位生地１３ａの下方（ループ側）を重ね合わせることによって構成された収容部裏ベルト布１２Ｂ及び延出部裏ベルト布１１Ｂでは、段差（襞）が生じるため、この段差（襞）により滑り止め機能を発揮させることができる。
よって、このような構成の意匠生地１３で形成された収容部裏ベルト布１２Ｂ及び延出部裏ベルト布１１Ｂが取付けられたスーツ用ズボン１を着用してウエストベルト部１０の腰裏側にシャツ等を入れた際には、それら意匠生地１３によってズボンの中に入れたシャツ等がスーツ用ズボン１から食み出たり、スーツ用ズボン１が滑り落ちたりするのが防止され、着用感や快適さを高めることができる。また、このような複数枚の生地による重層構成とした場合には、腰裏のデザインのバリエーションを高めることができる。
【００７４】
勿論、意匠生地１３の構成は、上述した上位生地１３ａ、中間生地１３ｂ及び下位生地１３ｃの重層構成に限定されるものではなく、例えば、更に複数の段差を設ける構成としてもよいし、上位生地１３ａ及び下位生地１３ｃの間に挟まれている中間生地１３ｂを省略してもよいし、ウエストベルト部１０の表側を形成する延出部表ベルト布１１Ａ及び収容部表ベルト布１２Ａと共地仕様として生地同士を重ね合わせることなく全体を段差（襞）のない構成とすることも可能である。
また、上位生地１３ａ、中間生地１３ｂ、下位生地１３ｃの各生地は素材が同一であっても良いし、異なるものであっても良い。上位生地１３ａ、中間生地１３ｂ、下位生地１３ｃの各生地の素材が同一であったり伸縮性が同一であったりすると、ウエストベルト部１０に引張り力がかかった際でも、ステッチ１５や生地にかかる負荷も少ない。一方、異なる素材を使用することで、滑り止め機能を強化することができたり、デザインのバリエーションを持たせたりすることができる。また、上位生地１３ａ、中間生地１３ｂ、下位生地１３ｃの各生地は、単一の生地に限定されず、素材が同一または異なる複数の生地を縫製等により接ぎ合わせたものであってもよい。特に、中間生地１３ｂは、ジャガードテープやオペロンテープ等を使用することもできる。また、意匠生地１３においてシリコーンゴム等の配合、加工により滑り止め機能を強化することもできる。
【００７５】
そして、これら上位生地１３ａ、中間生地１３ｂ及び下位生地１３ｃからなる意匠生地１３の内側（裏側）に、網目に編成されたネット構造であるメッシュ生地を所定寸法でバイアス裁断したバイアス生地からなる芯材１４を縫付けて補強してもよい。なお、このメッシュ生地には、例えば、意匠生地１３を構成する綿生地やスレーキ生地等よりも比較的ハードな生地が使用され、メッシュ構造やバイアス裁断により多少の弾性変形を付与できる。よって、生地にかかる負荷が少なく、長期間の着用でも生地を傷めにくい。また、メッシュの密度の選択により、補強効果（硬さ）や弾性変形を調節できる。
このような芯材１４は、例えば、意匠生地１３の下（裏面側）に長さ方向の全長に沿って配設され、その縦幅方向の中央側でステッチ１５にて意匠生地１３に縫合わせられる。勿論、意匠生地１３の上位生地１３ａ、中間生地１３ｂ及び下位生地１３ｃの縫合わせと、意匠生地１３及び芯材１４の縫合わせを１つのステッチ１５で共通させることなく、分散させてもよい。
【００７６】
このように複数の生地の縫合わせにより収容部裏ベルト布１２Ｂ及び延出部裏ベルト布１１Ｂを構成する場合、その縫い方や縫糸は特に問われないが、例えば、鎖縫い（チェーンステッチ）等とすることで、スムースな伸縮性を妨げることのない縫合わせ方となって、スムースな伸縮が得られる。また、伸縮性を有する糸、例えば、ウーリー糸、ユニロン（登録商標）糸、レジロン（登録商標）糸等を使用することでもスムースな伸縮が得られる。因みに、意匠生地１３の下に縫付ける芯材１４は、意匠生地１３の縦幅全長（長さ方向に対して直角な幅）よりもその縦幅長さを短く設定すると、意匠生地１３及び芯材１４の縫合わせ時に僅かなずれが生じた場合でも、ウエストベルト部１０の裏側の意匠面側から見て芯材１４が意匠生地１３の下端から露出して外観性が低下することもない。
【００７７】
勿論、本発明を実施する場合には、延出部裏ベルト布１１Ｂ及び収容部裏ベルト布１２Ｂに、パワーネット、サテンネット、ストレッチサテン、ストレッチレース等の伸縮性を有する生地を用いても良い。また、縦横方向に伸縮性を有しない生地でも、繊維の織目方向を斜めに、所謂バイアス方向で裁断（バイアス裁断）することで、伸縮性を得ることができ、このようにして伸縮性を得たバイアスを使用すると、引張り力がかかった際でも生地にかかる負荷が少なく、長期間の着用でも生地を傷めにくい。
なお、延出部裏ベルト布１１Ｂ及び収容部裏ベルト布１２Ｂの下端は、部分的にステッチ１０２にて身頃４Ｆ，４Ｂや袋布２ａに縫付けられている。
【００７８】
ここで、ウエストベルト部１０の表側及び裏側を構成する収容部１２と延出部１１は、上述したように、延出部１１の前身頃４Ｂに縫着されていない先端部が収容部１２内に挿入されて収容されるが、図４乃至図６に示したように、収容部１２の内部において、それらの間が弾性材としての平ゴム２１を含む接続部２０で弾性的に接続されている。平ゴム２１としては、織ゴム、編ゴム、コールゴム、ゴムテープ等が使用される。更に、十分な弾性を有するものであれば、他にもゴム製板、ストレッチテープ（ゴム入り布）、パワーネット生地、サテンネット生地、ストレッチサテン生地、ストレッチレース生地等の様々な弾性を有する素材を用いることができる。後述する補助弾性材７，８についても同様である。なお、図５において、後述のベルト調節部材４１等は省略されている。
【００７９】
更に、本実施の形態１では、この平ゴム２１に対し、非伸縮性で平ゴム２１の厚さよりも薄い生地、例えば、リボンテープ等からなる帯状の伸び止め材２２を縫着しており、この伸び止め材２２によって平ゴム２１の最大の伸び長さを規定している。平ゴム２１の伸びを規定する役割からすれば、伸び止め材２２としては、伸縮性に乏しく、適度な強度を有する生地が好適であるが、更に、後述するように、ウエストサイズを小さくする際には、平ゴム２１から突出した部分が折重ねられることから、それからすれば薄い生地が嵩を抑制できる点で好ましく、スレーキ生地や、リボンテープ等や、ポリエステル系、ナイロン系、レーヨン系、綿等からなる生地等が使用できる。
【００８０】
本実施の形態１の接続部２０について詳細に説明すると、図４乃至図６に示したように、収容部１２内に挿入される延出部１１の先端部に対し、帯状の平ゴム２１は、その一方の端部が、伸縮性のない生地からなる帯状の伸び止め材２２の一方の端部と共に、延出部表ベルト布１１Ａと延出部裏ベルト布１１Ｂの間に挟まれてステッチ５３にて縫付けられている。このときのステッチ５３のステッチは、１本であってもよいし、２本以上としてもよいが、少なくとも１本のステッチは、延出部表ベルト布１１Ａと延出部裏ベルト布１１Ｂを貫通する縫い目としている。一方、平ゴム２１の他方の端部は、伸び止め材２２の途中にステッチ５４にて縫付けられ、伸び止め材２２の他方の端部が、収容部１２の内部、具体的には、収容部表ベルト布１２Ａの内面にステッチ５５にて縫付けられている。このときのステッチ５４及びステッチ５５の各ステッチも、縫付強度を確保できれば、１本であってもよいし、２本以上としてもよい。
【００８１】
ここで、帯状の伸び止め材２２は、その一方の端部を、平ゴム２１の一端部と共に延出部１１の先端部にステッチ５３にて縫付け、平ゴム２１の伸びを許容する分だけ、即ち、平ゴム２１の伸びる許容範囲の長さだけ（例えば、１ｃｍ〜２．５ｃｍ）弛ませて、その長さ方向の途中を平ゴム２１の他端部にステッチ５４にて縫付けている。なお、平ゴム２１の最大伸びに相当する長さだけ弛ませて平ゴム２１に縫付けている伸び止め材２２は、ステッチ５３及びステッチ５４間の弛みを折畳む折目の形成により、嵩張りを少なくできる。
これにより、平ゴム２１に引張り力が掛かっても、この伸び止め材２２がステッチ５３及びステッチ５４間で弛ませている（折畳まれている）長さまでしか平ゴム２１が伸びることのないようにし、平ゴム２１の過度の伸びを防止している。即ち、伸び止め材２２によって平ゴム２１に無理な引張り力が掛かるのを防止するから、平ゴム２１を長持ちさせることができる。
【００８２】
特に、本実施の形態１では、一方の端部が平ゴム２１の一端部と共に延出部１１の先端部にステッチ５３にて縫付けられた伸び止め材２２は、平ゴム２１の伸びる許容範囲の長さだけ弛みを付けて、その中間部分が平ゴム２１の他端部にステッチ５４にて縫付けられており、延出部１１に縫付けた一端部とは反対側の他端部が、収容部表ベルト布１２Ａの内面にステッチ５５にて縫付けられている。
つまり、一方の端部を平ゴム２１の一端部と共に延出部１１の先端部にステッチ５３にて縫付け、また、平ゴム２１の最大伸びに相当する長さだけ弛ませてステッチ５４にて平ゴム２１の他端部に縫付けた伸び止め材２２は、平ゴム２１の本来の長さ（非伸長状態での長さ）よりも更に長く、所定長さ（例えば、１．５ｃｍ〜３ｃｍ）だけ平ゴム２１の他端部よりも突出するようにし、平ゴム２１の他端部よりも突出した伸び止め材２２の他端部を収容部表ベルト布１２Ａの内面側にステッチ５５にて縫付けている。なお、このときの伸び止め材２２を縫付けたステッチ５５の縫い目は、ハード芯ＨＣと共に収容部表ベルト布１２Ａの表裏を貫通している。
【００８３】
したがって、本実施の形態１においては、平ゴム２１とその両端部に対しその間に弛みを付けて縫付けた伸び止め材２２とによって延出部１１と収容部１２の間を弾性的に接続する接続部２０を構成している。即ち、本実施の形態１において、延出部１１と収容部１２の間を弾性的に接続する弾性材としての平ゴム２１は、その一方の端部は延出部１１の先端部にステッチ５３にて縫付けられているが、他方の端部には、伸び止め材２２がステッチ５３にて縫付けられ、この伸び止め材２２が収容部１２の内部にステッチ５５にて縫付けられている。平ゴム２１は、その一方の端部を前身頃４Ｆに縫着されていない延出部１１の端部に接続し、他方の端部を伸び止め材２２を介して収容部１２の内部に間接的に接続することによって、延出部１１と収容部１２の間を弾性的に接続している。
なお、本実施の形態１では、平ゴム２１に対し伸び止め材２２が収容部表ベルト布１２Ａ側で縫着されているが、本発明を実施する場合には、収容部裏ベルト布１２Ｂ側で平ゴム２１に対し伸び止め材２２を縫着してもよい。
【００８４】
こうして、本実施の形態１では、平ゴム２１が延出部１１の先端に接続すると共に、伸び止め材２２を介して収容部１２の内部に接続し、平ゴム２１によって収容部１２と延出部１１の間が弾性的に接続されていることから、収容部１２に挿入された延出部１１は、平ゴム２１の弾性力により、ウエスト方向に延出自在、即ち、相対移動自在であり、ウエストベルト部１０が伸縮自在とされている。
【００８５】
特に、本実施の形態１では、平ゴム２１の本来の長さよりも長くて伸縮性のない生地からなる帯状の伸び止め材２２が折畳まれてまたは弛んだ状態で平ゴム２１に対して縫付けられている。このため、平ゴム２１に引張り力がかかった際には、伸び止め材２２が折畳まれていた長さまたは弛ませていた長さ（ステッチ５３とステッチ５４の間で平ゴム２１に接続する伸び止め材２２の接続長さ）までしか平ゴム２１が伸びることができないようになっており、平ゴム２１の両端部に縫付けた、即ち、平ゴム２１に並設して取付けた伸び止め材２２によって、平ゴム２１の伸びの限界が規定されている。
これにより、平ゴム２１に無理な引張り力が掛かり平ゴム２１が過度に伸びてしまう事態を防止して、ゴムが長持ちするようにしている。また、このように平ゴム２１にその最大伸びを特定する伸び止め材２２を並設していることで、収容部１２及び延出部１１の重ね合わせ部１９に過度な張力が加えられないようにその伸び長さを制限できることから、重ね合わせ部１９の見栄えを維持する。
【００８６】
このように、ウエストベルト部１０は、平ゴム２１によって収容部１２と延出部１１の間を弾性的に接続する接続部２０を設けているが、更に、本実施の形態１では、収容部１２と延出部１１の間を接続している接続部２０の接続長さを可変する調節手段を設けていることで、収容部１２に対しウエスト方向に重ねる延出部１１の長さ、即ち、収容部１２とそれに収容される延出部１１との結合深さを可変できるようになっている。
【００８７】
具体的には、図６（ａ）に示すように、平ゴム２１によって収容部１２と延出部１１の間が弾性的に接続された接続部２０において、本実施の形態１では、伸び止め材２２が縫付けられている平ゴム２１に対し、伸び止め材２２の取付側とは反対面側であって延出部１１側とは反対側の他端部に、帯状のベルト調節部材４１が取付けられている。即ち、延出部１１の先端部に取付けた平ゴム２１の更に先端側で、ベルト調節部材４１が取付けられている。
【００８８】
このベルト調節部材４１は、その一端部側が、平ゴム２１の他端部にステッチ５６にて縫付けられ、その他端部側は何れにも縫付けられていない自由な状態にある。そして、本実施の形態１では、その自由端側に、所定間隔で２つの凹側ドット釦４２Ａ及び凹側ドット釦４２Ｂが取付けられている。図６（ａ）において、２つの凹側ドット釦４２Ａ及び凹側ドット釦４２Ｂは共に、ベルト調節部材４１の表裏面のうちの収容部表ベルト布１２Ａ側に取付けられている。
なお、ベルト調節部材４１には、繰り返しの洗濯等によっても、捲れ等が生じ難い強度のある生地が好適であり、例えば、身頃４Ｆ，４Ｂと共地（綿生地、ウール生地等）を使用することもできるし、後述する市販のテープスナップの土台の生地を使用してもよいし、更にそれに補強のためのリボンテープ等の補強布４８を取付けたものでもよい。
こうして、本実施の形態１では、２つの凹側ドット釦４２Ａ及び凹側ドット釦４２Ｂを設けたベルト調節部材４１が、収容部１２と延出部１１を弾性的に接続する接続部２０の間で平ゴム２１の端部に取付けられている。
【００８９】
更に、本実施の形態１のウエストベルト部１０においては、このように収容部１２の内部において収容部１２と延出部１１を弾性的に接続する平ゴム２１に取付けられたベルト調節部材４１をウエストベルト部１０の外面側に出すために、ベルト調節部材４１が挿通される貫通孔４５が収容部１２を形成する収容部裏ベルト布１２Ｂ側に設けられている。
【００９０】
本実施の形態１において、貫通孔４５は、ウエストベルト部１０の裏側を形成する収容部裏ベルト布１２Ｂの表裏を貫通して形成され、例えば、ベルト調節部材４１の縦幅を通す１．５ｃｍ〜２．５ｃｍの長孔でボタンホールの要領で作製することができる。このとき、通常、貫通孔４５の周囲には解れ防止、補強のための穴がかり等の加工が施されることになる。この貫通孔４５は、収容部表ベルト布１２Ａに縫付けた伸び止め材２２の縫付位置であるステッチ５５の近傍に設けられるが、ステッチ５５の位置よりも後中心ＢＣ寄り（延出部１１側から遠のく方）に設けられている。なお、貫通孔４５の形状、ボタンホールの形成手法は、特に問わず、ボタンホールの形成では、両端または片端にハトメ穴を設けたものとすることもできる。ハトメ穴かがりの要領で作製してもよいし、ねむり穴かがりの要領で作製してもよい。特に、ハトメ穴を設けた貫通孔４５では、ベルト調節部材４１の素材を問わず引き出しをスムースにすることが可能であり、操作性の向上を可能とする。
【００９１】
なお、収容部表ベルト布１２Ａと収容部裏ベルト布１２Ｂの両者を接ぐ態様によっては、収容部裏ベルト布１２Ｂが縫合される収容部表ベルト布１２Ａの上部の内折り部分に、貫通孔４５の一部が位置することになる。そこで、貫通孔４５に対応する位置に収容部表ベルト布１２Ａの上部の内折り部分が配設する場合には、その一部を切り欠いてしまってもよい。或いは、貫通孔４５の位置に対応して収容部裏ベルト布１２Ｂと共に、収容部表ベルト布１２Ａの内折り部分の生地を含めて切断し貫通孔４５を形成してもよい。何れにせよベルト調節部材４１が通る大きさでウエストベルト部１０の裏側の表裏面を貫く貫通孔４５が形成されればよい。
【００９２】
このように、ウエストベルト部１０の裏側にベルト調節部材４１を通す貫通孔４５を設けたことで、収容部１２内において収容部１２と延出部１１を弾性的に接続している平ゴム２１に取付けたベルト調節部材４１は貫通孔４５に通されて、収容部１２の内側から外側に出される。
なお、図６においては、ベルト調節部材４１が貫通孔４５に通される前のウエストベルト部１０の内部構造（図６（ａ））及びその状態のウエストベルト部１０の裏側（図６（ｂ））を示している。
【００９３】
更に、本発明を実施する場合には、図２及び図３に示したように、ウエストベルト部１０裏側の収容部裏ベルト布１２Ｂに設けた貫通孔４５の位置をウエストベルト部１０裏側の外面側（意匠面側）からみて分からないように隠し、見栄えを良くするため、ラベル、布ネーム、ワッペン等の布地、テープ（リボンテープ等）等からなる被覆地４６を収容部裏ベルト布１２Ｂの外面側で貫通孔４５を覆うように縫着してもよい。これらラベル、布ネーム、ワッペン等の布地、テープ等からなる被覆地４６は、貫通孔４５からベルト調節部材４１が収容部裏ベルト布１２Ｂの外面側に出されるように、例えば、その上下両端側が収容部裏ベルト布１２Ｂの外面に縫付けられる。皮や布のラベル等の被覆地４６には、例えば、パンツのブランド名、製造会社等が記載されると、意匠的効果も独特なものとなる。更に、その被覆地４６の存在によって、タックインしたシャツを押さえてずれ上がりを防止する効果も得られ、特に、被覆地４６の布地、テープがシリコン、ラバー等の素材であれば、滑り止め機能が強化されずれ上がりの防止効果も高くなる。
【００９４】
そして、本実施の形態１のウエストベルト部１０においては、更に、図６（ｂ）に示すように、貫通孔４５が形成された収容部裏ベルト布１２Ｂの外面側に、ベルト調節部材４１に設けた凹側ドット釦４２Ａ及び凹側ドット釦４２Ｂに対応する１つの凸側ドット釦４３が取付けられている。この凸側ドット釦４３は、貫通孔４５の近傍に設けられるが、貫通孔４５の位置よりも後中心ＢＣ寄り（延出部１１側から遠のく方）に設けられている。
【００９５】
よって、図７等で示すように、貫通孔４５に通され、収容部裏ベルト布１２Ｂの外面側(意匠面側)、即ち、ウエストベルト部１０の裏面側に出されたベルト調節部材４１は、その所定面側に設けた凹側ドット釦４２Ａまたは凹側ドット釦４２Ｂを収容部裏ベルト布１２Ｂの外面側に設けた凸側ドット釦４３に係合させることにより、収容部裏ベルト布１２Ｂの外面側に接合することができる。
【００９６】
こうして、スーツ用ズボン１の使用状態では、図７（ａ）に示したように、収容部１２内で延出部１１側とは反対側の平ゴム２１の先端部側に取付けられたベルト調節部材４１を、収容部裏ベルト布１２Ｂの所定位置に設けた貫通孔４５に通して、図７（ｂ）及び（ｃ）に示したように、収容部裏ベルト布１２Ｂの内面側から外面側に引き出した状態とする。即ち、ベルト調節部材４１を貫通孔４５に挿通し収容部裏ベルト布１２Ｂの表面側に引き出した状態とする。このとき、ベルト調節部材４１に設けた凹側ドット釦４２Ａ，４２Ｂの配設側が、収容部裏ベルト布１２Ｂの外面側（表面側）、即ち、凹側ドット釦４３の配設側に対向するように、ベルト調節部材４１が貫通孔４５から導き出され収容部裏ベルト布１２Ｂの外面側に出される。
そして、図７（ｂ）及び（ｃ）に示したように、収容部裏ベルト布１２Ｂの外面側に出されたベルト調節部材４１は、特定の片面に設けた凹側ドット釦４２Ａ及び凹側ドット釦４２Ｂのうちの何れか一方を収容部裏ベルト布１２Ｂの外面側に設けた凸側ドット釦４３に係合させることで、収容部裏ベルト布１２Ｂの外面側に接合固定される。
【００９７】
ここで、本実施の形態１では、このように収容部１２の内部において収容部１２と延出部１１を弾性的に接続する接続部２０の途中に対し、具体的には、図１０、図１１等に示したように、伸び止め材２２を収容部表ベルト布１２Ａに縫付けたときのステッチ５５から所定長さ離れた位置であって平ゴム２１の他端部側にステッチ５６でベルト調節部材４１を縫付けたことから、図７（ｃ）、図８（ｂ）及び図９（ｂ）に示したように、収容部１２に対して延出部１１が深く挿入される方向にベルト調節部材４１を引き寄せることで、つまり、貫通孔４５から収容部裏ベルト布１２Ｂの外面側に出されたベルト調節部材４１を長く引き出すことで、収容部１２に対し、延出部１１をより深い位置に移動させることができる。
【００９８】
即ち、図７（ｃ）、図８（ｂ）及び図９（ｂ）に示したように、収容部１２に対して延出部１１が深く挿入される方向にベルト調節部材４１を引き寄せ、貫通孔４５から収容部裏ベルト布１２Ｂの外面側に出されたベルト調節部材４１を長く引き出すと、特に、図１１（ｃ）で示すように、収容部１２と延出部１１の間を接続する接続部２０の接続長さにおいて折重なり部４８が生じて、伸び止め材２２を収容部表ベルト布１２Ａに縫付けたときのステッチ５５に対し延出部１１が近づき、収容部１２に対して延出部１１が深く挿入されることになる。
【００９９】
なお、ここでいう接続部２０の接続長さの折重なりは、平ゴム２１に対して、その伸びの許容範囲の長さだけ折畳んでまたは弛みを付けてステッチ５３及びステッチ５４にて縫付けた伸び止め材２２の平ゴム２１に併設する部分（ステッチ５３及びステッチ５４の間の部分）の折畳み、弛み部分を意味するものではなく、ゴムの伸縮に関係させずに、収容部１２に対し延出部１１を移動するように、接続部２０の長さを変化させる部位であり、ベルト調節部材４１を平ゴムに縫付けたときのステッチ５６から伸び止め材２２の他端を収容部表ベルト布１２Ａの内面に縫付けたときのステッチ５５までの間の折重なりを意味する。
【０１００】
即ち、本実施の形態１では、収容部１２と延出部１１の間の接続部２０において、一端部を延出部１１に縫付けた平ゴム２１の両端部に平ゴム２１よりも薄い厚みのリボンテープ等からなる伸び止め材２２を縫付け、その伸び止め材２２を平ゴム２１の延出部１１側とは反対側の他端部よりも突出させて収容部１２の内部にステッチ５５にて縫付けている。更に、そのような接続部２０に対し、ベルト調節部材４１の長さ方向の一端部を、平ゴム２１の延出部１１側とは反対側の他端部にステッチ５６にて縫付けている。このため、収容部１２に対して延出部１１が深く挿入される方向にベルト調節部材４１を引き寄せると、即ち、貫通孔４５から収容部裏ベルト布１２Ｂの外面側に出されたベルト調節部材４１を長く引き出すと、べルト調節部材４１を平ゴムに縫付けたときのステッチ５６から伸び止め材２２の他端を収容部表ベルト布１２Ａの内面に縫付けたときのステッチ５５までの間ので折重なり部４８が生じる。平ゴム２１よりも薄い厚みのリボンテープ等からなる伸び止め材２２において、平ゴム２１の他端部よりも突出した部分で折重なり部４８が生じるが、ステッチ５６の位置やベルト調節部材４１を引き寄せる長さによっては、平ゴム２１と共に伸び止め材２２が折畳まれ折重なり部４８が形成される。
【０１０１】
そして、本実施の形態１においては、ベルト調節部材４１に凹側ドット釦４２Ｂよりも平ゴム２０寄りの所定位置に凹側ドット釦４２Ａを設けており、収容部１２に対して延出部１１が深く挿入される方向にベルト調節部材４１を引き寄せて、即ち、貫通孔４５から収容部裏ベルト布１２Ｂの外面側に出されたベルト調節部材４１を長く引き出して、収容部１２と延出部１１の間を接続する接続部２０において折重なり部４８が生じた状態で、図７（ｃ）、図８（ｂ）、図９（ｂ）及び図１１に示したように、ウエストベルト部１０のウエスト方向において、ベルト調節部材４１の凹側ドット釦４２Ａの位置に、収容部裏ベルト布１２Ｂの外面に設けた凸側ドット釦４３の位置が一致するようにしている。
即ち、ベルト調節部材４１に設けた凹側ドット釦４２Ａと収容部裏ベルト布１２Ｂの外面に設けた凸側ドット釦４３の係合（接合）によって、収容部裏ベルト布１２Ｂの外面にベルト調節部材４１を接合することで、ベルト調節部材４１を所定位置で固定して、折重なり部４８が生じた接続部２０の位置状態を保持、固定できるようになっている。
このようにして、収容部１２に対して延出部１１が深く挿入された状態を保持、固定することにより、ウエストを小さくすることができる。
【０１０２】
一方、図７（ｂ）、図８（ａ）及び図９（ａ）に示したように、貫通孔４５から収容部裏ベルト布１２Ｂの外面側に出されたベルト調節部材４１が長く引き出されることなく、延出部１１を収容部１２から抜き出す方向に移動させても、ベルト調節部材４１が貫通孔４５にそれ以上引き戻されることのない状態では、収容部１２と延出部１１の間を接続する接続部２０の接続長さが折重なることなく、即ち、折重なり部４８が生じることなく本来の長さ状態にあり、収容部１２に入る延出部１１の深さは相対的に浅いものとなる。
つまり、ベルト調節部材４１が貫通孔４５にそれ以上に引き戻されることのない状態では、収容部１２に挿入された延出部１１が浅い深さで収容され、収容部１２に対して延出部１１がウエスト方向に短い長さで重なることになる。
【０１０３】
このとき、本実施の形態１においては、図７（ｂ）、図８（ａ）及び図９（ａ）に示したように、ウエストベルト部１０のウエスト方向において、ベルト調節部材４１に設けた凹側ドット釦４２Ｂと収容部裏ベルト布１２Ｂの外面に設けた凸側ドット釦４３の両者の位置が略一致するようにしている。即ち、ベルト調節部材４１が貫通孔４５にそれ以上に引き戻されることのない状態として、収容部１２に対し延出部１１が浅く挿入されている状態でも、収容部裏ベルト布１２Ｂの外面に設けた凸側ドット釦４３に対し、ベルト調節部材４１に設けた凹側ドット釦４２Ｂを係合させて、収容部裏ベルト布１２Ｂの外面側にベルト調節部材４１を接合、固定できるようにしている。このように収容部裏ベルト布１２Ｂの外面側にベルト調節部材４１を接合、固定できるにより、収容部裏ベルト布１２Ｂの外面側に出されたベルト調節部材４１の捲れを生じさせないことから、美観を維持することができる。
【０１０４】
こうして、図７（ｂ）、図８（ａ）及び図９（ａ）及び図１０に示したように、収容部裏ベルト布１２Ｂに出されたベルト調節部材４１が貫通孔４５からそれ以上に引き戻されることのない状態、即ち、接続部２０が本来の長さ状態にあり、ステッチ５５とステッチ５６の間で折重なりが生じていない状態で収容部１２に対し延出部１１の挿入深さが浅い状態においては、ウエストベルト部１０のウエスト方向において、収容部裏ベルト布１２Ｂの外面に設けた凸側ドット釦４３の位置に対し、ベルト調節部材４１の凹側ドット釦４２Ｂの位置が一致し、それら凹側ドット釦４２Ｂと凸側ドット釦４３を係合（接合）させて、収容部裏ベルト布１２Ｂの外面にベルト調節部材４１を接合できるようになっている。
【０１０５】
即ち、ベルト調節部材４１に設けた凹側ドット釦４２Ａ及び凹側ドット釦４２Ｂのうち、ベルト調節部材４１の先端側（平ゴム２１側とは反対側）に近い方の凹側ドット釦４２Ｂを収容部裏ベルト布１２Ｂの外面側に設けた凸側ドット釦４３に係合させたときは、延出部１１と収容部１２と間を接続する接続部２０の長さが折重なりが生じていない本来の状態にあり、延出部１１は相対的に浅い深さで収容部１２に入れられている。換言すれば、ウエストベルト部１０の表裏からみて、収容部１２から多く延出部１１が引き出されて、ウエスト方向における延出部１１の長さが長くなっている。
【０１０６】
一方、図７（ｃ）、図８（ｂ）及び図９（ｂ）及び図１１に示したように、収容部１２に対して延出部１１が深く挿入される方向にベルト調節部材４１を引き寄せ、即ち、貫通孔４５から収容部裏ベルト布１２Ｂの外面側に出されたベルト調節部材４１を長く引き出して、収容部１２と延出部１１の間を接続する接続部２０において折重なり部４８を生じさせ収容部１２に対し延出部１１の挿入深さを深くした状態では、ウエストベルト部１０のウエスト方向において、収容部裏ベルト布１２Ｂの外面に設けた凸側ドット釦４３の位置に対し、ベルト調節部材４１の凹側ドット釦４２Ａの位置が一致し、それら凹側ドット釦４２Ａと凸側ドット釦４３を係合（接合）させて、収容部裏ベルト布１２Ｂの外面にベルト調節部材４１を接合できるようにし、接続部２０の折重なり部４８を保持、固定して収容部１２に対して延出部１１が深く挿入された状態を保持、固定できるようになっている。
【０１０７】
即ち、ベルト調節部材４１を脇線ＬＳ，ＲＳ側とは反対側で後中心ＢＣ側に向けて引き寄せ、貫通孔４５からベルト調節部材４１を長く収容部裏ベルト布１２Ｂの外面側に引き出し、ベルト調節部材４１に設けた凹側ドット釦４２Ａ及び凹側ドット釦４２Ｂのうち、平ゴム２１側に近い方の凹側ドット釦４２Ａを収容部裏ベルト布１２Ｂの外面側の凸側ドット釦４３に係合させたときは、延出部１１と収容部１２と間を接続する接続部２０の長さは、折り重なりが生じて折り重なり部４８が形成され、ベルト調節部材４１が取付けられている平ゴム２１を介して延出部１１が収容部１２内の更に奥へ向かって入ることになり、凹側ドット釦４２Ｂと凸側ドット釦４３の係合のときよりも、延出部１１はより深く収容部１２に入れられることになる。よって、ウエストベルト部１０の表裏からみて、ウエスト方向における延出部１１の長さが短くなっている。
【０１０８】
なお、本実施の形態１では、図１２（ｂ）に示すように、接続部２０が本来の長さ状態で、伸び止め材２２の一端部を収容部表ベルト布１２Ａの内面（裏面）に縫付けたときの２本のステッチ５５のうち平ゴム２１寄りのステッチ５５ａとベルト調節部材４１を平ゴム２１の先端部側に縫付けたときのステッチ５６との間の伸び止め材２２の長さをｘとし、ベルト調節部材４１の片面に設けた凹側ドット釦４２Ｂ及び凹側ドット釦４２Ｂの中心間の間隔距離をｙとしたとき、ｙ≦２ｘに設定される（例えば、ｘ＝１〜３ｃｍ程度、ｙ＝１〜２ｃｍ程度）。
【０１０９】
例えば、ステッチ５５ａ及びステッチ５６の間の長さｘ＝１ｃｍ、ベルト調節部材４１の凹側ドット釦４２Ａ及び凹側ドット釦４２Ｂの中心間の間隔距離ｙ＝１ｃｍに設定すると、原理的には、図１２（ｃ）に示すように、ベルト調節部材４１の凹側ドット釦４２Ａを収容部裏ベルト布１２Ｂの外面側の凸側ドット釦４３に係合させたときには、ステッチ５５ａに対してステッチ５６が重なるように（例えば、１ループ状に重なった際には、その重複領域が０．５ｃｍとなる）、ステッチ５５ａ及びステッチ５６間の伸び止め材２２、平ゴム２１の長さが折重ねられる（折畳まれる）ことになる。この場合、凹側ドット釦４２Ｂと凸側ドット釦４３の係合のときよりも、即ち、ベルト調節部材４１が貫通孔４５にそれ以上に引き戻されることのない状態にあるときよりも、ウエストベルト部１０のウエスト方向において延出部１１が収容部１２内に約１ｃｍ多く入り込むことになる。
【０１１０】
また、例えば、ｘ＝１ｃｍ、１＜ｙ≦２ｃｍに設定したときは、図１３（ｃ）に示すように、ステッチ５５ａの位置よりも後中心ＢＣ側に向かう更に奥深い位置に、ステッチ５６が位置するように、即ち、ステッチ５５とステッチ５６の位置が反転するように、ステッチ５５ａ及びステッチ５６間の伸び止め材２２、平ゴム２１の長さが折重ねられる（折畳まれる）ことになる。特に、ｘ＝１ｃｍ、ｙ＝２ｃｍの場合には、ステッチ５５ａ及びステッチ５６間の伸び止め材２２の長さで表裏が反転した折重なり（折畳み）が生じる（このときの１ループ状に重なった重複領域は１ｃｍとなる）。即ち、上述の図１２（ｃ）に示したときよりも、ベルト調節部材４１が取付けられている平ゴム２１及びその平ゴム２１が取付けられている延出部１１が収容部１２の更に奥へ向かって入ることになり、延出部１１はより深く収容部１２に入れられることになる。この場合、凹側ドット釦４２Ａと凸側ドット釦４３の係合のときよりも、つまり、ベルト調節部材４１が貫通孔４５にそれ以上に引き戻されることのない状態にあるときよりも、ウエストベルト部１０のウエスト方向において延出部１１が収容部１２内に約１ｃｍ〜２ｃｍ多く入り込むことになる。
【０１１１】
なお、上記ｘとｙの関係は、ｘ≦ｙに設定するのが好ましい。これにより、スーツ用ズボン１のウエストサイズを小さくするために貫通孔４５からベルト調節部材４１を収容部裏ベルト布１２Ｂの外面側により長く引き出して、ベルト調節部材４１の凹側ドット釦４２Ａを収容部裏ベルト布１２Ｂの外面側の凸側ドット釦４３に係合させ、延出部１１をより深く収容部１２に入れたときでも、ウエストベルト部１０の内部で、必要以上に伸び止め材２２の弛み、遊びができず、伸び止め材２２及び平ゴム２１の収まりがよくて重厚感も生じさせない。よって、ウエストベルト部１０において膨らみや凸状が生じて見栄えを低下させることも着心地に違和感を与えることもない。
しかし、本発明を実施する場合には、伸び止め材２２の長さに余裕を持たせ、ｘ＞ｙとすることも可能である。この場合には、ステッチ５５ａにかかる負荷も少なく、伸び止め材２２の引き攣り等も少なくできる。
【０１１２】
このように、ステッチ５５ａ及びステッチ５６間の接続部２０の長さ及びベルト調節部材４１の凸側ドット釦４２Ａと凸側ドット釦４２Ｂの間隔設定により延出部１１が収容部１２内に入る長さ、即ち、ウエスト長を縮小する長さを決定できる。
なお、ここでは、接続部２０が本来の長さ状態にあり、収容部１２に対し延出部１１を相対的に浅く挿入した状態における凸側ドット釦４３に対応する凸側ドット釦４２Ｂの位置を前提に、凸側ドット釦４２Ａの取付位置を設定しているが、後述するように、凸側ドット釦４２Ｂを設けない場合でも、ベルト調節部材４１への凸側ドット釦４２Ａの取付位置により収容部１２に対する延出部１１の結合深さを決定できる。
【０１１３】
こうして、本実施の形態１では、図７（ｂ）、図８（ａ）及び図９（ａ）及び図１０に示したように、収容部１２から延出部１１を抜き出す方向に移動させても収容部裏ベルト布１２Ｂの外面側に出されたベルト調節部材４１がそれ以上に貫通孔４５に引き戻されることのない状態では、接続部２０の平ゴム２１の端から突出した部分の伸び止め材２２に折重なりが生じておらず接続部２０が本来の長さ状態にあり、収容部１２に対し延出部１１が浅く挿入された状態である。
このとき、本実施の形態１では、ウエストベルト部１０のウエスト方向において、収容部裏ベルト布１２Ｂの外面に設けた凸側ドット釦４３の位置に対し、ベルト調節部材４１の凹側ドット釦４２Ｂの位置が一致し、ベルト調節部材４１に設けた凹側ドット釦４２Ｂと収容部裏ベルト布１２Ｂの外面に設けた凸側ドット釦４３とを係合（接合）させて、収容部裏ベルト布１２Ｂの外面にベルト調節部材４１を接合できるようになっている。
【０１１４】
これに対し、図７（ｃ）、図８（ｂ）及び図９（ｂ）及び図１１に示したように、収容部裏ベルト布１２Ｂの外面側に出されたベルト調節部材４１を貫通孔４５から長く引き出すことで、収容部１２に対して延出部１１が深く挿入される方向にベルト調節部材４１が引き寄せられ、収容部１２と延出部１１の間を接続する接続部２０において折重なり部４８が生じて、収容部１２に対して延出部１１を深く挿入することができる。そして、収容部１２に対し延出部１１が深く挿入された状態を、ベルト調節部材４１の凹側ドット釦４２Ａと収容部裏ベルト布１２Ｂの外面側の凸側ドット釦４３の係合により保持、固定できる。このように収容部１２に対し延出部１１を深く挿入することで、伸長させるウエストサイズを小さくできる。
【０１１５】
即ち、収容部裏ベルト布１２Ｂの外面側に出されたベルト調節部材４１を貫通孔４５から長く引き出して、ベルト調節部材４１の凹側ドット釦４２Ａと収容部裏ベルト布１２Ｂの凸側ドット釦４３を係合状態とすると、延出部１１がより深く収容部１２に入れられるから、ウエストサイズを小さくできる。
このとき、ステッチ５４及びステッチ５３間の伸び止め材２２の長さ、ベルト調節部材４１における凸側ドット釦４２Ａの取付位置等の設定により、例えば、ウエスト周り半周分で１〜２ｃｍ、ウエスト全周で２ｃｍ〜４ｃｍサイズダウンが可能である。
【０１１６】
こうして、本実施の形態１のスーツ用ズボン１では、伸長させるウエストサイズを変化させることが可能である。
特に、本実施の形態１では、収容部１２に対し延出部１１が浅く挿入された状態でも、ベルト調節部材４１に設けた凹側ドット釦４２Ｂと収容部裏ベルト布１２Ｂの外面に設けた凸側ドット釦４３とを係合（接合）させて、収容部裏ベルト布１２Ｂの外面にベルト調節部材４１を接合できるようになっており、収容部裏ベルト布１２Ｂの外面側の凸側ドット釦４３に係合させるベルト調節部材４１の凹側ドット釦４２Ａまたは凹側ドット釦４２Ｂの選択によって、ウエストサイズを変化させる操作を分かりやすくしている。
【０１１７】
即ち、ベルト調節部材４１の凹側ドット釦４２Ｂと収容部裏ベルト布１２Ｂの凸側ドット釦４３とが係合状態にあるときは、延出部１１が浅い深さで収容部１２に入れられるから、ウエストサイズが大きいものとなり、ベルト調節部材４１の凹側ドット釦４２Ａと収容部裏ベルト布１２Ｂの凸側ドット釦４３とが係合状態にあるときは、延出部１１が深く収容部１２に入れられるから、凹側ドット釦４２Ａと凸側ドット釦４３の係合状態のときよりもウエストサイズが小さくなる。このように収容部裏ベルト布１２Ｂの外面側の凸側ドット釦４３に係合させるベルト調節部材４１の凹側ドット釦４２Ａまたは凹側ドット釦４２Ｂの選択によって収容部１２に延出部１１を収めるその挿入深さを変化でき、収容部１２に延出部１１を重ねる結合深さを決定することで、ウエストサイズの変化を分かり易くしている。
【０１１８】
そして、本実施の形態１のスーツ用ズボン１は、上述したように、ウエストベルト部１０において収容部１２に延出部１１を重ね、収容部１２と延出部１１の間を平ゴム２１で弾性的に接続していることで、収容部１２に延出部１１を重ねる結合深さが浅くウエストサイズが相対的に大きいときでも、また、収容部裏ベルト布１２Ｂの外面側に出されたベルト調節部材４１を貫通孔４５から長く引き出してベルト調節部材４１の凹側ドット釦４２Ａと収容部裏ベルト布１２Ｂの凸側ドット釦４３を係合させることで収容部１２に延出部１１を重ねる結合深さを深くしてウエストサイズを小さくしたときでも、ウエストベルト部１０に対し引張り力が掛かった際には、収容部１２と延出部１１の間の平ゴム２１が伸びて収容部１２から延出部１１が多く延出することで、ウエストベルト部１０が伸長する。
【０１１９】
即ち、図１４(ａ)に示すように、収容部１２に対し延出部１１が浅い深さで収容部１２に入れられているウエストサイズが相対的に大の状態でも、ウエストベルト部１０に引張り力が掛かると、収容部１２と延出部１１を弾性的に接続している平ゴム２１によって、延出部１１が収容部１２から抜き出る方向に移動する。例えば、伸び止め材２２の折畳み長さによって平ゴム２１の最大伸びを１．５ｃｍ〜２ｃｍに規制していると、ウエスト周り半周分で平ゴム２１を１つ配置した構造では、ウエスト周り半周分で１．５ｃｍ〜２ｃｍ伸び、ウエスト全周で３ｃｍ〜４ｃｍウエストベルト部１０が伸びる。こうして、収容部１２と延出部１１を弾性的に接続している平ゴム２１の弾性力により更にウエストを伸ばすことができる。なお、上述したように、本実施の形態１では、収容部１２に対し延出部１１の挿入深さを浅くしたウエストサイズが大の状態でも、ベルト調節部材４１の凹側ドット釦４２Ｂと収容部裏ベルト布１２Ｂの外面側の凸側ドット釦４３との係合により、ベルト調節部材４１を収容部裏ベルト布１２Ｂの外面に接合、固定することで、ベルト調節部材４１の捲れ等を防止することができる。
【０１２０】
一方、図１４(ｂ)に示すように、収容部裏ベルト布１２Ｂの外面側に出されたベルト調節部材４１を貫通孔４５から長く引き出してベルト調節部材４１の凹側ドット釦４２Ａと収容部裏ベルト布１２Ｂの凸側ドット釦４３を係合し延出部１１を多く収容部１２に入れることでウエストサイズを小とした状態でも、ウエストベルト部１０に引張り力が掛かると、収容部１２と延出部１１を弾性的に接続している平ゴム２１によって、延出部１１が収容部１２から抜き出る方向に移動する。そして、この場合も、例えば、伸び止め材２２の折畳み長さによって平ゴム２１の最大伸びを１．５ｃｍ〜２ｃｍに規制していると、ウエスト周り半周分で平ゴム２１を１つ配置した構造では、ウエスト周り半周分で１．５ｃｍ〜２ｃｍ、ウエスト全周で３ｃｍ〜４ｃｍウエストベルト部１０が伸びる。こうして、サイズを小さくしたウエストであっても、収容部１２と延出部１１を弾性的に接続している平ゴム２１の弾性力によりそこから更にウエストを伸ばすことができる。
【０１２１】
例えば、図２及び図３に示したように、スーツ用ズボン１の左右の脇線ＬＳ，ＲＳ側で収容部１２と延出部１１を重ね合わせた重ね合わせ部１９を形成し、即ち、重ね合わせ部１９の構造を２箇所とし、収容部１２に対し延出部１１が浅い深さで入れられている状態において、即ち、ウエストサイズが大の状態において、平ゴム２１が未伸長状態でのウエストサイズ（ウエスト全長）を８２ｃｍに設定し、平ゴム２１の弾性力によるウエスト周り全長の最大伸びを３ｃｍに設定したとすると、ウエストベルト部１０に引張り力が掛かった際には平ゴム２１の伸びによってウエストサイズが８２ｃｍから更に３ｃｍ以内で伸びて、８２ｃｍ〜８５ｃｍのウエストサイズに変化する。
【０１２２】
更に、収容部１２に対して延出部１１が収容される方向にベルト調節部材４１を引き寄せ、ベルト調節部材４１を収容部裏ベルト布１２Ｂの外面側に長く引き出し、ベルト調節部材４１の凹側ドット釦４２Ａと収容部裏ベルト布１２Ｂの外面側の凸側ドット釦４３を係合させたときには、延出部１１がより深く収容部１２に入れられるから、ウエストサイズが小さくなる。このとき、例えば、Ｘ＝１ｃｍ、Ｙ＝１．５ｃｍに設定していたとすると、ウエスト全周で３ｃｍのサイズダウンとなるから、平ゴム２１が未伸長状態でのウエストサイズは７９ｃｍとなる。更にこの状態でウエストベルト部１０に引張り力が掛かった際には、７９ｃｍから３ｃｍ以内で伸びて、７９ｃｍ〜８２ｃｍのウエストサイズに変化する。
よって、このスーツ用ズボン１は、７９ｃｍ〜８２ｃｍの広範囲のウエストサイズに変化し、着用者の広範囲のウエストサイズに対応できる。
【０１２３】
したがって、従来、既製品として通常３ｃｍピッチでウエスト周り寸法を変えて市販されているスーツ用ズボンのうち、ウエスト周り寸法の異なる少なくとも２種類に代用可能となる。つまり、ウエスト回り寸法を６ｃｍ以上のピッチで調節可能である。６ｃｍピッチでウエスト周り寸法を変えることが可能であると、製造販売する規格製品を２分の１にすることもできる。その場合には、在庫負担を軽減でき、安価にスーツ用ズボン１を提供することも可能となる。
【０１２４】
そして、このように広範囲のウエストサイズに変化するも、本実施の形態１では、収容部裏ベルト布１２Ｂの外面側に出されたベルト調節部材４１の貫通孔４５からの引き出し長さの変更によって収容部１２に挿入される延出部１１の挿入深さが変化して、ウエストサイズの切替えを行うものであり、このウエストサイズの切替えによって、ウエストベルト部１０の表側及び裏側では、収容部１２に収容される延出部１１の挿入深さが変化するのみであり、ゴムの収縮の変化を表出させるものでないから、着用する人のウエストラインの見栄えも良い。
また、本実施の形態１では、ウエストベルト部１０の裏側で収容部裏ベルト布１２Ｂの外面に貫通孔４５からベルト調節部材４１が出され、ウエストベルト部１０の表面側からはベルト調節部材４１が見えないから、見栄えも維持される。
更に、本実施の形態１では、収容部裏ベルト布１２Ｂの凸側ドット釦４３に対するベルト調節部材４１の凹側ドット釦４２Ａまたは凹側ドット釦４２Ｂの係合位置の選択によってウエストサイズを変化できるから、着用者にとってウエストサイズの切替えも分かり易い。
【０１２５】
ここで、本実施の形態１において、延出部１１の延出部表ベルト布１１Ａは、前身頃４Ｆに対し、前中心ＦＣ側から脇ポケット部２のポケット口外縁２ｃの上端部の位置までステッチ５２ｂにて縫合されているが、脇ポケット部２のポケット口外縁２ｃの上端部の位置から脇線ＬＳ，ＲＳ寄りでは縫合されていない。即ち、収容部１２に挿入される先端部側は前身頃４Ｆに縫着されておらず収容部１２に挿入自在となっている。これより、図１４に示されるように、ウエストベルト部１０に引張り力が掛かったときには、脇ポケット部２のポケット口外縁２ｃの上部も延出部１１と一体に移動し、脇線ＬＳ，ＲＳ側、収容部１２の開口端側から離れる方向に位置する。このとき、脇ポケット部２の袋布２ａが表側から見えないようにするために、前身頃４と共地の当て布２ｄが左右１対の脇ポケット部２の外側に縫付けられている。
【０１２６】
即ち、本実施の形態１では、図１４（ａ）に示されるように、延出部１１が浅い深さで収容部１２に入っている状態、つまり、ウエストサイズが相対的に大のときにおいては、脇ポケット部２のポケット口外縁２ｃの上端部が、脇線ＬＳ，ＲＳから前中心ＦＣ寄りに所定距離離れた位置にある。そして、ウエストベルト部１０に引張り力が掛かると、脇ポケット部２のポケット口外縁２ｃの上端部も延出部１１が収容部１２から抜き出る方向に延出部１１と一体に移動し、脇線ＬＳ，ＲＳ側、収容部１２の開口端側から離れる方向に位置する。よって、脇ポケット部２の当て布２ｄが表出する面積が拡大する。
【０１２７】
一方で、収容部１２に対して延出部１１が収容される方向にベルト調節部材４１を引き寄せて、ベルト調節部材４１の凹側ドット釦４２Ａと収容部裏ベルト布１２Ｂの外面側の凸側ドット釦４３を係合させたときには、つまり、ウエストサイズを相対的に小さくしたときには、延出部１１はより深く収容部１２に入れられるから、図１４（ｂ）に示されるように、脇ポケット部２のポケット口外縁２ｃの上部も延出部１１と一体に移動して脇線ＬＳ，ＲＳ側に近づき、脇線ＬＳ，ＲＳの近傍、収容部１２の開口端の近傍に位置することになる。そして、このときも、ウエストベルト部１０に引張り力が掛かると、脇ポケット部２の外縁２ｃのポケット口上端部が延出部１１が収容部１２から抜き出る方向に延出部１１と一体に移動し、脇線ＬＳ，ＲＳ側、収容部１２の開口端側から離れる方向に位置するから、脇ポケット部２の当て布２ｄが表出する面積が拡大する。
【０１２８】
なお、脇ポケット部２のポケット口外縁２ｃの上端部と脇線ＬＳ，ＲＳとの間隔は、ウエストサイズの変化に対応させる。例えば、縮小させるウエストサイズをウエスト周り半周分で２ｃｍに設定した場合、脇ポケット部２のポケット口外縁２ｃの上端部と脇線ＬＳ，ＲＳとの間隔を２ｃｍ〜３ｃｍとし、図１４で示したように、ウエストサイズを小さくしたときに、脇ポケット部２のポケット口外縁２ｃが脇線ＬＳ，ＲＳに重なる程度に脇線ＬＳ側に近づける構成としてもよいし、図１５に示したように、ウエストサイズを小さくしたときでも、脇線ＬＳ，ＲＳから脇ポケット部２のポケット口外縁２ｃが所定距離離れるような構成としてもよい。
即ち、図１４に示すように、延出部１１が挿入される収容部１２の開口端と脇線ＬＳ，ＲＳとを一致させて、ウエストサイズを小さくしたときに脇ポケット部２のポケット口外縁２ｃが脇線ＬＳ，ＲＳに沿うかたちで脇ポケット部２の当て布２ｄが殆ど隠れるようにしてもよいし、図１５に示すように、延出部１１が挿入される収容部１２の開口端を脇線ＬＳ，ＲＳから、例えば、０．５ｃｍ〜１ｃｍ程度前中心ＦＣ寄りに設けて、ウエストサイズを小さくしたときでも脇線ＬＳ，ＲＳから脇ポケット部２のポケット口外縁２ｃが所定距離離れて、脇ポケット部２の当て布２ｄが表出するようにしてもよい。なお、延出部１１が収容部１２内に挿入される深さは、ポケット口外縁２ｃの上端部から収容部１２の開口端までの長さでの間で決定されることになる。
【０１２９】
特に、本実施の形態１では、上述したように、脇ポケット部２を構成する袋布２ａにタック２ｂを設けていることで、ウエストベルト部１０のウエスト周りが伸びる際に、タック２ｂが開かれる（広げられる）。
したがって、ウエストベルト部１０に引張り力がかかったときに、収容部１２から延出部１１が抜き出るが、この延出部１１の移動に伴って、タック２ｂが開かれる（広げられる）ことになるから、脇ポケット部２を構成する袋布２ａにかかる引張り力がタック２ｂの開きによって逃される。これより、ウエストベルト部１０の伸びを妨げることなくウエストをスムースに伸ばすことができる。また、タック２ｂを設けたことで袋布２ａが引き攣られることがなく、引張り力が表側に響いて脇ポケット部２が歪んだり脇ポケット部２の周辺にシワが寄ったりするのが防止される。よって、スーツ用ズボン１を表側から見たときの良好な見栄えを保つことができる。なお、タック２ｂの折り返し幅によっても、ウエストの伸びの限界を規定することも可能である。
【０１３０】
また、本実施の形態１においては、補助弾性材として幅の細い所定長さの平ゴム７の一端部が、脇ポケット部２の袋布２ａに形成されたタック２ｂを構成する上側の布地（図５（ｂ）においてタック２ｂの折れ線より左側の布地）の上端部に対して縫付けられ、また、反対側の他端部が、延出部表ベルト布１１Ａの上側の折り返し部分に縫付けられている。なお、このときのステッチ７ａ，７ｂはスーツ用ズボン１の表側からは見えない。
【０１３１】
このように補助弾性材としての平ゴム７で脇ポケット部２の袋布２ａのタック２ｂ近傍と延出部表ベルト布１１Ａとを弾性的に接続することで、平ゴム７の弾性力によって、タック２ｂの形状が維持され、延出部１１が移動する際に脇ポケット部２の袋布２ａの形状が崩れたり、ウエストベルト部１０及び身頃４Ｆ，４Ｂとの境界付近に皺がよったりして見栄えが悪くなったりするのを防止できる。
特に、本実施の形態１においては、補助弾性材として幅の細い所定長さの平ゴム７の一端部を、タック２ｂを構成する上側の袋布２ａの布地の上端部にステッチ７ａで縫付ける一方で、ウエストサイズが大、かつ、平ゴム２１が非伸縮状態で、反対側の他端部をステッチ７ａの上の位置で延出部表ベルト布１１Ａの上側の折り返し部分にステッチ７ｂで縫付け、ウエストベルト部１０のウエスト方向に対して直交方向に平ゴム７を直線状に設けている。これにより、収容部１２に対し延出部１１をより深く挿入しウエスト周りを小さくしたときでも、即ち、収容部１２に対し深く挿入される方向に延出部１１が移動したときでも、平ゴム７のステッチ７ｂ側が反対側のステッチ７ａから遠ざかる方向に延出部１１と共に移動することで、平ゴム７の撓み、浮き上がりが生じることもない。よって、ウエストベルト部１０及び身頃４Ｆ，４Ｂとの境界付近に皺や膨らみが生じることもなく、スーツ用ズボン１を表裏から見たときの良好な見栄えを維持できる。
【０１３２】
更に、本実施の形態１においては、平ゴム７とは別に延出部１１の形状を維持する補助弾性材としての幅の細い所定長さの平ゴム８を、延出部１１の先端部とウエストベルト部１０及び身頃４Ｆ，４Ｂとの境界付近との間に設けている。具体的に、平ゴム８の一端部は、平ゴム２１の下方で延出部裏ベルト布１１Ｂの先端部に縫付けられ、反対側の他端部は、後身頃４Ｂと収容部表ベルト布１２Ａの下側の折り返し部分に縫付けられている。これによって、平ゴム２１の弾性力により延出部１１の先端部側が収容部１２から出たり入ったりする場合でも、延出部裏ベルト布１１Ｂの捲れ、形状の崩れが防止され、延出部１１の先端部側がスムースに移動し、また、見栄えを維持することができる。特に平ゴム８の長さ方向の両端のうち延出部裏ベルト布１１Ｂの先端部側への縫付け位置が、反対側よりも若干高い位置に縫付けられ、平ゴム８の両端の縫付け高さに高低が付されると、伸長させるウエストサイズを変化させたときの平ゴム８の撓み、浮き上がりを少なくできる。
【０１３３】
ところで、本実施の形態１のスーツ用ズボン１において、伸び止め材２２の一方の端は、平ゴム２１の一方の端と共に延出部１１の先端部にステッチ５３にて縫付けられ、その延出部１１の先端は収容部１２内に収容されるため、延出部１１の先端部のステッチ５３は、スーツ用ズボン１の表側及び裏側の意匠面側からは見えない。また、平ゴム２１の他方の端は伸び止め材２２の中間部にステッチ５４で縫付けられ、収容部１２の内側に収容されるため、そのステッチ５４もスーツ用ズボン１の表側及び裏側の意匠面側からは見えない。しかしながら、伸び止め材２２の他方の端は、収容部表ベルト布１２Ａにステッチ５５にて縫付けられるため、伸び止め材２２を収容部表ベルト布１２Ａに縫付けたときのステッチ５５は収容部表ベルト布１２Ａの表裏面を貫通しスーツ用ズボン１の表側に出ることとなる。そこで、美観を向上させるためには、ウエストベルト部１０の表側でこのステッチ５５をベルト通し５（５Ａ）で隠すのが効果的である。
【０１３４】
このようなベルト通し５は、図１、図２及び図１４等で示すように、例えば、ウエストベルト部１０の表側で、延出部１１が延出される収容部１２の開口端を覆い隠すように収容部１２の表側の開口端縁にも取付けられる。このように収容部１２の開口端縁を、上下方向に延びる帯状をなすベルト通し５によって隠すと、見栄え・美観に優れる。勿論、スーツ用ズボン１のウエストベルト部１０の正面側及び背面側にも、同様のベルト通し５が適当な間隔をとって取付けられる。
【０１３５】
特に、本実施の形態１では、延出部１１及び収容部１２の間を弾性的に接続する接続部２０が、平ゴム２１及び伸び止め材２２で形成されており、伸び止め材２２の端部の一方が平ゴム２１の端部の一方と共に、延出部１１に縫付けられ、また、伸び止め材２２の途中に平ゴム２１の端部の他方が縫付けられ、伸び止め材２２の端部の他方が、収容部表ベルト布１２Ａの内面に縫付けられている。即ち、接続部２０においては、平ゴム２１の端からウエスト方向に突出した伸び止め材２２が収容部表ベルト布１２Ａにステッチ５５にて縫付けられる。このため、収容部１２の開口端をベルト通し５で隠すと、ステッチ５５を隠すための次のベルト通し５Ａは収容部１２の開口から離れた遠い位置にもってくることができる。故に、隣り合ったベルト通し５の間隔を長くし、ベルト通しの配置数を少なくすることも可能である。
【０１３６】
ところで、本発明を実施する場合には、ベルト調節部材４１への凹側ドット釦４２Ａ，４２Ｂの取付手段や、収容部１２の外面側への凸側ドット釦４３の取付手段は特に限定されないが、例えば、凹側ドット釦４２Ａ，４２Ｂを構成する凹パーツ（バネ、ソケットと称される）及びアタマパーツ（キャップ、トップ、ボタン、ツメと称される）がテープ状の土台布４７に取付けられた市販のテープスナップを適宜の長さで切断して、それをベルト調節部材４１に縫付けることで取付けてもよい。また、凸側ドット釦４３を構成する凸パーツ（ゲンコ、タボ、スタッドとも称される）及びホソパーツ（ポスト、あし、ツメと称される）についてもそれが土台布４７に取付けられた市販のテープスナップを適宜の長さで切断して、収容部１２に縫付けることで取付けてもよい。土台布４７としてはニット生地等の伸縮性の生地や、非伸縮性の生地が使用される。
【０１３７】
例えば、図１６においては、ベルト調節部材４１を身頃４Ａ，４Ｂと共地（綿生地、ウール生地等）の比較的厚みのある生地で形成し、身頃４Ａ，４Ｂと共布からなるベルト調節部材４１に対して、凹側ドット釦４２Ａが取付けられた土台布４７と凹側ドット釦４２Ｂが取付けられた土台布４７を縫付けている。また、収容部裏ベルト布１２Ｂの外面側にも凸側ドット釦４３が取付けられた土台布４７を縫付けている。
図１６において、凹側ドット釦４２Ａが取付けられた土台布４７と凹側ドット釦４２Ｂが取付けられた土台布４７は市販のテープスナップからそれぞれ別々に所定幅で切り出されたものである。市販のテープスナップから１個分の凹側ドット釦を備えた所定長さで２枚を切り出し、凹側ドット釦４２Ａと凹側ドット釦４２Ｂが所定の間隔幅（例えば、ｙ＝１ｃｍ〜２ｃｍ）となるように、凹側ドット釦４２Ａの土台布４７と凹側ドット釦４２Ｂの土台布４７の２枚をベルト調節部材４１に縫付けている。凸側ドット釦４３が取付けられた土台布４７についても、市販のテープスナップから１個分の凸側ドット釦を備えた所定長さで切り出し収容部裏ベルト布１２Ｂの外面側に縫付けたものである。なお、図１６において、ベルト調節部材４１は、その先端側に向かって突状とし、貫通孔４５に挿入しやすくしている。このときの貫通孔４５（ボタンホール）の縦幅長さは、例えば、１．５ｃｍ〜２．５ｃｍ程度であり、土台布４７及びベルト調節部材４１の縦幅は、例えば、１．５ｃｍ〜２ｃｍ程度である。
【０１３８】
勿論、市販のテープスナップに限らず、例えば、土台布４７を非伸縮性の生地、サテンテープ、接着芯等で構成し、それに凹側ドット釦４２Ａ，４２Ｂを取付けたものを使用してもよい。
また、ベルト調節部材４１をリボンテープ、サテンテープ、接着芯等の薄い生地で形成し、それら薄い生地からなるベルト調節部材４１に対して、凹側ドット釦４２Ａ，４２Ｂが取付けられた土台布４７を縫付けても良い。特に、リボンテープ、サテンテープ等はポリエステル等の光沢のある滑り易い素材であるから、貫通孔４５からベルト調節部材４１を引き出す動作がスムースになる。
【０１３９】
また、図１７に示すように、市販のテープスナップから、凹側ドット釦４２Ａと凹側ドット釦４２Ｂの２個分の凹側ドット釦を備えた所定長さの１枚を切り出し、それをベルト調節部材４１としてもよい。即ち、ベルト調節部材４１を凹側ドット釦４２Ａと凹側ドット釦４２Ｂが取付けられた土台布４７で構成してもよい。勿論、市販のテープスナップに限らず、例えば、土台布４７を非伸縮性の生地、サテンテープ、接着芯等で構成し、それに凹側ドット釦４２Ａ，４２Ｂを取付けたものをベルト調節部材４１としてもよい。
なお、図１７においても、収容部１２の外面側にも凸側ドット釦４３が取付けられた土台布４７を縫付けている。
【０１４０】
このとき、２個分の凹側ドット釦を備えた所定長さの１枚を用いる場合には、図１７に示すように、凹側ドット釦４２Ａと凹側ドット釦４２Ｂの間を所定の間隔幅（例えば、ｙ＝１ｃｍ〜２ｃｍ）とするために、凹側ドット釦４２Ａと凹側ドット釦４２Ｂの間で土台布４７を折重ねてその重なり部分４２ａを縫合してもよい。なお、このとき、図１７に示すように、その折重ね部分４２ａに凹側ドット釦４２Ａまたは凹側ドット釦４２Ｂの何れかが位置するようにし、凹側ドット釦のアタマパーツを折重ね部分４２ａで覆うようにすると、ウエストベルト部１０の腰裏側に出されるベルト調節部材４１において、凹側ドット釦４２Ａまたは凹側ドット釦４２Ｂのアタマパーツが表出せず、肌当たりを少なくできる。なお、図１７において、ベルト調節部材４１は、その先端側を補強のために折り重ねて、捲れ等を生じ難くしている。
勿論、１個分の凹側ドット釦を備えた所定長さで２枚を切り出し、それらの２枚を接続して土台布４７からなるベルト調節部材４１を形成してもよい。
【０１４１】
更に、本発明を実施する場合には、ベルト調節部材４１に設けた凹側ドット釦４２Ａまたは凹側ドット釦４２Ｂのうち、ウエストサイズが大のときにベルト調節部材４１をウエストベルト部１０の腰裏の外面側に接合するための凹側ドット釦４２Ｂを省略し、図１８や図１９に示すように、ウエストサイズを縮小するときにベルト調節部材４１をウエストベルト部１０の腰裏の外面側に接合するための凹側ドット釦４２Ａのみとすることも可能である。
【０１４２】
上述したように、上記実施の形態１においては、ベルト調節部材４１に凹側ドット釦４２Ｂを設けて、ベルト調節部材４１の凹側ドット釦４２Ｂと収容部裏ベルト布１２Ｂの凸側ドット釦４３の係合でウエストサイズが大のときでもベルト調節部材４１をウエストベルト部１０の腰裏側に接合できるようしている。これにより、収容部裏ベルト布１２Ｂの凸側ドット釦４３に対し、凹側ドット釦４２Ａまたは凹側ドット釦４２Ｂの選択でウエストサイズの調節の切換えを行うことをスーツ用ズボン１の着用者に対して視覚的に分かり易くしている。また、ウエストサイズが大のときでも収容部裏ベルト布１２Ｂに出されたベルト調節部材４１をウエストベルト部１０の腰裏の外面に接合できると、ベルト調節部材４１が薄い生地であってもベルト調節部材４１の捲れや反り返り等が生じ難く、見栄えが維持される。
【０１４３】
しかし、本発明を実施する場合には、延出部１１が相対的に浅い深さで収容部１２に入るウエストサイズを大とする状態では、収容部裏ベルト布１２Ｂの凸側ドット釦４３に係合する凹側ドット釦４２Ｂをベルト調節部材４１に設けなくても、貫通孔４５から収容部裏ベルト布１２Ｂの外面側に出されたベルト調節部材４１がウエストの動きで動くようなことはない。即ち、収容部裏ベルト布１２Ｂの外面側に出されたベルト調節部材４１が貫通孔４５にそれ以上引き戻されるようなことはない。したがって、凹側ドット釦４２Ｂを省略し、ウエストサイズを大とする状態ではベルト調節部材４１の面をウエストベルト部１０の腰裏面側に固定しない構成としてもよい。
【０１４４】
即ち、ベルト調節部材４１は、平ゴム２１にステッチ５６にて縫付けられており、延出部１１が相対的に浅い深さで収容部１２に入るウエストサイズを大とする状態では、伸び止め材２２の一端部及び平ゴム２１の一端部を延出部１１の先端部に縫付けたときのステッチ５３と、伸び止め材２２の他端部を収容部表ベルト布１２Ａの内面側に縫付けたときのステッチ５５との間の長さは折り重なりが生じていない本来の状態とするから、ウエストベルト部１０に引張り力が掛かっても、ステッチ５６よりも延出部１１側で伸び止め材２２を弛んだ状態でステッチ５４とステッチ５３で縫付けていることでステッチ５４とステッチ５３の間で平ゴム２１が伸びるが、その伸びに伴い延出部１１が移動するだけで、ベルト調節部材４１は何ら影響を受けることなく、ベルト調節部材４１がウエストの動きで動くようなことはない。
【０１４５】
したがって、凹側ドット釦４２Ｂを省略して、ウエストサイズを縮小するときだけベルト調節部材４１をウエストベルト部１０の腰裏の外面側に接合するための凹側ドット釦４２Ａのみをベルト調節部材４１に対して設ける構成、即ち、ウエストサイズを小さくするときのみだけ、延出部１１が深い深さで収容部１２に入った状態を固定するためにベルト調節部材４１の凹側ドット釦４２Ａと収容部裏ベルト布１２Ｂの凸側ドット釦４３を係合する構成とすることもできる。このようなベルト調節部材４１に凹側ドット釦４２Ａのみを設ける構成では、縫製工程が少なくなり、縫製が簡単で低コストで済むことになる。
【０１４６】
特に、図１８に示すように、市販のテープスナップから、１個の凸側ドット釦を備えた所定長さの１枚を切り出し、それをベルト調節部材４１とすると、即ち、ベルト調節部材４１を凹側ドット釦４２Ａが取付けられた土台布４７で構成すると、ベルト調節部材４１の形成が極めて容易にできる。また、貫通孔４５への出入りの動きをスムースにできる。このときの土台布４７としてもニット生地等の伸縮性の生地や、非伸縮性の生地が使用されるが、非伸縮性の生地であると繰り返しの洗濯によっても捲れや反り返り等が生じ難くなるから、ウエストベルト部１０の腰裏面側に出されたベルト調節部材４１の見栄えがよくなる。なお、ベルト調節部材４１は、その部端側を補強のために折り重ねて、捲れ等を生じ難くしている。
勿論、市販のテープスナップに限らず、例えば、土台布４７を非伸縮性の生地、サテンテープ、接着芯等で構成し、それに凹側ドット釦４２Ａを取付けたものを使用してもよい。
【０１４７】
また、図１９に示すように、土台布４７が非伸縮性の生地であっても、土台布４７をリボンテープ、サテンテープ等の補強布４８と縫合してベルト調節部材４１を形成すると、繰り返しの洗濯によっても捲れや反り返り等がより生じ難くなり、ウエストベルト部１０の腰裏面側に出されたベルト調節部材４１の見栄え及び耐久性がより向上する。
【０１４８】
勿論、上述したように、市販のテープスナップを切り出して、凹側ドット釦４２Ａ，４２Ｂを構成する凹パーツ（バネ、ソケットと称される）とそれに対応するアタマパーツ（キャップ、トップ、ボタン、ツメと称される）が取付けられた土台布４７を、それとは別布からなるベルト調節部材４１に縫付けることに限定されず、ベルト調節部材４１を身頃４Ａ，４Ｂと共布、リボンテープ、サテンテープ、芯地等で形成し、それに凹側ドット釦４２Ａ，４２Ｂの凹パーツとアタマパーツを直接取付けてもよい。また、凸側ドット釦４３を構成する凸パーツとそれに対応するホソパーツが取付けられた土台布４７を収容部裏ベルト布１２Ｂの外面側に縫付けることに限定されず、凹側ドット釦の凸パーツとホソパーツを直接収容部裏ベルト布１２Ｂに取付けてもよい。
【０１４９】
こうして、本実施の形態１では、収容部１２及び延出部１１の間を接続する接続部２０を構成する平ゴム２１に縫付けられ、ウエストベルト部１０の裏側を形成する収容部裏ベルト布１２Ｂに設けた貫通穴４５からウエストベルト部１０の裏側の外面側に出されたベルト調節部材４１と、ベルト調節部材４１の片面に設けた凹側ドット釦４２Ａと、ウエストベルト部１０の裏側を形成する収容部裏ベルト布１２Ｂの外面側に設けた凸側ドット釦４３とによってベルト調節手段を構成している。
【０１５０】
これより、貫通穴４５からウエストベルト部１０の裏側の外面側に出されたベルト調節部材４１を長く引き出すと、ベルト調節部材４１が縫付けられた平ゴム２１が収容部１２に奥深く引き寄せられ、平ゴム２１に接続している延出部１１が収容部１２に深く挿入されることになる。即ち、ウエストベルト部１０の裏側の外面側に出されたベルト調節部材４１を貫通穴４５から長く引き出すと、平ゴム２１を介して、延出部１１がより深く（多く）収容部１２内に入れられることになる。
なお、このとき、本実施の形態１では、収容部１２及び延出部１１の間を接続する接続部２０が、平ゴム２１とそれに並設し平ゴム２１の端から突出して収容部１２の内部にステッチ５５にて縫付けた伸び止め材２２とから構成されているから、ウエストベルト部１０の裏側の外面側に出されたベルト調節部材４１を貫通穴４５から長く引き出すと、ベルト調節部材４１が縫付けられた平ゴム２１が収容部１２に奥深く引き寄せられることで、ステッチ５５ａ及びベルト調節部材４１を平ゴム２１に縫付けたときのステッチ５６の間の接続部２０が折り畳まれ、折り畳み部４８が形成される。
【０１５１】
そして、ウエストベルト部１０の裏側の外面側で貫通穴４５から長く引き出されたベルト調節部材４１は、ベルト調節部材４１の片面に設けた凹側ドット釦４２Ａと、ウエストベルト部１０の裏側を形成する収容部裏ベルト布１２Ｂの外面側に設けた凸側ドット釦４３との係合によって収容部裏ベルト布１２Ｂの外面側に固定することができる。
【０１５２】
このようにして本実施の形態１では、ベルト調節部材４１を貫通穴４５から長く引き出して、ベルト調節部材４１の片面に設けた凹側ドット釦４２Ａと、ウエストベルト部１０の裏側を形成する収容部裏ベルト布１２Ｂの外面側に設けた凸側ドット釦４３とを係合することにより、貫通穴４５から長く引き出された状態でベルト調節部材４１を収容部裏ベルト布１２Ｂの外面側に固定する。これにより、収容部１２に対する延出部１１の挿入深さが深くなるから、ウエストベルト部１０の周囲長が小さくなる。よって、着用者のウエストがサイズダウンしたときでも、それに対応することができる。特に、このようにウエストベルト部１０の周囲長を縮小させサイズダウンした状態でも、ウエストベルト部１０に引張り力が掛かると、収容部１２と延出部１１を弾性的に接続している平ゴム２１が伸び、延出部１１が収容部１２から抜きだす方向に移動して、ウエスト周りが伸びる。即ち、平ゴム２１及び平ゴム３３の弾性力により、ウエスト周りが伸縮自在である。よって、ウエストの動き、変化に追従するフィット感を得ることができる。
【０１５３】
一方、ベルト調節部材４１の片面に設けた凹側ドット釦４２Ａと、ウエストベルト部１０の裏側を形成する収容部裏ベルト布１２Ｂの外面側に設けた凸側ドット釦４３との係合が解除されていて、収容部裏ベルト布１２Ｂの外面側に出されたベルト調節部材４１が貫通穴４５にこれ以上引き戻されることのない状態では、収容部１２内の延出部１１の挿入深さが浅く、ウエストベルト部１０の周囲長が大きくなる。よって、着用者のウエストが増大したときでも、それに対応することができる。特に、このようにウエストベルト部１０の周囲長が拡大された状態でも、ウエストベルト部１０に引張り力が掛かると、収容部１２と延出部１１を弾性的に接続している平ゴム２１が伸び、延出部１１が収容部１２から抜きだす方向に移動することで、ウエスト周りが伸びる。即ち、平ゴム２１及び平ゴム３３の弾性力により、ウエスト周りが伸縮自在である。よって、ウエストの動き、変化に追従するフィット感を得ることができる。
【０１５４】
特に、本実施の形態１のスーツ用ズボン１によれば、収容部裏ベルト布１２Ｂの外面側でベルト調節部材４１の長さ調節操作、凹側ドット釦４２Ａ，４２Ｂと凸側ドット釦４３の係合または解除操作によって、ウエストベルト部１０のウエストサイズを容易に変更できる。また、ウエストサイズを調節するベルト調節手段を構成するベルト調節部材４１と、凹側ドット釦４２Ａ，４２Ｂ及び凸側ドット釦４３の係合構造とがウエストベルト部１０の腰裏側に配設されウエストベルト部１０の表側に露呈しないことで、スーツ用ズボン１の表側からはウエストサイズを調節する構造の存在が分からないようにしているから、見栄えもよく、表側のデザインの設計自由度も維持される。更に、ウエストベルト部１０の腰裏側にウエストサイズを調節する構造が存在するから、それによってタックインしたシャツを押さえてずれ上がりを防止することもできる。加えて、上記実施の形態１では、平ゴム２１の端部から突出させた伸び止め材２２の端部が、収容部表ベルト布１２Ａ側の内面（裏面）に縫付けられるものであり、平ゴム２１の面方向と並行方向への縫付けであるから、縫製に不慣れな熟練者にもその縫付けが分かりやすく、熟練の有無に関わらず、正確な縫製が容易にでき作業効率もよい。
【０１５５】
こうして、本実施の形態１のスーツ用ズボン１によれば、ウエストベルト部１０のウエストサイズを容易に、かつ、見栄え良く増減変更可能として広範囲のウエストサイズの変化に対応できるうえ、ウエストの動き、変化に追従するフィット感も得ることができる。
【０１５６】
したがって、本実施の形態１のスーツ用ズボン１によれば、着用者が運動やダイエット等によってウエストがサイズダウンした場合でも、或いは、体重の増加やリバウンド等でウエストサイズが増大した場合でも、ウエストベルト部１０のウエストサイズを変化させて、着用し続けることができ、経済的である。また、子供服の場合のようにウエストサイズが頻繁に変化する場合や、着用者のウエスト体型の大幅の変化にも対応可能であるから、女性のマタニティ用として出産前後の短期間でウエストが変化する場合でも、ウエストベルト部１０のウエストサイズを変化させて長い間着用し続けることができ、経済的なものとなる。
【０１５７】
そして、本実施の形態１のスーツ用ズボン１では、平ゴム２１に縫付けられ、収容部裏ベルト布１２Ｂに設けた貫通穴４５から収容部裏ベルト布１２Ｂの外面側に出されたベルト調節部材４１、ベルト調節部材４１に設けた凹側ドット釦４２Ａ、及び収容部裏ベルト布１２Ｂの外面側に設けた凸側ドット釦４３からなり、収容部１２に対して延出部１１が挿入される深さを可変する調節手段、並びに、収容部１２及び延出部１１を弾性的に接続している平らゴム２１によって、広範囲のウエストサイズの変化を獲得するものであり、広範囲のウエストサイズの変化を弾性材の特性のみに依存するものでもないから、耐久性や弾性材の伸縮に伴う皺、襞の発生等の見栄えの問題も生じない。したがって、耐久性を損なうことなしに見栄え良くウエストサイズを広範囲で変化させることができ、着用者の広範囲のウエストサイズの変化に対応できる。更に、着座時や飲食前後等における着用者のウエストサイズの動き、変化に対してもそれに追従する高いフィット性、快適な着用感が得られる。
【０１５８】
このように本実施の形態１のウエスト伸縮自在ボトムスとしてのスーツ用ズボン１は、ウエスト方向に延びる帯状をなすウエストベルト部１０を有するウエスト伸縮自在ボトムスとしてのスーツ用ズボン１であって、ウエストベルト部１０の表側及び裏側を形成し、身頃４Ｆ，４Ｂに縫着しない端部側が延出自在な延出部１１と、延出部１１と共にウエストベルト部１０の表側及び裏側を形成し、延出部１１の身頃４Ｆ，４Ｂに縫着しない端部側を収容した収容部１２と、収容部１２の内部で収容部１２と延出部１１の間を弾性材としての平ゴム２１によって弾性的に接続した接続部２０と、平ゴム２１に縫付けられ、ウエストベルト部１０の裏側を形成する収容部裏ベルト布１２Ｂに設けた貫通穴４５からウエストベルト部１０の裏側の外面側に出されたベルト調節部材４１、ベルト調節部材４１の片面に設けた凹側ドット釦４２Ａ、及びウエストベルト部１０の裏側を形成する収容部裏ベルト布１２Ｂの外面側に設けた凸側ドット釦４３からなり、収容部１２に対して延出部１１が挿入される深さを可変する調節手段とを具備するものである。
【０１５９】
本実施の形態１のウエスト伸縮自在ボトムスとしてのスーツ用ズボン１によれば、ウエストベルト部１０の表側及び裏側を形成する延出部１１と収容部１２の間が接続部２０の平ゴム２１によって弾性的に接続されていることで、ウエストベルト部１０においてウエスト方向に引張り力が掛かった際には、この平ゴム２１の伸びによって、収容部１２から延出部１１が延出することにより、ウエストベルト部１０は伸長する。また、引張り力が弱まると、平ゴム２１の弾性力によって、伸長したウエストベルト部１０が収縮する。よって、ウエストベルト部１０は伸縮自在である。
【０１６０】
更に、平ゴム２１に縫付けられ、ウエストベルト部１０の裏側を形成する収容部裏ベルト布１２Ｂに設けた貫通穴４５からウエストベルト部１０の裏側の外面側に出されたベルト調節部材４１と、ベルト調節部材４１の片面に設けた凹側ドット釦４２Ａと、ウエストベルト部１０の裏側を形成する収容部裏ベルト布１２Ｂの外面側に設けた凸側ドット釦４３とからなる調節手段によって、ウエストベルト部１０の表裏を構成している収容部１２及び延収部１１の関係について、収容部１２に対し延出部１１が挿入する深さを可変するから、ウエストベルト部１０のウエスト方向の長さ、即ち、ウエストサイズを変化できる。つまり、伸縮させるウエスト周りの長さを変化させることができる。
【０１６１】
このように、平ゴム２１に縫付けられ、ウエストベルト部１０の裏側を形成する収容部裏ベルト布１２Ｂに設けた貫通穴４５からウエストベルト部１０の裏側の外面側に出されたベルト調節部材４１と、ベルト調節部材４１の片面に設けた凹側ドット釦４２Ａと、ウエストベルト部１０の裏側を形成する収容部裏ベルト布１２Ｂの外面側に設けた凸側ドット釦４３とからなる調節手段によって収容部１２に対し延出部１１が挿入する深さを可変することで、ウエストサイズを変化できるうえ、収容部１２及び延出部１１の間を接続部２０の平ゴム２１によって弾性的に接続しているから、収容部１２に対する延出部１１の結合深さを相対的に浅くしてウエスト周囲長を長くした状態でも、また、収容部１２に対する延出部１１の結合深さを相対的に深くしてウエスト周囲長を小さくした状態でも、ウエスト方向に引張り力が掛かった際には、収容部１２及び延出部１１を弾性的に接続している接続部２０の平ゴム２１の伸びによって延出部１１が収容部１２から抜き出てウエスト方向に移動し、ウエスト周りが伸長する。
【０１６２】
よって、ウエストサイズを広範囲に亘って変化させることができ、着用者の広範囲のウエストサイズの変化に対しても対応可能である。また、ウエストベルト部１０のウエストサイズを大きくしたときでも小さくしたときでも、収容部１２及び延出部１１を弾性的に接続している接続部２０の平ゴム２１の伸びによってウエストサイズを連続的に変化できるからウエストの変化、動きに追従したフィット性が得られ、着用時のウエスト周りのフィット感に優れる。
こうして、広範囲のウエストサイズに変化でき、また、着用者のウエストの動き、変化に対してもそれに追従するフィット性が得られるウエスト伸縮自在ボトムスとしてのスーツ用ズボン１となる。
【０１６３】
特に、本実施の形態１のウエスト伸縮自在ボトムスとしてのスーツ用ズボン１の調節手段は、収容部１２に延出部１１が挿入される深さを可変するためのベルト調節部材４１の一端を収容部１２及び延出部１１の間を接続する接続部２０に接続し、このベルト調節部材４１に凹側ドット釦４２Ａ及び凸側ドット釦４３からなる１対の係合部材の一方である凹側ドット釦４２Ａを設け、また、ウエストベルト部１０裏側を形成する収容部裏ベルト布１２Ｂの外面側に凹側ドット釦４２Ａ及び凸側ドット釦４３からなる１対の係合部材の他方である凸側ドット釦４３を設け、更に、ウエストベルト部１０裏側の収容部裏ベルト布１２Ｂにベルト調節部材４１を通す貫通穴４５を設けてなり、貫通穴４５に通されウエストベルト部１０裏側に出されたベルト調節部材４１を貫通穴４５から長く引き出し、ウエストベルト部１０裏側に出されたベルト調節部材４１をウエストベルト部１０裏側の収容部１２の外面側に対し１対の係合部材としての凹側ドット釦４２Ａ及び凸側ドット釦４３の係合により接合することによって、収容部１２に対し延出部１１が深く挿入された状態が保持される。
【０１６４】
即ち、本実施の形態１のウエスト伸縮自在ボトムスとしてのスーツ用ズボン１によれば、収容部１２及び延出部１１の間を接続する接続部２０にベルト調節部材４１の一端を接続し、更にベルト調節部材４１をウエストベルト部１０裏側を形成する収容部裏ベルト布１２Ｂに設けた貫通穴４５から収容部１２の外面側に出し、このベルト調節部材４１を貫通穴４５から長く引き出すことによって、収容部１２に対し延出部１１を深く挿入する。そして、収容部１２に対し延出部１１を深く挿入した状態を、ウエストベルト部１０裏側の収容部１２の外面側に対しベルト調節部材４１を１対の係合部材としての凹側ドット釦４２Ａ及び凸側ドット釦４３の係合により接合することによって保持、固定される。このようにして延出部１１の収容部１２に入れる挿入深さを深くすることでウエスト周囲長を短縮、即ち、ウエストサイズを小さくできる。
【０１６５】
こうして、本実施の形態１のウエスト伸縮自在ボトムスとしてのスーツ用ズボン１によれば、ウエストベルト部１０裏側の収容部裏ベルト布１２Ｂの外面側でベルト調節部材４１の引き出し操作及び１対の係合部材としての凹側ドット釦４２Ａ及び凸側ドット釦４３による係合操作を行うものであるから、着用者にとって、ウエストサイズの変更が分かり易くて操作もしやすく、使い勝手がよい。また、ウエストベルト部１０裏側の収容部裏ベルト布１２Ｂの外面側のベルト調節部材４１と１対の係合部材としての凹側ドット釦４２Ａ及び凸側ドット釦４３は、ウエストベルト部１０表側からは見えないから、見栄え、美観を確保できる。
【０１６６】
特に、収容部１２の内部で延出部１１及び収容部１２の間を接続部２０の平ゴム２１によって弾性的に接続する構成とし、ウエストベルト部１０の表側及び裏側の意匠面側からは平ゴム２１が隠れて見た目に伸縮するのが分かり難い。また、ベルト調節部材４１と１対の係合部材としての凹側ドット釦４２Ａ及び凸側ドット釦４３もウエストベルト部１０の裏側に設けて表側からは分からなくして、ウエストサイズのサイズダウンやサイズアップの変化も分かり難くしている。よって、ウエスト周りの外観の美観に優れる。そして、収容部１２に挿入する延出部１１の深さを変化させる構造によって、サイズダウンやサイズアップしてウエストサイズを変化させるものであり、ウエストサイズの変化をゴムの弾性力のみに頼るものでないから、着用時にゴムによるツッパリを感じさせることもなく、見栄え及び耐久性を確保しつつ、広範囲のウエストサイズに変化させることができる。
【０１６７】
更に、本実施の形態１のウエスト伸縮自在ボトムスとしてのスーツ用ズボン１のウエストベルト部１０は、ベルト調節部材４１において、凹側ドット釦４２Ａ及び凸側ドット釦４３からなる１対の係合部材の一方としての凹側ドット釦４２Ａとは別に、収容部１２の外面側に設けた凹側ドット釦４２Ａ及び凸側ドット釦４３からなる１対の係合部材の他方としての凸側ドット釦４３に対応させる他の係合部材としての凹側ドット釦４２Ｂを設け、収容部１２に対して延出部１１を深く挿入しないときでも、収容部１２の外面側に設けた凹側ドット釦４２Ａ及び凸側ドット釦４３からなる１対の係合部材の他方としての凸側ドット釦４３に対し、ベルト調節部材４１の他の係合部材としての凹側ドット釦４２Ｂを係合させることによって、ベルト調節部材４１を収容部１２の外面側に接合自在である。
【０１６８】
したがって、本実施の形態１のウエスト伸縮自在ボトムスとしてのスーツ用ズボン１によれば、収容部１２に対して延出部１１を深く挿入しないとき、即ち、ウエストサイズを小さくしないときでも、ベルト調節部材４１を収容部１２の外面側に接合できるから、収容部１２の外面側に出されたベルト調節部材４１の捲れ等が防止され、見栄えを維持できる。
【０１６９】
また、本実施の形態１のウエスト伸縮自在ボトムスとしてのスーツ用ズボン１の１対の係合部材は、凹側ドット釦４２Ａ及び凸側ドット釦４３からなる１対のドット釦であるから、ウエストサイズを調節する操作が簡単であり、特に、着用しながらの係合及びその解除の操作も容易で、簡単に素早くウエストサイズを変更できる。また、ウエストベルト部１０の伸縮によっても係合が外れ難く、強固な係合が可能であり、着用しながらウエストサイズを調節できる信頼性も高い。
【０１７０】
そして、本実施の形態１のウエスト伸縮自在ボトムスとしてのスーツ用ズボン１によれば、収容部１２及び延出部１１の間を弾性的に接続し、一端側が延出部１１に縫付けられた弾性材としての平ゴム２１には、その最大伸びを制限する伸び止め材２２を並設しているから、伸び止め材２２によって平ゴム２１の伸びを制限することができるので、平ゴム２１に無理な引張り力が掛かるのを防止することができ、平ゴム２１を長持ちさせることができる。
また、伸び止め材２２は、弾性材としての平ゴム２１の最大伸びに相当する長さだけ弛ませて弾性材としての平ゴム２１の長さ方向の両端側に縫付けられ、更に、弾性材としての平ゴム２１の延出部１１側とは反対側の他端よりも突出して収容部１２の内部に縫付けられている。この伸び止め材２２は平ゴム２１の伸びを制限できれば平ゴム２１よりも厚みが薄いものを使用できる。よって、収容部１２の外面側に出されたベルト調節部材４１を貫通穴４５から長く引き出して、延出部１１に対し収容部１２に入れる挿入深さを深くするのに伴い、収容部１２と延出部１１の間の接続部２０が折重ねられるときでも、伸び止め材２２が平ゴム２１よりも厚みが薄いと、折重なりやすく、ウエストベルト部１０の嵩張り、膨らみを抑えて見栄えや着用感を維持できる。
【０１７１】
加えて、本実施の形態１のウエスト伸縮自在ボトムスとしてのスーツ用ズボン１によれば、更に、ウエストベルト部１０の収容部１２の外面側には、そこに設けられた貫通孔４５を覆って隠すための被覆地４６を縫付けたことによって、被覆地４６により貫通孔４５が隠れて見栄えがよくなる。被覆地４６に、例えば、ワッペン、布ネーム、皮ラベル等を用い、そこにパンツのブランド名、製造会社等が記載されると意匠的効果を独特なものとすることもできる。
【０１７２】
なお、上記実施の形態１においては、ベルト調節部材４１側に凹側ドット釦４２Ａ，４２Ｂを設け、収容部裏ベルト布１２Ｂの外面側に凸側ドット釦４３を設けているが、本発明を実施する場合には、ベルト調節部材４１側を凸側ドット釦とし、収容部裏ベルト布１２Ｂの外面側を凹側ドット釦としてもよい。何れにせよ、使用状態では、凸側ドット釦の凸パーツも凹側ドット釦の凹パーツも腰裏側に表出しないから、着用者の肌に直接当たることはなく、肌を圧迫することもないため、快適に着用できる。
【０１７３】
また、上記実施の形態１においては、収容部１２及び延出部１１の間を接続する接続部２０が、平ゴム２１とそれに並設し平ゴム２１の端から突出して収容部１２の内部にステッチ５５にて縫付けた伸び止め材２２とから構成されているが、本発明を実施する場合には、平ゴム２１のみで接続部２０を構成してもよいし、平ゴム２１に伸び止め材２２を並設するも、収容部１２の内部に対しては平ゴム２１を縫付けるようにしてもよい。このとき、ベルト調節部材４１に縫付けた平ゴム２１が収容部１２に奥深く引き寄せられると、平ゴム２１に折り重ね部４８が形成されることになる。
【０１７４】
更に、上記実施の形態１では、平ゴム２１の表裏面のうち、収容部表ベルト部１２Ａ側に伸び止め材２２を縫着する説明としたが、本発明を実施する場合には、収容部表ベルト部１２Ａ側とは反対面側の収容部裏ベルト布１２Ｂ側に伸び止め材２２を縫着してもよい。この場合には、平ゴム２１に対し、その収容部裏ベルト布１２Ｂ側に伸び止め材２２が縫着されると共に、更に、その平ゴム２１及び伸び止め材２２に対し、収容部裏ベルト布１２Ｂ側で、ベルト調節部材４１が縫付けられる。
【０１７５】
［実施の形態２］
次に、本発明の実施の形態２に係るウエスト伸縮自在ボトムスについて、図２０乃至図６を参照して説明する。
上記実施の形態１に係るスーツ用ズボン１では、収容部裏ベルト布１２Ｂに設けた貫通孔４５より収容部裏ベルト布１２Ｂの裏面側から表面側(外面側)にベルト調節部材４１を通すことによって、ベルト調節部材４１が収容部裏ベルト布１２Ｂの外面側に出され、ベルト調節部材４１と、凹側ドット釦４２Ａ，４２Ｂ及び凸側ドット釦４３の係合構造とによるウエストサイズ調節の操作が、収容部裏ベルト布１２Ｂの外面側、即ち、ウエストベルト部１０の裏側で行われる。
【０１７６】
これに対し、本実施の形態２に係るウエスト伸縮自在ボトムスとしてのスーツ用ズボン１は、図２０に示したように、ウエストサイズを可変する操作の構造をウエストベルト部１０の表側に配置したものである。即ち、ウエストベルト部１０の表側にベルト調節部材４１を出して、ウエストベルト部１０の表側で凹側ドット釦４２Ａ，４２Ｂと凸側ドット釦４３の係合操作を行うようにしたものである。
【０１７７】
即ち、図２２に示すように、本実施の形態２では、ベルト調節部材４１が通される貫通孔４５を収容部表ベルト布１２Ａ側に設け、そして、ベルト調節部材の凹側ドット釦４２Ａ，４２Ｂに対応する凸側ドット釦４３を、収容部表ベルト布１２Ａの外面側（意匠面側）に設ける。これにより、貫通孔４５に対し収容部表ベルト布１２Ａの内面側から表面側(外面側)にベルト調節部材４１を通し、収容部表ベルト布１２Ａの外面側に出されたベルト調節部材４１の凹側ドット釦４２Ａ，４２Ｂを収容部表ベルト布１２Ａの外面側に設けた凸側ドット釦４３に係合自在とする。
【０１７８】
こうして本実施の形態２では、ウエストサイズを調節するベルト調節手段を構成するベルト調節部材４１と、凹側ドット釦４２Ａ，４２Ｂ及び凸側ドット釦４３の係合構造とが収容部表ベルト布１２Ａの外面側に配設し、ウエストサイズ調節の操作が、収容部表ベルト布１２Ａの外面、即ち、ウエストベルト部１０の表側で行われる。
よって、本実施の形態２のスーツ用ズボン１では、着用したままで腰裏側に手を入れなくともウエストサイズ調節の操作がし易くし、また、着用した際に腰裏側にベルト調節部材４１及び凹側ドット釦４２Ａ，４２Ｂと凸側ドット釦４３の係合部材が位置しないから、係合部材の肌への当たり、圧迫も着用者の身体に一層感じ難いものとなる。また、ウエストベルト部１０の腰裏側のデザインの設計自由度が維持される一方、ウエストベルト部１０の表側では、ウエストの調節構造がアクセントとなり意匠的効果を独特なものとすることもできる。
【０１７９】
特に、図２０に示しているように、ウエストベルト部１０表側の収容部表ベルト布１２Ａに設けた貫通孔４５の位置をウエストベルト部１０表側の外面側（意匠面側）からみて分からないように隠し、見栄えを良くするため、ラベル、布ネーム、ワッペン等の布地、テープ（リボンテープ等）等からなる被覆地４６を収容部表ベルト布１２Ａの外面側で貫通孔４５を覆うように縫着してもよい。これら、ラベル、布ネーム、ワッペン等の布地、テープ等からなる被覆地４６は、ベルト調節部材４１が貫通孔４５から収容部表ベルト布１２Ａの外面側に出されるように、例えば、その上下両端側が収容部表ベルト布１２Ａの外面に縫付けられる。皮や布のラベル等の被覆地４６には、例えば、パンツのブランド名、製造会社等が記載されると、意匠的効果も独特なものとなる。
【０１８０】
ここで、本実施の形態２に係るウエストベルト部１０の接続部２０及びベルト調節手段の構造について、図２２乃至図２６を参照して、詳細に説明すると、実施の形態２においても、上記実施の形態１の同様、伸び止め材２２が所定の弛みを持って、平ゴム２１の片面側に配設し、その両端部に縫付けられている。即ち、平ゴム２１の一端部は、伸び止め材２２の一端部と共にステッチ５３にて延出部１１の先端部に縫付けられ、平ゴム２１の他端部は伸び止め材２２の途中にステッチ５４にて縫付けられている。
そして、平ゴム２１の他端部から突出した余剰分の伸び止め材２２の他端部は、上記実施の形態１では、ウエストベルト部１０の表側を形成する収容部表ベルト布１２Ａの内面に縫付けられていたのに対し、本実施の形態２では、ウエストベルト部１０の裏側を形成する収容部裏ベルト布１２Ｂの内面にステッチ５５にて縫付けられている。このとき、本実施の形態２では、平ゴム２１の表裏面に対し伸び止め材２２が収容部表ベルト布１２Ａ側の面に縫着されている。
【０１８１】
なお、収容部表ベルト布１２Ａと収容部裏ベルト布１２Ｂの両者を接ぐ態様によっては、収容部表ベルト布１２Ａの内折りする上部と共に収容部裏ベルト布１２Ｂに伸び止め材２２の他端部をステッチ５５にて縫付けることになるが、場合によっては、収容部表ベルト布１２Ａの内折りする上部の一部を切り欠いてしまって、伸び止め材２２の他端部を収容部裏ベルト布１２Ｂのみに直接縫付けるようにしてもよい。このときの伸び止め材２２を収容部裏ベルト布１２Ｂに縫付けたステッチ５５の縫い目は、図２３（ａ）に示すように、収容部裏ベルト布１２Ｂの表裏面を貫通し、収容部裏ベルト布１２Ｂの外面側に出ることになる。
【０１８２】
そして、本実施の形態２においても、上記実施の形態１のときと同様に、平ゴム２１の他端部にベルト調節部材４１が縫付けられる。このベルト調節部材４１は、伸び止め材２２と同様に、平ゴム２１の表裏面に対し収容部表ベルト布１２Ａ側の面で伸び止め材２２に重ねてステッチ５６にて縫付けられている。
更に、ベルト調節部材４１には、上記実施の形態１と同様に、凹側ドット釦４２Ａ，４２Ｂが取付けられている。なお、図２２において、２つの凹側ドット釦４２Ａ及び凹側ドット釦４２Ｂは共に、ベルト調節部材４１の表裏面のうちの平ゴム２１及び伸び止め材２２側に取付けられている。また、ベルト調節部材４１においては、上記実施の形態１と同様に、その先端側に凹側ドット釦４２Ｂを設け、凹側ドット釦４２Ｂよりも平ゴム２１寄りの所定位置に凹側ドット釦４２Ａを設けている。
【０１８３】
ここで、このベルト調節部材４１が通される貫通孔４５は、本実施の形態２では、収容部表ベルト布１２Ａ側にその表裏を貫通して設けられる。この貫通孔４５は、収容部表ベルト布１２Ａに縫付けた伸び止め材２２の縫付位置であるステッチ５５の近傍に設けられるが、ステッチ５５の位置よりも後中心ＢＣ寄り（延出部１１側から遠のく方）に設けられている。
これより、収容部１２内において収容部１２と延出部１１を弾性的に接続する平ゴム２１に取付けたベルト調節部材４１を貫通孔４５に通して、収容部１２の内側から外側、特に、本実施の形態２では、収容部表ベルト布１２Ａの内面側から外面側（意匠面側）、つまり、ウエストベルト部１０の表面側に出すことができる。
なお、図２３（ｂ）においては、ベルト調節部材４１が貫通孔４５に通される前のウエストベルト部１０の表側を示している。
【０１８４】
そして、本実施の形態２においても、ベルト調節部材４１の凹側ドット釦４２Ａ，４２Ｂに対応する凸側ドット釦４３が収容部１２に設けられるが、本実施の形態２では、貫通孔４５を設けた収容部表ベルト布１２Ａの外面側に凸側ドット釦４３が設けられる。詳しくは、この凸側ドット釦４３は、貫通孔４５の近傍に設けられるが、貫通孔４５の位置よりも後中心ＢＣ寄り（延出部１１側から遠のく方）に設けられている。
【０１８５】
よって、本実施の形態２において、図２４等で示すように、貫通孔４５に通され、収容部表ベルト布１２Ａの外面側（意匠面側）、即ち、ウエストベルト部１０の表面側に出されたベルト調節部材４１は、その所定の面側に設けた凹側ドット釦４２Ａまたは凹側ドット釦４２Ｂを収容部表ベルト布１２Ａの外面側に設けた凸側ドット釦４３に係合させることにより、収容部表ベルト布１２Ａの外面に接合することができる。
【０１８６】
こうして、本実施の形態２に係るスーツ用ズボン１の使用状態では、図２４（ａ）に示したように、収容部１２の内面側で延出部１１側とは反対側で平ゴム２１の先端部側に取付けたベルト調節部材４１を、収容部表ベルト布１２Ａの所定位置に設けた貫通孔４５に通して、図２４（ｂ）及び（ｃ）に示したように、収容部表ベルト布１２Ａの内面側から外面側に引き出した状態とする。即ち、ベルト調節部材４１を貫通孔４５に挿通し収容部表ベルト布１２Ａの表面側に出した状態とする。このとき、ベルト調節部材４１に設けた凹側ドット釦４２Ａ，４２Ｂの配設側が、収容部表ベルト布１２Ａの外面側（表面側）、即ち、凹側ドット釦４３の配設側に対向するように、ベルト調節部材４１が貫通孔４５から導き出され収容部表ベルト布１２Ａの外面側に出される。
そして、図２４（ｂ）及び（ｃ）に示したように、収容部表ベルト布１２Ａの外面側に出されたベルト調節部材４１は、特定の片面に設けた凹側ドット釦４２Ａ及び凹側ドット釦４２Ｂのうちの何れか一方を収容部表ベルト布１２Ａの外面側に設けた凸側ドット釦４３に係合させることで、収容部表ベルト布１２Ａの外面側に接合固定される。
【０１８７】
ここで、本実施の形態２でも、上記実施の形態１のときと同様、収容部１２の内面側において収容部１２と延出部１１を弾性的に接続する接続部２０の途中に対し、具体的には、図２２、図２４(ａ)等に示すように、伸び止め材２２を収容部１２に縫付けたときのステッチ５５から所定長さ離れた位置であって平ゴム２１の他端部側にステッチ５６でベルト調節部材４１を縫付けたことから、図２４（ｃ）、図２６に示したように、収容部１２に対して延出部１１が深く挿入される方向にベルト調節部材４１を引き寄せることで、即ち、貫通孔４５から収容部表ベルト布１２Ａの外面側に出されたベルト調節部材４１を長く引き出すことで、収容部１２に対し、延出部１１をより深い位置に移動させることができる。
【０１８８】
収容部１２に対して延出部１１が深く挿入される方向にベルト調節部材４１を引き寄せ、貫通孔４５から収容部表ベルト布１２Ａの外面側に出されたベルト調節部材４１を長く引き出すと、特に、図２６（ｃ）で示すように、収容部１２と延出部１１の間を接続する接続部２０の接続長さにおいて折重なり部４８が生じて、伸び止め材２２を収容部１２に縫付けたときのステッチ５５に対し延出部１１が近づき、収容部１２に対して延出部１１が深く挿入されることになる。
【０１８９】
本実施の形態２では、収容部１２と延出部１１の間の接続部２０において、一端部を延出部１１に縫付けた平ゴム２１の両端部に平ゴム２１よりも薄い厚みのリボンテープ等からなる伸び止め材２２を縫付け、その伸び止め材２２を平ゴム２１の延出部１１側とは反対側の他端部よりも突出させて収容部表ベルト布１２Ａの内面にステッチ５５にて縫付けている。更に、そのような接続部２０に対し、ベルト調節部材４１の長さ方向の一端部を、平ゴム２１の延出部１１側とは反対側の他端部にステッチ５６にて縫付けている。このため、収容部１２に対して延出部１１が深く挿入される方向にベルト調節部材４１を引き寄せると、即ち、貫通孔４５から収容部表ベルト布１２Ａの外面側に出されたベルト調節部材４１を長く引き出すと、ベルト調節部材４１を平ゴム２１に縫付けたときのステッチ５６から伸び止め材２２の他端を収容部表ベルト布１２Ａの内面に縫付けたときのステッチ５５までの間で、平ゴム２１よりも薄い厚みのリボンテープ等からなる伸び止め材２２及び平ゴム２１の折重なり部４８が生じる。
【０１９０】
そして、本実施の形態２においても、ベルト調節部材４１に凹側ドット釦４２Ｂよりも平ゴム２０寄りの所定位置に凹側ドット釦４２Ａを設けており、収容部１２に対して延出部１１が深く挿入される方向にベルト調節部材４１を引き寄せて、即ち、貫通孔４５から収容部表ベルト布１２Ａの外面側に出されたベルト調節部材４１を長く引き出して、収容部１２と延出部１１の間を接続する接続部２０において折重なり部４８が生じた状態で、図２４（ｃ）、図２６に示したように、ウエストベルト部１０のウエスト方向において、収容部表ベルト布１２Ａの外面に設けた凸側ドット釦４３の位置に、ベルト調節部材４１の凹側ドット釦４２Ａの位置が一致するようにしている。
即ち、ベルト調節部材４１に設けた凹側ドット釦４２Ａと収容部表ベルト布１２Ａの外面に設けた凸側ドット釦４３の係合（接合）によって、収容部表ベルト布１２Ａの外面にベルト調節部材４１を接合することで、ベルト調節部材４１を所定位置で固定して、折重なり部４８が生じた接続部２０の位置状態、つまりは、収容部１２に対する延出部１１の挿入深さを保持、固定できるようになっている。
このようにして、本実施の形態２においても、収容部１２に対して延出部１１が深く挿入された状態を保持、固定することにより、ウエストを小さくすることができる。
【０１９１】
一方、図２４（ｂ）、図２５に示したように、貫通孔４５から収容部表ベルト布１２Ａの外面側に出されたベルト調節部材４１が長く引き出されることなく、延出部１１を収容部１２から抜き出す方向に移動させても、ベルト調節部材４１が貫通孔４５にそれ以上引き戻されることのない状態では、収容部１２と延出部１１の間を接続する接続部２０の接続長さが折重なることなく、即ち、折重なり部４８が生じることなく本来の長さ状態にあり、収容部１２に入る延出部１１の深さは相対的に浅いものとなる。
つまり、ベルト調節部材４１が貫通孔４５にそれ以上に引き戻されることのない状態では、収容部１２に挿入された延出部１１が浅い深さで収容され、収容部１２に対して延出部１１がウエスト方向に短い長さで重なることになる。故に、ウエストサイズは相対的に大きいものとなる。
【０１９２】
このとき、本実施の形態２においても、図２４（ｂ）、図２５に示したように、ウエストベルト部１０のウエスト方向において、ベルト調節部材４１に設けた凹側ドット釦４２Ｂと収容部表ベルト布１２Ａの外面に設けた凸側ドット釦４３の両者の位置が略一致するようにしている。即ち、ベルト調節部材４１が貫通孔４５にそれ以上に引き戻されることのない状態として、収容部１２に対し延出部１１が浅く挿入されている状態でも、収容部表ベルト布１２Ａの外面に設けた凸側ドット釦４３に対し、ベルト調節部材４１に設けた凹側ドット釦４２Ｂを係合させて、収容部表ベルト布１２Ａの外面側にベルト調節部材４１を接合、固定できるようにしている。このように収容部表ベルト布１２Ａの外面側にベルト調節部材４１を接合、固定できることにより、収容部表ベルト布１２Ａの外面側に出されたベルト調節部材４１の捲れを生じさせないことから、美観を維持することができる。
【０１９３】
そして、本実施の形態２においても、ベルト調節部材４１の凹側ドット釦４２Ｂと収容部表ベルト布１２Ａの凸側ドット釦４３とが係合状態にあるときは、延出部１１が浅い深さで収容部１２に入れられるから、ウエストサイズが大きいものとなり、ベルト調節部材４１の凹側ドット釦４２Ａと収容部表ベルト布１２Ａの凸側ドット釦４３とが係合状態にあるときは、延出部１１が深く収容部１２に入れられるから、凹側ドット釦４２Ｂと凸側ドット釦４３の係合状態のときよりもウエストサイズが小さくなる。このように収容部表ベルト布１２Ａの外面側の凸側ドット釦４３に係合させるベルト調節部材４１の凹側ドット釦４２Ａまたは凹側ドット釦４２Ｂの選択によって収容部１２に延出部１１を収めるその挿入深さを変化でき、収容部１２に延出部１１を重ねる結合深さを決定することで、ウエストサイズの変化を分かり易くしている。
【０１９４】
こうして、本実施の形態２のスーツ用ズボン１でも、伸長させるウエストサイズを変化させることが可能である。
更に、本実施の形態２においても、ウエストベルト部１０の表側において収容部１２に延出部１１を重ね、収容部１２と延出部１１の間を平ゴム２１で弾性的に接続している。これにより、収容部１２に延出部１１を重ねる結合深さが浅くウエストサイズが相対的に大きいときでも、また、収容部表ベルト布１２Ａの外面側に出されたベルト調節部材４１を貫通孔４５から長く引き出してベルト調節部材４１の凹側ドット釦４２Ａと収容部表ベルト布１２Ａの凸側ドット釦４３を係合させることで収容部１２に延出部１１を重ねる結合深さを深くしてウエストサイズを小さくしたときでも、ウエストベルト部１０に対し引張り力が掛かった際には、ウエストベルト部１０の収容部１２と延出部１１の間の平ゴム２１が伸びて収容部１２から延出部１１が多く延出することで、ウエストベルト部１０が伸長する。ウエストベルト部１０に対し引張り力が解除されると、平ゴム２１の弾性力により、ウエストベルト部１０は元に戻る。即ち、ウエストサイズが大のときでも小のときでもウエスト周りは伸縮自在となっている
【０１９５】
本実施の形態２のスーツ用ズボン１でも、このように広範囲のウエストサイズに変化するも、収容部表ベルト布１２Ａの外面側に出されたベルト調節部材４１の貫通孔４５からの引き出し長さの変更によって収容部１２に挿入される延出部１１の挿入深さが変化して、ウエストサイズの切替えを行うものであり、このウエストサイズの切替えによって、ウエストベルト部１０の表側及び裏側では、収容部１２に収容される延出部１１の挿入深さが変化するのみであり、ゴムの収縮の変化を表出させるものでないから、着用する人のウエストラインの見栄えも良い。
更に、本実施の形態２でも、収容部表ベルト布１２Ａの凸側ドット釦４３に対するベルト調節部材４１の凹側ドット釦４２Ａまたは凹側ドット釦４２Ｂの係合位置の選択によってウエストサイズを変化できるから、着用者にとってウエストサイズの切替えも分かり易い。しかし、本発明を実施する場合には、上述したように、凹側ドット釦４２Ｂを省略し、ウエストサイズが大のときには、ベルト調節部材４１を収容部表ベルト布１２Ａの外面側に接合しない構成としてもよい。
【０１９６】
こうして、本実施の形態２では、収容部１２及び延出部１１の間を接続する接続部２０を構成する平ゴム２１に縫付けられ、ウエストベルト部１０の表側を形成する収容部表ベルト部１２Ａに設けた貫通穴４５からウエストベルト部１０の表側の外面側に出されたベルト調節部材４１と、ベルト調節部材４１の片面に設けた凹側ドット釦４２Ａと、ウエストベルト部１０の表側を形成する収容部表ベルト布１２Ａの外面側に設けた凸側ドット釦４３とによってベルト調節手段を構成している。これより、本実施の形態２においても、上記実施の形態１と同じ作用効果が得られる。
【０１９７】
即ち、貫通穴４５からウエストベルト部１０の表側の外面側に出されたベルト調節部材４１を長く引き出すと、ベルト調節部材４１が縫付けられた平ゴム２１が収容部１２に奥深く引き寄せられ、平ゴム２１に接続している延出部１１が収容部１２に深く挿入される。即ち、ウエストベルト部１０の表側の外面側に出されたベルト調節部材４１を貫通穴４５から長く引き出すと、平ゴム２１を介して、延出部１１がより深く（多く）収容部１２内に入れられる。
なお、このとき、本実施の形態２では、収容部１２及び延出部１１の間を接続する接続部２０が、平ゴム２１とそれに並設し平ゴム２１の端から突出して収容部表ベルト布１２Ａの内面にステッチ５５にて縫付けた伸び止め材２２とから構成されているから、ウエストベルト部１０の表側の外面側に出されたベルト調節部材４１を貫通穴４５から長く引き出すと、ベルト調節部材４１が縫付けられた平ゴム２１が収容部１２に奥深く引き寄せられることで、ステッチ５５ａ及びステッチ５６の間の接続部２０が折り畳まれ、折り畳み部４８が形成される。
【０１９８】
そして、ウエストベルト部１０の表側の外面側で貫通穴４５から長く引き出されたベルト調節部材４１は、ベルト調節部材４１の片面に設けた凹側ドット釦４２Ａと、ウエストベルト部１０の表側を形成する収容部表ベルト布１２Ａの外面側に設けた凸側ドット釦４３との係合によって収容部表ベルト布１２Ａの外面側に固定することができる。
【０１９９】
このようにして本実施の形態２においても、ベルト調節部材４１を貫通穴４５から長く引き出して、ベルト調節部材４１の片面に設けた凹側ドット釦４２Ａと、ウエストベルト部１０の表側を形成する収容部表ベルト布１２Ａの外面側に設けた凹側ドット釦４２Ａとの係合により貫通穴４５から長く引き出された状態でベルト調節部材４１を収容部表ベルト布１２Ａの外面側に固定することによって、収容部１２に対する延出部１１の挿入深さを深くしたときは、ウエストベルト部１０の周囲長が小さくなる。よって、着用者のウエストがサイズダウンしたときでも、それに対応することができる。特に、このようにウエストベルト部１０の周囲長を縮小させサイズダウンした状態でも、ウエストベルト部１０に引張り力が掛かると、収容部１２と延出部１１を弾性的に接続している平ゴム２１が伸び、延出部１１が収容部１２から抜きだす方向に移動して、ウエスト周りが伸びるから、ウエストの動き、変化に追従するフィット感を得ることができる。
【０２００】
一方、ベルト調節部材４１の片面に設けた凹側ドット釦４２Ａと、ウエストベルト部１０の表側を形成する収容部表ベルト布１２Ａの外面側に設けた凸側ドット釦４３とを係合せずに、収容部表ベルト布１２Ａの外面側のベルト調節部材４１が貫通穴４５にこれ以上引き戻されることのない状態では、収容部１２内の延出部１１の挿入深さが浅く、ウエストベルト部１０の周囲長が大きくなる。よって、着用者のウエストが増大したときでも、それに対応することができる。特に、このようにウエストベルト部１０の周囲長が拡大された状態でも、ウエストベルト部１０に引張り力が掛かると、収容部１２と延出部１１を弾性的に接続している平ゴム２１が伸び、延出部１１が収容部１２から抜きだす方向に移動するから、ウエストの動き、変化に追従するフィット感を得ることができる。
【０２０１】
加えて、本実施の形態２のスーツ用ズボン１によれば、収容部表ベルト布１２Ａの外面側でベルト調節部材４１の長さ調節操作、凹側ドット釦４２Ａ，４２Ｂと凸側ドット釦４３の係合または解除操作によって、ウエストベルト部１０のウエストサイズを容易に変更できる。また、ウエストサイズを調節するベルト調節手段を構成するベルト調節部材４１と、凹側ドット釦４２Ａ，４２Ｂ及び凸側ドット釦４３の係合構造とをウエストベルト部１０の表側に配設するから、着用しながらのウエストの締め付け強さ、即ち、ウエストサイズ変更が容易であり、より簡単に素早くウエストの締め付け強さを調節できる。
【０２０２】
こうして、本実施の形態２のスーツ用ズボン１によっても、ウエストベルト部１０のウエストサイズを容易に、かつ、見栄え良く増減変更可能として広範囲のウエストサイズの変化に対応できるうえ、ウエストの動き、変化に追従するフィット感も得ることができる。
そして、着用者が運動やダイエット等によってウエストがサイズダウンした場合でも、或いは、体重の増加やリバウンド等でウエストサイズが増大した場合でも、ウエストベルト部１０のウエストサイズを変化させて、着用し続けることができ、経済的である。また、子供服の場合のようにウエストサイズが頻繁に変化する場合や、女性のマタニティ用として出産前後の短期間でウエストが変化する場合でも、ウエストベルト部１０のウエストサイズを変化させて長い間着用し続けることができ、経済的なものとなる。
【０２０３】
なお、上記実施の形態２では、平ゴム２１の表裏面のうち、収容部表ベルト部１２Ａ側に伸び止め材２２を併設しているが、本発明を実施する場合には、収容部表ベルト部１２Ａ側とは反対側の収容部裏ベルト布１２Ｂ側に伸び止め材２２を併設してもよい。この場合には、平ゴム２１に対し、その収容部裏ベルト布１２Ｂ側に伸び止め材２２が併設し、その伸び止め材２２とは反対面側でベルト調節部材４１が縫付けられる。
【０２０４】
ところで、上記実施の形態１では、脇ポケット部２において襞状のタック（折り返し）２ｂを設けることで、ウエスト部Ｗの見栄えを維持しているが、本実施の形態２では、上記実施の形態１で説明した襞状のタック（折り返し）２ｂに代えて、図２２に示したように、脇ポケット部２を構成する袋布２ａの一部を切り欠いて分割した分割部２ｇを設けている。
【０２０５】
具体的には、脇ポケット部２を構成している袋布２ａの後布２ｒの中央側の上端部に分割部２ｇが設けられている。分割部２ｇは、後布２ｒをそ中央付近の上端部で切込みによって分割して形成したものであり、その分割部分の周囲には強度確保等のためのパイピングが施されている。なお、この分割部２ｇは、ウエスト部Ｗの表側において、ポケット口外縁２ｃの上端近傍に位置している。このとき、分割部２ｇから前中心ＦＣ寄りの袋布２ａの後布２ｒの上端部は、袋布２ａの前布２ｆの上端部と共に延出部１１の延出部表ベルト布１１Ａに縫合わされているが、分割部２ｇから脇線ＬＳ，ＲＳ寄りの後布２ｒの上端部は、その一部がウエストベルト部１０に縫付けられていない。
【０２０６】
このように本実施の形態２においては、脇ポケット部２を構成する袋布２ａの後布２ｒの上端部に切込みを入れて分割する構成とし、分割部２ｇから脇線ＬＳ，ＲＳ寄りの後布２ｒの上端の一部が、ウエストベルト部１０の何れにも縫い付けられていないことで、ウエストベルト部１０に引張り力がかかった際には、分割部２ｇが開かれ、ウエストベルト部１０の伸長を妨げることのないようにしている。
したがって、ウエストベルト部１０に引張り力がかかったときに、収容部１２から延出部１１が抜き出るが、この延出部１１の移動に伴って、分割部２ｇが開かれる（広げられる）ことになるから、脇ポケット部２を構成する袋布２ａにかかる引張り力が分割部２ｇの開きによって逃される。これより、ウエストベルト部１０の伸びを妨げることなくウエストをスムースに伸ばすことができる。また、分割部２ｇを設けたことで袋布２ａが引き攣られることがなく、引張り力が表側に響いて脇ポケット部２が歪んだり脇ポケット部２の周辺にシワが寄ったりするのが防止される。よって、脇ポケット部２が滑らかに変形すし、スーツ用ズボン１を表側から見たときの良好な見栄えを保つことができる。なお、分割部２ｇの開き幅の設定によっても、ウエストの伸びの限界を規定することが可能である。
【０２０７】
なお、本実施の形態２においては、補助弾性材として幅の細い所定長さの平ゴム７の一端部が、脇ポケット部２の袋布２ａに形成された分割部２ｇから脇線ＬＳ，ＲＳ寄りの布地（図２２において分割部２ｇの左側の布地）の上端部に対して縫付けられ、また、反対側の他端部が、延出部表ベルト布１１Ａの上側の折り返し部分に縫付けられている。
特に、補助弾性材として幅の細い所定長さの平ゴム７の一端部を、脇ポケット部２の袋布２ａに形成された分割部２ｇを構成する上側の布地の上端部にステッチ７ａで縫付ける一方で、ウエストサイズが大、かつ、平ゴム２１が非伸縮状態で、反対側の他端部をステッチ７ａの上の位置で延出部表ベルト布１１Ａの上側の折り返し部分にステッチ７ｂで縫付け、ウエストベルト部１０のウエスト方向に対して直交方向に平ゴム７を直線状に設けている。これにより、収容部１２に対し延出部１１をより深く挿入しウエスト周りを小さくしたときでも、収容部１２に対し深く挿入される方向に延出部１１が移動したときでも、平ゴム７のステッチ７ｂ側が延出部１１と共に移動するから、平ゴム７の撓み、浮き上がりが生じることもなく、また、ウエストベルト部１０及び身頃４Ｆ，４Ｂとの境界付近に皺が入り難く、スーツ用ズボン１を表裏から見たときの良好な見栄えを維持できる。
なお、本実施形態２において、その他の構成は、上記実施の形態１と同じであるから、ここでは重複する詳細な説明を省略する。
【０２０８】
以上説明してきたように、本実施の形態２のウエスト伸縮自在ボトムスとしてのスーツ用ズボン１も、ウエスト方向に延びる帯状をなすウエストベルト部１０を有するウエスト伸縮自在ボトムスとしてのスーツ用ズボン１であって、ウエストベルト部１０の表側及び裏側を形成し、身頃４Ｆ，４Ｂに縫着しない端部側が延出自在な延出部１１と、延出部１１と共にウエストベルト部１０の表側及び裏側を形成し、延出部１１の身頃４Ｆ，４Ｂに縫着しない端部側を収容した収容部１２と、ウエストベルト部１０に設けられ、収容部１２に対し延出部１１の端部側を収容した状態で収容部１２と延出部１１の間を弾性材としての平ゴム２１によって弾性的に接続した接続部２０と、平ゴム２１に縫付けられ、ウエストベルト部１０の表側を形成する収容部表ベルト部１２Ａに設けた貫通穴４５からウエストベルト部１０の表側の外面側に出されたベルト調節部材４１、ベルト調節部材４１の片面に設けた凹側ドット釦４２Ａ、及びウエストベルト部１０の表側を形成する収容部表ベルト部１２Ａの外面側に設けた凸側ドット釦４３からなり、収容部１２に対して延出部１１が挿入される深さを可変する調節手段とを具備するものである。
【０２０９】
特に、本実施の形態２のウエスト伸縮自在ボトムスとしてのスーツ用ズボン１の調節手段は、収容部１２に延出部１１が挿入される深さを可変するためのベルト調節部材４１の一端を収容部１２及び延出部１１の間を接続する接続部２０に接続し、このベルト調節部材４１に凹側ドット釦４２Ａ及び凸側ドット釦４３からなる１対の係合部材の一方である凹側ドット釦４２Ａを設け、また、ウエストベルト部１０表側を形成する収容部表ベルト布１２Ａの外面側に凹側ドット釦４２Ａ及び凸側ドット釦４３からなる１対の係合部材の他方である凸側ドット釦４３を設け、更に、ウエストベルト部１０表側の収容部表ベルト布１２Ａにベルト調節部材４１を通す貫通穴４５を設けてなり、貫通穴４５に通されウエストベルト部１０表側に出されたベルト調節部材４１を貫通穴４５から長く引き出し、ウエストベルト部１０表側に出されたベルト調節部材４１をウエストベルト部１０表側の収容部１２の外面側に対し１対の係合部材としての凹側ドット釦４２Ａ及び凸側ドット釦４３の係合により接合することによって、収容部１２に対し延出部１１が深く挿入された状態が保持される。
【０２１０】
したがって、本実施の形態２のウエスト伸縮自在ボトムスとしてのスーツ用ズボン１においても、ウエストベルト部１０の表側及び裏側を形成する延出部１１と収容部１２の間が接続部２０の平ゴム２１によって弾性的に接続されていることで、ウエストベルト部１０においてウエスト方向に引張り力が掛かった際には、この平ゴム２１の伸びによって、収容部１２から延出部１１が延出することにより、ウエストベルト部１０は伸長する。また、引張り力が弱まると、平ゴム２１の弾性力によって、伸長したウエストベルト部１０が元に収縮する。よって、ウエストベルト部１０は伸縮自在である。
【０２１１】
更に、平ゴム２１に縫付けられ、ウエストベルト部１０の表側を形成する収容部表ベルト部１２Ａに設けた貫通穴４５からウエストベルト部１０の表側の外面側に出されたベルト調節部材４１と、ベルト調節部材４１の片面に設けた凹側ドット釦４２Ａと、ウエストベルト部１０の表側を形成する収容部表ベルト部１２Ａの外面側に設けた凸側ドット釦４３とからなる調節手段によって、ウエストベルト部１０の表裏を構成している収容部１２及び延収部１１の関係について、収容部１２に対し延出部１１が挿入する深さを可変するから、ウエストベルト部１０のウエスト方向の長さ、即ち、ウエストサイズを変化できる。つまり、伸縮させるウエスト周りの長さを変化させることができる。
【０２１２】
即ち、本実施の形態２では、収容部１２及び延出部１１の間を接続する接続部２０にベルト調節部材４１の一端を接続し、更にベルト調節部材４１をウエストベルト部１０表側を形成する収容部表ベルト布１２Ａに設けた貫通穴４５から収容部１２の外面側に出し、このベルト調節部材４１を貫通穴４５から長く引き出すことによって、収容部１２に対し延出部１１を深く挿入する。そして、収容部１２に対し延出部１１を深く挿入した状態を、ウエストベルト部１０表側の収容部１２の外面側に対しベルト調節部材４１を１対の係合部材としての凹側ドット釦４２Ａ及び凸側ドット釦４３の係合により接合することによって保持、固定される。このようにして延出部１１の収容部１２に入れる挿入深さを深くすることでウエスト周囲長を短縮、即ち、ウエストサイズを小さくできる。
【０２１３】
このように、平ゴム２１に縫付けられ、ウエストベルト部１０の表側を形成する収容部表ベルト布１２Ａに設けた貫通穴４５からウエストベルト部１０の表側の外面側に出されたベルト調節部材４１と、ベルト調節部材４１の片面に設けた凹側ドット釦４２Ａと、ウエストベルト部１０の表側を形成する収容部表ベルト部１２Ａの外面側に設けた凸側ドット釦４３とからなる調節手段によって収容部１２に対し延出部１１が挿入する深さを可変することで、ウエストサイズを変化できるうえ、収容部１２及び延出部１１の間を接続部２０の平ゴム２１によって弾性的に接続しているから、収容部１２に対する延出部１１の結合深さを相対的に浅くしてウエスト周囲長を長くした状態でも、また、収容部１２に対する延出部１１の結合深さを相対的に深くしてウエスト周囲長を短くした状態でも、ウエスト方向に引張り力が掛かった際には、収容部１２及び延出部１１を弾性的に接続している接続部２０の平ゴム２１の伸びによって延出部１１が収容部１２から抜き出てウエスト方向に移動し、ウエスト周りが伸長する。
【０２１４】
よって、ウエストサイズを広範囲に亘って変化させることができ、着用者の広範囲のウエストサイズの変化に対しても対応可能である。また、ウエストベルト部１０のウエストサイズを大きくしたときでも小さくしたときでも、収容部１２及び延出部１１を弾性的に接続している接続部２０の平ゴム２１の伸びによってウエストサイズを連続的に変化できるからウエストの変化、動きに追従したフィット性が得られる。
こうして、広範囲のウエストサイズに変化でき、また、着用者のウエストの動き、変化に対してもそれに追従するフィット性が得られるウエスト伸縮自在ボトムスとしてのスーツ用ズボン１となる。
【０２１５】
こうして、本実施の形態２のウエスト伸縮自在ボトムスとしてのスーツ用ズボン１によれば、ウエストベルト部１０表側の収容部表ベルト布１２Ａの外面側でベルト調節部材４１の引き出し操作及び１対の係合部材としての凹側ドット釦４２Ａ及び凸側ドット釦４３による係合操作を行うものであるから、着用者にとって、ウエストサイズの変更が分かり易くて操作もしやすく、使い勝手がよい。また、ウエストベルト部１０表側の収容部１２の外面側に１対の係合部材としての凹側ドット釦４２Ａ及び凸側ドット釦４３が配設するから、身体を圧迫する違和感を生じさせる恐れが全くない。
【０２１６】
なお、上記実施の形態１，２においては、ウエスト伸縮自在ボトムスとしてスーツ用ズボン１の例について説明したが、ウエスト伸縮自在ボトムスとしてはこれに限られるものではなく、スラックス等のカジュアルでないボトムスでも、チノパン等の綿パンやジーンズ（Ｇパン）等のカジュアルなボトムスでも、ゴルフスラックス等のスポーツウエアでも、スカートやキュロットスカート等でも、収容部１２及び延出部１１を重ね合わせてなる重ね合わせ部１９を備えたウエストベルト部１０を有するどのような被服にも適用することができる。スーツ用ズボン１等のフォーマルなボトムスでは、ベルト布ステッチを施さない場合もあるが、ジーンズ（Ｇパン）、綿パンを始めとするカジュアルなボトムスにおいては、収容部１２及び延出部１１の上下端にベルト布ステッチを施すのが一般的である。
特に、収容部１２及び延出部１１を重ね合わせてなる重ね合わせ部１９を備えたウエストベルト部１０によって、見栄えを損なうことなく人体のウエストの動きに追従するフィット性が高まることから、ゴルフ等の運動(スポーツ)時に着用するトレーニングウエア、スポーツウエアとしても好適であり、高いフィット性により激しい動きにも追従して、高い着用感を得ることができる。
【０２１７】
また、上記実施の形態１，２では、左右の脇線ＬＳ，ＲＳの近傍の２箇所に収容部１２及び延出部１１を重ね合わせた重ね合わせ部１９を有するスーツ用パンツ１で説明したが、本発明を実施する場合には、１箇所以上であればよく、また、前身頃４Ｆ側に収容部１２を設け、後身頃４Ｂ側に延出部１１を設ける構成としてもよい。更に、上記実施の形態１，２では、延出部１１の延出自在な一端部側がウエストベルト部１０の表側の意匠面側からみて隠れるように収容部１２の内側に重ねられて収められているが、本発明を実施する場合には、収容部１２の外面側で延出部１１の延出自在な一端部側を重ねてそこを平ゴム２１によって接続する構成としても良い。
【０２１８】
更に、上記実施の形態１，２では、前身頃４Ｆと後身頃４Ｂが接続した両脇の脇線ＬＳ，ＲＳに沿って脇ポケット部２を設け、開閉のために生地の余裕がある脇ポケット部２の近傍に収容部１２及び延出部１１を重ね合わせた１９を設けていることによって、ウエスト周りが伸縮する際に、身頃４Ｆ、４Ｂに皺がよることがなく、見栄えの良いものとしている。しかし、本発明を実施する場合には、脇ポケット部２に代えてタックを設けることも可能である。即ち、脇線ＬＳ，ＲＳの上部にタックを設けることによっても、身頃４Ｆ、４Ｂに皺がよることがなく、ウエストベルト１０の長さを伸縮自在とすることも可能である。このとき、ウエストベルト部１０に引張り力がかかっていない場合には、タックは折畳まれた状態にあって脇線ＬＳ，ＲＳと一体となっており、ウエストベルト部１０に引張り力がかかってウエスト周りが伸びると、延出部１１の近傍の前身頃４Ｆも延出部１１と一体に移動して、タックが拡げられる。このタックは、例えば、両脇の脇線ＬＳ，ＲＳに沿って、両脇の脇線ＬＳ，ＲＳの上端または上端の近傍の裏側に設けることできる。
【０２１９】
加えて、上記実施の形態１，２では、スーツ用ズボン１において、ウエストベルト部１０の動きに追従して身頃４Ｆ、４Ｂに皺が生じないようするために、両脇の脇線ＬＳ，ＲＳに沿って脇ポケット部２を設けているが、「ポケット」としては、外縁が直線の脇ポケット、外縁が略Ｌ字型形状のＬポケット、その変形で外縁が略Ｓ字型形状のＳポケット等を始めとしてどのような外縁形状を有するものでも良い。外縁が略Ｌ字型形状を有するＬポケットの形状としては、例えば、角張ったＬ字形状の外縁を有するＬポケット、縦方向に長い角張ったＬ字形状の外縁を有するＬポケット等が挙げられる。
【０２２０】
このとき、ポケット口は、複数設ける構成としても良い。例えば、脇線ＬＳ，ＲＳに沿ってまたは脇線の近傍の前中心ＦＣ寄りに形成された小ポケット(例えば、ポケット口の縦幅長さが３ｃｍ以上、１５ｃｍ以下の範囲内)と、小ポケットよりも前中心ＦＣ寄りに形成され小ポケットよりも容量が大きな大ポケットとを設ける構成としてもよい。この場合には、小ポケットにタックや切込み等が入れられることになる。また、小ポケットの開口は大ポケットの開口より内側に配設しても良い。別途、脇中間ポケットを脇線の近傍に設けても良い。更に、片玉縁のポケット口を有する片玉縁のポケット、両玉縁のポケット口を有する両玉縁のポケット、フラップ付きのポケット口を有するフラップ付きポケットであってもよい。
【０２２１】
特に、Ｌポケットは、婦人用パンツのポケットとして好ましい。骨盤が大きい女性でも、着用したときにポケット口が変形し難く、また、ポケット口に皺等が生難く、見栄えを良くすることができるため、例えば、女性用スラックス等に適する。
また、両脇のポケットが左右対称でなくても良く、左右でポケットの種類が異なっていても構わない。更に、ポケットの開口部の前中心ＦＣ側が伸縮性を有すると、見栄えが向上する。
【０２２２】
上記実施の形態１，２では、ウエストベルト部１０にベルト通し５，５Ａを設けた説明としたが、勿論、ベルト通し５，５Ａを省略することも可能である。
また、上記実施の形態１，２では、前身頃４Ｆ及び後身頃４Ｂと共地とした収容部表ベルト布１２Ａ及びそれとは別生地の裏側の収容部裏ベルト布１２Ｂを上側で接いで収容部１２を構成し、前身頃４Ｆ及び後身頃４Ｂと共地とした延出部表ベルト布１１Ａ及びそれとは別生地の裏側の延出部裏ベルト布１１Ｂの両者を上側で接いで延出部１１を構成し、収容部表ベルト布１２Ａ及び収容部裏ベルト布１２Ｂからなる収容部１２に延出部表ベルト布１１Ａ及び延出部裏ベルト布１１Ｂからなる延出部１１の端部が重ねられ収められている。即ち、ウエストベルト部１０の表側では収容部表ベルト布１２Ａと延出部表ベルト布１１Ａとがウエスト周りで一体に連続せずに分離した構成であり、裏側も収容部裏ベルト布１２Ｂと延出部裏ベルト布１１Ｂとがとがウエスト周りで一体に連続せずに分離した構成である。これより、ウエストベルト部１０に引張り力が掛かった際には、ウエストベルト部１０の表側及び裏側で、収容部１２から延出部１１が延出する。特に、ウエストベルト部１０の表側及び裏側には、ゴムが存在しないから、ウエストサイズを変化させても、ウエストベルト部１０にゴムの皺、襞等が生じることもなく、見栄えに優れる。
【０２２３】
このように上記実施の形態１，２では、収容部１２及び延出部１１の表側、即ち、収容部表ベルト布１２Ａ及び延出部表ベルト布１１Ａのみを身頃４Ｂ，４Ｆと共地とし、収容部１２及び延出部１１の裏側、即ち、収容部裏ベルト布１２Ｂ及び延出部裏ベルト布１１Ｂは表側とは別の生地として、ウエストベルト部１０の上端部で表側と裏側の生地を接ぐ構成としている。しかし、本発明を実施する場合には、収容部１２及び延出部１１の表側と裏側を同一の生地で構成してもよい。このときも、ウエストベルト部１０の上端部で表側と裏側の生地を接ぐ構成としてもよいし、１枚の生地をウエストベルト部１０の上端部で折り曲げる構成としてもよい。また、収容部１２及び延出部１１の表側と裏側の両方を身頃４Ｂ，４Ｆと共地としてもよい。勿論、収容部１２側と延出部１１側で異なる生地を使用することも可能である。
【０２２４】
また、上記実施の形態１，２では、１対の係合部材として、結合力、耐久性も高く、また、布地の表面を毛羽立たせたり、布地に引っかけたりして傷付ける恐れもなく使い勝手が良いことから、ドット釦（スナップボタン）の事例で説明したが、本発明を実施する場合に、面ファスナ（マジックテープ（登録商標））等の接着布、ファスナ、フックアイテープ、ファッションミニバックル、Ｚナップ、スプリングホック、ボタンとボタンループ（ボタンホール、チイ、ループ糸）等を使用することも可能である。更に、ベルト調節部材４１及びウエストベルト部１０の外面側に設ける係合部材の個数も、複数とし、ウエストベルト部１０の外面側の係合部材に係合させるベルト調節部材４１の係合部材の選択によって、収容部１２に対する延出部１１の挿入深さを段階的に変化させてウエストサイズを段階的に変えることができるようにしてもよいし、係合部材として面ファスナ（接着布）の使用により、連続的にウエストサイズを変化させることができるようにしてもよい。
【０２２５】
更に、上記実施の形態１，２は、接続部２０に取付けたベルト調節部材４１をウエストベルト部１０の外面側に貫通孔４５から出して、１対の係合部材としての凹側ドット釦４２Ａ及び凸側ドット釦４３によってウエストベルト部１０の外面側に接合する構成としているが、本発明を実施する場合には、ウエストベルト部１０の内部で、接続部２０に取付けたベルト調節部材４１を１対の係合部材によって収容部１２の内部に接合するようにしてもよい。即ち、収容部表ベルト布１２Ａまたは収容部裏ベルト布１２Ｂの内面の所定の位置に凸側ドット釦４３を設け、収容部１２の内面で、接続部２０に取付けたベルト調節部材４１の凹側ドット釦４２Ａと係合するようにして、ベルト調節部材４１を収容部１２の内面側に接合するようにしてもよい。これより、収容部１２の下端をめくって、収容部１２の内部でウエストサイズを変化させる操作を行うことになるから、ウエストベルト部１０の表側及び裏側の美観が維持され、デザインの設計自由度も確保される。更には、収容部１２の下端をめくって、収容部１２の内部でウエストサイズを変化させる操作として、接続部２０に所定の間隔で１対の係合部材を設け、接続部２０を折重ねて１対の係合部材で係合することで接続部２０の長さを短縮させることで、収容部１２に対する延出部１１の挿入深さを変化させるようにしてもよい。
【０２２６】
上記実施の形態１，２では、収容部１２の内部において延出部１１及び収容部１２の間を接続する平ゴム２１に対し、伸び止め材２２を並設する構成を説明したが、本発明を実施する場合には、伸び止め材２２は、延出部１１を収容部１２側に伸ばして延出部１１と一体としたストッパー部分として形成し、そのストッパー部分に、平ゴム２１の最大伸びを制限する伸び止め材２２の役割を持たせることも可能である。即ち、延出部１１の先端を細くして延長し、共布で伸び止め材２２の役割をするストッパー部分を設けることによって、単独の伸び止め材２２をリボンテープ等で設ける必要がなく、縫製工程も簡略化されるため、コストがかからず安価に平ゴム２１を長持ちさせることができる。また、伸び止め材２２以外にも、伸縮するゴムの伸びの限界を綿等の繊維の織り込みによって規定することも可能である。
【０２２７】
しかし、本発明を実施する場合には、伸び止め材２２については省略することも可能である。伸び止め材２２を省略した場合には、例えば、袋布２ａのタック２ｂや分割構造（分割部２ｇ）によって、最大の伸び長さを特定することも可能である。伸び止め材２２を省略した際には、平ゴム２１の一端部が延出部１１の先端部に縫付けられると共に、他端部が収容部１２の内部、即ち、収容部表ベルト布１２Ａの内面に縫付けられ、収容部１２の内部で収容部１２と延出部１１が弾性的に接続される接続部２０を構成する。
しかし、ウエストベルト部１０内部の平ゴム２１に伸び止め材２２を並設した構成であれば、最大の伸びが伸び止め材２２で規制され、そこに張力が加わって見栄えが低下することがなく、長期の使用によっても破れが生じ難いものとなる。また、ウエストベルト部１０が伸縮する布地で形成されていても、特定の伸縮性に設定できる。
なお、平ゴム２１に対し、伸び止め材２２の両端部を縫付け、平ゴム２１が伸び止め材２２の端から突出するかたちで、一端部が延出部１１の先端部に縫付けられた平ゴム２１の他端部を収容部表ベルト布１２Ａの内面に縫付ける構成としてもよい。
【０２２８】
更に、上記実施の形態１，２では、袋布２ａやタック２ｂの形状維持、皺寄り防止、見栄えの向上のために補助弾性材としての平ゴム７を設けており、また、延出部裏ベルト布１１Ｂの形状維持、皺寄り防止、見栄え向上、収容部１２からのスムースな延出及び収容部１２への挿入のために補助弾性材としての平ゴム８を設けている。これら補助弾性材としての平ゴム７，８の弾性力は、主弾性材としての平ゴム２１の弾性力に比較すると小さく、ウエストサイズの伸縮のための主弾性材としての平ゴム２１の弾性力からすれば無視できる程度である。また、見栄えに影響する皺が入る可能性も低いことから、当然、省略することも可能である。
【０２２９】
そして、本発明を実施するに際しては、ウエスト伸縮自在ボトムスの構造、形状、材質、生地、大きさ、長さ、幅、接続関係等についても、上記実施の形態に限定されるものではない。なお、本発明の実施の形態で挙げている数値は、臨界値を示すものではなく、実施に好適な好適値を示すものであるから、上記数値を若干変更してもその実施を否定するものではない。
【符号の説明】
【０２３０】
１      スーツ用ズボン
１０    ウエストベルト部
１１    延出部
１２    収容部
２０    接続部
２１    平ゴム
２２    伸び止め材
４１    ベルト調節部材
４２Ａ，４２Ｂ  凹側ドット釦
４３    凸側ドット釦
４５    貫通孔
４６    被覆地
【図１】
2020066816.tif 000003
【図２】
2020066816.tif 000004
【図３】
2020066816.tif 000005
【図４】
2020066816.tif 000006
【図５】
2020066816.tif 000007
【図６】
2020066816.tif 000008
【図７】
2020066816.tif 000009
【図８】
2020066816.tif 000010
【図９】
2020066816.tif 000011
【図１０】
2020066816.tif 000012
【図１１】
2020066816.tif 000013
【図１２】
2020066816.tif 000014
【図１３】
2020066816.tif 000015
【図１４】
2020066816.tif 000016
【図１５】
2020066816.tif 000017
【図１６】
2020066816.tif 000018
【図１７】
2020066816.tif 000019
【図１８】
2020066816.tif 000020
【図１９】
2020066816.tif 000021
【図２０】
2020066816.tif 000022
【図２１】
2020066816.tif 000023
【図２２】
2020066816.tif 000024
【図２３】
2020066816.tif 000025
【図２４】
2020066816.tif 000026
【図２５】
2020066816.tif 000027
【図２６】
2020066816.tif 000028
【手続補正書】
【提出日】平成31年3月18日(2019.3.18)
【手続補正１】
【補正対象書類名】特許請求の範囲
【補正対象項目名】全文
【補正方法】変更
【補正の内容】
【特許請求の範囲】
【請求項１】
ウエスト方向に延びる帯状をなすウエストベルト部を有するウエスト伸縮自在ボトムスであって、
前記ウエストベルト部の表側及び裏側を形成し、身頃に縫着しない端部側が延出自在な延出部と、
前記延出部と共に前記ウエストベルト部の表側及び裏側を形成し、前記延出部の前記身頃に縫着しない前記端部側を収容した収容部と、
前記収容部の内部で、一端が前記収容部の内面に縫着され、他端が前記延出部の前記端部側に縫着され、前記収容部と前記延出部の間を弾性材によって弾性的に接続した接続部と、
前記ウエストベルト部に設けられ、前記収容部に対して前記延出部が挿入される深さを可変する調節手段と
を具備し、
前記調節手段は、前記一端が前記収容部の内面に縫着された接続部に対し前記収容部に前記延出部が挿入される深さを調節するためのベルト調節部材の一端を接続し、このベルト調節部材に１対の係合部材の一方を設け、前記ウエストベルト部裏側の前記収容部の外面側に前記１対の係合部材の他方を設け、前記ウエストベルト部裏側の前記収容部に前記ベルト調節部材を通す貫通穴を設けてなり、前記ベルト調節部材が前記貫通穴に通され前記ウエストベルト部裏側に出されており、
ウエストサイズが大のときには、前記接続部が折重なることなく前記収容部に対して前記延出部が浅い挿入状態とされ、
ウエストサイズが小のときには、前記貫通穴に通され前記ウエストベルト部裏側に出された前記ベルト調節部材を前記貫通穴から引き出すことにより、前記接続部が折重ねられて前記収容部に対して前記延出部が深く挿入され、前記ウエストベルト部裏側の前記収容部の外面側に対し前記ベルト調節部材を前記１対の係合部材の係合により接合することによって、前記収容部に対し前記延出部が深く挿入された状態が保持されることを特徴とするウエスト伸縮自在ボトムス。
【請求項２】
ウエスト方向に延びる帯状をなすウエストベルト部を有するウエスト伸縮自在ボトムスであって、
前記ウエストベルト部の表側及び裏側を形成し、身頃に縫着しない端部側が延出自在な延出部と、
前記延出部と共に前記ウエストベルト部の表側及び裏側を形成し、前記延出部の前記身頃に縫着しない前記端部側を収容した収容部と、
前記収容部の内部で、一端が前記収容部の内面に縫着され、他端が前記延出部の前記端部側に縫着され、前記収容部と前記延出部の間を弾性材によって弾性的に接続した接続部と、
前記ウエストベルト部に設けられ、前記収容部に対して前記延出部が挿入される深さを可変する調節手段と
を具備し、
前記調節手段は、前記一端が前記収容部の内面に縫着された前記接続部に対し前記収容部に前記延出部が挿入される深さを調節するためのベルト調節部材の一端を接続し、このベルト調節部材に１対の係合部材の一方を設け、前記ウエストベルト部表側の前記収容部の外面側に前記１対の係合部材の他方を設け、前記ウエストベルト部表側の前記収容部に前記ベルト調節部材を通す貫通穴を設けてなり、前記ベルト調節部材が前記貫通穴に通され前記ウエストベルト部表側に出されており、
ウエストサイズが大のときには、前記接続部が折重なることなく前記収容部に対して前記延出部が浅い挿入状態とされ、
ウエストサイズが小のときには、前記貫通穴に通され前記ウエストベルト部表側に出された前記ベルト調節部材を前記貫通穴から引き出すことにより、前記接続部が折重ねられて前記収容部に対して前記延出部が深く挿入され、前記ウエストベルト部表側の前記収容部の外面側に対し前記ベルト調節部材を前記１対の係合部材の係合により接合することによって、前記収容部に対し前記延出部が深く挿入された状態が保持されることを特徴とするウエスト伸縮自在ボトムス。
【請求項３】
前記１対の係合部材は、１対のドット釦、１対の面ファスナ、または、ボタンとループであることを特徴とする請求項１または請求項２に記載のウエスト伸縮自在ボトムス。
【請求項４】
前記ウエストベルト部は、前記ベルト調節部材において前記１対の係合部材の一方とは別に、前記収容部の外面側に設けた前記１対の係合部材の他方に対応させる他の係合部材を設け、前記収容部に対して前記延出部を深く挿入しないときでも、前記収容部の外面側に設けた前記１対の係合部材の他方に対し、前記ベルト調節部材の前記他の係合部材を係合させることによって、前記ベルト調節部材を前記収容部の外面側に接合自在としたことを特徴とする請求項１乃至請求項３の何れか１つに記載のウエスト伸縮自在ボトムス。
【請求項５】
前記収容部及び前記延出部の間を弾性的に接続し、一端側が前記延出部に縫付けられた前記弾性材には、その最大伸びを制限する伸び止め材を並設し、
前記伸び止め材は、前記弾性材の前記最大伸びに相当する長さだけ弛ませて前記弾性材の長さ方向の両端側に縫付けられ、更に、前記弾性材の前記延出部側とは反対側の他端よりも突出して前記収容部の内部に縫付けられたことを特徴とする請求項１乃至請求項４の何れか１つに記載のウエスト伸縮自在ボトムス。
【請求項６】
更に、前記ウエストベルト部の前記収容部の外面側には、そこに設けられた前記貫通穴を覆って隠すための被覆地を縫付けたことを特徴とする請求項１乃至請求項５の何れか１つに記載のウエスト伸縮自在ボトムス。
【手続補正２】
【補正対象書類名】明細書
【補正対象項目名】全文
【補正方法】変更
【補正の内容】
【発明の詳細な説明】
【技術分野】
【０００１】
本発明は、ウエストサイズを伸縮自在とした被服、すなわち、スーツ用ズボンや綿パン等のパンツ（ズボン）、スカート、キュロットスカート等（以下、「ボトムス（bottoms）」という）のウエスト伸縮自在ボトムスに関するもので、特に、広範囲のウエストサイズに変化できる伸縮自在ボトムスに関するものである。
【背景技術】
【０００２】
一般に、パンツ（ズボン）等のボトムスの既製品のウエストサイズは、例えば、紳士用であれば、７９ｃｍ、８２ｃｍ、８５ｃｍ等の３ｃｍ間隔、婦人用であれば、６９ｃｍ、７２ｃｍ、７５ｃｍ等の３ｃｍ間隔とした所定の間隔に設定されており、購入者は自己のウエストサイズに近いものを選択して購入している。ところが、既製品のウエストサイズに対し、自己のウエストサイズが合わない際には、購入した衣服のウエストサイズを縫製等により自己のウエストサイズに修正したり、ベルト等を使用して矯正したりして着用している。しかし、このような修正作業には手間及び費用を要し、また、ベルト等によって矯正する場合でも、その購入に余分な費用がかかる。そのうえ、ベルト等で矯正する場合、パンツ等のウエストベルト部に皺が生じることがあり見栄えに好ましくなく、着用した際の快適性も劣ることなる。
【０００３】
また、このような既製品のウエストサイズが固定化されたボトムスでは、たとえ、購入時に、或いは、修正により自己のウエストサイズとボトムスのウエストサイズが合致していても、例えば、起立時と着座時とを比べると、着座時の方が自己のウエストサイズが大きくなることから、そのウエストサイズの変化に対応できない。飲食前後におけるウエストサイズの変化もそれに該当する。このため、ウエストサイズが固定化されたボトムスでは、着用者のウエストの動きに追従するフィット性が得られない。
【０００４】
そこで、これを解決したものとして、本発明者の特許発明に係る特許文献１乃至特許文献３等に記載された技術が公知である。これらの技術は、ズボン等のポケットまたはタック部分でウエストベルト部の一部を重複させる機構とし、即ち、前方または後方のうちの一方のウエストベルト部（延出部）を前方または後方のうちの他方のウエストベルト部（収容部）の内側（裏側）に重ねて配置し、そして、それらの内側で弾性材により連結する。これにより、ズボン等のウエストベルト部が着用者のウエストの動きに合わせて伸縮自在となるものである。
【先行技術文献】
【特許文献】
【０００５】
【特許文献１】特許３９６４５９５号公報
【特許文献２】特許３７８９６６３号公報
【特許文献３】特許６１４０３７９号公報
【発明の概要】
【発明が解決しようとする課題】
【０００６】
このようなウエストベルト部が伸縮自在なボトムスでは、着座時や飲食前後におけるウエストサイズの変化やウエストの動きに合わせて、ウエストベルト部が伸縮するので、着用者のウエストの変化に追従するフィット性が得られる。更に、増量等によりユーザのウエストサイズが購入時よりも増大したときでも、着用時にウエストベルト部が伸長することでウエスト周りに窮屈感を与え難くなる。
【０００７】
ところが、逆に減量等により着用者のウエストサイズが購入時よりも減少した場合には、ウエスト周りにダブつきが生じ、不格好となったり、フィット感等の快適な着用感が得られ難くなったりする。特に、近年は、健康意識が高まり、高血圧、糖尿病等の生活習慣病のリスクの軽減、予防、肥満の防止や解消等の観点から、運動、ダイエット等によって減量を試みる人や運動ブームによって引き締まった体型を手に入れる人が増大傾向にある。そこで、減量や運動等によって大幅に自己のウエストサイズが減少した場合には、サイズダウンした自己のウエストサイズに合ったボトムスを新たに購入するか、即ち、買い替えるか、または、縫製等によって既製品のボトムスのウエストサイズを詰める必要がある。しかし、このような買い替えや、ウエストサイズの修正は出費を伴うものであり、更に手間も要する。特に、せっかく手間や費用をかけてサイズダウンしたボトムスを入手したとしても、場合によっては、体重やウエストサイズがリバウンドし、直ぐにサイズアウトになる可能性もある。
【０００８】
ここで、ウエストのサイズダウンを見越し広範囲のウエストサイズに対応させるため、高い伸び率を有する弾性材の選択によって、伸縮幅を持たせとしても、そのような特性の弾性材は、一般的に、繰り返しの伸縮でヘタリが生じ易く、耐久性に問題が生じる。
【０００９】
そこで、本発明は、広範囲のウエストサイズに変化でき、また、着用者のウエストサイズの動きに対してもそれに追従するフィット性が得られるウエスト伸縮自在ボトムスの提供を課題とするものである。
【課題を解決するための手段】
【００１０】
請求項１の発明のウエスト伸縮自在ボトムスは、身頃に縫着しない端部側が延出自在な延出部及び前記延出部の身頃に縫着しない端部側が挿入される収容部によってウエスト方向に延びる帯状をなしたウエストベルト部の表側及び裏側を形成し、前記収容部に対し前記延出部の前記端部側を重ねた状態で前記収容部及び前記延出部の間を接続する接続部を構成する弾性材によって前記収容部及び前記延出部の間を弾性的に接続し、前記ウエストベルト部に設けた調節手段によって、前記延出部に対して前記収容部に挿入される深さを可変するものである。
【００１１】
ここで、上記ウエストベルト部は、着用時に人体のウエスト周りに配設する部位であり、身頃に縫合わされてボトムスの履き口となる上部において、ウエスト方向に、即ち、ウエスト周囲に亘って延びる帯状に形成されたものである。
【００１２】
上記延出部は、前記ウエストベルト部のウエスト方向の長さの一部の表裏を形成する帯状をなし、その長さ方向の端部（一端部または両端部）側が身頃に縫着されずに収容部に挿入されて収容され、かつ、収容部から延出自在とされているものである。
【００１３】
上記収容部は、前記延出部を除く残りの前記ウエストベルト部のウエスト方向の長さの表裏を形成する帯状をなし、その長さ方向の端部（一端部または両端部）側に前記延出部の身頃に縫着されない端部側が挿入されて収められたものである。即ち、見栄え、美観からしても、前記延出部の端部が前記ウエストベルト部の表裏の外面側（表裏面側）から隠れるように前記延出部の端部を入れるものである。
【００１４】
前記延出部及び前記収容部の関係は、例えば、ボトムスの前中心側に収容部を配設し、後中心側に延出部を配設してもよいし、その逆の配置、つまり、前中心側を延出部、後中心側を収容部としてもよい。また、例えば、前身頃及び後身頃が縫い合わされる脇線の近傍に設けられるポケット部の上方で、前記延出部の延出自在な端部が前記ウエストベルト部の外面側から隠れるように前記収容部内に入れられ、前記ウエスト部において前記収容部に対し前記延出部の端部側が収容されて前記収容部と前記延出部が重複する。
このような延出部及び収容部によって、ウエストベルト部の表側及び裏側を形成する構成は、例えば、延出部及び収容部の表裏を一体として、ウエストベルト部の上端で折り曲げる構成とし、収容部の端部の開口側から収容部内に延出部の端部を入れるようにしてもよいし、収容部及び延出部の表側と裏側は別生地とし、ウエストベルト部の上端で両者の生地を接ぐ構成としてもよい。
【００１５】
上記接続部は、前記収容部に対し前記延出部の前記端部を重ねた状態で前記収容部と前記延出部の間をゴム等の弾性材によって弾性的に接続したものである。この接続部の構成は、弾性材の一端部が前記延出部の前記身頃に縫着しない前記端部に接続され、他端部が前記収容部の内側に直接的に接続された弾性材のみからなる構成であってもよいし、弾性材と非弾性材の組合わせで構成されてもよい。例えば、弾性材に、弾性材の最大伸びを規定する非弾性材として伸び止め材を併設し、弾性材及び伸び止め材によって接続部を構成してもよい。特に、弾性材の一端部が前記延出部の前記身頃に縫着しない前記端部に接続され、他端部が非弾性材としての伸び止め材を介して前記収容部の内側に間接的に接続された構成であってもよい。つまり、非弾性材として伸び止め材を弾性材の両端で縫い付け、更に弾性材の他端よりも突出させて、前記収容部や前記延出部に縫付けた構成でもよく、前記収容部や前記延出部に対する弾性材の接続が直接的または間接的かは問われない。勿論、弾性材と非弾性材が直列的に接続された接続部の構成であってもよい。何れにせよ、ゴム等の弾性材を用いて前記延出部及び前記収容部の間を弾性的に接続する構成であればよい。
【００１６】
上記調節手段は、前記収容部に対して前記延出部が挿入される深さ、即ち、前記収容部に対して前記延出部が重ねられ収容される前記ウエスト方向の長さを可変するものである。
例えば、前記収容部と前記延出部の間の前記接続部が、前記収容部や前記延収部に対する前記接続部の接続位置を可変自在とする構成によって、前記収容部に対して前記延出部が挿入される深さを可変することもできるし、前記収容部と前記延出部の間の前記接続部の接続長さが可変することによっても、前記収容部に対して前記延出部が挿入される深さを可変することができる。ここで、前記収容部と前記延出部の間の前記接続部の接続長さが可変とは、例えば、前記収容部に対して前記延出部が深く挿入されることに伴い、前記収容部と前記延出部の間の接続長さの一部が折重ねられることを意味する。
こうした調節手段によって前記収容部に対して前記延出部を挿入する深さを可変することで、前記ウエストベルト部の前記ウエスト方向の長さを変化させる。即ち、伸長させるウエストサイズを変化させることができる。
【００１７】
請求項１の発明のウエスト伸縮自在ボトムスの前記調節手段は、前記収容部及び前記延出部の間を接続する前記接続部に取付けられ前記収容部に前記延出部が挿入される深さを調節するためのベルト調節部材と、このベルト調節部材及び前記ウエストベルト部裏側の前記収容部の外面側に設けた前記１対の係合部材とから構成され、また、前記ウエストベルト部裏側の前記収容部に前記ベルト調節部材を通す貫通穴を有するものであり、前記貫通穴に通され前記ウエストベルト部裏側の前記収容部の外面側に出された前記ベルト調節部材を前記貫通穴から長く引き出し、前記ウエストベルト部裏側に出された前記ベルト調節部材を前記ウエストベルト部裏側の前記収容部の外面側に対し前記１対の係合部材の係合により接合することによって、前記収容部に対し前記延出部が深く挿入された状態を保持するものである。
【００１８】
ここで、上記ベルト調節部材は、その一端部が前記収容部と前記延出部の間を接続する前記接続部に取付けられた帯状のものである。
上記ベルト調節部材の前記接続部への取付けは、例えば、ベルト調節部材を前記収容部に対して前記延出部が深く挿入される方向に引っ張ると、即ち、ベルト調節部材を前記収容部の反延出部側の奥側に向かって前記ウエスト方向に引っ張ると、前記収容部と前記延出部の間の前記接続部の接続長さの一部が折重ねられ前記収容部に対して前記延出部が深く挿入される構成であればよく、前記接続部を構成する前記弾性材に取付けてもよいし、前記接続部が伸び止め材等の非弾性材を含む場合には、その伸び止め材等の非弾性材に取付けることも可能である。
【００１９】
また、このベルト調節部材には、１対の係合部材の一方（雌側または雄側）が設けられ、前記１対の係合部材の他方（雄側または雌側）は、前記ウエストベルト部の裏側（内側）を形成する前記収容部の外面側（腰裏側の意匠面側）に設けられている。
【００２０】
上記貫通穴は、前記ウエストベルト裏側を形成する前記収容部の生地の表裏を貫通し、上記ベルト調節部材を通す大きさに形成されたものである。
この貫通穴の形成により、前記収容部の内部で前記収容部と前記延出部の間を接続している前記接続部に取付けられたベルト調節部材を前記ウエストベルト部裏側を形成する前記収容部の内面側から外面側に通して、前記ウエストベルト裏側の外面側に出すことができる。
【００２１】
そして、前記貫通穴に通され前記ウエストベルト裏側の前記収容部の外面側に出された前記ベルト調節部材を前記貫通穴から長く引き出すとは、前記収容部の内側で前記収容部と前記延出部の間を接続している前記接続部に取付けたベルト調節部材を前記収容部に対して前記延出部が深く挿入される方向に引っ張ることで、前記収容部に対して前記延出部が深く挿入されるから、その深い挿入状態を形成するために、前記貫通穴に通され前記ウエストベルト裏側の前記収容部の外面側に出されている前記ベルト調節部材を所定方向に引っ張り、前記収容部の外面側に前記ベルト調節部材を多く出すことを意味する。
【００２２】
また、前記収容部の外面側に出された前記ベルト調節部材と前記ウエストベルト部裏側の前記収容部の外面側との前記１対の係合部材の係合により接合とは、前記収容部の外面側に出されたベルト調節部材を長く引き出すことで、前記収容部に対して前記延出部が深く挿入されるから、その深く挿入された状態を、前記収容部の外面側に対し前記ベルト調節部材を前記１対の係合部材の係合により接合することで保持、固定することを意味する。
なお、上記１対の係合部材としては、例えば、ドット釦（スナップ、ホック）、カギホック、面ファスナ、ボタンとボタンホール等が使用される。上記１対の係合部材は、少なくとも１組あればよく、複数個設けて、前記収容部に対して挿入する前記延出部の深さを段階的または連続的に調節自在な構成としてもよい。
【００２３】
請求項２の発明のウエスト伸縮自在ボトムスは、身頃に縫着しない端部側が延出自在な延出部及び前記延出部の身頃に縫着しない端部側が挿入される収容部によってウエスト方向に延びる帯状をなしたウエストベルト部の表側及び裏側を形成し、前記収容部に対し前記延出部の前記端部側を重ねた状態で前記収容部及び前記延出部の間を接続する接続部を構成する弾性材によって前記収容部及び前記延出部の間を弾性的に接続し、前記ウエストベルト部に設けた調節手段によって、前記延出部に対して前記収容部に挿入される深さを可変するものである。
請求項２の発明のウエスト伸縮自在ボトムスの前記調節手段は、前記収容部及び前記延出部の間を接続する前記接続部に取付けられ前記収容部に前記延出部が挿入される深さを調節するためのベルト調節部材と、このベルト調節部材及び前記ウエストベルト部表側の前記収容部の外面側に設けた前記１対の係合部材とから構成され、また、前記ウエストベルト部表側の前記収容部に前記ベルト調節部材を通す貫通穴を有するものであり、前記貫通穴に通され前記ウエストベルト部表側の前記収容部の外面側に出された前記ベルト調節部材を前記貫通穴から長く引き出し、前記ウエストベルト部表側に出された前記ベルト調節部材を前記ウエストベルト部表側の前記収容部の外面側に対し前記１対の係合部材の係合により接合することによって、前記収容部に対し前記延出部が深く挿入された状態を保持するものである。
【００２４】
ここで、上記ベルト調節部材は、その一端部が前記収容部と前記延出部の間を接続する前記接続部に取付けられた帯状のものである。
上記ベルト調節部材の前記接続部への取付けは、例えば、ベルト調節部材を前記収容部に対して前記延出部が深く挿入される方向に引っ張ると、即ち、ベルト調節部材を前記収容部の反延出部側の奥側に向かって前記ウエスト方向に引っ張ると、前記収容部と前記延出部の間の前記接続部の接続長さの一部が折重ねられ前記収容部に対して前記延出部が深く挿入される構成であればよく、前記接続部を構成する前記弾性材に取付けてもよいし、前記接続部が伸び止め材等の非弾性材を含む場合には、その伸び止め材等の非弾性材に取付けることも可能である。
【００２５】
また、このベルト調節部材には、１対の係合部材の一方（雌側または雄側）が設けられ、前記１対の係合部材の他方（雄側または雌側）は、前記ウエストベルト部表側（外側）を形成する前記収容部の外面側（意匠面側）に設けられている。
【００２６】
上記貫通穴は、前記ウエストベルト表側を形成する前記収容部の生地の表裏を貫通し、上記ベルト調節部材を通す大きさに形成されたものである。
この貫通穴の形成により、前記収容部の内部で前記収容部と前記延出部の間を接続している前記接続部に取付けられたベルト調節部材を前記ウエストベルト部表側を形成する前記収容部の内面側から外面側に通して、前記ウエストベルト表側の外面側に出すことができる。
【００２７】
そして、前記貫通穴に通され前記ウエストベルト表側の前記収容部の外面側に出された前記ベルト調節部材を前記貫通穴から長く引き出すとは、前記収容部の内側で前記収容部と前記延出部の間を接続している前記接続部に取付けたベルト調節部材を前記収容部に対して前記延出部が深く挿入される方向に引っ張ることで、前記収容部に対して前記延出部が深く挿入されるから、その深い挿入状態を形成するために、前記貫通穴に通され前記ウエストベルト表側の前記収容部の外面側に出されている前記ベルト調節部材を所定方向に引っ張り、前記収容部の外面側に前記ベルト調節部材を多く出すことを意味する。
【００２８】
また、前記収容部の外面側に出された前記ベルト調節部材と前記ウエストベルト部表側の前記収容部の外面側との前記１対の係合部材の係合により接合とは、前記収容部の外面側に出されたベルト調節部材を長く引き出すことで、前記収容部に対して前記延出部が深く挿入されるから、その深く挿入された状態を、前記収容部の外面側に対し前記ベルト調節部材を前記１対の係合部材の係合により接合することで保持、固定することを意味する。
なお、上記１対の係合部材としては、例えば、ドット釦（スナップ、ホック）、カギホック、面ファスナ、ボタンとボタンホール等が使用される。上記１対の係合部材は、少なくとも１組あればよく、複数個設けて、前記収容部に対して挿入する前記延出部の深さを段階的または連続的に調節自在な構成としてもよい。
【００２９】
請求項３の発明のウエスト伸縮自在ボトムスの前記１対の係合部材は、１対のドット釦、１対の面ファスナ、または、ボタンとループであるものである。
【００３０】
ここで、上記ドット釦は、スナップ釦、ホックと呼ばれるものも含まれ、高い接続強度での係合が確保でき、耐久性も高いものである。
上記面ファスナは、例えば、マジックテープ（登録商標）であり、１組の面ファスナの係合位置（接続位置）の選択によって、前記収容部に対して前記延出部を重ねる前記ウエスト方向の長さを連続的に調節自在とすることも可能である。
上記ボタンとループの組み合わせは、簡単に安価な係合構造（接続構造）であるから低コスト化が可能である。
【００３１】
請求項４の発明のウエスト伸縮自在ボトムスの前記ウエストベルト部は、前記ベルト調節部材において前記１対の係合部材の一方とは別に、前記収容部の外面側に設けた前記１対の係合部材の他方に対応させる他の係合部材を設け、前記収容部に対して前記延出部を深く挿入しない状態でも、前記収容部の外面側に設けた前記１対の係合部材の他方に対し、前記ベルト調節部材の前記他の係合部材を係合させることによって、前記ベルト調節部材を前記収容部の外面側に接合自在としたものである。
【００３２】
前記ベルト調節部材は、前記１対の係合部材の一方と、それとは別の係合部材との複数の係合部材を設け、それら複数の係合部材が前記収容部の外面に設けた前記１対の係合部材の他方に係合可能としているものである。ここで、上記別の係合部材とは、前記ベルト調節部材に設けた前記１対の係合部材の一方とは別に設けられたものであり、前記収容部の外面に設けた前記１対の係合部材の他方に対応してそれに係合可能なものである。
例えば、前記１対の係合部材を凸側及び凹側の組合わせからなるドット釦とし、前記ベルト調節部材に設けた前記１対の係合部材の一方が凹側のドット釦、前記収容部の外面に設けた前記１対の係合部材の他方が凸側のドット釦としたとき、前記ベルト調節部材に設ける別の係合部材としては、前記収容部の外面に設けた凸側のドット釦に対応する第２の凹側のドット釦が用いられることになる。なお、前記収容部の外面側にも第２の凸側のドット釦を設けて、前記ウエスト方向に複数個配列するようにしてもよい。
【００３３】
請求項５の発明のウエスト伸縮自在ボトムスは、前記収容部及び前記延出部の間を弾性的に接続し、一端側が前記延出部に縫付けられた前記弾性材に、その最大伸びを制限する伸び止め材を並設し、前記伸び止め材は、前記弾性材の前記最大伸びに相当する長さだけ弛ませて前記弾性材の長さ方向の両端側に縫付けられ、更に、前記弾性材の前記延出部側とは反対側の他端よりも突出して前記収容部の内部に縫付けられているものである。
【００３４】
上記伸び止め材は、リボンテープ等の非伸縮性の素材または若干の伸縮性を備える素材であってもよいが、前記弾性材の伸びを制限するストッパーとして機能するものである。リボンテープ等の単独の伸び止め材を前記弾性材に縫い付けてよいし、前記延出部の先端を細くして延長した共布で前記伸び止め材を形成し、それを前記弾性材に縫付けてもよい。
そして、上記伸び止め材が前記弾性材の端よりも突出して前記収容部の内部に縫付けられているとは、前記弾性材の端部側が前記収容部の内部に縫付けられるのではなく、前記弾性材の端部側が伸び止め材の途中に縫付けられ、伸び止め材の一端部が前記収容部の内部に縫付けられていることを意味する。即ち、前記収容部及び前記延出部の間を弾性的に接続する接続部の構成が、前記弾性材及び伸び止め材からなる。
【００３５】
請求項６の発明のウエスト伸縮自在ボトムスは、更に、前記ウエストベルト部の前記収容部の外面側には、そこに設けられた前記貫通穴を覆って隠すための被覆地を縫付けたものであり、被覆地の取付けによって前記貫通穴を覆って隠し見栄えを良くしたものである。
上記被覆地の素材は特に問われるものではないが、例えば、ワッペン、布ネーム、皮ラベル等を用いそこにパンツのブランド名、製造会社等が記載されると意匠的効果を独特なものとすることができる。
【発明の効果】
【００３６】
請求項１の発明のウエスト伸縮自在ボトムスによれば、ウエスト方向に延びる帯状をなすウエストベルト部の表側及び裏側が、延出部と収容部で形成されており、延出部の端部側が収容部に挿入されて収容され、その状態で延出部と収容部の間が接続部の弾性材によって弾性的に接続されており、収容部に収容された延出部の端部側が収容部から延出自在である。更に、前記ウエストベルト部は、収容部に対し延出部が入れられる深さを可変する調節手段を具備する。
【００３７】
したがって、ウエストベルト部の表側及び裏側を形成する延出部と収容部の間が接続部の弾性材によって弾性的に接続されていることで、ウエストベルト部においてウエスト方向に引張り力が掛かった際には、この弾性材の伸びによって、収容部から延出部が延出することにより、ウエストベルト部は伸長する。また、引張り力が弱まると、弾性材の弾性力によって、伸長したウエストベルト部が元に収縮する。よって、ウエストベルト部は伸縮自在である。
更に、調節手段によって、ウエストベルト部の表裏を構成している収容部及び延収部の関係について、収容部に対し延出部が挿入する深さを可変するから、ウエストベルト部のウエスト方向の長さ、即ち、ウエストサイズを変化できる。つまり、伸縮させるウエスト周りの長さを変化させることができる。
【００３８】
このように、調節手段によって収容部に対し延出部が挿入する深さを可変することで、ウエストサイズを変化できるうえ、収容部及び延出部の間を接続部の弾性材によって弾性的に接続しているから、収容部に対する延出部の結合深さを相対的に浅くしてウエスト周囲長を長くした状態でも、また、収容部に対する延出部の結合深さを相対的に深くしてウエスト周囲長を小さくした状態でも、ウエスト方向に引張り力が掛かった際には、収容部及び延出部を弾性的に接続している接続部の弾性材の伸びによって延出部が収容部から抜き出てウエスト方向に移動し、ウエスト周りが伸長する。
よって、ウエストサイズを広範囲に亘って変化させることができ、着用者の広範囲のウエストサイズの変化に対しても対応可能である。また、ウエストベルト部のウエストサイズを大きくしたときでも小さくしたときでも、収容部及び延出部を弾性的に接続している接続部の弾性材の伸びによってウエストサイズを連続的に変化できるからウエストの変化、動きに追従したフィット性が得られる。
こうして、広範囲のウエストサイズに変化でき、また、着用者のウエストの動き、変化に対してもそれに追従するフィット性が得られるウエスト伸縮自在ボトムスとなる。
【００３９】
請求項１の発明のウエスト伸縮自在ボトムスによれば、前記調節手段は、前記収容部及び前記延出部の間を接続する前記接続部に対し前記収容部に前記延出部が挿入される深さを調節するためのベルト調節部材の一端を接続し、このベルト調節部材に１対の係合部材の一方を設け、また、前記ウエストベルト部裏側の前記収容部の外面側に前記１対の係合部材の他方を設け、更に、前記ウエストベルト部裏側の前記収容部に前記ベルト調節部材を通す貫通穴を設けてなり、前記貫通穴に通され前記ウエストベルト部裏側の前記収容部の外面側に出された前記ベルト調節部材を前記貫通穴から長く引き出し、前記ウエストベルト部裏側に出された前記ベルト調節部材を前記ウエストベルト部裏側の前記収容部の外面側に対し前記１対の係合部材の係合により接合することによって、前記収容部に対し前記延出部が深く挿入された状態が保持される。
【００４０】
このように、前記収容部及び前記延出部の間を接続する前記接続部にベルト調節部材の一端を接続し、更にベルト調節部材を前記ウエストベルト部裏側を形成する前記収容部に設けた貫通穴から前記収容部の外面側に出し、このベルト調節部材を前記貫通穴から長く引き出すことによって、前記収容部に対し前記延出部を深く挿入する。そして、前記収容部に対し前記延出部を深く挿入した状態を、前記ウエストベルト部裏側の前記収容部の外面側に対し前記ベルト調節部材を１対の係合部材の係合により接合することによって保持、固定する。このようにして前記延出部の前記収容部に入れる挿入深さを深くすることでウエスト周囲長を短縮、即ち、ウエストサイズを小さくできる。
【００４１】
即ち、前記ウエストベルト部裏側の前記収容部に設けた貫通穴を通して前記収容部の外面側に出されたベルト調節部材を、前記貫通穴から長く引き出して、１対の係合部材の係合によって前記ウエストベルト部裏側の前記収容部の外面側に接合するのみで、前記延出部の前記収容部に入れる挿入深さが深く保持、固定され、ウエストサイズを小さくできる。
【００４２】
こうして、前記ウエストベルト部裏側の前記収容部の外面側でベルト調節部材の引き出し操作及び１対の係合部材による係合操作を行うものであるから、着用者にとって、ウエストサイズの変更が分かり易くて操作もしやすく、使い勝手がよい。また、前記ウエストベルト部裏側の前記収容部の外面側のベルト調節部材と１対の係合部材は、前記ウエストベルト部表側からは見えないから、見栄え、美観を確保できる。
【００４３】
請求項２の発明のウエスト伸縮自在ボトムスによれば、ウエスト方向に延びる帯状をなすウエストベルト部の表側及び裏側が、延出部と収容部で形成されており、延出部の端部側が収容部に挿入されて収容され、その状態で延出部と収容部の間が接続部の弾性材によって弾性的に接続されており、収容部に収容された延出部の端部側が収容部から延出自在である。更に、前記ウエストベルト部は、収容部に対し延出部が入れられる深さを可変する調節手段を具備する。
したがって、ウエストベルト部の表側及び裏側を形成する延出部と収容部の間が接続部の弾性材によって弾性的に接続されていることで、ウエストベルト部においてウエスト方向に引張り力が掛かった際には、この弾性材の伸びによって、収容部から延出部が延出することにより、ウエストベルト部は伸長する。また、引張り力が弱まると、弾性材の弾性力によって、伸長したウエストベルト部が元に収縮する。よって、ウエストベルト部は伸縮自在である。
更に、調節手段によって、ウエストベルト部の表裏を構成している収容部及び延収部の関係について、収容部に対し延出部が挿入する深さを可変するから、ウエストベルト部のウエスト方向の長さ、即ち、ウエストサイズを変化できる。つまり、伸縮させるウエスト周りの長さを変化させることができる。
このように、調節手段によって収容部に対し延出部が挿入する深さを可変することで、ウエストサイズを変化できるうえ、収容部及び延出部の間を接続部の弾性材によって弾性的に接続しているから、収容部に対する延出部の結合深さを相対的に浅くしてウエスト周囲長を長くした状態でも、また、収容部に対する延出部の結合深さを相対的に深くしてウエスト周囲長を小さくした状態でも、ウエスト方向に引張り力が掛かった際には、収容部及び延出部を弾性的に接続している接続部の弾性材の伸びによって延出部が収容部から抜き出てウエスト方向に移動し、ウエスト周りが伸長する。
よって、ウエストサイズを広範囲に亘って変化させることができ、着用者の広範囲のウエストサイズの変化に対しても対応可能である。また、ウエストベルト部のウエストサイズを大きくしたときでも小さくしたときでも、収容部及び延出部を弾性的に接続している接続部の弾性材の伸びによってウエストサイズを連続的に変化できるからウエストの変化、動きに追従したフィット性が得られる。
こうして、広範囲のウエストサイズに変化でき、また、着用者のウエストの動き、変化に対してもそれに追従するフィット性が得られるウエスト伸縮自在ボトムスとなる。
請求項２の発明のウエスト伸縮自在ボトムスによれば、前記調節手段は、前記収容部及び前記延出部の間を接続する前記接続部に対し前記収容部に前記延出部が挿入される深さを調節するためのベルト調節部材の一端を接続し、このベルト調節部材に１対の係合部材の一方を設け、また、前記ウエストベルト部表側の前記収容部の外面側に前記１対の係合部材の他方を設け、更に、前記ウエストベルト部表側の前記収容部に前記ベルト調節部材を通す貫通穴を設けてなり、前記貫通穴に通され前記ウエストベルト部表側の前記収容部の外面側に出された前記ベルト調節部材を前記貫通穴から長く引き出し、前記ウエストベルト部表側に出された前記ベルト調節部材を前記ウエストベルト部表側の前記収容部の外面側に対し前記１対の係合部材の係合により接合することによって、前記収容部に対し前記延出部が深く挿入された状態が保持される。
【００４４】
このように、前記収容部及び前記延出部の間を接続する前記接続部にベルト調節部材の一端を接続し、更にベルト調節部材を前記ウエストベルト部表側を形成する前記収容部に設けた貫通穴から前記収容部の外面側に出し、このベルト調節部材を前記貫通穴から長く引き出すことによって、前記収容部に対し前記延出部を深く挿入する。そして、前記収容部に対し前記延出部を深く挿入した状態を、前記ウエストベルト部表側の前記収容部の外面側に対し前記ベルト調節部材を１対の係合部材の係合により接合することによって保持、固定される。このようにして前記延出部の前記収容部に入れる挿入深さを深くすることでウエスト周囲長を短縮、即ち、ウエストサイズを小さくできる。
【００４５】
即ち、前記ウエストベルト部表側の前記収容部に設けた貫通穴を通して前記収容部の外面側に出されたベルト調節部材を、前記貫通穴から長く引き出して、１対の係合部材の係合によって前記ウエストベルト部表側の前記収容部の外面側に接合するのみで、前記延出部の前記収容部に入れる挿入深さが深く保持、固定され、ウエストサイズを小さくできる。
【００４６】
こうして、前記ウエストベルト部表側の前記収容部の外面側でベルト調節部材の引き出し操作及び１対の係合部材による係合操作を行うものであるから、着用者にとって、ウエストサイズの変更が分かり易くて操作もしやすく、使い勝手がよい。また、前記ウエストベルト部表側の前記収容部の外面側に前記１対の係合部材が配設するから、身体を圧迫する違和感を生じさせる恐れが全くない。
【００４７】
請求項３の発明のウエスト伸縮自在ボトムスによれば、前記係止部材は、１対のドット釦、１対の面ファスナ、または、ボタンとループであるから、請求項１または請求項２に記載の効果に加えて、ウエストサイズを調節する操作が簡単であり、特に、着用しながらの係合及びその解除の操作も容易で、簡単に素早くウエストサイズを変更できる。また、ウエストベルト部の伸縮によっても係合が外れ難く、強固な係合が可能であり、着用しながらウエストサイズを調節できる信頼性も高い。
【００４８】
請求項４の発明のウエスト伸縮自在ボトムスによれば、前記ウエストベルト部は、前記ベルト調節部材において前記１対の係合部材の一方とは別に、前記収容部の外面側に設けた前記１対の係合部材の他方に対応させる他の係合部材を設け、前記収容部に対して前記延出部を深く挿入しない状態でも、前記収容部の外面側に設けた前記１対の係合部材の他方に対し、前記ベルト調節部材の前記他の係合部材を係合させることによって、前記ベルト調節部材を前記収容部の外面側に接合自在である。
したがって、前記収容部に対して前記延出部を深く挿入しない状態、即ち、ウエストサイズを小さくしない状態でも、前記ベルト調節部材を前記収容部の外面側に接合できるから、請求項１乃至請求項３の何れか１つに記載の効果に加えて、前記収容部の外面側に出された前記ベルト調節部材の捲れ等が防止され、見栄えを維持できる。
【００４９】
請求項５の発明のウエスト伸縮自在ボトムスによれば、前記収容部及び前記延出部の間を弾性的に接続し、一端側が前記延出部に縫付けられた前記弾性材には、その最大伸びを制限する伸び止め材を並設し、前記伸び止め材は、前記弾性材の前記最大伸びに相当する長さだけ弛ませて前記弾性材の長さ方向の両端側に縫付けられ、更に、前記弾性材の前記延出部側とは反対側の他端よりも突出して前記収容部の内部に縫付けられている。
よって、伸び止め材によって前記弾性材の伸びを制限することができるので、請求項１乃至請求項４の何れか１つに記載の効果に加えて、前記弾性材に無理な引張り力が掛かるのを防止することができ、前記弾性材を長持ちさせることができる。
また、伸び止め材は前記弾性材の伸びを制限できれば前記弾性材よりも厚みが薄いものを使用できるから、前記収容部の外面側に出されたベルト調節部材を前記貫通穴から長く引き出して、前記延出部に対し前記収容部に入れる挿入深さを深くするのに伴い、前記収容部と前記延出部の間の前記接続部が折重ねられるときでも、伸び止め材が弾性材よりも厚みが薄いと、折重なりやすく、ウエストベルト部の嵩張り、膨らみを抑えて見栄えや着用感を維持できる。
【００５０】
請求項６の発明のウエスト伸縮自在ボトムスによれば、更に、前記ウエストベルト部の前記収容部の外面側には、そこに設けられた前記貫通穴を覆って隠すための被覆地を縫付けたことから、請求項１乃至請求項５の何れか１つに記載の効果に加えて、前記貫通穴が隠れて見栄えがよくなる。
【図面の簡単な説明】
【００５１】
【図１】図１は本発明の実施の形態１に係るウエスト伸縮自在ボトムスの正面図である。
【図２】図２は本発明の実施の形態１に係るウエスト伸縮自在ボトムスのウエスト付近を示す斜視図である。
【図３】図３は本発明の実施の形態１に係るウエスト伸縮自在ボトムスのウエスト周りを展開して裏側から見た展開図である。
【図４】図４は本発明の実施の形態１に係るウエスト伸縮自在ボトムスのウエストベルト部の表側と裏側の接続構成を説明するための要部分解斜視図である。
【図５】図５（ａ）は本発明の実施の形態１に係るウエスト伸縮自在ボトムスのウエストベルト部の接続部の構成を説明するためのウエストベルト部の表側の内部構造を示す部分展開図である。図５（ｂ）は本発明の実施の形態１に係るウエスト伸縮自在ボトムスのウエストベルト部の接続部の構成を説明するためのウエストベルト部の表側の内面とその近傍の構成を示す説明図である。
【図６】図６（ａ）は本発明の実施の形態１に係るウエスト伸縮自在ボトムスのウエストベルト部の調節手段を説明するためのウエストベルト部の内部構造及びその近傍の構成を示す説明図である。図６（ｂ）は本発明の実施の形態１に係るウエスト伸縮自在ボトムスのウエストベルト部の調節手段を説明するためのウエストベルト部の裏側及びその近傍の構成を示す説明図である。
【図７】図７（ａ）は本発明の実施の形態１に係るウエスト伸縮自在ボトムスのウエストベルト部の調節手段を説明するためのウエストベルト部の内部構造を示す説明図である。図７（ｂ）は本発明の実施の形態１に係るウエスト伸縮自在ボトムスのウエストベルト部の調節手段を説明するための説明図であり、調節手段を構成するベルト調節部材が貫通穴から長く引き出されることなく、収容部に対して延出部が浅く挿入されるウエストサイズが大のときのウエストベルト部裏側の説明図である。図７（ｃ）は本発明の実施の形態１に係るウエスト伸縮自在ボトムスのウエストベルト部の調節手段を説明するための説明図であり、調節手段を構成するベルト調節部材が貫通孔から長く引き出されて、収容部に対して延出部が深く挿入されるウエストサイズが小のときのウエストベルト部裏側の説明図である。
【図８】図８（ａ）は本発明の実施の形態１に係るウエスト伸縮自在ボトムスのウエストベルト部の調節手段を説明するための説明図であり、収容部に対して延出部が浅く挿入されるウエストサイズが大のときのウエストベルト部の内部構造示す説明図である。図８（ｂ）は本発明の実施の形態１に係るウエスト伸縮自在ボトムスのウエストベルト部の調節手段を説明するための説明図であり、収容部に対して延出部が深く挿入されるウエストサイズが小のときのウエストベルト部の内部構造示す説明図である。
【図９】図９（ａ）は本発明の実施の形態１に係るウエスト伸縮自在ボトムスのウエストベルト部の調節手段を説明するための説明図であり、調節手段を構成するベルト調節部材が貫通孔から長く引き出されることなく、収容部に対して延出部が浅く挿入されるウエストサイズが大のときのウエストベルト部裏側の説明図である。図９（ｂ）は本発明の実施の形態１に係るウエスト伸縮自在ボトムスのウエストベルト部の調節手段を説明するための説明図であり、調節手段を構成するベルト調節部材が貫通孔から長く引き出されて、収容部に対して延出部が深く挿入されるウエストサイズが小のときのウエストベルト部裏側の説明図である。
【図１０】図１０（ａ）は本発明の実施の形態１に係るウエスト伸縮自在ボトムスのウエストベルト部の調節手段を説明するための説明図であり、収容部に対して延出部が浅く挿入されるウエストサイズが大のときのウエストベルト部の内部構造示す説明図である。図１０（ｂ）は本発明の実施の形態１に係るウエスト伸縮自在ボトムスのウエストベルト部の調節手段を説明するための説明図であり、収容部に対して延出部が浅く挿入されるウエストサイズが大のときのウエストベルト部裏側の説明図である。図１０（ｃ）は本発明の実施の形態１に係るウエスト伸縮自在ボトムスのウエストベルト部の調節手段を説明するための説明図であり、収容部に対して延出部が浅く挿入されるウエストサイズが大のときのベルト調節部材と接続部を示す要部部分拡大図である。
【図１１】図１１（ａ）は本発明の実施の形態１に係るウエスト伸縮自在ボトムスのウエストベルト部の調節手段を説明するための説明図であり、収容部に対して延出部が深く挿入されるウエストサイズが小のときのウエストベルト部の内部構造示す説明図である。図１１（ｂ）は本発明の実施の形態１に係るウエスト伸縮自在ボトムスのウエストベルト部の調節手段を説明するための説明図であり、収容部に対して延出部が深く挿入されるウエストサイズが小のときのウエストベルト部裏側の説明図である。図１１（ｃ）は本発明の実施の形態１に係るウエスト伸縮自在ボトムスのウエストベルト部の調節手段を説明するための説明図であり、収容部に対して延出部が深く挿入されるウエストサイズが小のときのベルト調節部材と接続部を示す要部部分拡大図である。
【図１２】図１２（ａ）は本発明の実施の形態１に係るウエスト伸縮自在ボトムスのウエストベルト部の調節手段を説明するためのウエストベルト部裏側を示す説明図である。図１２（ｂ）は本発明の実施の形態１に係るウエスト伸縮自在ボトムスのウエストベルト部の調節手段を説明するための説明図であり、収容部に対して延出部が浅く挿入されるウエストサイズが大のときのベルト調節部材と接続部を示す要部部分拡大図である。図１２（ｃ）は本発明の実施の形態１に係るウエスト伸縮自在ボトムスのウエストベルト部の調節手段を説明するための説明図であり、収容部に対して延出部が深く挿入されるウエストサイズが小のときのベルト調節部材と接続部を示す要部部分拡大図である。
【図１３】図１３（ａ）は本発明の実施の形態１に係るウエスト伸縮自在ボトムスのウエストベルト部の調節手段を説明するためのウエストベルト部裏側を示す説明図である。図１３（ｂ）は本発明の実施の形態１に係るウエスト伸縮自在ボトムスのウエストベルト部の調節手段を説明するための説明図で、ベルト調節部材に設けた係合部材の間隔を図１２（ｂ）のときよりも広くした事例であり、収容部に対して延出部が浅く挿入されるウエストサイズが大のときのベルト調節部材と接続部を示す要部部分拡大図である。図１２（ｃ）は本発明の実施の形態１に係るウエスト伸縮自在ボトムスのウエストベルト部の調節手段を説明するための説明図で、ベルト調節部材に設けた係合部材の間隔を図１２（ｃ）のときよりも広くした事例であり、収容部に対して延出部が深く挿入されるウエストサイズが小のときのベルト調節部材と接続部を示す要部部分拡大図である。
【図１４】図１４（ａ）は本発明の実施の形態１に係るウエスト伸縮自在ボトムスのウエストベルト部において収容部に対して延出部が浅く挿入されるウエストサイズが大のときの、収容部及び延出部が重ねられる近傍を拡大してウエストベルト部表側から見た部分拡大図、図１４（ｂ）は本発明の実施の形態１に係るウエスト伸縮自在ボトムスのウエストベルト部において収容部に対して延出部が深く挿入されるウエストサイズが小のときの、収容部及び延出部が重ねられる近傍を拡大してウエストベルト部表側から見た部分拡大図である。
【図１５】図１５（ａ）は本発明の実施の形態１に係るウエスト伸縮自在ボトムスのウエストベルト部において、後身頃と前身頃が接続する脇線のウエストベルト部に対する位置が図１４（ａ）とは相違する事例であり、収容部に対して延出部が浅く挿入されるウエストサイズが大のときの、収容部及び延出部が重ねられる近傍を拡大してウエストベルト部表側から見た部分拡大図、図１５（ｂ）は本発明の実施の形態１に係るウエスト伸縮自在ボトムスのウエストベルト部において、後身頃と前身頃が接続する脇線のウエストベルト部に対する位置が図１４（ｂ）とは相違する事例であり、収容部に対して延出部が深く挿入されるウエストサイズが小のときの、収容部及び延出部が重ねられる近傍を拡大してウエストベルト部表側から見た部分拡大図である。
【図１６】図１６（ａ）は本発明の実施の形態１に係るウエスト伸縮自在ボトムスのウエストベルト部の調節手段を説明するためのウエストベルト部裏側を示す説明図である。図１６（ｂ）は本発明の実施の形態１に係るウエスト伸縮自在ボトムスのウエストベルト部のベルト調節部材の構成の一例を示す説明図である。
【図１７】図１７（ａ）は本発明の実施の形態１に係るウエスト伸縮自在ボトムスのウエストベルト部の調節手段を説明するためのウエストベルト部裏側を示す説明図である。図１７（ｂ）は本発明の実施の形態１に係るウエスト伸縮自在ボトムスのウエストベルト部のベルト調節部材の構成の他の一例を示す説明図である。
【図１８】図１８（ａ）は本発明の実施の形態１に係るウエスト伸縮自在ボトムスのウエストベルト部の調節手段を説明するためのウエストベルト部裏側を示す説明図である。図１８（ｂ）は本発明の実施の形態１に係るウエスト伸縮自在ボトムスのウエストベルト部のベルト調節部材の構成の更に他の一例を示す説明図である。
【図１９】図１９（ａ）は本発明の実施の形態１に係るウエスト伸縮自在ボトムスのウエストベルト部の調節手段を説明するためのウエストベルト部裏側を示す説明図である。図１９（ｂ）は本発明の実施の形態１に係るウエスト伸縮自在ボトムスのウエストベルト部のベルト調節部材の構成の更にまた他の一例を示す説明図である。
【図２０】図２０は本発明の実施の形態２に係るウエスト伸縮自在ボトムスのウエスト周りを展開して表側から見た展開図である。
【図２１】図２１は本発明の実施の形態２に係るウエスト伸縮自在ボトムスのウエスト周りを展開して裏側から見た展開図である。
【図２２】図２２は本発明の実施の形態２に係るウエスト伸縮自在ボトムスのウエストベルト部の調節手段を説明するためのウエストベルト部の内部構造及びその近傍の構造を示す説明図である。
【図２３】図２３（ａ）は本発明の実施の形態２に係るウエスト伸縮自在ボトムスのウエストベルト部を説明するための説明図であり、ウエストベルト部裏側から見た部分拡大図である。図２３（ｂ）は本発明の実施の形態２に係るウエスト伸縮自在ボトムスのウエストベルト部の貫通孔と係合部材を説明するための説明図であり、ウエストベルト部表側から見た要部の部分拡大図である。
【図２４】図２４（ａ）は本発明の実施の形態２に係るウエスト伸縮自在ボトムスのウエストベルト部の調節手段を説明するためのウエストベルト部の内部構造を示す説明図である。図２４（ｂ）は本発明の実施の形態２に係るウエスト伸縮自在ボトムスのウエストベルト部の調節手段を説明するための説明図であり、調節手段を構成するベルト調節部材が貫通孔から長く引き出されることなく、収容部に対して延出部が浅く挿入されるウエストサイズが大のときのウエストベルト部表側の説明図である。図２４（ｃ）は本発明の実施の形態２に係るウエスト伸縮自在ボトムスのウエストベルト部の調節手段を説明するための説明図であり、調節手段を構成するベルト調節部材が貫通孔から長く引き出されて、収容部に対して延出部が深く挿入されるウエストサイズが小のときのウエストベルト部表側の説明図である。
【図２５】図２５（ａ）は本発明の実施の形態２に係るウエスト伸縮自在ボトムスのウエストベルト部の調節手段を説明するための説明図であり、収容部に対して延出部が浅く挿入されるウエストサイズが大のときのウエストベルト部の内部構造示す説明図である。図２５（ｂ）は本発明の実施の形態２に係るウエスト伸縮自在ボトムスのウエストベルト部の調節手段を説明するための説明図であり、収容部に対して延出部が浅く挿入されるウエストサイズが大のときのウエストベルト部表側の説明図である。図２５（ｃ）は本発明の実施の形態２に係るウエスト伸縮自在ボトムスのウエストベルト部の調節手段を説明するための説明図であり、収容部に対して延出部が浅く挿入されるウエストサイズが大のときのベルト調節部材と接続部を示す要部部分拡大図である。
【図２６】図２６（ａ）は本発明の実施の形態２に係るウエスト伸縮自在ボトムスのウエストベルト部の調節手段を説明するための説明図であり、収容部に対して延出部が深く挿入されるウエストサイズが小のときのウエストベルト部の内部構造示す説明図である。図２６（ｂ）は本発明の実施の形態２に係るウエスト伸縮自在ボトムスのウエストベルト部の調節手段を説明するための説明図であり、収容部に対して延出部が深く挿入されるウエストサイズが小のときのウエストベルト部裏側の説明図である。図２６（ｃ）は本発明の実施の形態２に係るウエスト伸縮自在ボトムスのウエストベルト部の調節手段を説明するための説明図であり、収容部に対して延出部が深く挿入されるウエストサイズが小のときのベルト調節部材と接続部を示す要部部分拡大図である。
【発明を実施するための形態】
【００５２】
以下、本発明の実施の形態について、図面を参照しながら説明する。
なお、各実施の形態において、同一の記号及び同一の符号は同一または相当する機能部分を意味し、各実施の形態相互の同一の記号及び同一の符号は、それら実施の形態に共通する機能部分であるから、ここでは重複する詳細な説明を省略する。
【００５３】
［実施の形態１］
まず、本発明の実施の形態１に係るウエスト伸縮自在ボトムスにおけるウエスト付近の概略構成について、図１乃至図３を参照して説明する。
【００５４】
図１乃至図３に示されるように、本実施の形態１に係るウエスト伸縮自在ボトムスとしてのスーツ用ズボン１は、着用時に人体のウエスト付近に位置するウエスト部Ｗにおいて、着用時に人体のウエスト周りに位置し人体のウエスト方向の全長に沿って延びる帯状のウエストベルト部１０を有している。ウエスト部Ｗにおいては、ウエストベルト部１０の下部に左右の前身頃４Ｆ及び左右の後身頃４Ｂが接続されており、前身頃４Ｆ及び後身頃４Ｂが縫合わされている左脇線ＬＳの近傍の前身頃４Ｆ側及び右脇線ＲＳの近傍の前身頃４Ｆ側の左右で一対の脇ポケット部２を有している。
【００５５】
この脇ポケット部２については、ウエストベルト部１０を構成する収容部１２と延出部１１が重なり合う重ね合わせ部１９付近の下方に形成されており、本実施の形態１では、図２及び図３等に示されるように、脇ポケット部２を構成する袋布２ａが、主に、前身頃４Ｆの裏面側（身体側）で縫付けられており、この袋布２ａに、襞状のタック（折り返し）２ｂが設けられている。
【００５６】
詳しくは、袋布２ａは、身体側の後布２ｒと、反身体側の前布２ｆとによって袋状に形成されており、前身頃４Ｆ側に縫付けられている。後布２ｒの一方の端部と前布２ｆの一方の端部は前中心ＦＣ側で縫合わされている。前布２ｆの他端部は、前中心ＦＣ側から脇線ＬＳ，ＲＳに向かって傾斜しているポケット口外縁２ｃで前身頃Ｆに縫付けられている。後布２ｒの他端部は、脇線ＬＳ，ＲＳで身頃４Ｆ，４Ｂに縫付けられている。これら後布２ｒと前布２ｆとの間にポケット口を有する。このポケット口は、ウエストベルト部１０の表側（反身体側）において、収容部１２と延出部１１が重なり合う重ね合わせ部１９付近の下方に形成され、そのポケット口外縁２ｃは前中心ＦＣ側から脇線Ｓに向かって傾斜している。
【００５７】
ここで、このようにして脇ポケット部２を構成している袋布２ａの後布２ｒの中央側にタック（折り返し）２ｂが設けられている。
このタック２ｂは、所定幅で折重ねた折り目を形成したものであり、袋布２ａの中央側でその上下方向において所定長さ形成されている。このときタック２ｂから前中心ＦＣ寄りの袋布２ａの後布２ｒの上端部は、袋布２ａの前布２ｆの上端部と共に延出部１１の延出部表ベルト布１１Ａに縫合わされているが、タック２ｂから脇線ＬＳ，ＲＳ寄りの後布２ｒの上端部は、その一部がウエストベルト部１０に縫付けられていない。これにより、ウエストベルト部１０に引張り力がかかった際には、タック２ｂの折畳みが展開されるようになっている。即ち、タック２ｂの折り目の形成により、ウエストベルト部１０に引張り力がかかっていない状態ではタック２ｂが折畳まれた状態にあり、ウエストベルト部１０に引張り力がかかった際にはタック２ｂの折畳みが展開される構成となっており、タック２ｂの折畳みの展開によってウエストベルト部１０の伸長を妨げることのないようにしている。
【００５８】
そして、このような脇線ＬＳ，ＲＳ近傍の各脇ポケット部２の上方には、ウエストベルト部１０を構成している収容部１２及び延出部１１の重なりによる重ね合わせ部１９が形成され、収容部１２の端部に延出部１１の端部が挿入され収容されている。
【００５９】
即ち、ウエスト方向に延びる帯状のウエストベルト部１０は、ウエスト長を収容部１２と延出部１１に分割し、端部を除いて前身頃４Ｆに縫合わされる延出部１１と後身頃４Ｂに縫合わされる収容部１２とを脇線ＬＳ，ＲＳ近傍の各脇ポケット部２の上部で重ね合わせて重ね合わせ部１９を形成している。
このとき、本実施の形態１では、延出部１１の前身頃４Ｆに縫着されていない端部がウエストベルト部１０の表裏の意匠面側から隠れるように収容部１２内に入れられて収容されており、収容部１２及び延出部１１によってウエストベルト部１０の表側及び裏側を形成している。
そして、このように延出部１１の端部が収められた収容部１２の内部（内側）において、延出部１１の端部と収容部１２の内面側とが弾性材としての平ゴム２１（図６等参照）を含む接続部２０によって弾性的に接続されている。
【００６０】
こうして、本実施の形態１では、ウエスト方向に延びる帯状のウエストベルト部１０を収容部１２及び延出部１１の別体で構成し、延出部１１の端部側を前身頃４Ｆに縫着することなく収容部１２の端部に挿入し、収容部１２に対し延出部１１が収容されている状態で収容部１２の内部において収容部１２及び延出部１１の間を平ゴム２１を含む接続部２０によって弾性的に接続していることで、平ゴム２１の弾性力により収容部１２から延出部１１を延出自在とする。したがって、ウエストベルト部１０に引張り力が掛かった際には、平ゴム２１の伸長によって収容部１２から延出部１１が引き出されて延出し、ウエストベルト部１０が伸長する。そして、ウエスト周りを伸ばそうとする力が解除されると、平ゴム２１が弾性力によって元の本来の長さに戻るから、再び延出部１１が収容部１２内に収容される方向に移動し元の状態に戻る。このようにして、ウエストベルト部１０を伸縮自在としている。
【００６１】
次に、本実施の形態１のウエストベルト部１０の詳細な構造について、図４乃至図１５を参照して説明する。
本実施の形態１のウエストベルト部１０は、その表側（ズボン１の外側）を形成する延出部１１の延出部表ベルト布１１Ａ及び収容部１２の収容部表ベルト布１２Ａのみを前身頃４Ｆ及び後身頃４Ｂと共地（例えば、綿生地、ウール生地等）とし、身体が挿入される裏側（ズボン１の内側）を形成する収容部１２の収容部裏ベルト布１２Ｂ及び延出部１１の延出部裏ベルト布１１Ｂは表側とは別生地として、図４乃至図６で示すように、表側の生地と裏側の生地の両者をウエストベルト部１０の上端側で接続する構成である。
即ち、身頃４Ｆ，４Ｂと共地とした延出部表ベルト布１１Ａ及びそれとは別生地の延出部裏ベルト布１１Ｂの両者を上側で接いで延出部１１を構成し、身頃４Ｆ，４Ｂと共地とした収容部表ベルト布１２Ａ及びそれとは別生地の収容部裏ベルト布１２Ｂの両者を上側で接いで収容部１２を構成している。
【００６２】
詳しくは、図４乃至図６に示すように、ウエストベルト部１０を構成する収容部１２は、身頃４Ｆ，４Ｂと共地からなる所定幅の収容部表ベルト布１２Ａの上下端部が内折りされ、均一なウエストベルト部１０の幅となるようにその幅が設定され、折り返した上端部で収容部裏ベルト布１２Ｂの上端部とステッチ５１Ａにて縫合わされて、ウエスト方向に沿う帯状をなしている。また、収容部表ベルト布１２Ａの折り返した下端部は後身頃４Ｂの上端部とステッチ５２Ａにて縫合わされている。
【００６３】
ウエストベルト部１０を構成する延出部１１についても、図４乃至図６に示すように、身頃４Ｆ，４Ｂと共地からなる所定幅の延出部表ベルト布１１Ａの上下端部が内折りされ、収容部１２に収容される先端部側を除いて収容部１２と共に均一なウエストベルト部１０の幅となるようにその幅が設定され、折り返した上端部で延出部裏ベルト布１１Ｂの上端部とステッチ５１Ｂにて縫合わされて、ウエスト方向に沿う帯状をなしている。また、延出部表ベルト布１１Ａの折り返した下端部は前身頃４Ｆの上端部とステッチ５２Ｂにて縫合わされている。このとき、収容部表ベルト布１２Ａ及び収容部裏ベルト布１２Ｂで形成された収容部１２内に挿入される延出部１１の先端部側は、前身頃４Ｆの上端部と縫合わされず自由な状態になっている。したがって、収容部１２に入れられた延出部１１の先端部側が収容部１２から延出自在、つまり、ウエスト方向に相対移動自在とされる。
【００６４】
なお、図５に示したように、収容部１２の内部には、収容部表ベルト布１２Ａの内面（裏面）に接着芯等の芯材としてのソフト芯ＳＣ及びハード芯ＨＣがアイロンプレス等の使用で接合されている。また、延出部１１の内部にも、延出部表ベルト布１１Ａの内面（裏面）に接着芯等の芯材としてのソフト芯ＳＣ及びハード芯ＨＣがアイロンプレス等の使用によって接合されている。例えば、ソフト芯ＳＣが収容部表ベルト布１２Ａ及び延出部表ベルト布１１Ａの上端部や下端部の折り返し部分に貼付けられ、ハード芯ＨＣが収容部表ベルト布１２Ａ及び延出部表ベルト布１１Ａの折り返しのない中央部分に貼付けられる。また、必要に応じ、延出部１１の滑りを良くするために、延出部１１が挿入される収容部１２の端部（開口側）の内面においてソフト芯ＳＣ及びハード芯ＨＣの上から、伸縮性を有しない生地、例えば、ポリエステル系生地等からなる接着布を、アイロンプレス等によって貼付けることもある。
【００６５】
そして、本実施の形態１のウエストベルト部１０では、このように収容部表ベルト布１２Ａ及び収容部裏ベルト布１２Ｂからなる収容部１２の端部側で、延出部表ベルト布１１Ａ及び延出部裏ベルト布１１Ｂからなる延出部１１の先端部が重ね合わせられ、重ね合わせ部１９を形成している。このとき、本実施の形態１では、上述したように、前身頃４Ｆ及び後身頃４Ｂが縫合わされた脇線ＬＳ、ＲＳの近傍に設けた脇ポケット部２の上方で、延出部１１の前身頃４Ｆに縫着されていない先端部がウエストベルト部１０の表面側及び裏面側の意匠面側から隠れるように収容部１２の収容部表ベルト布１２Ａ及び収容部裏ベルト布１２Ｂの間に入れられ収容される。即ち、収容部１２内に延出部１１の先端部が挿入され重ねられている。そして、収容部１２内に挿入された延出部１１の先端部は、前身頃４Ｆに縫着されていないから、その挿入深さは変化自在、つまり、ウエスト方向に相対移動自在とされる。なお、図４及び図５に示すように、通常は、収容部裏ベルト布１２Ｂがステッチ５１Ａにて縫合された収容部表ベルト布１２Ａの上端の内折りされた内側（ループ内）に延出部１１の先端部が収められるが、内折りした外側で延出部１１の先端部を重ねて収めてもよい。
【００６６】
こうして、本実施の形態１では、ウエストベルト部１０の表側（外側）は前身頃４Ｆ及び後身頃４Ｂと共地の延出部表ベルト布１１Ａ及び収容部表ベルト布１２Ａで形成され、ウエストベルト部１０の腰裏側（内側）は表側とは別生地の延出部裏ベルト布１１Ｂ及び収容部裏ベルト布１２Ｂで形成されており、延出部１１の先端部がウエストベルト部１０の表裏側の意匠面側から隠れるように収容部１２内に挿入され収容されている。
【００６７】
なお、延出部表ベルト布１１Ａ及び収容部表ベルト布１２Ａとは別生地の延出部裏ベルト布１１Ｂ及び収容部裏ベルト布１２Ｂには、例えば、一般的にスーツ等のズボンの腰裏に使用されている生地、具体的には、綿、ポリウレタン、ポリエステル、レーヨン、ナイロン、絹（シルク）、麻、アクリル、ラバー、ウール等の生地が使用される。タックインしたシャツがスーツ用ズボン１から食み出るのを防止するために滑り止め機能を持たせた所謂、マーベルト仕様とすることもできる。なお、延出部裏ベルト布１１Ｂ及び収容部裏ベルト布１２Ｂは、延出部表ベルト布１１Ａ及び収容部表ベルト布１２Ａよりも厚みがあってもよいが、通常、着用感や履き心地の観点から延出部表ベルト布１１Ａ及び収容部表ベルト布１２Ａと同等の厚みの生地またはそれよりも厚みの薄い生地が採用される。
【００６８】
特に、本実施の形態１のスーツ用ズボン１は、ウエストベルト部１０を分離して互いに端部を重ねた収容部１２及び延出部１１からなる構成とし、その間を平ゴム２１を含む接続部２０で弾性的に接続することで、収容部１２から延出部１１を延出自在とする伸縮自在構造であるため、収容部１２を構成する収容部表ベルト布１２Ａ及び収容部裏ベルト布１２Ｂや、延出部１１を構成する延出部表ベルト布１１Ａ及び延出部裏ベルト布１１Ｂの素材には伸縮性を問わない。即ち、延出部表ベルト布１１Ａ及び収容部表ベルト布１２Ａは、身頃４Ｆ，４Ｂと共布として、伸縮性を有しない生地であってもよいし、延出部裏ベルト布１１Ｂ及び収容部裏ベルト布１２Ｂについても、一般的なスーツ等のズボンの腰裏の裏地、ポケットの袋布（スレーキ）、リボンテープ等に使用されている伸縮性を有しない生地、例えば、ポリエステル系、ナイロン系、レーヨン系、綿等の生地を採用できる。よって、ウエストベルト部１０の表裏の意匠面のデザイン自由度やデザイン性も高い。
【００６９】
そこで、延出部裏ベルト布１１Ｂ及び収容部裏ベルト布１２Ｂには、例えば、一般的なスーツ等のズボンの腰裏で帯状のマーベルトとして用いられている綿生地、スレーキ生地等の薄くて柔らかい生地を採用すると、履き心地を落ち着かせて、着用時の快適性やフィット感を高めることができるようになる。また、摩擦係数の高いラバー生地等によれば、タックインしたシャツを押さえてずれ上がりを防止すると共に、履き心地を落ち着かせて、着用時の快適性やフィット感を高めることができる。更に、シリコン等により滑止加工された生地を用いることでも同様の効果が得られる。延出部裏ベルト布１１Ｂ及び収容部裏ベルト布１２Ｂの下方にパイビングを施す仕様も同様である。
【００７０】
なお、延出部裏ベルト布１１Ｂ及び収容部裏ベルト布１２Ｂを構成する綿生地、スレーキ生地、ラバー生地等の生地は、単一の１枚の生地のみを使用することも可能であるが、２枚以上の同一生地、または、異なる生地を用いて上下方向で重ね合わせて複数段とする構成を採ることで、生地の重ね合わせの段差構造によって、更に異なる生地を組み合わせた場合には生地の質感（摩擦抵抗）等の違いによって、滑り止め機能を持たせたることができる。加えて、腰裏のデザインバリエーションを増大させることができる。
【００７１】
また、延出部裏ベルト布１１Ｂ及び収容部裏ベルト布１２Ｂにも、補強用の接着芯、芯地といった芯材を取付けてもよい。芯材を取付けることで、ウエストベルト部１０の撚れを少なくして張りを持たせることができ、見栄えを向上させ、また、着心地を良くすることができる。このときの芯材の取付手段は特に限定されず、縫付けても良いし、アイロンプレス等を使用した接着であっても良い。
【００７２】
例えば、延出部裏ベルト布１１Ｂ及び収容部裏ベルト布１２Ｂの構成としては、図４に示すように、腰裏の意匠面を形成する意匠生地１３とその裏面側（内側）で長手方向に沿って意匠生地１３に縫付けられた芯材１４とからなる構成とすることができる。
意匠生地１３は、例えば、別々に形成された上位生地１３ａ、中間生地１３ｂ及び下位生地１３ｃにより構成し、これら上位生地１３ａ、中間生地１３ｂ及び下位生地１３ｃを相互に重ねて、ステッチ１５にて芯材１４と共に縫合わせる。このときの縫合は、例えば、帯状の生地の下端部を所定幅で内側（裏面側）に折った上位生地１３ａに対し、その上位生地１３ａの折り返し部分（ループ側）に、中間生地１３ｂを重ねる。この中間生地１３ｂは、帯状の生地を縦幅方向（長手方向に対して直角方向）の両端部で重ね合わせて折って（生地を半分に折って）形成した縦幅の小さいものであり、反ループ側の端部を上にし、下のループ側の端部が上位生地１３ａの下端から食み出るように上位生地１３ａの下に重ねられる。更に、中間生地１３ｂの下には、下位生地１３ｃを重ねる。この下位生地１３ｃは、帯状の生地を縦幅方向の両端部で重ね合わせて折って（生地を半分に折って）形成したものであり、中間生地１３ｂよりも縦幅の大きいものである。下位生地１３ｃは、反ループ側の端部を上にして、中間生地１３ｂの反ループ側の端部に一致させて中間生地１３ｂの下に重ねられる。このようにして上位生地１３ａ、中間生地１３ｂ及び下位生地１３ｃによって意匠生地１３を構成し、それらは相互に重ねられて中間付近でステッチ１５にて芯材１４と共に縫合わされる。
【００７３】
このように腰裏の意匠面を形成する意匠生地１３としての上位生地１３ａ、中間生地１３ｂ及び下位生地１３ｃの下方がそれぞれ折り返しによってループ状に閉じられ、下位生地１３ｃの上にその上方で中間生地１３ｂを重ね、更にその中間生地１３の上にその上方で上位生地１３ａの下方（ループ側）を重ね合わせることによって構成された収容部裏ベルト布１２Ｂ及び延出部裏ベルト布１１Ｂでは、段差（襞）が生じるため、この段差（襞）により滑り止め機能を発揮させることができる。
よって、このような構成の意匠生地１３で形成された収容部裏ベルト布１２Ｂ及び延出部裏ベルト布１１Ｂが取付けられたスーツ用ズボン１を着用してウエストベルト部１０の腰裏側にシャツ等を入れた際には、それら意匠生地１３によってズボンの中に入れたシャツ等がスーツ用ズボン１から食み出たり、スーツ用ズボン１が滑り落ちたりするのが防止され、着用感や快適さを高めることができる。また、このような複数枚の生地による重層構成とした場合には、腰裏のデザインのバリエーションを高めることができる。
【００７４】
勿論、意匠生地１３の構成は、上述した上位生地１３ａ、中間生地１３ｂ及び下位生地１３ｃの重層構成に限定されるものではなく、例えば、更に複数の段差を設ける構成としてもよいし、上位生地１３ａ及び下位生地１３ｃの間に挟まれている中間生地１３ｂを省略してもよいし、ウエストベルト部１０の表側を形成する延出部表ベルト布１１Ａ及び収容部表ベルト布１２Ａと共地仕様として生地同士を重ね合わせることなく全体を段差（襞）のない構成とすることも可能である。
また、上位生地１３ａ、中間生地１３ｂ、下位生地１３ｃの各生地は素材が同一であっても良いし、異なるものであっても良い。上位生地１３ａ、中間生地１３ｂ、下位生地１３ｃの各生地の素材が同一であったり伸縮性が同一であったりすると、ウエストベルト部１０に引張り力がかかった際でも、ステッチ１５や生地にかかる負荷も少ない。一方、異なる素材を使用することで、滑り止め機能を強化することができたり、デザインのバリエーションを持たせたりすることができる。また、上位生地１３ａ、中間生地１３ｂ、下位生地１３ｃの各生地は、単一の生地に限定されず、素材が同一または異なる複数の生地を縫製等により接ぎ合わせたものであってもよい。特に、中間生地１３ｂは、ジャガードテープやオペロンテープ等を使用することもできる。また、意匠生地１３においてシリコーンゴム等の配合、加工により滑り止め機能を強化することもできる。
【００７５】
そして、これら上位生地１３ａ、中間生地１３ｂ及び下位生地１３ｃからなる意匠生地１３の内側（裏側）に、網目に編成されたネット構造であるメッシュ生地を所定寸法でバイアス裁断したバイアス生地からなる芯材１４を縫付けて補強してもよい。なお、このメッシュ生地には、例えば、意匠生地１３を構成する綿生地やスレーキ生地等よりも比較的ハードな生地が使用され、メッシュ構造やバイアス裁断により多少の弾性変形を付与できる。よって、生地にかかる負荷が少なく、長期間の着用でも生地を傷めにくい。また、メッシュの密度の選択により、補強効果（硬さ）や弾性変形を調節できる。
このような芯材１４は、例えば、意匠生地１３の下（裏面側）に長さ方向の全長に沿って配設され、その縦幅方向の中央側でステッチ１５にて意匠生地１３に縫合わせられる。勿論、意匠生地１３の上位生地１３ａ、中間生地１３ｂ及び下位生地１３ｃの縫合わせと、意匠生地１３及び芯材１４の縫合わせを１つのステッチ１５で共通させることなく、分散させてもよい。
【００７６】
このように複数の生地の縫合わせにより収容部裏ベルト布１２Ｂ及び延出部裏ベルト布１１Ｂを構成する場合、その縫い方や縫糸は特に問われないが、例えば、鎖縫い（チェーンステッチ）等とすることで、スムースな伸縮性を妨げることのない縫合わせ方となって、スムースな伸縮が得られる。また、伸縮性を有する糸、例えば、ウーリー糸、ユニロン（登録商標）糸、レジロン（登録商標）糸等を使用することでもスムースな伸縮が得られる。因みに、意匠生地１３の下に縫付ける芯材１４は、意匠生地１３の縦幅全長（長さ方向に対して直角な幅）よりもその縦幅長さを短く設定すると、意匠生地１３及び芯材１４の縫合わせ時に僅かなずれが生じた場合でも、ウエストベルト部１０の裏側の意匠面側から見て芯材１４が意匠生地１３の下端から露出して外観性が低下することもない。
【００７７】
勿論、本発明を実施する場合には、延出部裏ベルト布１１Ｂ及び収容部裏ベルト布１２Ｂに、パワーネット、サテンネット、ストレッチサテン、ストレッチレース等の伸縮性を有する生地を用いても良い。また、縦横方向に伸縮性を有しない生地でも、繊維の織目方向を斜めに、所謂バイアス方向で裁断（バイアス裁断）することで、伸縮性を得ることができ、このようにして伸縮性を得たバイアスを使用すると、引張り力がかかった際でも生地にかかる負荷が少なく、長期間の着用でも生地を傷めにくい。
なお、延出部裏ベルト布１１Ｂ及び収容部裏ベルト布１２Ｂの下端は、部分的にステッチ１０２にて身頃４Ｆ，４Ｂや袋布２ａに縫付けられている。
【００７８】
ここで、ウエストベルト部１０の表側及び裏側を構成する収容部１２と延出部１１は、上述したように、延出部１１の前身頃４Ｂに縫着されていない先端部が収容部１２内に挿入されて収容されるが、図４乃至図６に示したように、収容部１２の内部において、それらの間が弾性材としての平ゴム２１を含む接続部２０で弾性的に接続されている。平ゴム２１としては、織ゴム、編ゴム、コールゴム、ゴムテープ等が使用される。更に、十分な弾性を有するものであれば、他にもゴム製板、ストレッチテープ（ゴム入り布）、パワーネット生地、サテンネット生地、ストレッチサテン生地、ストレッチレース生地等の様々な弾性を有する素材を用いることができる。後述する補助弾性材７，８についても同様である。なお、図５において、後述のベルト調節部材４１等は省略されている。
【００７９】
更に、本実施の形態１では、この平ゴム２１に対し、非伸縮性で平ゴム２１の厚さよりも薄い生地、例えば、リボンテープ等からなる帯状の伸び止め材２２を縫着しており、この伸び止め材２２によって平ゴム２１の最大の伸び長さを規定している。平ゴム２１の伸びを規定する役割からすれば、伸び止め材２２としては、伸縮性に乏しく、適度な強度を有する生地が好適であるが、更に、後述するように、ウエストサイズを小さくする際には、平ゴム２１から突出した部分が折重ねられることから、それからすれば薄い生地が嵩を抑制できる点で好ましく、スレーキ生地や、リボンテープ等や、ポリエステル系、ナイロン系、レーヨン系、綿等からなる生地等が使用できる。
【００８０】
本実施の形態１の接続部２０について詳細に説明すると、図４乃至図６に示したように、収容部１２内に挿入される延出部１１の先端部に対し、帯状の平ゴム２１は、その一方の端部が、伸縮性のない生地からなる帯状の伸び止め材２２の一方の端部と共に、延出部表ベルト布１１Ａと延出部裏ベルト布１１Ｂの間に挟まれてステッチ５３にて縫付けられている。このときのステッチ５３のステッチは、１本であってもよいし、２本以上としてもよいが、少なくとも１本のステッチは、延出部表ベルト布１１Ａと延出部裏ベルト布１１Ｂを貫通する縫い目としている。一方、平ゴム２１の他方の端部は、伸び止め材２２の途中にステッチ５４にて縫付けられ、伸び止め材２２の他方の端部が、収容部１２の内部、具体的には、収容部表ベルト布１２Ａの内面にステッチ５５にて縫付けられている。このときのステッチ５４及びステッチ５５の各ステッチも、縫付強度を確保できれば、１本であってもよいし、２本以上としてもよい。
【００８１】
ここで、帯状の伸び止め材２２は、その一方の端部を、平ゴム２１の一端部と共に延出部１１の先端部にステッチ５３にて縫付け、平ゴム２１の伸びを許容する分だけ、即ち、平ゴム２１の伸びる許容範囲の長さだけ（例えば、１ｃｍ〜２．５ｃｍ）弛ませて、その長さ方向の途中を平ゴム２１の他端部にステッチ５４にて縫付けている。なお、平ゴム２１の最大伸びに相当する長さだけ弛ませて平ゴム２１に縫付けている伸び止め材２２は、ステッチ５３及びステッチ５４間の弛みを折畳む折目の形成により、嵩張りを少なくできる。
これにより、平ゴム２１に引張り力が掛かっても、この伸び止め材２２がステッチ５３及びステッチ５４間で弛ませている（折畳まれている）長さまでしか平ゴム２１が伸びることのないようにし、平ゴム２１の過度の伸びを防止している。即ち、伸び止め材２２によって平ゴム２１に無理な引張り力が掛かるのを防止するから、平ゴム２１を長持ちさせることができる。
【００８２】
特に、本実施の形態１では、一方の端部が平ゴム２１の一端部と共に延出部１１の先端部にステッチ５３にて縫付けられた伸び止め材２２は、平ゴム２１の伸びる許容範囲の長さだけ弛みを付けて、その中間部分が平ゴム２１の他端部にステッチ５４にて縫付けられており、延出部１１に縫付けた一端部とは反対側の他端部が、収容部表ベルト布１２Ａの内面にステッチ５５にて縫付けられている。
つまり、一方の端部を平ゴム２１の一端部と共に延出部１１の先端部にステッチ５３にて縫付け、また、平ゴム２１の最大伸びに相当する長さだけ弛ませてステッチ５４にて平ゴム２１の他端部に縫付けた伸び止め材２２は、平ゴム２１の本来の長さ（非伸長状態での長さ）よりも更に長く、所定長さ（例えば、１．５ｃｍ〜３ｃｍ）だけ平ゴム２１の他端部よりも突出するようにし、平ゴム２１の他端部よりも突出した伸び止め材２２の他端部を収容部表ベルト布１２Ａの内面側にステッチ５５にて縫付けている。なお、このときの伸び止め材２２を縫付けたステッチ５５の縫い目は、ハード芯ＨＣと共に収容部表ベルト布１２Ａの表裏を貫通している。
【００８３】
したがって、本実施の形態１においては、平ゴム２１とその両端部に対しその間に弛みを付けて縫付けた伸び止め材２２とによって延出部１１と収容部１２の間を弾性的に接続する接続部２０を構成している。即ち、本実施の形態１において、延出部１１と収容部１２の間を弾性的に接続する弾性材としての平ゴム２１は、その一方の端部は延出部１１の先端部にステッチ５３にて縫付けられているが、他方の端部には、伸び止め材２２がステッチ５３にて縫付けられ、この伸び止め材２２が収容部１２の内部にステッチ５５にて縫付けられている。平ゴム２１は、その一方の端部を前身頃４Ｆに縫着されていない延出部１１の端部に接続し、他方の端部を伸び止め材２２を介して収容部１２の内部に間接的に接続することによって、延出部１１と収容部１２の間を弾性的に接続している。
なお、本実施の形態１では、平ゴム２１に対し伸び止め材２２が収容部表ベルト布１２Ａ側で縫着されているが、本発明を実施する場合には、収容部裏ベルト布１２Ｂ側で平ゴム２１に対し伸び止め材２２を縫着してもよい。
【００８４】
こうして、本実施の形態１では、平ゴム２１が延出部１１の先端に接続すると共に、伸び止め材２２を介して収容部１２の内部に接続し、平ゴム２１によって収容部１２と延出部１１の間が弾性的に接続されていることから、収容部１２に挿入された延出部１１は、平ゴム２１の弾性力により、ウエスト方向に延出自在、即ち、相対移動自在であり、ウエストベルト部１０が伸縮自在とされている。
【００８５】
特に、本実施の形態１では、平ゴム２１の本来の長さよりも長くて伸縮性のない生地からなる帯状の伸び止め材２２が折畳まれてまたは弛んだ状態で平ゴム２１に対して縫付けられている。このため、平ゴム２１に引張り力がかかった際には、伸び止め材２２が折畳まれていた長さまたは弛ませていた長さ（ステッチ５３とステッチ５４の間で平ゴム２１に接続する伸び止め材２２の接続長さ）までしか平ゴム２１が伸びることができないようになっており、平ゴム２１の両端部に縫付けた、即ち、平ゴム２１に並設して取付けた伸び止め材２２によって、平ゴム２１の伸びの限界が規定されている。
これにより、平ゴム２１に無理な引張り力が掛かり平ゴム２１が過度に伸びてしまう事態を防止して、ゴムが長持ちするようにしている。また、このように平ゴム２１にその最大伸びを特定する伸び止め材２２を並設していることで、収容部１２及び延出部１１の重ね合わせ部１９に過度な張力が加えられないようにその伸び長さを制限できることから、重ね合わせ部１９の見栄えを維持する。
【００８６】
このように、ウエストベルト部１０は、平ゴム２１によって収容部１２と延出部１１の間を弾性的に接続する接続部２０を設けているが、更に、本実施の形態１では、収容部１２と延出部１１の間を接続している接続部２０の接続長さを可変する調節手段を設けていることで、収容部１２に対しウエスト方向に重ねる延出部１１の長さ、即ち、収容部１２とそれに収容される延出部１１との結合深さを可変できるようになっている。
【００８７】
具体的には、図６（ａ）に示すように、平ゴム２１によって収容部１２と延出部１１の間が弾性的に接続された接続部２０において、本実施の形態１では、伸び止め材２２が縫付けられている平ゴム２１に対し、伸び止め材２２の取付側とは反対面側であって延出部１１側とは反対側の他端部に、帯状のベルト調節部材４１が取付けられている。即ち、延出部１１の先端部に取付けた平ゴム２１の更に先端側で、ベルト調節部材４１が取付けられている。
【００８８】
このベルト調節部材４１は、その一端部側が、平ゴム２１の他端部にステッチ５６にて縫付けられ、その他端部側は何れにも縫付けられていない自由な状態にある。そして、本実施の形態１では、その自由端側に、所定間隔で２つの凹側ドット釦４２Ａ及び凹側ドット釦４２Ｂが取付けられている。図６（ａ）において、２つの凹側ドット釦４２Ａ及び凹側ドット釦４２Ｂは共に、ベルト調節部材４１の表裏面のうちの収容部表ベルト布１２Ａ側に取付けられている。
なお、ベルト調節部材４１には、繰り返しの洗濯等によっても、捲れ等が生じ難い強度のある生地が好適であり、例えば、身頃４Ｆ，４Ｂと共地（綿生地、ウール生地等）を使用することもできるし、後述する市販のテープスナップの土台の生地を使用してもよいし、更にそれに補強のためのリボンテープ等の補強布４８を取付けたものでもよい。
こうして、本実施の形態１では、２つの凹側ドット釦４２Ａ及び凹側ドット釦４２Ｂを設けたベルト調節部材４１が、収容部１２と延出部１１を弾性的に接続する接続部２０の間で平ゴム２１の端部に取付けられている。
【００８９】
更に、本実施の形態１のウエストベルト部１０においては、このように収容部１２の内部において収容部１２と延出部１１を弾性的に接続する平ゴム２１に取付けられたベルト調節部材４１をウエストベルト部１０の外面側に出すために、ベルト調節部材４１が挿通される貫通孔４５が収容部１２を形成する収容部裏ベルト布１２Ｂ側に設けられている。
【００９０】
本実施の形態１において、貫通孔４５は、ウエストベルト部１０の裏側を形成する収容部裏ベルト布１２Ｂの表裏を貫通して形成され、例えば、ベルト調節部材４１の縦幅を通す１．５ｃｍ〜２．５ｃｍの長孔でボタンホールの要領で作製することができる。このとき、通常、貫通孔４５の周囲には解れ防止、補強のための穴がかり等の加工が施されることになる。この貫通孔４５は、収容部表ベルト布１２Ａに縫付けた伸び止め材２２の縫付位置であるステッチ５５の近傍に設けられるが、ステッチ５５の位置よりも後中心ＢＣ寄り（延出部１１側から遠のく方）に設けられている。なお、貫通孔４５の形状、ボタンホールの形成手法は、特に問わず、ボタンホールの形成では、両端または片端にハトメ穴を設けたものとすることもできる。ハトメ穴かがりの要領で作製してもよいし、ねむり穴かがりの要領で作製してもよい。特に、ハトメ穴を設けた貫通孔４５では、ベルト調節部材４１の素材を問わず引き出しをスムースにすることが可能であり、操作性の向上を可能とする。
【００９１】
なお、収容部表ベルト布１２Ａと収容部裏ベルト布１２Ｂの両者を接ぐ態様によっては、収容部裏ベルト布１２Ｂが縫合される収容部表ベルト布１２Ａの上部の内折り部分に、貫通孔４５の一部が位置することになる。そこで、貫通孔４５に対応する位置に収容部表ベルト布１２Ａの上部の内折り部分が配設する場合には、その一部を切り欠いてしまってもよい。或いは、貫通孔４５の位置に対応して収容部裏ベルト布１２Ｂと共に、収容部表ベルト布１２Ａの内折り部分の生地を含めて切断し貫通孔４５を形成してもよい。何れにせよベルト調節部材４１が通る大きさでウエストベルト部１０の裏側の表裏面を貫く貫通孔４５が形成されればよい。
【００９２】
このように、ウエストベルト部１０の裏側にベルト調節部材４１を通す貫通孔４５を設けたことで、収容部１２内において収容部１２と延出部１１を弾性的に接続している平ゴム２１に取付けたベルト調節部材４１は貫通孔４５に通されて、収容部１２の内側から外側に出される。
なお、図６においては、ベルト調節部材４１が貫通孔４５に通される前のウエストベルト部１０の内部構造（図６（ａ））及びその状態のウエストベルト部１０の裏側（図６（ｂ））を示している。
【００９３】
更に、本発明を実施する場合には、図２及び図３に示したように、ウエストベルト部１０裏側の収容部裏ベルト布１２Ｂに設けた貫通孔４５の位置をウエストベルト部１０裏側の外面側（意匠面側）からみて分からないように隠し、見栄えを良くするため、ラベル、布ネーム、ワッペン等の布地、テープ（リボンテープ等）等からなる被覆地４６を収容部裏ベルト布１２Ｂの外面側で貫通孔４５を覆うように縫着してもよい。これらラベル、布ネーム、ワッペン等の布地、テープ等からなる被覆地４６は、貫通孔４５からベルト調節部材４１が収容部裏ベルト布１２Ｂの外面側に出されるように、例えば、その上下両端側が収容部裏ベルト布１２Ｂの外面に縫付けられる。皮や布のラベル等の被覆地４６には、例えば、パンツのブランド名、製造会社等が記載されると、意匠的効果も独特なものとなる。更に、その被覆地４６の存在によって、タックインしたシャツを押さえてずれ上がりを防止する効果も得られ、特に、被覆地４６の布地、テープがシリコン、ラバー等の素材であれば、滑り止め機能が強化されずれ上がりの防止効果も高くなる。
【００９４】
そして、本実施の形態１のウエストベルト部１０においては、更に、図６（ｂ）に示すように、貫通孔４５が形成された収容部裏ベルト布１２Ｂの外面側に、ベルト調節部材４１に設けた凹側ドット釦４２Ａ及び凹側ドット釦４２Ｂに対応する１つの凸側ドット釦４３が取付けられている。この凸側ドット釦４３は、貫通孔４５の近傍に設けられるが、貫通孔４５の位置よりも後中心ＢＣ寄り（延出部１１側から遠のく方）に設けられている。
【００９５】
よって、図７等で示すように、貫通孔４５に通され、収容部裏ベルト布１２Ｂの外面側(意匠面側)、即ち、ウエストベルト部１０の裏面側に出されたベルト調節部材４１は、その所定面側に設けた凹側ドット釦４２Ａまたは凹側ドット釦４２Ｂを収容部裏ベルト布１２Ｂの外面側に設けた凸側ドット釦４３に係合させることにより、収容部裏ベルト布１２Ｂの外面側に接合することができる。
【００９６】
こうして、スーツ用ズボン１の使用状態では、図７（ａ）に示したように、収容部１２内で延出部１１側とは反対側の平ゴム２１の先端部側に取付けられたベルト調節部材４１を、収容部裏ベルト布１２Ｂの所定位置に設けた貫通孔４５に通して、図７（ｂ）及び（ｃ）に示したように、収容部裏ベルト布１２Ｂの内面側から外面側に引き出した状態とする。即ち、ベルト調節部材４１を貫通孔４５に挿通し収容部裏ベルト布１２Ｂの表面側に引き出した状態とする。このとき、ベルト調節部材４１に設けた凹側ドット釦４２Ａ，４２Ｂの配設側が、収容部裏ベルト布１２Ｂの外面側（表面側）、即ち、凹側ドット釦４３の配設側に対向するように、ベルト調節部材４１が貫通孔４５から導き出され収容部裏ベルト布１２Ｂの外面側に出される。
そして、図７（ｂ）及び（ｃ）に示したように、収容部裏ベルト布１２Ｂの外面側に出されたベルト調節部材４１は、特定の片面に設けた凹側ドット釦４２Ａ及び凹側ドット釦４２Ｂのうちの何れか一方を収容部裏ベルト布１２Ｂの外面側に設けた凸側ドット釦４３に係合させることで、収容部裏ベルト布１２Ｂの外面側に接合固定される。
【００９７】
ここで、本実施の形態１では、このように収容部１２の内部において収容部１２と延出部１１を弾性的に接続する接続部２０の途中に対し、具体的には、図１０、図１１等に示したように、伸び止め材２２を収容部表ベルト布１２Ａに縫付けたときのステッチ５５から所定長さ離れた位置であって平ゴム２１の他端部側にステッチ５６でベルト調節部材４１を縫付けたことから、図７（ｃ）、図８（ｂ）及び図９（ｂ）に示したように、収容部１２に対して延出部１１が深く挿入される方向にベルト調節部材４１を引き寄せることで、つまり、貫通孔４５から収容部裏ベルト布１２Ｂの外面側に出されたベルト調節部材４１を長く引き出すことで、収容部１２に対し、延出部１１をより深い位置に移動させることができる。
【００９８】
即ち、図７（ｃ）、図８（ｂ）及び図９（ｂ）に示したように、収容部１２に対して延出部１１が深く挿入される方向にベルト調節部材４１を引き寄せ、貫通孔４５から収容部裏ベルト布１２Ｂの外面側に出されたベルト調節部材４１を長く引き出すと、特に、図１１（ｃ）で示すように、収容部１２と延出部１１の間を接続する接続部２０の接続長さにおいて折重なり部４８が生じて、伸び止め材２２を収容部表ベルト布１２Ａに縫付けたときのステッチ５５に対し延出部１１が近づき、収容部１２に対して延出部１１が深く挿入されることになる。
【００９９】
なお、ここでいう接続部２０の接続長さの折重なりは、平ゴム２１に対して、その伸びの許容範囲の長さだけ折畳んでまたは弛みを付けてステッチ５３及びステッチ５４にて縫付けた伸び止め材２２の平ゴム２１に併設する部分（ステッチ５３及びステッチ５４の間の部分）の折畳み、弛み部分を意味するものではなく、ゴムの伸縮に関係させずに、収容部１２に対し延出部１１を移動するように、接続部２０の長さを変化させる部位であり、ベルト調節部材４１を平ゴムに縫付けたときのステッチ５６から伸び止め材２２の他端を収容部表ベルト布１２Ａの内面に縫付けたときのステッチ５５までの間の折重なりを意味する。
【０１００】
即ち、本実施の形態１では、収容部１２と延出部１１の間の接続部２０において、一端部を延出部１１に縫付けた平ゴム２１の両端部に平ゴム２１よりも薄い厚みのリボンテープ等からなる伸び止め材２２を縫付け、その伸び止め材２２を平ゴム２１の延出部１１側とは反対側の他端部よりも突出させて収容部１２の内部にステッチ５５にて縫付けている。更に、そのような接続部２０に対し、ベルト調節部材４１の長さ方向の一端部を、平ゴム２１の延出部１１側とは反対側の他端部にステッチ５６にて縫付けている。このため、収容部１２に対して延出部１１が深く挿入される方向にベルト調節部材４１を引き寄せると、即ち、貫通孔４５から収容部裏ベルト布１２Ｂの外面側に出されたベルト調節部材４１を長く引き出すと、べルト調節部材４１を平ゴムに縫付けたときのステッチ５６から伸び止め材２２の他端を収容部表ベルト布１２Ａの内面に縫付けたときのステッチ５５までの間ので折重なり部４８が生じる。平ゴム２１よりも薄い厚みのリボンテープ等からなる伸び止め材２２において、平ゴム２１の他端部よりも突出した部分で折重なり部４８が生じるが、ステッチ５６の位置やベルト調節部材４１を引き寄せる長さによっては、平ゴム２１と共に伸び止め材２２が折畳まれ折重なり部４８が形成される。
【０１０１】
そして、本実施の形態１においては、ベルト調節部材４１に凹側ドット釦４２Ｂよりも平ゴム２０寄りの所定位置に凹側ドット釦４２Ａを設けており、収容部１２に対して延出部１１が深く挿入される方向にベルト調節部材４１を引き寄せて、即ち、貫通孔４５から収容部裏ベルト布１２Ｂの外面側に出されたベルト調節部材４１を長く引き出して、収容部１２と延出部１１の間を接続する接続部２０において折重なり部４８が生じた状態で、図７（ｃ）、図８（ｂ）、図９（ｂ）及び図１１に示したように、ウエストベルト部１０のウエスト方向において、ベルト調節部材４１の凹側ドット釦４２Ａの位置に、収容部裏ベルト布１２Ｂの外面に設けた凸側ドット釦４３の位置が一致するようにしている。
即ち、ベルト調節部材４１に設けた凹側ドット釦４２Ａと収容部裏ベルト布１２Ｂの外面に設けた凸側ドット釦４３の係合（接合）によって、収容部裏ベルト布１２Ｂの外面にベルト調節部材４１を接合することで、ベルト調節部材４１を所定位置で固定して、折重なり部４８が生じた接続部２０の位置状態を保持、固定できるようになっている。
このようにして、収容部１２に対して延出部１１が深く挿入された状態を保持、固定することにより、ウエストを小さくすることができる。
【０１０２】
一方、図７（ｂ）、図８（ａ）及び図９（ａ）に示したように、貫通孔４５から収容部裏ベルト布１２Ｂの外面側に出されたベルト調節部材４１が長く引き出されることなく、延出部１１を収容部１２から抜き出す方向に移動させても、ベルト調節部材４１が貫通孔４５にそれ以上引き戻されることのない状態では、収容部１２と延出部１１の間を接続する接続部２０の接続長さが折重なることなく、即ち、折重なり部４８が生じることなく本来の長さ状態にあり、収容部１２に入る延出部１１の深さは相対的に浅いものとなる。
つまり、ベルト調節部材４１が貫通孔４５にそれ以上に引き戻されることのない状態では、収容部１２に挿入された延出部１１が浅い深さで収容され、収容部１２に対して延出部１１がウエスト方向に短い長さで重なることになる。
【０１０３】
このとき、本実施の形態１においては、図７（ｂ）、図８（ａ）及び図９（ａ）に示したように、ウエストベルト部１０のウエスト方向において、ベルト調節部材４１に設けた凹側ドット釦４２Ｂと収容部裏ベルト布１２Ｂの外面に設けた凸側ドット釦４３の両者の位置が略一致するようにしている。即ち、ベルト調節部材４１が貫通孔４５にそれ以上に引き戻されることのない状態として、収容部１２に対し延出部１１が浅く挿入されている状態でも、収容部裏ベルト布１２Ｂの外面に設けた凸側ドット釦４３に対し、ベルト調節部材４１に設けた凹側ドット釦４２Ｂを係合させて、収容部裏ベルト布１２Ｂの外面側にベルト調節部材４１を接合、固定できるようにしている。このように収容部裏ベルト布１２Ｂの外面側にベルト調節部材４１を接合、固定できるにより、収容部裏ベルト布１２Ｂの外面側に出されたベルト調節部材４１の捲れを生じさせないことから、美観を維持することができる。
【０１０４】
こうして、図７（ｂ）、図８（ａ）及び図９（ａ）及び図１０に示したように、収容部裏ベルト布１２Ｂに出されたベルト調節部材４１が貫通孔４５からそれ以上に引き戻されることのない状態、即ち、接続部２０が本来の長さ状態にあり、ステッチ５５とステッチ５６の間で折重なりが生じていない状態で収容部１２に対し延出部１１の挿入深さが浅い状態においては、ウエストベルト部１０のウエスト方向において、収容部裏ベルト布１２Ｂの外面に設けた凸側ドット釦４３の位置に対し、ベルト調節部材４１の凹側ドット釦４２Ｂの位置が一致し、それら凹側ドット釦４２Ｂと凸側ドット釦４３を係合（接合）させて、収容部裏ベルト布１２Ｂの外面にベルト調節部材４１を接合できるようになっている。
【０１０５】
即ち、ベルト調節部材４１に設けた凹側ドット釦４２Ａ及び凹側ドット釦４２Ｂのうち、ベルト調節部材４１の先端側（平ゴム２１側とは反対側）に近い方の凹側ドット釦４２Ｂを収容部裏ベルト布１２Ｂの外面側に設けた凸側ドット釦４３に係合させたときは、延出部１１と収容部１２と間を接続する接続部２０の長さが折重なりが生じていない本来の状態にあり、延出部１１は相対的に浅い深さで収容部１２に入れられている。換言すれば、ウエストベルト部１０の表裏からみて、収容部１２から多く延出部１１が引き出されて、ウエスト方向における延出部１１の長さが長くなっている。
【０１０６】
一方、図７（ｃ）、図８（ｂ）及び図９（ｂ）及び図１１に示したように、収容部１２に対して延出部１１が深く挿入される方向にベルト調節部材４１を引き寄せ、即ち、貫通孔４５から収容部裏ベルト布１２Ｂの外面側に出されたベルト調節部材４１を長く引き出して、収容部１２と延出部１１の間を接続する接続部２０において折重なり部４８を生じさせ収容部１２に対し延出部１１の挿入深さを深くした状態では、ウエストベルト部１０のウエスト方向において、収容部裏ベルト布１２Ｂの外面に設けた凸側ドット釦４３の位置に対し、ベルト調節部材４１の凹側ドット釦４２Ａの位置が一致し、それら凹側ドット釦４２Ａと凸側ドット釦４３を係合（接合）させて、収容部裏ベルト布１２Ｂの外面にベルト調節部材４１を接合できるようにし、接続部２０の折重なり部４８を保持、固定して収容部１２に対して延出部１１が深く挿入された状態を保持、固定できるようになっている。
【０１０７】
即ち、ベルト調節部材４１を脇線ＬＳ，ＲＳ側とは反対側で後中心ＢＣ側に向けて引き寄せ、貫通孔４５からベルト調節部材４１を長く収容部裏ベルト布１２Ｂの外面側に引き出し、ベルト調節部材４１に設けた凹側ドット釦４２Ａ及び凹側ドット釦４２Ｂのうち、平ゴム２１側に近い方の凹側ドット釦４２Ａを収容部裏ベルト布１２Ｂの外面側の凸側ドット釦４３に係合させたときは、延出部１１と収容部１２と間を接続する接続部２０の長さは、折り重なりが生じて折り重なり部４８が形成され、ベルト調節部材４１が取付けられている平ゴム２１を介して延出部１１が収容部１２内の更に奥へ向かって入ることになり、凹側ドット釦４２Ｂと凸側ドット釦４３の係合のときよりも、延出部１１はより深く収容部１２に入れられることになる。よって、ウエストベルト部１０の表裏からみて、ウエスト方向における延出部１１の長さが短くなっている。
【０１０８】
なお、本実施の形態１では、図１２（ｂ）に示すように、接続部２０が本来の長さ状態で、伸び止め材２２の一端部を収容部表ベルト布１２Ａの内面（裏面）に縫付けたときの２本のステッチ５５のうち平ゴム２１寄りのステッチ５５ａとベルト調節部材４１を平ゴム２１の先端部側に縫付けたときのステッチ５６との間の伸び止め材２２の長さをｘとし、ベルト調節部材４１の片面に設けた凹側ドット釦４２Ｂ及び凹側ドット釦４２Ｂの中心間の間隔距離をｙとしたとき、ｙ≦２ｘに設定される（例えば、ｘ＝１〜３ｃｍ程度、ｙ＝１〜２ｃｍ程度）。
【０１０９】
例えば、ステッチ５５ａ及びステッチ５６の間の長さｘ＝１ｃｍ、ベルト調節部材４１の凹側ドット釦４２Ａ及び凹側ドット釦４２Ｂの中心間の間隔距離ｙ＝１ｃｍに設定すると、原理的には、図１２（ｃ）に示すように、ベルト調節部材４１の凹側ドット釦４２Ａを収容部裏ベルト布１２Ｂの外面側の凸側ドット釦４３に係合させたときには、ステッチ５５ａに対してステッチ５６が重なるように（例えば、１ループ状に重なった際には、その重複領域が０．５ｃｍとなる）、ステッチ５５ａ及びステッチ５６間の伸び止め材２２、平ゴム２１の長さが折重ねられる（折畳まれる）ことになる。この場合、凹側ドット釦４２Ｂと凸側ドット釦４３の係合のときよりも、即ち、ベルト調節部材４１が貫通孔４５にそれ以上に引き戻されることのない状態にあるときよりも、ウエストベルト部１０のウエスト方向において延出部１１が収容部１２内に約１ｃｍ多く入り込むことになる。
【０１１０】
また、例えば、ｘ＝１ｃｍ、１＜ｙ≦２ｃｍに設定したときは、図１３（ｃ）に示すように、ステッチ５５ａの位置よりも後中心ＢＣ側に向かう更に奥深い位置に、ステッチ５６が位置するように、即ち、ステッチ５５とステッチ５６の位置が反転するように、ステッチ５５ａ及びステッチ５６間の伸び止め材２２、平ゴム２１の長さが折重ねられる（折畳まれる）ことになる。特に、ｘ＝１ｃｍ、ｙ＝２ｃｍの場合には、ステッチ５５ａ及びステッチ５６間の伸び止め材２２の長さで表裏が反転した折重なり（折畳み）が生じる（このときの１ループ状に重なった重複領域は１ｃｍとなる）。即ち、上述の図１２（ｃ）に示したときよりも、ベルト調節部材４１が取付けられている平ゴム２１及びその平ゴム２１が取付けられている延出部１１が収容部１２の更に奥へ向かって入ることになり、延出部１１はより深く収容部１２に入れられることになる。この場合、凹側ドット釦４２Ａと凸側ドット釦４３の係合のときよりも、つまり、ベルト調節部材４１が貫通孔４５にそれ以上に引き戻されることのない状態にあるときよりも、ウエストベルト部１０のウエスト方向において延出部１１が収容部１２内に約１ｃｍ〜２ｃｍ多く入り込むことになる。
【０１１１】
なお、上記ｘとｙの関係は、ｘ≦ｙに設定するのが好ましい。これにより、スーツ用ズボン１のウエストサイズを小さくするために貫通孔４５からベルト調節部材４１を収容部裏ベルト布１２Ｂの外面側により長く引き出して、ベルト調節部材４１の凹側ドット釦４２Ａを収容部裏ベルト布１２Ｂの外面側の凸側ドット釦４３に係合させ、延出部１１をより深く収容部１２に入れたときでも、ウエストベルト部１０の内部で、必要以上に伸び止め材２２の弛み、遊びができず、伸び止め材２２及び平ゴム２１の収まりがよくて重厚感も生じさせない。よって、ウエストベルト部１０において膨らみや凸状が生じて見栄えを低下させることも着心地に違和感を与えることもない。
しかし、本発明を実施する場合には、伸び止め材２２の長さに余裕を持たせ、ｘ＞ｙとすることも可能である。この場合には、ステッチ５５ａにかかる負荷も少なく、伸び止め材２２の引き攣り等も少なくできる。
【０１１２】
このように、ステッチ５５ａ及びステッチ５６間の接続部２０の長さ及びベルト調節部材４１の凸側ドット釦４２Ａと凸側ドット釦４２Ｂの間隔設定により延出部１１が収容部１２内に入る長さ、即ち、ウエスト長を縮小する長さを決定できる。
なお、ここでは、接続部２０が本来の長さ状態にあり、収容部１２に対し延出部１１を相対的に浅く挿入した状態における凸側ドット釦４３に対応する凸側ドット釦４２Ｂの位置を前提に、凸側ドット釦４２Ａの取付位置を設定しているが、後述するように、凸側ドット釦４２Ｂを設けない場合でも、ベルト調節部材４１への凸側ドット釦４２Ａの取付位置により収容部１２に対する延出部１１の結合深さを決定できる。
【０１１３】
こうして、本実施の形態１では、図７（ｂ）、図８（ａ）及び図９（ａ）及び図１０に示したように、収容部１２から延出部１１を抜き出す方向に移動させても収容部裏ベルト布１２Ｂの外面側に出されたベルト調節部材４１がそれ以上に貫通孔４５に引き戻されることのない状態では、接続部２０の平ゴム２１の端から突出した部分の伸び止め材２２に折重なりが生じておらず接続部２０が本来の長さ状態にあり、収容部１２に対し延出部１１が浅く挿入された状態である。
このとき、本実施の形態１では、ウエストベルト部１０のウエスト方向において、収容部裏ベルト布１２Ｂの外面に設けた凸側ドット釦４３の位置に対し、ベルト調節部材４１の凹側ドット釦４２Ｂの位置が一致し、ベルト調節部材４１に設けた凹側ドット釦４２Ｂと収容部裏ベルト布１２Ｂの外面に設けた凸側ドット釦４３とを係合（接合）させて、収容部裏ベルト布１２Ｂの外面にベルト調節部材４１を接合できるようになっている。
【０１１４】
これに対し、図７（ｃ）、図８（ｂ）及び図９（ｂ）及び図１１に示したように、収容部裏ベルト布１２Ｂの外面側に出されたベルト調節部材４１を貫通孔４５から長く引き出すことで、収容部１２に対して延出部１１が深く挿入される方向にベルト調節部材４１が引き寄せられ、収容部１２と延出部１１の間を接続する接続部２０において折重なり部４８が生じて、収容部１２に対して延出部１１を深く挿入することができる。そして、収容部１２に対し延出部１１が深く挿入された状態を、ベルト調節部材４１の凹側ドット釦４２Ａと収容部裏ベルト布１２Ｂの外面側の凸側ドット釦４３の係合により保持、固定できる。このように収容部１２に対し延出部１１を深く挿入することで、伸長させるウエストサイズを小さくできる。
【０１１５】
即ち、収容部裏ベルト布１２Ｂの外面側に出されたベルト調節部材４１を貫通孔４５から長く引き出して、ベルト調節部材４１の凹側ドット釦４２Ａと収容部裏ベルト布１２Ｂの凸側ドット釦４３を係合状態とすると、延出部１１がより深く収容部１２に入れられるから、ウエストサイズを小さくできる。
このとき、ステッチ５４及びステッチ５３間の伸び止め材２２の長さ、ベルト調節部材４１における凸側ドット釦４２Ａの取付位置等の設定により、例えば、ウエスト周り半周分で１〜２ｃｍ、ウエスト全周で２ｃｍ〜４ｃｍサイズダウンが可能である。
【０１１６】
こうして、本実施の形態１のスーツ用ズボン１では、伸長させるウエストサイズを変化させることが可能である。
特に、本実施の形態１では、収容部１２に対し延出部１１が浅く挿入された状態でも、ベルト調節部材４１に設けた凹側ドット釦４２Ｂと収容部裏ベルト布１２Ｂの外面に設けた凸側ドット釦４３とを係合（接合）させて、収容部裏ベルト布１２Ｂの外面にベルト調節部材４１を接合できるようになっており、収容部裏ベルト布１２Ｂの外面側の凸側ドット釦４３に係合させるベルト調節部材４１の凹側ドット釦４２Ａまたは凹側ドット釦４２Ｂの選択によって、ウエストサイズを変化させる操作を分かりやすくしている。
【０１１７】
即ち、ベルト調節部材４１の凹側ドット釦４２Ｂと収容部裏ベルト布１２Ｂの凸側ドット釦４３とが係合状態にあるときは、延出部１１が浅い深さで収容部１２に入れられるから、ウエストサイズが大きいものとなり、ベルト調節部材４１の凹側ドット釦４２Ａと収容部裏ベルト布１２Ｂの凸側ドット釦４３とが係合状態にあるときは、延出部１１が深く収容部１２に入れられるから、凹側ドット釦４２Ａと凸側ドット釦４３の係合状態のときよりもウエストサイズが小さくなる。このように収容部裏ベルト布１２Ｂの外面側の凸側ドット釦４３に係合させるベルト調節部材４１の凹側ドット釦４２Ａまたは凹側ドット釦４２Ｂの選択によって収容部１２に延出部１１を収めるその挿入深さを変化でき、収容部１２に延出部１１を重ねる結合深さを決定することで、ウエストサイズの変化を分かり易くしている。
【０１１８】
そして、本実施の形態１のスーツ用ズボン１は、上述したように、ウエストベルト部１０において収容部１２に延出部１１を重ね、収容部１２と延出部１１の間を平ゴム２１で弾性的に接続していることで、収容部１２に延出部１１を重ねる結合深さが浅くウエストサイズが相対的に大きいときでも、また、収容部裏ベルト布１２Ｂの外面側に出されたベルト調節部材４１を貫通孔４５から長く引き出してベルト調節部材４１の凹側ドット釦４２Ａと収容部裏ベルト布１２Ｂの凸側ドット釦４３を係合させることで収容部１２に延出部１１を重ねる結合深さを深くしてウエストサイズを小さくしたときでも、ウエストベルト部１０に対し引張り力が掛かった際には、収容部１２と延出部１１の間の平ゴム２１が伸びて収容部１２から延出部１１が多く延出することで、ウエストベルト部１０が伸長する。
【０１１９】
即ち、図１４(ａ)に示すように、収容部１２に対し延出部１１が浅い深さで収容部１２に入れられているウエストサイズが相対的に大の状態でも、ウエストベルト部１０に引張り力が掛かると、収容部１２と延出部１１を弾性的に接続している平ゴム２１によって、延出部１１が収容部１２から抜き出る方向に移動する。例えば、伸び止め材２２の折畳み長さによって平ゴム２１の最大伸びを１．５ｃｍ〜２ｃｍに規制していると、ウエスト周り半周分で平ゴム２１を１つ配置した構造では、ウエスト周り半周分で１．５ｃｍ〜２ｃｍ伸び、ウエスト全周で３ｃｍ〜４ｃｍウエストベルト部１０が伸びる。こうして、収容部１２と延出部１１を弾性的に接続している平ゴム２１の弾性力により更にウエストを伸ばすことができる。なお、上述したように、本実施の形態１では、収容部１２に対し延出部１１の挿入深さを浅くしたウエストサイズが大の状態でも、ベルト調節部材４１の凹側ドット釦４２Ｂと収容部裏ベルト布１２Ｂの外面側の凸側ドット釦４３との係合により、ベルト調節部材４１を収容部裏ベルト布１２Ｂの外面に接合、固定することで、ベルト調節部材４１の捲れ等を防止することができる。
【０１２０】
一方、図１４(ｂ)に示すように、収容部裏ベルト布１２Ｂの外面側に出されたベルト調節部材４１を貫通孔４５から長く引き出してベルト調節部材４１の凹側ドット釦４２Ａと収容部裏ベルト布１２Ｂの凸側ドット釦４３を係合し延出部１１を多く収容部１２に入れることでウエストサイズを小とした状態でも、ウエストベルト部１０に引張り力が掛かると、収容部１２と延出部１１を弾性的に接続している平ゴム２１によって、延出部１１が収容部１２から抜き出る方向に移動する。そして、この場合も、例えば、伸び止め材２２の折畳み長さによって平ゴム２１の最大伸びを１．５ｃｍ〜２ｃｍに規制していると、ウエスト周り半周分で平ゴム２１を１つ配置した構造では、ウエスト周り半周分で１．５ｃｍ〜２ｃｍ、ウエスト全周で３ｃｍ〜４ｃｍウエストベルト部１０が伸びる。こうして、サイズを小さくしたウエストであっても、収容部１２と延出部１１を弾性的に接続している平ゴム２１の弾性力によりそこから更にウエストを伸ばすことができる。
【０１２１】
例えば、図２及び図３に示したように、スーツ用ズボン１の左右の脇線ＬＳ，ＲＳ側で収容部１２と延出部１１を重ね合わせた重ね合わせ部１９を形成し、即ち、重ね合わせ部１９の構造を２箇所とし、収容部１２に対し延出部１１が浅い深さで入れられている状態において、即ち、ウエストサイズが大の状態において、平ゴム２１が未伸長状態でのウエストサイズ（ウエスト全長）を８２ｃｍに設定し、平ゴム２１の弾性力によるウエスト周り全長の最大伸びを３ｃｍに設定したとすると、ウエストベルト部１０に引張り力が掛かった際には平ゴム２１の伸びによってウエストサイズが８２ｃｍから更に３ｃｍ以内で伸びて、８２ｃｍ〜８５ｃｍのウエストサイズに変化する。
【０１２２】
更に、収容部１２に対して延出部１１が収容される方向にベルト調節部材４１を引き寄せ、ベルト調節部材４１を収容部裏ベルト布１２Ｂの外面側に長く引き出し、ベルト調節部材４１の凹側ドット釦４２Ａと収容部裏ベルト布１２Ｂの外面側の凸側ドット釦４３を係合させたときには、延出部１１がより深く収容部１２に入れられるから、ウエストサイズが小さくなる。このとき、例えば、Ｘ＝１ｃｍ、Ｙ＝１．５ｃｍに設定していたとすると、ウエスト全周で３ｃｍのサイズダウンとなるから、平ゴム２１が未伸長状態でのウエストサイズは７９ｃｍとなる。更にこの状態でウエストベルト部１０に引張り力が掛かった際には、７９ｃｍから３ｃｍ以内で伸びて、７９ｃｍ〜８２ｃｍのウエストサイズに変化する。
よって、このスーツ用ズボン１は、７９ｃｍ〜８２ｃｍの広範囲のウエストサイズに変化し、着用者の広範囲のウエストサイズに対応できる。
【０１２３】
したがって、従来、既製品として通常３ｃｍピッチでウエスト周り寸法を変えて市販されているスーツ用ズボンのうち、ウエスト周り寸法の異なる少なくとも２種類に代用可能となる。つまり、ウエスト回り寸法を６ｃｍ以上のピッチで調節可能である。６ｃｍピッチでウエスト周り寸法を変えることが可能であると、製造販売する規格製品を２分の１にすることもできる。その場合には、在庫負担を軽減でき、安価にスーツ用ズボン１を提供することも可能となる。
【０１２４】
そして、このように広範囲のウエストサイズに変化するも、本実施の形態１では、収容部裏ベルト布１２Ｂの外面側に出されたベルト調節部材４１の貫通孔４５からの引き出し長さの変更によって収容部１２に挿入される延出部１１の挿入深さが変化して、ウエストサイズの切替えを行うものであり、このウエストサイズの切替えによって、ウエストベルト部１０の表側及び裏側では、収容部１２に収容される延出部１１の挿入深さが変化するのみであり、ゴムの収縮の変化を表出させるものでないから、着用する人のウエストラインの見栄えも良い。
また、本実施の形態１では、ウエストベルト部１０の裏側で収容部裏ベルト布１２Ｂの外面に貫通孔４５からベルト調節部材４１が出され、ウエストベルト部１０の表面側からはベルト調節部材４１が見えないから、見栄えも維持される。
更に、本実施の形態１では、収容部裏ベルト布１２Ｂの凸側ドット釦４３に対するベルト調節部材４１の凹側ドット釦４２Ａまたは凹側ドット釦４２Ｂの係合位置の選択によってウエストサイズを変化できるから、着用者にとってウエストサイズの切替えも分かり易い。
【０１２５】
ここで、本実施の形態１において、延出部１１の延出部表ベルト布１１Ａは、前身頃４Ｆに対し、前中心ＦＣ側から脇ポケット部２のポケット口外縁２ｃの上端部の位置までステッチ５２ｂにて縫合されているが、脇ポケット部２のポケット口外縁２ｃの上端部の位置から脇線ＬＳ，ＲＳ寄りでは縫合されていない。即ち、収容部１２に挿入される先端部側は前身頃４Ｆに縫着されておらず収容部１２に挿入自在となっている。これより、図１４に示されるように、ウエストベルト部１０に引張り力が掛かったときには、脇ポケット部２のポケット口外縁２ｃの上部も延出部１１と一体に移動し、脇線ＬＳ，ＲＳ側、収容部１２の開口端側から離れる方向に位置する。このとき、脇ポケット部２の袋布２ａが表側から見えないようにするために、前身頃４と共地の当て布２ｄが左右１対の脇ポケット部２の外側に縫付けられている。
【０１２６】
即ち、本実施の形態１では、図１４（ａ）に示されるように、延出部１１が浅い深さで収容部１２に入っている状態、つまり、ウエストサイズが相対的に大のときにおいては、脇ポケット部２のポケット口外縁２ｃの上端部が、脇線ＬＳ，ＲＳから前中心ＦＣ寄りに所定距離離れた位置にある。そして、ウエストベルト部１０に引張り力が掛かると、脇ポケット部２のポケット口外縁２ｃの上端部も延出部１１が収容部１２から抜き出る方向に延出部１１と一体に移動し、脇線ＬＳ，ＲＳ側、収容部１２の開口端側から離れる方向に位置する。よって、脇ポケット部２の当て布２ｄが表出する面積が拡大する。
【０１２７】
一方で、収容部１２に対して延出部１１が収容される方向にベルト調節部材４１を引き寄せて、ベルト調節部材４１の凹側ドット釦４２Ａと収容部裏ベルト布１２Ｂの外面側の凸側ドット釦４３を係合させたときには、つまり、ウエストサイズを相対的に小さくしたときには、延出部１１はより深く収容部１２に入れられるから、図１４（ｂ）に示されるように、脇ポケット部２のポケット口外縁２ｃの上部も延出部１１と一体に移動して脇線ＬＳ，ＲＳ側に近づき、脇線ＬＳ，ＲＳの近傍、収容部１２の開口端の近傍に位置することになる。そして、このときも、ウエストベルト部１０に引張り力が掛かると、脇ポケット部２の外縁２ｃのポケット口上端部が延出部１１が収容部１２から抜き出る方向に延出部１１と一体に移動し、脇線ＬＳ，ＲＳ側、収容部１２の開口端側から離れる方向に位置するから、脇ポケット部２の当て布２ｄが表出する面積が拡大する。
【０１２８】
なお、脇ポケット部２のポケット口外縁２ｃの上端部と脇線ＬＳ，ＲＳとの間隔は、ウエストサイズの変化に対応させる。例えば、縮小させるウエストサイズをウエスト周り半周分で２ｃｍに設定した場合、脇ポケット部２のポケット口外縁２ｃの上端部と脇線ＬＳ，ＲＳとの間隔を２ｃｍ〜３ｃｍとし、図１４で示したように、ウエストサイズを小さくしたときに、脇ポケット部２のポケット口外縁２ｃが脇線ＬＳ，ＲＳに重なる程度に脇線ＬＳ側に近づける構成としてもよいし、図１５に示したように、ウエストサイズを小さくしたときでも、脇線ＬＳ，ＲＳから脇ポケット部２のポケット口外縁２ｃが所定距離離れるような構成としてもよい。
即ち、図１４に示すように、延出部１１が挿入される収容部１２の開口端と脇線ＬＳ，ＲＳとを一致させて、ウエストサイズを小さくしたときに脇ポケット部２のポケット口外縁２ｃが脇線ＬＳ，ＲＳに沿うかたちで脇ポケット部２の当て布２ｄが殆ど隠れるようにしてもよいし、図１５に示すように、延出部１１が挿入される収容部１２の開口端を脇線ＬＳ，ＲＳから、例えば、０．５ｃｍ〜１ｃｍ程度前中心ＦＣ寄りに設けて、ウエストサイズを小さくしたときでも脇線ＬＳ，ＲＳから脇ポケット部２のポケット口外縁２ｃが所定距離離れて、脇ポケット部２の当て布２ｄが表出するようにしてもよい。なお、延出部１１が収容部１２内に挿入される深さは、ポケット口外縁２ｃの上端部から収容部１２の開口端までの長さでの間で決定されることになる。
【０１２９】
特に、本実施の形態１では、上述したように、脇ポケット部２を構成する袋布２ａにタック２ｂを設けていることで、ウエストベルト部１０のウエスト周りが伸びる際に、タック２ｂが開かれる（広げられる）。
したがって、ウエストベルト部１０に引張り力がかかったときに、収容部１２から延出部１１が抜き出るが、この延出部１１の移動に伴って、タック２ｂが開かれる（広げられる）ことになるから、脇ポケット部２を構成する袋布２ａにかかる引張り力がタック２ｂの開きによって逃される。これより、ウエストベルト部１０の伸びを妨げることなくウエストをスムースに伸ばすことができる。また、タック２ｂを設けたことで袋布２ａが引き攣られることがなく、引張り力が表側に響いて脇ポケット部２が歪んだり脇ポケット部２の周辺にシワが寄ったりするのが防止される。よって、スーツ用ズボン１を表側から見たときの良好な見栄えを保つことができる。なお、タック２ｂの折り返し幅によっても、ウエストの伸びの限界を規定することも可能である。
【０１３０】
また、本実施の形態１においては、補助弾性材として幅の細い所定長さの平ゴム７の一端部が、脇ポケット部２の袋布２ａに形成されたタック２ｂを構成する上側の布地（図５（ｂ）においてタック２ｂの折れ線より左側の布地）の上端部に対して縫付けられ、また、反対側の他端部が、延出部表ベルト布１１Ａの上側の折り返し部分に縫付けられている。なお、このときのステッチ７ａ，７ｂはスーツ用ズボン１の表側からは見えない。
【０１３１】
このように補助弾性材としての平ゴム７で脇ポケット部２の袋布２ａのタック２ｂ近傍と延出部表ベルト布１１Ａとを弾性的に接続することで、平ゴム７の弾性力によって、タック２ｂの形状が維持され、延出部１１が移動する際に脇ポケット部２の袋布２ａの形状が崩れたり、ウエストベルト部１０及び身頃４Ｆ，４Ｂとの境界付近に皺がよったりして見栄えが悪くなったりするのを防止できる。
特に、本実施の形態１においては、補助弾性材として幅の細い所定長さの平ゴム７の一端部を、タック２ｂを構成する上側の袋布２ａの布地の上端部にステッチ７ａで縫付ける一方で、ウエストサイズが大、かつ、平ゴム２１が非伸縮状態で、反対側の他端部をステッチ７ａの上の位置で延出部表ベルト布１１Ａの上側の折り返し部分にステッチ７ｂで縫付け、ウエストベルト部１０のウエスト方向に対して直交方向に平ゴム７を直線状に設けている。これにより、収容部１２に対し延出部１１をより深く挿入しウエスト周りを小さくしたときでも、即ち、収容部１２に対し深く挿入される方向に延出部１１が移動したときでも、平ゴム７のステッチ７ｂ側が反対側のステッチ７ａから遠ざかる方向に延出部１１と共に移動することで、平ゴム７の撓み、浮き上がりが生じることもない。よって、ウエストベルト部１０及び身頃４Ｆ，４Ｂとの境界付近に皺や膨らみが生じることもなく、スーツ用ズボン１を表裏から見たときの良好な見栄えを維持できる。
【０１３２】
更に、本実施の形態１においては、平ゴム７とは別に延出部１１の形状を維持する補助弾性材としての幅の細い所定長さの平ゴム８を、延出部１１の先端部とウエストベルト部１０及び身頃４Ｆ，４Ｂとの境界付近との間に設けている。具体的に、平ゴム８の一端部は、平ゴム２１の下方で延出部裏ベルト布１１Ｂの先端部に縫付けられ、反対側の他端部は、後身頃４Ｂと収容部表ベルト布１２Ａの下側の折り返し部分に縫付けられている。これによって、平ゴム２１の弾性力により延出部１１の先端部側が収容部１２から出たり入ったりする場合でも、延出部裏ベルト布１１Ｂの捲れ、形状の崩れが防止され、延出部１１の先端部側がスムースに移動し、また、見栄えを維持することができる。特に平ゴム８の長さ方向の両端のうち延出部裏ベルト布１１Ｂの先端部側への縫付け位置が、反対側よりも若干高い位置に縫付けられ、平ゴム８の両端の縫付け高さに高低が付されると、伸長させるウエストサイズを変化させたときの平ゴム８の撓み、浮き上がりを少なくできる。
【０１３３】
ところで、本実施の形態１のスーツ用ズボン１において、伸び止め材２２の一方の端は、平ゴム２１の一方の端と共に延出部１１の先端部にステッチ５３にて縫付けられ、その延出部１１の先端は収容部１２内に収容されるため、延出部１１の先端部のステッチ５３は、スーツ用ズボン１の表側及び裏側の意匠面側からは見えない。また、平ゴム２１の他方の端は伸び止め材２２の中間部にステッチ５４で縫付けられ、収容部１２の内側に収容されるため、そのステッチ５４もスーツ用ズボン１の表側及び裏側の意匠面側からは見えない。しかしながら、伸び止め材２２の他方の端は、収容部表ベルト布１２Ａにステッチ５５にて縫付けられるため、伸び止め材２２を収容部表ベルト布１２Ａに縫付けたときのステッチ５５は収容部表ベルト布１２Ａの表裏面を貫通しスーツ用ズボン１の表側に出ることとなる。そこで、美観を向上させるためには、ウエストベルト部１０の表側でこのステッチ５５をベルト通し５（５Ａ）で隠すのが効果的である。
【０１３４】
このようなベルト通し５は、図１、図２及び図１４等で示すように、例えば、ウエストベルト部１０の表側で、延出部１１が延出される収容部１２の開口端を覆い隠すように収容部１２の表側の開口端縁にも取付けられる。このように収容部１２の開口端縁を、上下方向に延びる帯状をなすベルト通し５によって隠すと、見栄え・美観に優れる。勿論、スーツ用ズボン１のウエストベルト部１０の正面側及び背面側にも、同様のベルト通し５が適当な間隔をとって取付けられる。
【０１３５】
特に、本実施の形態１では、延出部１１及び収容部１２の間を弾性的に接続する接続部２０が、平ゴム２１及び伸び止め材２２で形成されており、伸び止め材２２の端部の一方が平ゴム２１の端部の一方と共に、延出部１１に縫付けられ、また、伸び止め材２２の途中に平ゴム２１の端部の他方が縫付けられ、伸び止め材２２の端部の他方が、収容部表ベルト布１２Ａの内面に縫付けられている。即ち、接続部２０においては、平ゴム２１の端からウエスト方向に突出した伸び止め材２２が収容部表ベルト布１２Ａにステッチ５５にて縫付けられる。このため、収容部１２の開口端をベルト通し５で隠すと、ステッチ５５を隠すための次のベルト通し５Ａは収容部１２の開口から離れた遠い位置にもってくることができる。故に、隣り合ったベルト通し５の間隔を長くし、ベルト通しの配置数を少なくすることも可能である。
【０１３６】
ところで、本発明を実施する場合には、ベルト調節部材４１への凹側ドット釦４２Ａ，４２Ｂの取付手段や、収容部１２の外面側への凸側ドット釦４３の取付手段は特に限定されないが、例えば、凹側ドット釦４２Ａ，４２Ｂを構成する凹パーツ（バネ、ソケットと称される）及びアタマパーツ（キャップ、トップ、ボタン、ツメと称される）がテープ状の土台布４７に取付けられた市販のテープスナップを適宜の長さで切断して、それをベルト調節部材４１に縫付けることで取付けてもよい。また、凸側ドット釦４３を構成する凸パーツ（ゲンコ、タボ、スタッドとも称される）及びホソパーツ（ポスト、あし、ツメと称される）についてもそれが土台布４７に取付けられた市販のテープスナップを適宜の長さで切断して、収容部１２に縫付けることで取付けてもよい。土台布４７としてはニット生地等の伸縮性の生地や、非伸縮性の生地が使用される。
【０１３７】
例えば、図１６においては、ベルト調節部材４１を身頃４Ａ，４Ｂと共地（綿生地、ウール生地等）の比較的厚みのある生地で形成し、身頃４Ａ，４Ｂと共布からなるベルト調節部材４１に対して、凹側ドット釦４２Ａが取付けられた土台布４７と凹側ドット釦４２Ｂが取付けられた土台布４７を縫付けている。また、収容部裏ベルト布１２Ｂの外面側にも凸側ドット釦４３が取付けられた土台布４７を縫付けている。
図１６において、凹側ドット釦４２Ａが取付けられた土台布４７と凹側ドット釦４２Ｂが取付けられた土台布４７は市販のテープスナップからそれぞれ別々に所定幅で切り出されたものである。市販のテープスナップから１個分の凹側ドット釦を備えた所定長さで２枚を切り出し、凹側ドット釦４２Ａと凹側ドット釦４２Ｂが所定の間隔幅（例えば、ｙ＝１ｃｍ〜２ｃｍ）となるように、凹側ドット釦４２Ａの土台布４７と凹側ドット釦４２Ｂの土台布４７の２枚をベルト調節部材４１に縫付けている。凸側ドット釦４３が取付けられた土台布４７についても、市販のテープスナップから１個分の凸側ドット釦を備えた所定長さで切り出し収容部裏ベルト布１２Ｂの外面側に縫付けたものである。なお、図１６において、ベルト調節部材４１は、その先端側に向かって突状とし、貫通孔４５に挿入しやすくしている。このときの貫通孔４５（ボタンホール）の縦幅長さは、例えば、１．５ｃｍ〜２．５ｃｍ程度であり、土台布４７及びベルト調節部材４１の縦幅は、例えば、１．５ｃｍ〜２ｃｍ程度である。
【０１３８】
勿論、市販のテープスナップに限らず、例えば、土台布４７を非伸縮性の生地、サテンテープ、接着芯等で構成し、それに凹側ドット釦４２Ａ，４２Ｂを取付けたものを使用してもよい。
また、ベルト調節部材４１をリボンテープ、サテンテープ、接着芯等の薄い生地で形成し、それら薄い生地からなるベルト調節部材４１に対して、凹側ドット釦４２Ａ，４２Ｂが取付けられた土台布４７を縫付けても良い。特に、リボンテープ、サテンテープ等はポリエステル等の光沢のある滑り易い素材であるから、貫通孔４５からベルト調節部材４１を引き出す動作がスムースになる。
【０１３９】
また、図１７に示すように、市販のテープスナップから、凹側ドット釦４２Ａと凹側ドット釦４２Ｂの２個分の凹側ドット釦を備えた所定長さの１枚を切り出し、それをベルト調節部材４１としてもよい。即ち、ベルト調節部材４１を凹側ドット釦４２Ａと凹側ドット釦４２Ｂが取付けられた土台布４７で構成してもよい。勿論、市販のテープスナップに限らず、例えば、土台布４７を非伸縮性の生地、サテンテープ、接着芯等で構成し、それに凹側ドット釦４２Ａ，４２Ｂを取付けたものをベルト調節部材４１としてもよい。
なお、図１７においても、収容部１２の外面側にも凸側ドット釦４３が取付けられた土台布４７を縫付けている。
【０１４０】
このとき、２個分の凹側ドット釦を備えた所定長さの１枚を用いる場合には、図１７に示すように、凹側ドット釦４２Ａと凹側ドット釦４２Ｂの間を所定の間隔幅（例えば、ｙ＝１ｃｍ〜２ｃｍ）とするために、凹側ドット釦４２Ａと凹側ドット釦４２Ｂの間で土台布４７を折重ねてその重なり部分４２ａを縫合してもよい。なお、このとき、図１７に示すように、その折重ね部分４２ａに凹側ドット釦４２Ａまたは凹側ドット釦４２Ｂの何れかが位置するようにし、凹側ドット釦のアタマパーツを折重ね部分４２ａで覆うようにすると、ウエストベルト部１０の腰裏側に出されるベルト調節部材４１において、凹側ドット釦４２Ａまたは凹側ドット釦４２Ｂのアタマパーツが表出せず、肌当たりを少なくできる。なお、図１７において、ベルト調節部材４１は、その先端側を補強のために折り重ねて、捲れ等を生じ難くしている。
勿論、１個分の凹側ドット釦を備えた所定長さで２枚を切り出し、それらの２枚を接続して土台布４７からなるベルト調節部材４１を形成してもよい。
【０１４１】
更に、本発明を実施する場合には、ベルト調節部材４１に設けた凹側ドット釦４２Ａまたは凹側ドット釦４２Ｂのうち、ウエストサイズが大のときにベルト調節部材４１をウエストベルト部１０の腰裏の外面側に接合するための凹側ドット釦４２Ｂを省略し、図１８や図１９に示すように、ウエストサイズを縮小するときにベルト調節部材４１をウエストベルト部１０の腰裏の外面側に接合するための凹側ドット釦４２Ａのみとすることも可能である。
【０１４２】
上述したように、上記実施の形態１においては、ベルト調節部材４１に凹側ドット釦４２Ｂを設けて、ベルト調節部材４１の凹側ドット釦４２Ｂと収容部裏ベルト布１２Ｂの凸側ドット釦４３の係合でウエストサイズが大のときでもベルト調節部材４１をウエストベルト部１０の腰裏側に接合できるようしている。これにより、収容部裏ベルト布１２Ｂの凸側ドット釦４３に対し、凹側ドット釦４２Ａまたは凹側ドット釦４２Ｂの選択でウエストサイズの調節の切換えを行うことをスーツ用ズボン１の着用者に対して視覚的に分かり易くしている。また、ウエストサイズが大のときでも収容部裏ベルト布１２Ｂに出されたベルト調節部材４１をウエストベルト部１０の腰裏の外面に接合できると、ベルト調節部材４１が薄い生地であってもベルト調節部材４１の捲れや反り返り等が生じ難く、見栄えが維持される。
【０１４３】
しかし、本発明を実施する場合には、延出部１１が相対的に浅い深さで収容部１２に入るウエストサイズを大とする状態では、収容部裏ベルト布１２Ｂの凸側ドット釦４３に係合する凹側ドット釦４２Ｂをベルト調節部材４１に設けなくても、貫通孔４５から収容部裏ベルト布１２Ｂの外面側に出されたベルト調節部材４１がウエストの動きで動くようなことはない。即ち、収容部裏ベルト布１２Ｂの外面側に出されたベルト調節部材４１が貫通孔４５にそれ以上引き戻されるようなことはない。したがって、凹側ドット釦４２Ｂを省略し、ウエストサイズを大とする状態ではベルト調節部材４１の面をウエストベルト部１０の腰裏面側に固定しない構成としてもよい。
【０１４４】
即ち、ベルト調節部材４１は、平ゴム２１にステッチ５６にて縫付けられており、延出部１１が相対的に浅い深さで収容部１２に入るウエストサイズを大とする状態では、伸び止め材２２の一端部及び平ゴム２１の一端部を延出部１１の先端部に縫付けたときのステッチ５３と、伸び止め材２２の他端部を収容部表ベルト布１２Ａの内面側に縫付けたときのステッチ５５との間の長さは折り重なりが生じていない本来の状態とするから、ウエストベルト部１０に引張り力が掛かっても、ステッチ５６よりも延出部１１側で伸び止め材２２を弛んだ状態でステッチ５４とステッチ５３で縫付けていることでステッチ５４とステッチ５３の間で平ゴム２１が伸びるが、その伸びに伴い延出部１１が移動するだけで、ベルト調節部材４１は何ら影響を受けることなく、ベルト調節部材４１がウエストの動きで動くようなことはない。
【０１４５】
したがって、凹側ドット釦４２Ｂを省略して、ウエストサイズを縮小するときだけベルト調節部材４１をウエストベルト部１０の腰裏の外面側に接合するための凹側ドット釦４２Ａのみをベルト調節部材４１に対して設ける構成、即ち、ウエストサイズを小さくするときのみだけ、延出部１１が深い深さで収容部１２に入った状態を固定するためにベルト調節部材４１の凹側ドット釦４２Ａと収容部裏ベルト布１２Ｂの凸側ドット釦４３を係合する構成とすることもできる。このようなベルト調節部材４１に凹側ドット釦４２Ａのみを設ける構成では、縫製工程が少なくなり、縫製が簡単で低コストで済むことになる。
【０１４６】
特に、図１８に示すように、市販のテープスナップから、１個の凸側ドット釦を備えた所定長さの１枚を切り出し、それをベルト調節部材４１とすると、即ち、ベルト調節部材４１を凹側ドット釦４２Ａが取付けられた土台布４７で構成すると、ベルト調節部材４１の形成が極めて容易にできる。また、貫通孔４５への出入りの動きをスムースにできる。このときの土台布４７としてもニット生地等の伸縮性の生地や、非伸縮性の生地が使用されるが、非伸縮性の生地であると繰り返しの洗濯によっても捲れや反り返り等が生じ難くなるから、ウエストベルト部１０の腰裏面側に出されたベルト調節部材４１の見栄えがよくなる。なお、ベルト調節部材４１は、その部端側を補強のために折り重ねて、捲れ等を生じ難くしている。
勿論、市販のテープスナップに限らず、例えば、土台布４７を非伸縮性の生地、サテンテープ、接着芯等で構成し、それに凹側ドット釦４２Ａを取付けたものを使用してもよい。
【０１４７】
また、図１９に示すように、土台布４７が非伸縮性の生地であっても、土台布４７をリボンテープ、サテンテープ等の補強布４８と縫合してベルト調節部材４１を形成すると、繰り返しの洗濯によっても捲れや反り返り等がより生じ難くなり、ウエストベルト部１０の腰裏面側に出されたベルト調節部材４１の見栄え及び耐久性がより向上する。
【０１４８】
勿論、上述したように、市販のテープスナップを切り出して、凹側ドット釦４２Ａ，４２Ｂを構成する凹パーツ（バネ、ソケットと称される）とそれに対応するアタマパーツ（キャップ、トップ、ボタン、ツメと称される）が取付けられた土台布４７を、それとは別布からなるベルト調節部材４１に縫付けることに限定されず、ベルト調節部材４１を身頃４Ａ，４Ｂと共布、リボンテープ、サテンテープ、芯地等で形成し、それに凹側ドット釦４２Ａ，４２Ｂの凹パーツとアタマパーツを直接取付けてもよい。また、凸側ドット釦４３を構成する凸パーツとそれに対応するホソパーツが取付けられた土台布４７を収容部裏ベルト布１２Ｂの外面側に縫付けることに限定されず、凹側ドット釦の凸パーツとホソパーツを直接収容部裏ベルト布１２Ｂに取付けてもよい。
【０１４９】
こうして、本実施の形態１では、収容部１２及び延出部１１の間を接続する接続部２０を構成する平ゴム２１に縫付けられ、ウエストベルト部１０の裏側を形成する収容部裏ベルト布１２Ｂに設けた貫通穴４５からウエストベルト部１０の裏側の外面側に出されたベルト調節部材４１と、ベルト調節部材４１の片面に設けた凹側ドット釦４２Ａと、ウエストベルト部１０の裏側を形成する収容部裏ベルト布１２Ｂの外面側に設けた凸側ドット釦４３とによってベルト調節手段を構成している。
【０１５０】
これより、貫通穴４５からウエストベルト部１０の裏側の外面側に出されたベルト調節部材４１を長く引き出すと、ベルト調節部材４１が縫付けられた平ゴム２１が収容部１２に奥深く引き寄せられ、平ゴム２１に接続している延出部１１が収容部１２に深く挿入されることになる。即ち、ウエストベルト部１０の裏側の外面側に出されたベルト調節部材４１を貫通穴４５から長く引き出すと、平ゴム２１を介して、延出部１１がより深く（多く）収容部１２内に入れられることになる。
なお、このとき、本実施の形態１では、収容部１２及び延出部１１の間を接続する接続部２０が、平ゴム２１とそれに並設し平ゴム２１の端から突出して収容部１２の内部にステッチ５５にて縫付けた伸び止め材２２とから構成されているから、ウエストベルト部１０の裏側の外面側に出されたベルト調節部材４１を貫通穴４５から長く引き出すと、ベルト調節部材４１が縫付けられた平ゴム２１が収容部１２に奥深く引き寄せられることで、ステッチ５５ａ及びベルト調節部材４１を平ゴム２１に縫付けたときのステッチ５６の間の接続部２０が折り畳まれ、折り畳み部４８が形成される。
【０１５１】
そして、ウエストベルト部１０の裏側の外面側で貫通穴４５から長く引き出されたベルト調節部材４１は、ベルト調節部材４１の片面に設けた凹側ドット釦４２Ａと、ウエストベルト部１０の裏側を形成する収容部裏ベルト布１２Ｂの外面側に設けた凸側ドット釦４３との係合によって収容部裏ベルト布１２Ｂの外面側に固定することができる。
【０１５２】
このようにして本実施の形態１では、ベルト調節部材４１を貫通穴４５から長く引き出して、ベルト調節部材４１の片面に設けた凹側ドット釦４２Ａと、ウエストベルト部１０の裏側を形成する収容部裏ベルト布１２Ｂの外面側に設けた凸側ドット釦４３とを係合することにより、貫通穴４５から長く引き出された状態でベルト調節部材４１を収容部裏ベルト布１２Ｂの外面側に固定する。これにより、収容部１２に対する延出部１１の挿入深さが深くなるから、ウエストベルト部１０の周囲長が小さくなる。よって、着用者のウエストがサイズダウンしたときでも、それに対応することができる。特に、このようにウエストベルト部１０の周囲長を縮小させサイズダウンした状態でも、ウエストベルト部１０に引張り力が掛かると、収容部１２と延出部１１を弾性的に接続している平ゴム２１が伸び、延出部１１が収容部１２から抜きだす方向に移動して、ウエスト周りが伸びる。即ち、平ゴム２１及び平ゴム３３の弾性力により、ウエスト周りが伸縮自在である。よって、ウエストの動き、変化に追従するフィット感を得ることができる。
【０１５３】
一方、ベルト調節部材４１の片面に設けた凹側ドット釦４２Ａと、ウエストベルト部１０の裏側を形成する収容部裏ベルト布１２Ｂの外面側に設けた凸側ドット釦４３との係合が解除されていて、収容部裏ベルト布１２Ｂの外面側に出されたベルト調節部材４１が貫通穴４５にこれ以上引き戻されることのない状態では、収容部１２内の延出部１１の挿入深さが浅く、ウエストベルト部１０の周囲長が大きくなる。よって、着用者のウエストが増大したときでも、それに対応することができる。特に、このようにウエストベルト部１０の周囲長が拡大された状態でも、ウエストベルト部１０に引張り力が掛かると、収容部１２と延出部１１を弾性的に接続している平ゴム２１が伸び、延出部１１が収容部１２から抜きだす方向に移動することで、ウエスト周りが伸びる。即ち、平ゴム２１及び平ゴム３３の弾性力により、ウエスト周りが伸縮自在である。よって、ウエストの動き、変化に追従するフィット感を得ることができる。
【０１５４】
特に、本実施の形態１のスーツ用ズボン１によれば、収容部裏ベルト布１２Ｂの外面側でベルト調節部材４１の長さ調節操作、凹側ドット釦４２Ａ，４２Ｂと凸側ドット釦４３の係合または解除操作によって、ウエストベルト部１０のウエストサイズを容易に変更できる。また、ウエストサイズを調節するベルト調節手段を構成するベルト調節部材４１と、凹側ドット釦４２Ａ，４２Ｂ及び凸側ドット釦４３の係合構造とがウエストベルト部１０の腰裏側に配設されウエストベルト部１０の表側に露呈しないことで、スーツ用ズボン１の表側からはウエストサイズを調節する構造の存在が分からないようにしているから、見栄えもよく、表側のデザインの設計自由度も維持される。更に、ウエストベルト部１０の腰裏側にウエストサイズを調節する構造が存在するから、それによってタックインしたシャツを押さえてずれ上がりを防止することもできる。加えて、上記実施の形態１では、平ゴム２１の端部から突出させた伸び止め材２２の端部が、収容部表ベルト布１２Ａ側の内面（裏面）に縫付けられるものであり、平ゴム２１の面方向と並行方向への縫付けであるから、縫製に不慣れな熟練者にもその縫付けが分かりやすく、熟練の有無に関わらず、正確な縫製が容易にでき作業効率もよい。
【０１５５】
こうして、本実施の形態１のスーツ用ズボン１によれば、ウエストベルト部１０のウエストサイズを容易に、かつ、見栄え良く増減変更可能として広範囲のウエストサイズの変化に対応できるうえ、ウエストの動き、変化に追従するフィット感も得ることができる。
【０１５６】
したがって、本実施の形態１のスーツ用ズボン１によれば、着用者が運動やダイエット等によってウエストがサイズダウンした場合でも、或いは、体重の増加やリバウンド等でウエストサイズが増大した場合でも、ウエストベルト部１０のウエストサイズを変化させて、着用し続けることができ、経済的である。また、子供服の場合のようにウエストサイズが頻繁に変化する場合や、着用者のウエスト体型の大幅の変化にも対応可能であるから、女性のマタニティ用として出産前後の短期間でウエストが変化する場合でも、ウエストベルト部１０のウエストサイズを変化させて長い間着用し続けることができ、経済的なものとなる。
【０１５７】
そして、本実施の形態１のスーツ用ズボン１では、平ゴム２１に縫付けられ、収容部裏ベルト布１２Ｂに設けた貫通穴４５から収容部裏ベルト布１２Ｂの外面側に出されたベルト調節部材４１、ベルト調節部材４１に設けた凹側ドット釦４２Ａ、及び収容部裏ベルト布１２Ｂの外面側に設けた凸側ドット釦４３からなり、収容部１２に対して延出部１１が挿入される深さを可変する調節手段、並びに、収容部１２及び延出部１１を弾性的に接続している平らゴム２１によって、広範囲のウエストサイズの変化を獲得するものであり、広範囲のウエストサイズの変化を弾性材の特性のみに依存するものでもないから、耐久性や弾性材の伸縮に伴う皺、襞の発生等の見栄えの問題も生じない。したがって、耐久性を損なうことなしに見栄え良くウエストサイズを広範囲で変化させることができ、着用者の広範囲のウエストサイズの変化に対応できる。更に、着座時や飲食前後等における着用者のウエストサイズの動き、変化に対してもそれに追従する高いフィット性、快適な着用感が得られる。
【０１５８】
このように本実施の形態１のウエスト伸縮自在ボトムスとしてのスーツ用ズボン１は、ウエスト方向に延びる帯状をなすウエストベルト部１０を有するウエスト伸縮自在ボトムスとしてのスーツ用ズボン１であって、ウエストベルト部１０の表側及び裏側を形成し、身頃４Ｆ，４Ｂに縫着しない端部側が延出自在な延出部１１と、延出部１１と共にウエストベルト部１０の表側及び裏側を形成し、延出部１１の身頃４Ｆ，４Ｂに縫着しない端部側を収容した収容部１２と、収容部１２の内部で収容部１２と延出部１１の間を弾性材としての平ゴム２１によって弾性的に接続した接続部２０と、平ゴム２１に縫付けられ、ウエストベルト部１０の裏側を形成する収容部裏ベルト布１２Ｂに設けた貫通穴４５からウエストベルト部１０の裏側の外面側に出されたベルト調節部材４１、ベルト調節部材４１の片面に設けた凹側ドット釦４２Ａ、及びウエストベルト部１０の裏側を形成する収容部裏ベルト布１２Ｂの外面側に設けた凸側ドット釦４３からなり、収容部１２に対して延出部１１が挿入される深さを可変する調節手段とを具備するものである。
【０１５９】
本実施の形態１のウエスト伸縮自在ボトムスとしてのスーツ用ズボン１によれば、ウエストベルト部１０の表側及び裏側を形成する延出部１１と収容部１２の間が接続部２０の平ゴム２１によって弾性的に接続されていることで、ウエストベルト部１０においてウエスト方向に引張り力が掛かった際には、この平ゴム２１の伸びによって、収容部１２から延出部１１が延出することにより、ウエストベルト部１０は伸長する。また、引張り力が弱まると、平ゴム２１の弾性力によって、伸長したウエストベルト部１０が収縮する。よって、ウエストベルト部１０は伸縮自在である。
【０１６０】
更に、平ゴム２１に縫付けられ、ウエストベルト部１０の裏側を形成する収容部裏ベルト布１２Ｂに設けた貫通穴４５からウエストベルト部１０の裏側の外面側に出されたベルト調節部材４１と、ベルト調節部材４１の片面に設けた凹側ドット釦４２Ａと、ウエストベルト部１０の裏側を形成する収容部裏ベルト布１２Ｂの外面側に設けた凸側ドット釦４３とからなる調節手段によって、ウエストベルト部１０の表裏を構成している収容部１２及び延収部１１の関係について、収容部１２に対し延出部１１が挿入する深さを可変するから、ウエストベルト部１０のウエスト方向の長さ、即ち、ウエストサイズを変化できる。つまり、伸縮させるウエスト周りの長さを変化させることができる。
【０１６１】
このように、平ゴム２１に縫付けられ、ウエストベルト部１０の裏側を形成する収容部裏ベルト布１２Ｂに設けた貫通穴４５からウエストベルト部１０の裏側の外面側に出されたベルト調節部材４１と、ベルト調節部材４１の片面に設けた凹側ドット釦４２Ａと、ウエストベルト部１０の裏側を形成する収容部裏ベルト布１２Ｂの外面側に設けた凸側ドット釦４３とからなる調節手段によって収容部１２に対し延出部１１が挿入する深さを可変することで、ウエストサイズを変化できるうえ、収容部１２及び延出部１１の間を接続部２０の平ゴム２１によって弾性的に接続しているから、収容部１２に対する延出部１１の結合深さを相対的に浅くしてウエスト周囲長を長くした状態でも、また、収容部１２に対する延出部１１の結合深さを相対的に深くしてウエスト周囲長を小さくした状態でも、ウエスト方向に引張り力が掛かった際には、収容部１２及び延出部１１を弾性的に接続している接続部２０の平ゴム２１の伸びによって延出部１１が収容部１２から抜き出てウエスト方向に移動し、ウエスト周りが伸長する。
【０１６２】
よって、ウエストサイズを広範囲に亘って変化させることができ、着用者の広範囲のウエストサイズの変化に対しても対応可能である。また、ウエストベルト部１０のウエストサイズを大きくしたときでも小さくしたときでも、収容部１２及び延出部１１を弾性的に接続している接続部２０の平ゴム２１の伸びによってウエストサイズを連続的に変化できるからウエストの変化、動きに追従したフィット性が得られ、着用時のウエスト周りのフィット感に優れる。
こうして、広範囲のウエストサイズに変化でき、また、着用者のウエストの動き、変化に対してもそれに追従するフィット性が得られるウエスト伸縮自在ボトムスとしてのスーツ用ズボン１となる。
【０１６３】
特に、本実施の形態１のウエスト伸縮自在ボトムスとしてのスーツ用ズボン１の調節手段は、収容部１２に延出部１１が挿入される深さを可変するためのベルト調節部材４１の一端を収容部１２及び延出部１１の間を接続する接続部２０に接続し、このベルト調節部材４１に凹側ドット釦４２Ａ及び凸側ドット釦４３からなる１対の係合部材の一方である凹側ドット釦４２Ａを設け、また、ウエストベルト部１０裏側を形成する収容部裏ベルト布１２Ｂの外面側に凹側ドット釦４２Ａ及び凸側ドット釦４３からなる１対の係合部材の他方である凸側ドット釦４３を設け、更に、ウエストベルト部１０裏側の収容部裏ベルト布１２Ｂにベルト調節部材４１を通す貫通穴４５を設けてなり、貫通穴４５に通されウエストベルト部１０裏側に出されたベルト調節部材４１を貫通穴４５から長く引き出し、ウエストベルト部１０裏側に出されたベルト調節部材４１をウエストベルト部１０裏側の収容部１２の外面側に対し１対の係合部材としての凹側ドット釦４２Ａ及び凸側ドット釦４３の係合により接合することによって、収容部１２に対し延出部１１が深く挿入された状態が保持される。
【０１６４】
即ち、本実施の形態１のウエスト伸縮自在ボトムスとしてのスーツ用ズボン１によれば、収容部１２及び延出部１１の間を接続する接続部２０にベルト調節部材４１の一端を接続し、更にベルト調節部材４１をウエストベルト部１０裏側を形成する収容部裏ベルト布１２Ｂに設けた貫通穴４５から収容部１２の外面側に出し、このベルト調節部材４１を貫通穴４５から長く引き出すことによって、収容部１２に対し延出部１１を深く挿入する。そして、収容部１２に対し延出部１１を深く挿入した状態を、ウエストベルト部１０裏側の収容部１２の外面側に対しベルト調節部材４１を１対の係合部材としての凹側ドット釦４２Ａ及び凸側ドット釦４３の係合により接合することによって保持、固定される。このようにして延出部１１の収容部１２に入れる挿入深さを深くすることでウエスト周囲長を短縮、即ち、ウエストサイズを小さくできる。
【０１６５】
こうして、本実施の形態１のウエスト伸縮自在ボトムスとしてのスーツ用ズボン１によれば、ウエストベルト部１０裏側の収容部裏ベルト布１２Ｂの外面側でベルト調節部材４１の引き出し操作及び１対の係合部材としての凹側ドット釦４２Ａ及び凸側ドット釦４３による係合操作を行うものであるから、着用者にとって、ウエストサイズの変更が分かり易くて操作もしやすく、使い勝手がよい。また、ウエストベルト部１０裏側の収容部裏ベルト布１２Ｂの外面側のベルト調節部材４１と１対の係合部材としての凹側ドット釦４２Ａ及び凸側ドット釦４３は、ウエストベルト部１０表側からは見えないから、見栄え、美観を確保できる。
【０１６６】
特に、収容部１２の内部で延出部１１及び収容部１２の間を接続部２０の平ゴム２１によって弾性的に接続する構成とし、ウエストベルト部１０の表側及び裏側の意匠面側からは平ゴム２１が隠れて見た目に伸縮するのが分かり難い。また、ベルト調節部材４１と１対の係合部材としての凹側ドット釦４２Ａ及び凸側ドット釦４３もウエストベルト部１０の裏側に設けて表側からは分からなくして、ウエストサイズのサイズダウンやサイズアップの変化も分かり難くしている。よって、ウエスト周りの外観の美観に優れる。そして、収容部１２に挿入する延出部１１の深さを変化させる構造によって、サイズダウンやサイズアップしてウエストサイズを変化させるものであり、ウエストサイズの変化をゴムの弾性力のみに頼るものでないから、着用時にゴムによるツッパリを感じさせることもなく、見栄え及び耐久性を確保しつつ、広範囲のウエストサイズに変化させることができる。
【０１６７】
更に、本実施の形態１のウエスト伸縮自在ボトムスとしてのスーツ用ズボン１のウエストベルト部１０は、ベルト調節部材４１において、凹側ドット釦４２Ａ及び凸側ドット釦４３からなる１対の係合部材の一方としての凹側ドット釦４２Ａとは別に、収容部１２の外面側に設けた凹側ドット釦４２Ａ及び凸側ドット釦４３からなる１対の係合部材の他方としての凸側ドット釦４３に対応させる他の係合部材としての凹側ドット釦４２Ｂを設け、収容部１２に対して延出部１１を深く挿入しないときでも、収容部１２の外面側に設けた凹側ドット釦４２Ａ及び凸側ドット釦４３からなる１対の係合部材の他方としての凸側ドット釦４３に対し、ベルト調節部材４１の他の係合部材としての凹側ドット釦４２Ｂを係合させることによって、ベルト調節部材４１を収容部１２の外面側に接合自在である。
【０１６８】
したがって、本実施の形態１のウエスト伸縮自在ボトムスとしてのスーツ用ズボン１によれば、収容部１２に対して延出部１１を深く挿入しないとき、即ち、ウエストサイズを小さくしないときでも、ベルト調節部材４１を収容部１２の外面側に接合できるから、収容部１２の外面側に出されたベルト調節部材４１の捲れ等が防止され、見栄えを維持できる。
【０１６９】
また、本実施の形態１のウエスト伸縮自在ボトムスとしてのスーツ用ズボン１の１対の係合部材は、凹側ドット釦４２Ａ及び凸側ドット釦４３からなる１対のドット釦であるから、ウエストサイズを調節する操作が簡単であり、特に、着用しながらの係合及びその解除の操作も容易で、簡単に素早くウエストサイズを変更できる。また、ウエストベルト部１０の伸縮によっても係合が外れ難く、強固な係合が可能であり、着用しながらウエストサイズを調節できる信頼性も高い。
【０１７０】
そして、本実施の形態１のウエスト伸縮自在ボトムスとしてのスーツ用ズボン１によれば、収容部１２及び延出部１１の間を弾性的に接続し、一端側が延出部１１に縫付けられた弾性材としての平ゴム２１には、その最大伸びを制限する伸び止め材２２を並設しているから、伸び止め材２２によって平ゴム２１の伸びを制限することができるので、平ゴム２１に無理な引張り力が掛かるのを防止することができ、平ゴム２１を長持ちさせることができる。
また、伸び止め材２２は、弾性材としての平ゴム２１の最大伸びに相当する長さだけ弛ませて弾性材としての平ゴム２１の長さ方向の両端側に縫付けられ、更に、弾性材としての平ゴム２１の延出部１１側とは反対側の他端よりも突出して収容部１２の内部に縫付けられている。この伸び止め材２２は平ゴム２１の伸びを制限できれば平ゴム２１よりも厚みが薄いものを使用できる。よって、収容部１２の外面側に出されたベルト調節部材４１を貫通穴４５から長く引き出して、延出部１１に対し収容部１２に入れる挿入深さを深くするのに伴い、収容部１２と延出部１１の間の接続部２０が折重ねられるときでも、伸び止め材２２が平ゴム２１よりも厚みが薄いと、折重なりやすく、ウエストベルト部１０の嵩張り、膨らみを抑えて見栄えや着用感を維持できる。
【０１７１】
加えて、本実施の形態１のウエスト伸縮自在ボトムスとしてのスーツ用ズボン１によれば、更に、ウエストベルト部１０の収容部１２の外面側には、そこに設けられた貫通孔４５を覆って隠すための被覆地４６を縫付けたことによって、被覆地４６により貫通孔４５が隠れて見栄えがよくなる。被覆地４６に、例えば、ワッペン、布ネーム、皮ラベル等を用い、そこにパンツのブランド名、製造会社等が記載されると意匠的効果を独特なものとすることもできる。
【０１７２】
なお、上記実施の形態１においては、ベルト調節部材４１側に凹側ドット釦４２Ａ，４２Ｂを設け、収容部裏ベルト布１２Ｂの外面側に凸側ドット釦４３を設けているが、本発明を実施する場合には、ベルト調節部材４１側を凸側ドット釦とし、収容部裏ベルト布１２Ｂの外面側を凹側ドット釦としてもよい。何れにせよ、使用状態では、凸側ドット釦の凸パーツも凹側ドット釦の凹パーツも腰裏側に表出しないから、着用者の肌に直接当たることはなく、肌を圧迫することもないため、快適に着用できる。
【０１７３】
また、上記実施の形態１においては、収容部１２及び延出部１１の間を接続する接続部２０が、平ゴム２１とそれに並設し平ゴム２１の端から突出して収容部１２の内部にステッチ５５にて縫付けた伸び止め材２２とから構成されているが、本発明を実施する場合には、平ゴム２１のみで接続部２０を構成してもよいし、平ゴム２１に伸び止め材２２を並設するも、収容部１２の内部に対しては平ゴム２１を縫付けるようにしてもよい。このとき、ベルト調節部材４１に縫付けた平ゴム２１が収容部１２に奥深く引き寄せられると、平ゴム２１に折り重ね部４８が形成されることになる。
【０１７４】
更に、上記実施の形態１では、平ゴム２１の表裏面のうち、収容部表ベルト部１２Ａ側に伸び止め材２２を縫着する説明としたが、本発明を実施する場合には、収容部表ベルト部１２Ａ側とは反対面側の収容部裏ベルト布１２Ｂ側に伸び止め材２２を縫着してもよい。この場合には、平ゴム２１に対し、その収容部裏ベルト布１２Ｂ側に伸び止め材２２が縫着されると共に、更に、その平ゴム２１及び伸び止め材２２に対し、収容部裏ベルト布１２Ｂ側で、ベルト調節部材４１が縫付けられる。
【０１７５】
［実施の形態２］
次に、本発明の実施の形態２に係るウエスト伸縮自在ボトムスについて、図２０乃至図６を参照して説明する。
上記実施の形態１に係るスーツ用ズボン１では、収容部裏ベルト布１２Ｂに設けた貫通孔４５より収容部裏ベルト布１２Ｂの裏面側から表面側(外面側)にベルト調節部材４１を通すことによって、ベルト調節部材４１が収容部裏ベルト布１２Ｂの外面側に出され、ベルト調節部材４１と、凹側ドット釦４２Ａ，４２Ｂ及び凸側ドット釦４３の係合構造とによるウエストサイズ調節の操作が、収容部裏ベルト布１２Ｂの外面側、即ち、ウエストベルト部１０の裏側で行われる。
【０１７６】
これに対し、本実施の形態２に係るウエスト伸縮自在ボトムスとしてのスーツ用ズボン１は、図２０に示したように、ウエストサイズを可変する操作の構造をウエストベルト部１０の表側に配置したものである。即ち、ウエストベルト部１０の表側にベルト調節部材４１を出して、ウエストベルト部１０の表側で凹側ドット釦４２Ａ，４２Ｂと凸側ドット釦４３の係合操作を行うようにしたものである。
【０１７７】
即ち、図２２に示すように、本実施の形態２では、ベルト調節部材４１が通される貫通孔４５を収容部表ベルト布１２Ａ側に設け、そして、ベルト調節部材の凹側ドット釦４２Ａ，４２Ｂに対応する凸側ドット釦４３を、収容部表ベルト布１２Ａの外面側（意匠面側）に設ける。これにより、貫通孔４５に対し収容部表ベルト布１２Ａの内面側から表面側(外面側)にベルト調節部材４１を通し、収容部表ベルト布１２Ａの外面側に出されたベルト調節部材４１の凹側ドット釦４２Ａ，４２Ｂを収容部表ベルト布１２Ａの外面側に設けた凸側ドット釦４３に係合自在とする。
【０１７８】
こうして本実施の形態２では、ウエストサイズを調節するベルト調節手段を構成するベルト調節部材４１と、凹側ドット釦４２Ａ，４２Ｂ及び凸側ドット釦４３の係合構造とが収容部表ベルト布１２Ａの外面側に配設し、ウエストサイズ調節の操作が、収容部表ベルト布１２Ａの外面、即ち、ウエストベルト部１０の表側で行われる。
よって、本実施の形態２のスーツ用ズボン１では、着用したままで腰裏側に手を入れなくともウエストサイズ調節の操作がし易くし、また、着用した際に腰裏側にベルト調節部材４１及び凹側ドット釦４２Ａ，４２Ｂと凸側ドット釦４３の係合部材が位置しないから、係合部材の肌への当たり、圧迫も着用者の身体に一層感じ難いものとなる。また、ウエストベルト部１０の腰裏側のデザインの設計自由度が維持される一方、ウエストベルト部１０の表側では、ウエストの調節構造がアクセントとなり意匠的効果を独特なものとすることもできる。
【０１７９】
特に、図２０に示しているように、ウエストベルト部１０表側の収容部表ベルト布１２Ａに設けた貫通孔４５の位置をウエストベルト部１０表側の外面側（意匠面側）からみて分からないように隠し、見栄えを良くするため、ラベル、布ネーム、ワッペン等の布地、テープ（リボンテープ等）等からなる被覆地４６を収容部表ベルト布１２Ａの外面側で貫通孔４５を覆うように縫着してもよい。これら、ラベル、布ネーム、ワッペン等の布地、テープ等からなる被覆地４６は、ベルト調節部材４１が貫通孔４５から収容部表ベルト布１２Ａの外面側に出されるように、例えば、その上下両端側が収容部表ベルト布１２Ａの外面に縫付けられる。皮や布のラベル等の被覆地４６には、例えば、パンツのブランド名、製造会社等が記載されると、意匠的効果も独特なものとなる。
【０１８０】
ここで、本実施の形態２に係るウエストベルト部１０の接続部２０及びベルト調節手段の構造について、図２２乃至図２６を参照して、詳細に説明すると、実施の形態２においても、上記実施の形態１の同様、伸び止め材２２が所定の弛みを持って、平ゴム２１の片面側に配設し、その両端部に縫付けられている。即ち、平ゴム２１の一端部は、伸び止め材２２の一端部と共にステッチ５３にて延出部１１の先端部に縫付けられ、平ゴム２１の他端部は伸び止め材２２の途中にステッチ５４にて縫付けられている。
そして、平ゴム２１の他端部から突出した余剰分の伸び止め材２２の他端部は、上記実施の形態１では、ウエストベルト部１０の表側を形成する収容部表ベルト布１２Ａの内面に縫付けられていたのに対し、本実施の形態２では、ウエストベルト部１０の裏側を形成する収容部裏ベルト布１２Ｂの内面にステッチ５５にて縫付けられている。このとき、本実施の形態２では、平ゴム２１の表裏面に対し伸び止め材２２が収容部表ベルト布１２Ａ側の面に縫着されている。
【０１８１】
なお、収容部表ベルト布１２Ａと収容部裏ベルト布１２Ｂの両者を接ぐ態様によっては、収容部表ベルト布１２Ａの内折りする上部と共に収容部裏ベルト布１２Ｂに伸び止め材２２の他端部をステッチ５５にて縫付けることになるが、場合によっては、収容部表ベルト布１２Ａの内折りする上部の一部を切り欠いてしまって、伸び止め材２２の他端部を収容部裏ベルト布１２Ｂのみに直接縫付けるようにしてもよい。このときの伸び止め材２２を収容部裏ベルト布１２Ｂに縫付けたステッチ５５の縫い目は、図２３（ａ）に示すように、収容部裏ベルト布１２Ｂの表裏面を貫通し、収容部裏ベルト布１２Ｂの外面側に出ることになる。
【０１８２】
そして、本実施の形態２においても、上記実施の形態１のときと同様に、平ゴム２１の他端部にベルト調節部材４１が縫付けられる。このベルト調節部材４１は、伸び止め材２２と同様に、平ゴム２１の表裏面に対し収容部表ベルト布１２Ａ側の面で伸び止め材２２に重ねてステッチ５６にて縫付けられている。
更に、ベルト調節部材４１には、上記実施の形態１と同様に、凹側ドット釦４２Ａ，４２Ｂが取付けられている。なお、図２２において、２つの凹側ドット釦４２Ａ及び凹側ドット釦４２Ｂは共に、ベルト調節部材４１の表裏面のうちの平ゴム２１及び伸び止め材２２側に取付けられている。また、ベルト調節部材４１においては、上記実施の形態１と同様に、その先端側に凹側ドット釦４２Ｂを設け、凹側ドット釦４２Ｂよりも平ゴム２１寄りの所定位置に凹側ドット釦４２Ａを設けている。
【０１８３】
ここで、このベルト調節部材４１が通される貫通孔４５は、本実施の形態２では、収容部表ベルト布１２Ａ側にその表裏を貫通して設けられる。この貫通孔４５は、収容部表ベルト布１２Ａに縫付けた伸び止め材２２の縫付位置であるステッチ５５の近傍に設けられるが、ステッチ５５の位置よりも後中心ＢＣ寄り（延出部１１側から遠のく方）に設けられている。
これより、収容部１２内において収容部１２と延出部１１を弾性的に接続する平ゴム２１に取付けたベルト調節部材４１を貫通孔４５に通して、収容部１２の内側から外側、特に、本実施の形態２では、収容部表ベルト布１２Ａの内面側から外面側（意匠面側）、つまり、ウエストベルト部１０の表面側に出すことができる。
なお、図２３（ｂ）においては、ベルト調節部材４１が貫通孔４５に通される前のウエストベルト部１０の表側を示している。
【０１８４】
そして、本実施の形態２においても、ベルト調節部材４１の凹側ドット釦４２Ａ，４２Ｂに対応する凸側ドット釦４３が収容部１２に設けられるが、本実施の形態２では、貫通孔４５を設けた収容部表ベルト布１２Ａの外面側に凸側ドット釦４３が設けられる。詳しくは、この凸側ドット釦４３は、貫通孔４５の近傍に設けられるが、貫通孔４５の位置よりも後中心ＢＣ寄り（延出部１１側から遠のく方）に設けられている。
【０１８５】
よって、本実施の形態２において、図２４等で示すように、貫通孔４５に通され、収容部表ベルト布１２Ａの外面側（意匠面側）、即ち、ウエストベルト部１０の表面側に出されたベルト調節部材４１は、その所定の面側に設けた凹側ドット釦４２Ａまたは凹側ドット釦４２Ｂを収容部表ベルト布１２Ａの外面側に設けた凸側ドット釦４３に係合させることにより、収容部表ベルト布１２Ａの外面に接合することができる。
【０１８６】
こうして、本実施の形態２に係るスーツ用ズボン１の使用状態では、図２４（ａ）に示したように、収容部１２の内面側で延出部１１側とは反対側で平ゴム２１の先端部側に取付けたベルト調節部材４１を、収容部表ベルト布１２Ａの所定位置に設けた貫通孔４５に通して、図２４（ｂ）及び（ｃ）に示したように、収容部表ベルト布１２Ａの内面側から外面側に引き出した状態とする。即ち、ベルト調節部材４１を貫通孔４５に挿通し収容部表ベルト布１２Ａの表面側に出した状態とする。このとき、ベルト調節部材４１に設けた凹側ドット釦４２Ａ，４２Ｂの配設側が、収容部表ベルト布１２Ａの外面側（表面側）、即ち、凹側ドット釦４３の配設側に対向するように、ベルト調節部材４１が貫通孔４５から導き出され収容部表ベルト布１２Ａの外面側に出される。
そして、図２４（ｂ）及び（ｃ）に示したように、収容部表ベルト布１２Ａの外面側に出されたベルト調節部材４１は、特定の片面に設けた凹側ドット釦４２Ａ及び凹側ドット釦４２Ｂのうちの何れか一方を収容部表ベルト布１２Ａの外面側に設けた凸側ドット釦４３に係合させることで、収容部表ベルト布１２Ａの外面側に接合固定される。
【０１８７】
ここで、本実施の形態２でも、上記実施の形態１のときと同様、収容部１２の内面側において収容部１２と延出部１１を弾性的に接続する接続部２０の途中に対し、具体的には、図２２、図２４(ａ)等に示すように、伸び止め材２２を収容部１２に縫付けたときのステッチ５５から所定長さ離れた位置であって平ゴム２１の他端部側にステッチ５６でベルト調節部材４１を縫付けたことから、図２４（ｃ）、図２６に示したように、収容部１２に対して延出部１１が深く挿入される方向にベルト調節部材４１を引き寄せることで、即ち、貫通孔４５から収容部表ベルト布１２Ａの外面側に出されたベルト調節部材４１を長く引き出すことで、収容部１２に対し、延出部１１をより深い位置に移動させることができる。
【０１８８】
収容部１２に対して延出部１１が深く挿入される方向にベルト調節部材４１を引き寄せ、貫通孔４５から収容部表ベルト布１２Ａの外面側に出されたベルト調節部材４１を長く引き出すと、特に、図２６（ｃ）で示すように、収容部１２と延出部１１の間を接続する接続部２０の接続長さにおいて折重なり部４８が生じて、伸び止め材２２を収容部１２に縫付けたときのステッチ５５に対し延出部１１が近づき、収容部１２に対して延出部１１が深く挿入されることになる。
【０１８９】
本実施の形態２では、収容部１２と延出部１１の間の接続部２０において、一端部を延出部１１に縫付けた平ゴム２１の両端部に平ゴム２１よりも薄い厚みのリボンテープ等からなる伸び止め材２２を縫付け、その伸び止め材２２を平ゴム２１の延出部１１側とは反対側の他端部よりも突出させて収容部表ベルト布１２Ａの内面にステッチ５５にて縫付けている。更に、そのような接続部２０に対し、ベルト調節部材４１の長さ方向の一端部を、平ゴム２１の延出部１１側とは反対側の他端部にステッチ５６にて縫付けている。このため、収容部１２に対して延出部１１が深く挿入される方向にベルト調節部材４１を引き寄せると、即ち、貫通孔４５から収容部表ベルト布１２Ａの外面側に出されたベルト調節部材４１を長く引き出すと、ベルト調節部材４１を平ゴム２１に縫付けたときのステッチ５６から伸び止め材２２の他端を収容部表ベルト布１２Ａの内面に縫付けたときのステッチ５５までの間で、平ゴム２１よりも薄い厚みのリボンテープ等からなる伸び止め材２２及び平ゴム２１の折重なり部４８が生じる。
【０１９０】
そして、本実施の形態２においても、ベルト調節部材４１に凹側ドット釦４２Ｂよりも平ゴム２０寄りの所定位置に凹側ドット釦４２Ａを設けており、収容部１２に対して延出部１１が深く挿入される方向にベルト調節部材４１を引き寄せて、即ち、貫通孔４５から収容部表ベルト布１２Ａの外面側に出されたベルト調節部材４１を長く引き出して、収容部１２と延出部１１の間を接続する接続部２０において折重なり部４８が生じた状態で、図２４（ｃ）、図２６に示したように、ウエストベルト部１０のウエスト方向において、収容部表ベルト布１２Ａの外面に設けた凸側ドット釦４３の位置に、ベルト調節部材４１の凹側ドット釦４２Ａの位置が一致するようにしている。
即ち、ベルト調節部材４１に設けた凹側ドット釦４２Ａと収容部表ベルト布１２Ａの外面に設けた凸側ドット釦４３の係合（接合）によって、収容部表ベルト布１２Ａの外面にベルト調節部材４１を接合することで、ベルト調節部材４１を所定位置で固定して、折重なり部４８が生じた接続部２０の位置状態、つまりは、収容部１２に対する延出部１１の挿入深さを保持、固定できるようになっている。
このようにして、本実施の形態２においても、収容部１２に対して延出部１１が深く挿入された状態を保持、固定することにより、ウエストを小さくすることができる。
【０１９１】
一方、図２４（ｂ）、図２５に示したように、貫通孔４５から収容部表ベルト布１２Ａの外面側に出されたベルト調節部材４１が長く引き出されることなく、延出部１１を収容部１２から抜き出す方向に移動させても、ベルト調節部材４１が貫通孔４５にそれ以上引き戻されることのない状態では、収容部１２と延出部１１の間を接続する接続部２０の接続長さが折重なることなく、即ち、折重なり部４８が生じることなく本来の長さ状態にあり、収容部１２に入る延出部１１の深さは相対的に浅いものとなる。
つまり、ベルト調節部材４１が貫通孔４５にそれ以上に引き戻されることのない状態では、収容部１２に挿入された延出部１１が浅い深さで収容され、収容部１２に対して延出部１１がウエスト方向に短い長さで重なることになる。故に、ウエストサイズは相対的に大きいものとなる。
【０１９２】
このとき、本実施の形態２においても、図２４（ｂ）、図２５に示したように、ウエストベルト部１０のウエスト方向において、ベルト調節部材４１に設けた凹側ドット釦４２Ｂと収容部表ベルト布１２Ａの外面に設けた凸側ドット釦４３の両者の位置が略一致するようにしている。即ち、ベルト調節部材４１が貫通孔４５にそれ以上に引き戻されることのない状態として、収容部１２に対し延出部１１が浅く挿入されている状態でも、収容部表ベルト布１２Ａの外面に設けた凸側ドット釦４３に対し、ベルト調節部材４１に設けた凹側ドット釦４２Ｂを係合させて、収容部表ベルト布１２Ａの外面側にベルト調節部材４１を接合、固定できるようにしている。このように収容部表ベルト布１２Ａの外面側にベルト調節部材４１を接合、固定できることにより、収容部表ベルト布１２Ａの外面側に出されたベルト調節部材４１の捲れを生じさせないことから、美観を維持することができる。
【０１９３】
そして、本実施の形態２においても、ベルト調節部材４１の凹側ドット釦４２Ｂと収容部表ベルト布１２Ａの凸側ドット釦４３とが係合状態にあるときは、延出部１１が浅い深さで収容部１２に入れられるから、ウエストサイズが大きいものとなり、ベルト調節部材４１の凹側ドット釦４２Ａと収容部表ベルト布１２Ａの凸側ドット釦４３とが係合状態にあるときは、延出部１１が深く収容部１２に入れられるから、凹側ドット釦４２Ｂと凸側ドット釦４３の係合状態のときよりもウエストサイズが小さくなる。このように収容部表ベルト布１２Ａの外面側の凸側ドット釦４３に係合させるベルト調節部材４１の凹側ドット釦４２Ａまたは凹側ドット釦４２Ｂの選択によって収容部１２に延出部１１を収めるその挿入深さを変化でき、収容部１２に延出部１１を重ねる結合深さを決定することで、ウエストサイズの変化を分かり易くしている。
【０１９４】
こうして、本実施の形態２のスーツ用ズボン１でも、伸長させるウエストサイズを変化させることが可能である。
更に、本実施の形態２においても、ウエストベルト部１０の表側において収容部１２に延出部１１を重ね、収容部１２と延出部１１の間を平ゴム２１で弾性的に接続している。これにより、収容部１２に延出部１１を重ねる結合深さが浅くウエストサイズが相対的に大きいときでも、また、収容部表ベルト布１２Ａの外面側に出されたベルト調節部材４１を貫通孔４５から長く引き出してベルト調節部材４１の凹側ドット釦４２Ａと収容部表ベルト布１２Ａの凸側ドット釦４３を係合させることで収容部１２に延出部１１を重ねる結合深さを深くしてウエストサイズを小さくしたときでも、ウエストベルト部１０に対し引張り力が掛かった際には、ウエストベルト部１０の収容部１２と延出部１１の間の平ゴム２１が伸びて収容部１２から延出部１１が多く延出することで、ウエストベルト部１０が伸長する。ウエストベルト部１０に対し引張り力が解除されると、平ゴム２１の弾性力により、ウエストベルト部１０は元に戻る。即ち、ウエストサイズが大のときでも小のときでもウエスト周りは伸縮自在となっている
【０１９５】
本実施の形態２のスーツ用ズボン１でも、このように広範囲のウエストサイズに変化するも、収容部表ベルト布１２Ａの外面側に出されたベルト調節部材４１の貫通孔４５からの引き出し長さの変更によって収容部１２に挿入される延出部１１の挿入深さが変化して、ウエストサイズの切替えを行うものであり、このウエストサイズの切替えによって、ウエストベルト部１０の表側及び裏側では、収容部１２に収容される延出部１１の挿入深さが変化するのみであり、ゴムの収縮の変化を表出させるものでないから、着用する人のウエストラインの見栄えも良い。
更に、本実施の形態２でも、収容部表ベルト布１２Ａの凸側ドット釦４３に対するベルト調節部材４１の凹側ドット釦４２Ａまたは凹側ドット釦４２Ｂの係合位置の選択によってウエストサイズを変化できるから、着用者にとってウエストサイズの切替えも分かり易い。しかし、本発明を実施する場合には、上述したように、凹側ドット釦４２Ｂを省略し、ウエストサイズが大のときには、ベルト調節部材４１を収容部表ベルト布１２Ａの外面側に接合しない構成としてもよい。
【０１９６】
こうして、本実施の形態２では、収容部１２及び延出部１１の間を接続する接続部２０を構成する平ゴム２１に縫付けられ、ウエストベルト部１０の表側を形成する収容部表ベルト部１２Ａに設けた貫通穴４５からウエストベルト部１０の表側の外面側に出されたベルト調節部材４１と、ベルト調節部材４１の片面に設けた凹側ドット釦４２Ａと、ウエストベルト部１０の表側を形成する収容部表ベルト布１２Ａの外面側に設けた凸側ドット釦４３とによってベルト調節手段を構成している。これより、本実施の形態２においても、上記実施の形態１と同じ作用効果が得られる。
【０１９７】
即ち、貫通穴４５からウエストベルト部１０の表側の外面側に出されたベルト調節部材４１を長く引き出すと、ベルト調節部材４１が縫付けられた平ゴム２１が収容部１２に奥深く引き寄せられ、平ゴム２１に接続している延出部１１が収容部１２に深く挿入される。即ち、ウエストベルト部１０の表側の外面側に出されたベルト調節部材４１を貫通穴４５から長く引き出すと、平ゴム２１を介して、延出部１１がより深く（多く）収容部１２内に入れられる。
なお、このとき、本実施の形態２では、収容部１２及び延出部１１の間を接続する接続部２０が、平ゴム２１とそれに並設し平ゴム２１の端から突出して収容部表ベルト布１２Ａの内面にステッチ５５にて縫付けた伸び止め材２２とから構成されているから、ウエストベルト部１０の表側の外面側に出されたベルト調節部材４１を貫通穴４５から長く引き出すと、ベルト調節部材４１が縫付けられた平ゴム２１が収容部１２に奥深く引き寄せられることで、ステッチ５５ａ及びステッチ５６の間の接続部２０が折り畳まれ、折り畳み部４８が形成される。
【０１９８】
そして、ウエストベルト部１０の表側の外面側で貫通穴４５から長く引き出されたベルト調節部材４１は、ベルト調節部材４１の片面に設けた凹側ドット釦４２Ａと、ウエストベルト部１０の表側を形成する収容部表ベルト布１２Ａの外面側に設けた凸側ドット釦４３との係合によって収容部表ベルト布１２Ａの外面側に固定することができる。
【０１９９】
このようにして本実施の形態２においても、ベルト調節部材４１を貫通穴４５から長く引き出して、ベルト調節部材４１の片面に設けた凹側ドット釦４２Ａと、ウエストベルト部１０の表側を形成する収容部表ベルト布１２Ａの外面側に設けた凹側ドット釦４２Ａとの係合により貫通穴４５から長く引き出された状態でベルト調節部材４１を収容部表ベルト布１２Ａの外面側に固定することによって、収容部１２に対する延出部１１の挿入深さを深くしたときは、ウエストベルト部１０の周囲長が小さくなる。よって、着用者のウエストがサイズダウンしたときでも、それに対応することができる。特に、このようにウエストベルト部１０の周囲長を縮小させサイズダウンした状態でも、ウエストベルト部１０に引張り力が掛かると、収容部１２と延出部１１を弾性的に接続している平ゴム２１が伸び、延出部１１が収容部１２から抜きだす方向に移動して、ウエスト周りが伸びるから、ウエストの動き、変化に追従するフィット感を得ることができる。
【０２００】
一方、ベルト調節部材４１の片面に設けた凹側ドット釦４２Ａと、ウエストベルト部１０の表側を形成する収容部表ベルト布１２Ａの外面側に設けた凸側ドット釦４３とを係合せずに、収容部表ベルト布１２Ａの外面側のベルト調節部材４１が貫通穴４５にこれ以上引き戻されることのない状態では、収容部１２内の延出部１１の挿入深さが浅く、ウエストベルト部１０の周囲長が大きくなる。よって、着用者のウエストが増大したときでも、それに対応することができる。特に、このようにウエストベルト部１０の周囲長が拡大された状態でも、ウエストベルト部１０に引張り力が掛かると、収容部１２と延出部１１を弾性的に接続している平ゴム２１が伸び、延出部１１が収容部１２から抜きだす方向に移動するから、ウエストの動き、変化に追従するフィット感を得ることができる。
【０２０１】
加えて、本実施の形態２のスーツ用ズボン１によれば、収容部表ベルト布１２Ａの外面側でベルト調節部材４１の長さ調節操作、凹側ドット釦４２Ａ，４２Ｂと凸側ドット釦４３の係合または解除操作によって、ウエストベルト部１０のウエストサイズを容易に変更できる。また、ウエストサイズを調節するベルト調節手段を構成するベルト調節部材４１と、凹側ドット釦４２Ａ，４２Ｂ及び凸側ドット釦４３の係合構造とをウエストベルト部１０の表側に配設するから、着用しながらのウエストの締め付け強さ、即ち、ウエストサイズ変更が容易であり、より簡単に素早くウエストの締め付け強さを調節できる。
【０２０２】
こうして、本実施の形態２のスーツ用ズボン１によっても、ウエストベルト部１０のウエストサイズを容易に、かつ、見栄え良く増減変更可能として広範囲のウエストサイズの変化に対応できるうえ、ウエストの動き、変化に追従するフィット感も得ることができる。
そして、着用者が運動やダイエット等によってウエストがサイズダウンした場合でも、或いは、体重の増加やリバウンド等でウエストサイズが増大した場合でも、ウエストベルト部１０のウエストサイズを変化させて、着用し続けることができ、経済的である。また、子供服の場合のようにウエストサイズが頻繁に変化する場合や、女性のマタニティ用として出産前後の短期間でウエストが変化する場合でも、ウエストベルト部１０のウエストサイズを変化させて長い間着用し続けることができ、経済的なものとなる。
【０２０３】
なお、上記実施の形態２では、平ゴム２１の表裏面のうち、収容部表ベルト部１２Ａ側に伸び止め材２２を併設しているが、本発明を実施する場合には、収容部表ベルト部１２Ａ側とは反対側の収容部裏ベルト布１２Ｂ側に伸び止め材２２を併設してもよい。この場合には、平ゴム２１に対し、その収容部裏ベルト布１２Ｂ側に伸び止め材２２が併設し、その伸び止め材２２とは反対面側でベルト調節部材４１が縫付けられる。
【０２０４】
ところで、上記実施の形態１では、脇ポケット部２において襞状のタック（折り返し）２ｂを設けることで、ウエスト部Ｗの見栄えを維持しているが、本実施の形態２では、上記実施の形態１で説明した襞状のタック（折り返し）２ｂに代えて、図２２に示したように、脇ポケット部２を構成する袋布２ａの一部を切り欠いて分割した分割部２ｇを設けている。
【０２０５】
具体的には、脇ポケット部２を構成している袋布２ａの後布２ｒの中央側の上端部に分割部２ｇが設けられている。分割部２ｇは、後布２ｒをそ中央付近の上端部で切込みによって分割して形成したものであり、その分割部分の周囲には強度確保等のためのパイピングが施されている。なお、この分割部２ｇは、ウエスト部Ｗの表側において、ポケット口外縁２ｃの上端近傍に位置している。このとき、分割部２ｇから前中心ＦＣ寄りの袋布２ａの後布２ｒの上端部は、袋布２ａの前布２ｆの上端部と共に延出部１１の延出部表ベルト布１１Ａに縫合わされているが、分割部２ｇから脇線ＬＳ，ＲＳ寄りの後布２ｒの上端部は、その一部がウエストベルト部１０に縫付けられていない。
【０２０６】
このように本実施の形態２においては、脇ポケット部２を構成する袋布２ａの後布２ｒの上端部に切込みを入れて分割する構成とし、分割部２ｇから脇線ＬＳ，ＲＳ寄りの後布２ｒの上端の一部が、ウエストベルト部１０の何れにも縫い付けられていないことで、ウエストベルト部１０に引張り力がかかった際には、分割部２ｇが開かれ、ウエストベルト部１０の伸長を妨げることのないようにしている。
したがって、ウエストベルト部１０に引張り力がかかったときに、収容部１２から延出部１１が抜き出るが、この延出部１１の移動に伴って、分割部２ｇが開かれる（広げられる）ことになるから、脇ポケット部２を構成する袋布２ａにかかる引張り力が分割部２ｇの開きによって逃される。これより、ウエストベルト部１０の伸びを妨げることなくウエストをスムースに伸ばすことができる。また、分割部２ｇを設けたことで袋布２ａが引き攣られることがなく、引張り力が表側に響いて脇ポケット部２が歪んだり脇ポケット部２の周辺にシワが寄ったりするのが防止される。よって、脇ポケット部２が滑らかに変形すし、スーツ用ズボン１を表側から見たときの良好な見栄えを保つことができる。なお、分割部２ｇの開き幅の設定によっても、ウエストの伸びの限界を規定することが可能である。
【０２０７】
なお、本実施の形態２においては、補助弾性材として幅の細い所定長さの平ゴム７の一端部が、脇ポケット部２の袋布２ａに形成された分割部２ｇから脇線ＬＳ，ＲＳ寄りの布地（図２２において分割部２ｇの左側の布地）の上端部に対して縫付けられ、また、反対側の他端部が、延出部表ベルト布１１Ａの上側の折り返し部分に縫付けられている。
特に、補助弾性材として幅の細い所定長さの平ゴム７の一端部を、脇ポケット部２の袋布２ａに形成された分割部２ｇを構成する上側の布地の上端部にステッチ７ａで縫付ける一方で、ウエストサイズが大、かつ、平ゴム２１が非伸縮状態で、反対側の他端部をステッチ７ａの上の位置で延出部表ベルト布１１Ａの上側の折り返し部分にステッチ７ｂで縫付け、ウエストベルト部１０のウエスト方向に対して直交方向に平ゴム７を直線状に設けている。これにより、収容部１２に対し延出部１１をより深く挿入しウエスト周りを小さくしたときでも、収容部１２に対し深く挿入される方向に延出部１１が移動したときでも、平ゴム７のステッチ７ｂ側が延出部１１と共に移動するから、平ゴム７の撓み、浮き上がりが生じることもなく、また、ウエストベルト部１０及び身頃４Ｆ，４Ｂとの境界付近に皺が入り難く、スーツ用ズボン１を表裏から見たときの良好な見栄えを維持できる。
なお、本実施形態２において、その他の構成は、上記実施の形態１と同じであるから、ここでは重複する詳細な説明を省略する。
【０２０８】
以上説明してきたように、本実施の形態２のウエスト伸縮自在ボトムスとしてのスーツ用ズボン１も、ウエスト方向に延びる帯状をなすウエストベルト部１０を有するウエスト伸縮自在ボトムスとしてのスーツ用ズボン１であって、ウエストベルト部１０の表側及び裏側を形成し、身頃４Ｆ，４Ｂに縫着しない端部側が延出自在な延出部１１と、延出部１１と共にウエストベルト部１０の表側及び裏側を形成し、延出部１１の身頃４Ｆ，４Ｂに縫着しない端部側を収容した収容部１２と、ウエストベルト部１０に設けられ、収容部１２に対し延出部１１の端部側を収容した状態で収容部１２と延出部１１の間を弾性材としての平ゴム２１によって弾性的に接続した接続部２０と、平ゴム２１に縫付けられ、ウエストベルト部１０の表側を形成する収容部表ベルト部１２Ａに設けた貫通穴４５からウエストベルト部１０の表側の外面側に出されたベルト調節部材４１、ベルト調節部材４１の片面に設けた凹側ドット釦４２Ａ、及びウエストベルト部１０の表側を形成する収容部表ベルト部１２Ａの外面側に設けた凸側ドット釦４３からなり、収容部１２に対して延出部１１が挿入される深さを可変する調節手段とを具備するものである。
【０２０９】
特に、本実施の形態２のウエスト伸縮自在ボトムスとしてのスーツ用ズボン１の調節手段は、収容部１２に延出部１１が挿入される深さを可変するためのベルト調節部材４１の一端を収容部１２及び延出部１１の間を接続する接続部２０に接続し、このベルト調節部材４１に凹側ドット釦４２Ａ及び凸側ドット釦４３からなる１対の係合部材の一方である凹側ドット釦４２Ａを設け、また、ウエストベルト部１０表側を形成する収容部表ベルト布１２Ａの外面側に凹側ドット釦４２Ａ及び凸側ドット釦４３からなる１対の係合部材の他方である凸側ドット釦４３を設け、更に、ウエストベルト部１０表側の収容部表ベルト布１２Ａにベルト調節部材４１を通す貫通穴４５を設けてなり、貫通穴４５に通されウエストベルト部１０表側に出されたベルト調節部材４１を貫通穴４５から長く引き出し、ウエストベルト部１０表側に出されたベルト調節部材４１をウエストベルト部１０表側の収容部１２の外面側に対し１対の係合部材としての凹側ドット釦４２Ａ及び凸側ドット釦４３の係合により接合することによって、収容部１２に対し延出部１１が深く挿入された状態が保持される。
【０２１０】
したがって、本実施の形態２のウエスト伸縮自在ボトムスとしてのスーツ用ズボン１においても、ウエストベルト部１０の表側及び裏側を形成する延出部１１と収容部１２の間が接続部２０の平ゴム２１によって弾性的に接続されていることで、ウエストベルト部１０においてウエスト方向に引張り力が掛かった際には、この平ゴム２１の伸びによって、収容部１２から延出部１１が延出することにより、ウエストベルト部１０は伸長する。また、引張り力が弱まると、平ゴム２１の弾性力によって、伸長したウエストベルト部１０が元に収縮する。よって、ウエストベルト部１０は伸縮自在である。
【０２１１】
更に、平ゴム２１に縫付けられ、ウエストベルト部１０の表側を形成する収容部表ベルト部１２Ａに設けた貫通穴４５からウエストベルト部１０の表側の外面側に出されたベルト調節部材４１と、ベルト調節部材４１の片面に設けた凹側ドット釦４２Ａと、ウエストベルト部１０の表側を形成する収容部表ベルト部１２Ａの外面側に設けた凸側ドット釦４３とからなる調節手段によって、ウエストベルト部１０の表裏を構成している収容部１２及び延収部１１の関係について、収容部１２に対し延出部１１が挿入する深さを可変するから、ウエストベルト部１０のウエスト方向の長さ、即ち、ウエストサイズを変化できる。つまり、伸縮させるウエスト周りの長さを変化させることができる。
【０２１２】
即ち、本実施の形態２では、収容部１２及び延出部１１の間を接続する接続部２０にベルト調節部材４１の一端を接続し、更にベルト調節部材４１をウエストベルト部１０表側を形成する収容部表ベルト布１２Ａに設けた貫通穴４５から収容部１２の外面側に出し、このベルト調節部材４１を貫通穴４５から長く引き出すことによって、収容部１２に対し延出部１１を深く挿入する。そして、収容部１２に対し延出部１１を深く挿入した状態を、ウエストベルト部１０表側の収容部１２の外面側に対しベルト調節部材４１を１対の係合部材としての凹側ドット釦４２Ａ及び凸側ドット釦４３の係合により接合することによって保持、固定される。このようにして延出部１１の収容部１２に入れる挿入深さを深くすることでウエスト周囲長を短縮、即ち、ウエストサイズを小さくできる。
【０２１３】
このように、平ゴム２１に縫付けられ、ウエストベルト部１０の表側を形成する収容部表ベルト布１２Ａに設けた貫通穴４５からウエストベルト部１０の表側の外面側に出されたベルト調節部材４１と、ベルト調節部材４１の片面に設けた凹側ドット釦４２Ａと、ウエストベルト部１０の表側を形成する収容部表ベルト部１２Ａの外面側に設けた凸側ドット釦４３とからなる調節手段によって収容部１２に対し延出部１１が挿入する深さを可変することで、ウエストサイズを変化できるうえ、収容部１２及び延出部１１の間を接続部２０の平ゴム２１によって弾性的に接続しているから、収容部１２に対する延出部１１の結合深さを相対的に浅くしてウエスト周囲長を長くした状態でも、また、収容部１２に対する延出部１１の結合深さを相対的に深くしてウエスト周囲長を短くした状態でも、ウエスト方向に引張り力が掛かった際には、収容部１２及び延出部１１を弾性的に接続している接続部２０の平ゴム２１の伸びによって延出部１１が収容部１２から抜き出てウエスト方向に移動し、ウエスト周りが伸長する。
【０２１４】
よって、ウエストサイズを広範囲に亘って変化させることができ、着用者の広範囲のウエストサイズの変化に対しても対応可能である。また、ウエストベルト部１０のウエストサイズを大きくしたときでも小さくしたときでも、収容部１２及び延出部１１を弾性的に接続している接続部２０の平ゴム２１の伸びによってウエストサイズを連続的に変化できるからウエストの変化、動きに追従したフィット性が得られる。
こうして、広範囲のウエストサイズに変化でき、また、着用者のウエストの動き、変化に対してもそれに追従するフィット性が得られるウエスト伸縮自在ボトムスとしてのスーツ用ズボン１となる。
【０２１５】
こうして、本実施の形態２のウエスト伸縮自在ボトムスとしてのスーツ用ズボン１によれば、ウエストベルト部１０表側の収容部表ベルト布１２Ａの外面側でベルト調節部材４１の引き出し操作及び１対の係合部材としての凹側ドット釦４２Ａ及び凸側ドット釦４３による係合操作を行うものであるから、着用者にとって、ウエストサイズの変更が分かり易くて操作もしやすく、使い勝手がよい。また、ウエストベルト部１０表側の収容部１２の外面側に１対の係合部材としての凹側ドット釦４２Ａ及び凸側ドット釦４３が配設するから、身体を圧迫する違和感を生じさせる恐れが全くない。
【０２１６】
なお、上記実施の形態１，２においては、ウエスト伸縮自在ボトムスとしてスーツ用ズボン１の例について説明したが、ウエスト伸縮自在ボトムスとしてはこれに限られるものではなく、スラックス等のカジュアルでないボトムスでも、チノパン等の綿パンやジーンズ（Ｇパン）等のカジュアルなボトムスでも、ゴルフスラックス等のスポーツウエアでも、スカートやキュロットスカート等でも、収容部１２及び延出部１１を重ね合わせてなる重ね合わせ部１９を備えたウエストベルト部１０を有するどのような被服にも適用することができる。スーツ用ズボン１等のフォーマルなボトムスでは、ベルト布ステッチを施さない場合もあるが、ジーンズ（Ｇパン）、綿パンを始めとするカジュアルなボトムスにおいては、収容部１２及び延出部１１の上下端にベルト布ステッチを施すのが一般的である。
特に、収容部１２及び延出部１１を重ね合わせてなる重ね合わせ部１９を備えたウエストベルト部１０によって、見栄えを損なうことなく人体のウエストの動きに追従するフィット性が高まることから、ゴルフ等の運動(スポーツ)時に着用するトレーニングウエア、スポーツウエアとしても好適であり、高いフィット性により激しい動きにも追従して、高い着用感を得ることができる。
【０２１７】
また、上記実施の形態１，２では、左右の脇線ＬＳ，ＲＳの近傍の２箇所に収容部１２及び延出部１１を重ね合わせた重ね合わせ部１９を有するスーツ用パンツ１で説明したが、本発明を実施する場合には、１箇所以上であればよく、また、前身頃４Ｆ側に収容部１２を設け、後身頃４Ｂ側に延出部１１を設ける構成としてもよい。更に、上記実施の形態１，２では、延出部１１の延出自在な一端部側がウエストベルト部１０の表側の意匠面側からみて隠れるように収容部１２の内側に重ねられて収められているが、本発明を実施する場合には、収容部１２の外面側で延出部１１の延出自在な一端部側を重ねてそこを平ゴム２１によって接続する構成としても良い。
【０２１８】
更に、上記実施の形態１，２では、前身頃４Ｆと後身頃４Ｂが接続した両脇の脇線ＬＳ，ＲＳに沿って脇ポケット部２を設け、開閉のために生地の余裕がある脇ポケット部２の近傍に収容部１２及び延出部１１を重ね合わせた１９を設けていることによって、ウエスト周りが伸縮する際に、身頃４Ｆ、４Ｂに皺がよることがなく、見栄えの良いものとしている。しかし、本発明を実施する場合には、脇ポケット部２に代えてタックを設けることも可能である。即ち、脇線ＬＳ，ＲＳの上部にタックを設けることによっても、身頃４Ｆ、４Ｂに皺がよることがなく、ウエストベルト１０の長さを伸縮自在とすることも可能である。このとき、ウエストベルト部１０に引張り力がかかっていない場合には、タックは折畳まれた状態にあって脇線ＬＳ，ＲＳと一体となっており、ウエストベルト部１０に引張り力がかかってウエスト周りが伸びると、延出部１１の近傍の前身頃４Ｆも延出部１１と一体に移動して、タックが拡げられる。このタックは、例えば、両脇の脇線ＬＳ，ＲＳに沿って、両脇の脇線ＬＳ，ＲＳの上端または上端の近傍の裏側に設けることできる。
【０２１９】
加えて、上記実施の形態１，２では、スーツ用ズボン１において、ウエストベルト部１０の動きに追従して身頃４Ｆ、４Ｂに皺が生じないようするために、両脇の脇線ＬＳ，ＲＳに沿って脇ポケット部２を設けているが、「ポケット」としては、外縁が直線の脇ポケット、外縁が略Ｌ字型形状のＬポケット、その変形で外縁が略Ｓ字型形状のＳポケット等を始めとしてどのような外縁形状を有するものでも良い。外縁が略Ｌ字型形状を有するＬポケットの形状としては、例えば、角張ったＬ字形状の外縁を有するＬポケット、縦方向に長い角張ったＬ字形状の外縁を有するＬポケット等が挙げられる。
【０２２０】
このとき、ポケット口は、複数設ける構成としても良い。例えば、脇線ＬＳ，ＲＳに沿ってまたは脇線の近傍の前中心ＦＣ寄りに形成された小ポケット(例えば、ポケット口の縦幅長さが３ｃｍ以上、１５ｃｍ以下の範囲内)と、小ポケットよりも前中心ＦＣ寄りに形成され小ポケットよりも容量が大きな大ポケットとを設ける構成としてもよい。この場合には、小ポケットにタックや切込み等が入れられることになる。また、小ポケットの開口は大ポケットの開口より内側に配設しても良い。別途、脇中間ポケットを脇線の近傍に設けても良い。更に、片玉縁のポケット口を有する片玉縁のポケット、両玉縁のポケット口を有する両玉縁のポケット、フラップ付きのポケット口を有するフラップ付きポケットであってもよい。
【０２２１】
特に、Ｌポケットは、婦人用パンツのポケットとして好ましい。骨盤が大きい女性でも、着用したときにポケット口が変形し難く、また、ポケット口に皺等が生難く、見栄えを良くすることができるため、例えば、女性用スラックス等に適する。
また、両脇のポケットが左右対称でなくても良く、左右でポケットの種類が異なっていても構わない。更に、ポケットの開口部の前中心ＦＣ側が伸縮性を有すると、見栄えが向上する。
【０２２２】
上記実施の形態１，２では、ウエストベルト部１０にベルト通し５，５Ａを設けた説明としたが、勿論、ベルト通し５，５Ａを省略することも可能である。
また、上記実施の形態１，２では、前身頃４Ｆ及び後身頃４Ｂと共地とした収容部表ベルト布１２Ａ及びそれとは別生地の裏側の収容部裏ベルト布１２Ｂを上側で接いで収容部１２を構成し、前身頃４Ｆ及び後身頃４Ｂと共地とした延出部表ベルト布１１Ａ及びそれとは別生地の裏側の延出部裏ベルト布１１Ｂの両者を上側で接いで延出部１１を構成し、収容部表ベルト布１２Ａ及び収容部裏ベルト布１２Ｂからなる収容部１２に延出部表ベルト布１１Ａ及び延出部裏ベルト布１１Ｂからなる延出部１１の端部が重ねられ収められている。即ち、ウエストベルト部１０の表側では収容部表ベルト布１２Ａと延出部表ベルト布１１Ａとがウエスト周りで一体に連続せずに分離した構成であり、裏側も収容部裏ベルト布１２Ｂと延出部裏ベルト布１１Ｂとがとがウエスト周りで一体に連続せずに分離した構成である。これより、ウエストベルト部１０に引張り力が掛かった際には、ウエストベルト部１０の表側及び裏側で、収容部１２から延出部１１が延出する。特に、ウエストベルト部１０の表側及び裏側には、ゴムが存在しないから、ウエストサイズを変化させても、ウエストベルト部１０にゴムの皺、襞等が生じることもなく、見栄えに優れる。
【０２２３】
このように上記実施の形態１，２では、収容部１２及び延出部１１の表側、即ち、収容部表ベルト布１２Ａ及び延出部表ベルト布１１Ａのみを身頃４Ｂ，４Ｆと共地とし、収容部１２及び延出部１１の裏側、即ち、収容部裏ベルト布１２Ｂ及び延出部裏ベルト布１１Ｂは表側とは別の生地として、ウエストベルト部１０の上端部で表側と裏側の生地を接ぐ構成としている。しかし、本発明を実施する場合には、収容部１２及び延出部１１の表側と裏側を同一の生地で構成してもよい。このときも、ウエストベルト部１０の上端部で表側と裏側の生地を接ぐ構成としてもよいし、１枚の生地をウエストベルト部１０の上端部で折り曲げる構成としてもよい。また、収容部１２及び延出部１１の表側と裏側の両方を身頃４Ｂ，４Ｆと共地としてもよい。勿論、収容部１２側と延出部１１側で異なる生地を使用することも可能である。
【０２２４】
また、上記実施の形態１，２では、１対の係合部材として、結合力、耐久性も高く、また、布地の表面を毛羽立たせたり、布地に引っかけたりして傷付ける恐れもなく使い勝手が良いことから、ドット釦（スナップボタン）の事例で説明したが、本発明を実施する場合に、面ファスナ（マジックテープ（登録商標））等の接着布、ファスナ、フックアイテープ、ファッションミニバックル、Ｚナップ、スプリングホック、ボタンとボタンループ（ボタンホール、チイ、ループ糸）等を使用することも可能である。更に、ベルト調節部材４１及びウエストベルト部１０の外面側に設ける係合部材の個数も、複数とし、ウエストベルト部１０の外面側の係合部材に係合させるベルト調節部材４１の係合部材の選択によって、収容部１２に対する延出部１１の挿入深さを段階的に変化させてウエストサイズを段階的に変えることができるようにしてもよいし、係合部材として面ファスナ（接着布）の使用により、連続的にウエストサイズを変化させることができるようにしてもよい。
【０２２５】
更に、上記実施の形態１，２は、接続部２０に取付けたベルト調節部材４１をウエストベルト部１０の外面側に貫通孔４５から出して、１対の係合部材としての凹側ドット釦４２Ａ及び凸側ドット釦４３によってウエストベルト部１０の外面側に接合する構成としているが、本発明を実施する場合には、ウエストベルト部１０の内部で、接続部２０に取付けたベルト調節部材４１を１対の係合部材によって収容部１２の内部に接合するようにしてもよい。即ち、収容部表ベルト布１２Ａまたは収容部裏ベルト布１２Ｂの内面の所定の位置に凸側ドット釦４３を設け、収容部１２の内面で、接続部２０に取付けたベルト調節部材４１の凹側ドット釦４２Ａと係合するようにして、ベルト調節部材４１を収容部１２の内面側に接合するようにしてもよい。これより、収容部１２の下端をめくって、収容部１２の内部でウエストサイズを変化させる操作を行うことになるから、ウエストベルト部１０の表側及び裏側の美観が維持され、デザインの設計自由度も確保される。更には、収容部１２の下端をめくって、収容部１２の内部でウエストサイズを変化させる操作として、接続部２０に所定の間隔で１対の係合部材を設け、接続部２０を折重ねて１対の係合部材で係合することで接続部２０の長さを短縮させることで、収容部１２に対する延出部１１の挿入深さを変化させるようにしてもよい。
【０２２６】
上記実施の形態１，２では、収容部１２の内部において延出部１１及び収容部１２の間を接続する平ゴム２１に対し、伸び止め材２２を並設する構成を説明したが、本発明を実施する場合には、伸び止め材２２は、延出部１１を収容部１２側に伸ばして延出部１１と一体としたストッパー部分として形成し、そのストッパー部分に、平ゴム２１の最大伸びを制限する伸び止め材２２の役割を持たせることも可能である。即ち、延出部１１の先端を細くして延長し、共布で伸び止め材２２の役割をするストッパー部分を設けることによって、単独の伸び止め材２２をリボンテープ等で設ける必要がなく、縫製工程も簡略化されるため、コストがかからず安価に平ゴム２１を長持ちさせることができる。また、伸び止め材２２以外にも、伸縮するゴムの伸びの限界を綿等の繊維の織り込みによって規定することも可能である。
【０２２７】
しかし、本発明を実施する場合には、伸び止め材２２については省略することも可能である。伸び止め材２２を省略した場合には、例えば、袋布２ａのタック２ｂや分割構造（分割部２ｇ）によって、最大の伸び長さを特定することも可能である。伸び止め材２２を省略した際には、平ゴム２１の一端部が延出部１１の先端部に縫付けられると共に、他端部が収容部１２の内部、即ち、収容部表ベルト布１２Ａの内面に縫付けられ、収容部１２の内部で収容部１２と延出部１１が弾性的に接続される接続部２０を構成する。
しかし、ウエストベルト部１０内部の平ゴム２１に伸び止め材２２を並設した構成であれば、最大の伸びが伸び止め材２２で規制され、そこに張力が加わって見栄えが低下することがなく、長期の使用によっても破れが生じ難いものとなる。また、ウエストベルト部１０が伸縮する布地で形成されていても、特定の伸縮性に設定できる。
なお、平ゴム２１に対し、伸び止め材２２の両端部を縫付け、平ゴム２１が伸び止め材２２の端から突出するかたちで、一端部が延出部１１の先端部に縫付けられた平ゴム２１の他端部を収容部表ベルト布１２Ａの内面に縫付ける構成としてもよい。
【０２２８】
更に、上記実施の形態１，２では、袋布２ａやタック２ｂの形状維持、皺寄り防止、見栄えの向上のために補助弾性材としての平ゴム７を設けており、また、延出部裏ベルト布１１Ｂの形状維持、皺寄り防止、見栄え向上、収容部１２からのスムースな延出及び収容部１２への挿入のために補助弾性材としての平ゴム８を設けている。これら補助弾性材としての平ゴム７，８の弾性力は、主弾性材としての平ゴム２１の弾性力に比較すると小さく、ウエストサイズの伸縮のための主弾性材としての平ゴム２１の弾性力からすれば無視できる程度である。また、見栄えに影響する皺が入る可能性も低いことから、当然、省略することも可能である。
【０２２９】
そして、本発明を実施するに際しては、ウエスト伸縮自在ボトムスの構造、形状、材質、生地、大きさ、長さ、幅、接続関係等についても、上記実施の形態に限定されるものではない。なお、本発明の実施の形態で挙げている数値は、臨界値を示すものではなく、実施に好適な好適値を示すものであるから、上記数値を若干変更してもその実施を否定するものではない。
【符号の説明】
【０２３０】
１      スーツ用ズボン
１０    ウエストベルト部
１１    延出部
１２    収容部
２０    接続部
２１    平ゴム
２２    伸び止め材
４１    ベルト調節部材
４２Ａ，４２Ｂ  凹側ドット釦
４３    凸側ドット釦
４５    貫通孔
４６    被覆地